(57)【要約】本発明は、癌細胞でディファレンシャルに発現される新規核酸配列に関する。本発明はまた、当該配列にコードされるタンパク質およびペプチド、当該配列およびタンパク質に基づく診断アッセイならびに治療薬、ならびに当該配列およびタンパク質またはペプチドに由来するプローブ、アンチセンス構築物および抗体に関する。対象核酸は、腫瘍細胞、特に結腸癌組織でディファレンシャルに発現されることが見出された。【特許請求の範囲】
【請求項１】
配列番号１〜４４７０、４４７２、４４７４、４４７６、４４７８、４４８０、４４８２、４４８４、４４８６、４４８８、４４９０、４４９２、および４４９４の１つまたは複数をプローブとして使用する癌の検出方法であって、
（ａ）患者から細胞の試料を収集することと；
（ｂ）該試料の該細胞から核酸を単離することと；
（ｃ）該核酸のハイブリダイゼーションおよび増幅が起きるような条件下で、該核酸試料を、配列番号１〜４４７０、４４７２、４４７４、４４７６、４４７８、４４８０、４４８２、４４８４、４４８６、４４８８、４４９０、４４９２、および４４９４の核酸配列に特異的にハイブリダイズする１つまたは複数のプライマーと接触させることと；
（ｄ）増幅産物の存在、非存在、またはサイズを、正常な細胞の増幅産物と比較することと；
を含む方法。
【請求項２】
前記癌は、結腸癌である、請求項１に記載の方法。
【請求項３】
患者試料における癌の検出方法であって、配列番号１〜４４７０にコードされるタンパク質に対する抗体が、前記試料中のタンパク質と反応するのに使用される方法。
【請求項４】
患者試料における癌の検出方法であって、配列番号４４７２、４４７４、４４７６、４４７８、４４８０、４４８２、４４８４、４４８６、４４８８、４４９０、４４９２、または４４９４の１つまたは複数にコードされるタンパク質に対する抗体が、前記試料中のタンパク質と反応するのに使用される方法。
【請求項５】
患者試料における癌の検出方法であって、配列番号４４７１、４４７３、４４７５、４４７７、４４７９、４４８１、４４８３、４４８５、４４８７、４４８９、４４９１、または４４９３の配列を有するタンパク質に対する抗体が、前記試料中のタンパク質と反応するのに使用される方法。
【請求項６】
配列番号１〜４４７０、またはそれらに相補的な配列のうちの１つに、ストリンジェントな条件下でハイブリダイズする核酸の細胞中の発現レベルを変更させる作用物質の同定方法であって、
（ａ）細胞を供給することと；
（ｂ）該細胞を試験作用物質で処理することと；
（ｃ）配列番号１〜４４７０、またはそれらに相補的な配列のうちの１つに、ストリンジェントな条件下でハイブリダイズする核酸の該細胞中の発現レベルを決定することと；
（ｄ）処理細胞中の該核酸の発現レベルを、未処理細胞中の核酸の発現レベルと比較することであって、該比較において、未処理細胞中の該核酸の該発現レベルに対する処理細胞中の該核酸の該発現レベルの変化が、細胞中の該核酸の該発現レベルを変更させる作用物質であることを示していることによって、比較することと；
を含む方法。
【請求項７】
配列番号４４７２、４４７４、４４７６、４４７８、４４８０、４４８２、４４８４、４４８６、４４８８、４４９０、４４９２、または４４９４、あるいはそれらに相補的な配列のうちの１つに、ストリンジェントな条件下でハイブリダイズする核酸の細胞中の発現レベルを変更させる作用物質の同定方法であって、
（ａ）細胞を供給することと；
（ｂ）該細胞を試験作用物質で処理することと；
（ｃ）配列番号４４７２、４４７４、４４７６、４４７８、４４８０、４４８２、４４８４、４４８６、４４８８、４４９０、４４９２、または４４９４、あるいはそれらに相補的な配列のうちの１つに、ストリンジェントな条件下でハイブリダイズする核酸の該細胞中の発現レベルを決定することと；
（ｄ）処理細胞中の該核酸の発現レベルを、未処理細胞中の核酸の発現レベルと比較することであって、該比較において、未処理細胞中の該核酸の該発現レベルに対する処理細胞中の該核酸の該発現レベルの変化が、細胞中の該核酸の該発現レベルを変更させる作用物質を示すことによって、比較することと
を含む方法。
【請求項８】
配列番号４４７１、４４７３、４４７５、４４７７、４４７９、４４８１、４４８３、４４８５、４４８７、４４８９、４４９１、または４４９３の１つまたは複数のポリペプチドの細胞中の発現レベルを変更させる作用物質の同定方法であって、
（ａ）細胞を供給することと；
（ｂ）該細胞を試験作用物質で処理することと；
（ｃ）配列番号４４７１、４４７３、４４７５、４４７７、４４７９、４４８１、４４８３、４４８５、４４８７、４４８９、４４９１、または４４９３のポリペプチドの１つまたは複数に特異的な抗体と前記細胞を反応させることにより、前記細胞中の配列番号４４７１、４４７３、４４７５、４４７７、４４７９、４４８１、４４８３、４４８５、４４８７、４４８９、４４９１、または４４９３の１つまたは複数のポリペプチドの発現レベルを決定することと；
（ｄ）処理細胞中の前記１つまたは複数のポリペプチドの該発現レベルを、未処理細胞中の前記１つまたは複数のポリペプチドの発現レベルと比較することであって、該比較において、未処理細胞中の該核酸の該発現レベルに対する処理細胞中の該核酸の該発現レベルの変化が、細胞中の該ポリペプチドの該発現レベルを変更させる作用物質であることを示していることによって、比較することと；を含む方法。
【請求項９】
請求項２９、３０または３１に記載の方法により同定される作用物質を含む薬学的組成物。
【請求項１０】
配列番号１〜４４７０、またはそれらに相補的な配列のうちの１つに、ストリンジェントな条件下でハイブリダイズするヌクレオチド配列を含む核酸を含む薬学的組成物。
【請求項１１】
配列番号１〜４４７０、またはそれらに相補的な配列のうちの１つに、ストリンジェントな条件下でハイブリダイズするヌクレオチド配列を含む核酸にコードされるポリペプチドを含む薬学的組成物。
【請求項１２】
配列番号４４７１、４４７３、４４７５、４４７７、４４７９、４４８１、４４８３、４４８５、４４８７、４４８９、４４９１、または４４９３のうちの１つの配列を有するポリペプチドを含む薬学的組成物。
【請求項１３】
配列番号４４７１、４４７３、４４７５、４４７７、４４７９、４４８１、４４８３、４４８５、４４８７、４４８９、４４９１、または４４９３の配列を有する１つまたは複数のポリペプチドに結合する抗体を含む薬学的組成物。
【請求項１４】
配列番号１〜４４７０、４４７２、４４７４、４４７６、４４７８、４４８０、４４８２、４４８４、４４８６、４４８８、４４９０、４４９２、または４４９４のうちの１つに、ストリンジェントな条件下でハイブリダイズする少なくとも１つの核酸の、正常細胞に対するディファレンシャルな発現を検出することを含む、細胞の表現型の決定方法であって、前記核酸は、少なくとも２つからなるファクターがディファレンシャルに発現される方法。
【請求項１５】
患者からの細胞試料中の細胞の表現型の決定方法であって、
（ａ）配列番号１〜４４７０、４４７２、４４７４、４４７６、４４７８、４４８０、４４８２、４４８４、４４８６、４４８８、４４９０、４４９２、および４４９４のいずれかの少なくとも１２個の連続したヌクレオチドを有するヌクレオチド配列を含む核酸プローブを供給することと；
（ｂ）患者からの細胞試料を獲得することと；
（ｃ）実質的に全てが非癌性である第２の細胞試料を供給することと；
（ｄ）該核酸プローブを、ストリンジェントな条件下で、前記第１および第２の細胞試料それぞれのｍＲＮＡと接触させて、（ａ）該第１の細胞試料のｍＲＮＡとの該プローブのハイブリダイゼーションの量を、（ｂ）該第２の細胞試料のｍＲＮＡとの該プローブのハイブリダイゼーションの量と比較することであって、該比較において、該第２の細胞試料の該ｍＲＮＡとの該ハイブリダイゼーションの量と比較した場合の該第１の細胞試料の該ｍＲＮＡとの該ハイブリダイゼーションの量における少なくとも２つからなるファクターの差異が、該第１の細胞試料中の細胞の該表現型であることを示していることによって、比較することと；
を含む方法。
【請求項１６】
配列番号１〜４４７０のうちの１つに、ストリンジェントな条件下でハイブリダイズする核酸にコードされる少なくとも１つのポリペプチドの、正常細胞に対するディファレンシャルな発現を検出することを含む、細胞の表現型の決定方法であって、該ポリペプチドは、少なくとも２つからなるファクターがディファレンシャルに発現される方法。
【請求項１７】
配列番号４４７２、４４７４、４４７６、４４７８、４４８０、４４８２、４４８４、４４８６、４４８８、４４９０、４４９２、および４４９４からなる群から選択される配列に、ストリンジェントな条件下でハイブリダイズする核酸にコードされる少なくとも１つのポリペプチドの、正常細胞に対するディファレンシャルな発現を検出することを含む、細胞の表現型の決定方法であって、該ポリペプチドは、少なくとも２つからなるファクターがディファレンシャルに発現される方法。
【請求項１８】
配列番号４４７１、４４７３、４４７５、４４７７、４４７９、４４８１、４４８３、４４８５、４４８７、４４８９、４４９１、および４４９３のポリペプチドの群から選択される少なくとも１つのポリペプチドの、正常細胞に対するディファレンシャルな発現を検出することを含む、細胞の表現型の決定方法であって、該ポリペプチドは、少なくとも２つからなるファクターがディファレンシャルに発現される方法。
【請求項１９】
前記ポリペプチドのレベルは、イムノアッセイで検出される、請求項１６、１７または１８に記載の方法。
【請求項２０】
配列番号１〜４４７０、またはそれらに相補的な配列の核酸に、ストリンジェントな条件下でハイブリダイズする試験核酸中の突然変異の検出方法であって、
（ａ）患者から細胞の試料を収集することと；
（ｂ）該試料の該細胞から核酸を単離することと；
（ｃ）該核酸のハイブリダイゼーションおよび増幅が起きるような条件下で、該核酸試料を、配列番号１〜４４７０の核酸配列に特異的にハイブリダイズする１つまたは複数のプライマーと接触させることと；
（ｄ）増幅産物の存在、非存在、またはサイズを、正常な細胞の増幅産物と比較することと；
を含む方法。
【請求項２１】
配列番号５０４〜１１０３のヌクレオチド配列、またはそれらに相補的な配列の一部を含む単離核酸。
【請求項２２】
配列番号１〜５０３のうちの１つにハイブリダイズする遺伝子。
【請求項２３】
配列番号１〜５０３の配列、またはそれらに相補的な配列に、ストリンジェントな条件下でハイブリダイズするヌクレオチド配列を含む単離核酸。
【請求項２４】
配列番号１〜５０３、またはそれらに相補的な配列のうちの１つの少なくとも約１５個の連続したヌクレオチドに相当する配列に対して少なくとも８０％同一のヌクレオチド配列を含む単離核酸。
【請求項２５】
配列番号１〜５０３のヌクレオチド配列、またはそれらに相補的な配列を含む単離核酸。
【請求項２６】
前記ヌクレオチド配列を発現ベクターとして使用するのに適切とするように、前記ヌクレオチド配列に操作可能に連結される転写調節配列をさらに含む、請求項２５に記載の単離核酸。
【請求項２７】
請求項２６に記載の核酸を含む、原核細胞および真核細胞の少なくとも１つで複製することが可能な発現ベクター。
【請求項２８】
請求項２７に記載の発現ベクターで形質転換された宿主細胞。
【請求項２９】
請求項２５に記載の核酸の導入遺伝子を細胞に組み込まれたトランスジェニック動物であって、該導入遺伝子は、該核酸の発現レベル、該核酸のｍＲＮＡ転写体の安定性、または該核酸のコード産物の活性を改変させるトランスジェニック動物。
【請求項３０】
配列番号１〜１１０３、またはそれらに相補的な配列のうちの１つの少なくとも１２個の連続したヌクレオチドに相当する核酸プローブに、ストリンジェントな条件下でハイブリダイズする実質的に純粋な核酸。
【請求項３１】
請求項２５に記載の核酸にコードされるアミノ酸配列、またはその少なくとも２５個のアミノ酸を含む断片を含むポリペプチド。
【請求項３２】
実質的に精製されたオリゴヌクレオチドを含むプローブ／プライマーであって、該オリゴヌクレオチドは、配列番号１〜１１０３から選択されるセンスまたはアンチセンス配列の少なくとも１２個の連続したヌクレオチドに、ストリンジェントな条件下でハイブリダイズするヌクレオチド配列の領域を含有するプローブ／プライマー。
【請求項３３】
固体支持体に結合された請求項３２に記載の少なくとも１０個の異なるプローブを含むアレイ。
【請求項３４】
プローブ／プライマーに結合され、かつ検出可能な標識基をさらに含む、請求項３２に記載のプローブ／プライマー。
【請求項３５】
前記標識基は、放射性同位体、蛍光化合物、酵素、および酵素補因子から選択される、請求項３４に記載のプローブ／プライマー。
【請求項３６】
請求項３１に記載のポリペプチドと免疫反応性のある抗体。
【請求項３７】
配列番号１〜１１０３のうちの１つに、ストリンジェントな条件下でハイブリダイズする核酸の細胞中の存在または非存在の決定方法であって、該細胞を請求項３２に記載のプローブと接触させることを含む方法。
【請求項３８】
配列番号１〜５０３のうちの１つに、ストリンジェントな条件下でハイブリダイズする核酸にコードされるポリペプチドの細胞中の存在または非存在の決定方法であって、該細胞を請求項３６に記載の抗体と接触させることを含む方法。
【請求項３９】
配列番号１〜５０３、またはそれらに相補的な配列のうちの１つの少なくとも１２個の連続したヌクレオチドに、ストリンジェントな条件下でハイブリダイズし、かつヌクレアーゼによる切断に耐性であるアンチセンスオリゴヌクレオチド類縁体。
【請求項４０】
患者から単離される細胞試料中の、配列番号１〜４４７０の核酸に、ストリンジェントな条件下でハイブリダイズする核酸のレベルを測定するための、請求項３４に記載のプローブ／プライマーを含む、形質転換細胞の表現型を決定するための試験キット。
【請求項４１】
配列番号１〜４４７０のいずれか１つに、ストリンジェントな条件下でハイブリダイズする核酸にコードされるタンパク質に特異的な抗体を含む、形質転換細胞の表現型を決定するための試験キット。
【発明の詳細な説明】
【０００１】
［発明の分野］
本発明は、癌組織でディファレンシャルに（ｄｉｆｆｅｒｅｎｔｉａｌｌｙ）発現される核酸配列、およびそれにコードされるタンパク質、ならびに上記核酸配列に由来するプローブ、コードされたタンパク質に対する抗体、ならびに癌性細胞、特に結腸癌細胞の存在および状態を決定するための診断方法を提供する。
【０００２】
［発明の背景］
結腸直腸癌腫は、悪性腫瘍性疾患である。西洋世界、特にアメリカ合衆国では、結腸直腸癌腫の発生率が高い。この型の腫瘍は、多くの場合、リンパ管および血管を通して転移する。結腸直腸癌腫の患者の多くは、最終的にはこの疾患により死亡する。実際に、アメリカ合衆国だけで、毎年６２，０００人の人々が結腸直腸癌腫で死亡していると推定される。
【０００３】
しかしながら、初期に診断されれば、癌性組織の外科的除去により、結腸癌は効果的に治療され得る。結腸直腸癌は、結腸直腸上皮に源を発し、典型的に、発達の初期段階中には広範囲に血管新生しない（したがって、浸潤性ではない）。結腸直腸癌は、結腸または直腸の上皮内層での単一突然変異細胞のクローン増殖に起因すると考えられる。身体全体にわたって拡がる、高度に血管新生し、浸潤性で、最終的には転移性の癌への移行には、通常は１０年以上かかる。癌が浸潤前に検出されれば、癌性組織の外科的除去は効果的な療法である。しかしながら、結腸直腸癌は、痛みおよび真っ黒な糞便のような臨床的症状の発現時にのみ検出されることが多い。一般に、かかる症状は、多くの場合転移が起こった後、疾患が十分に確立されている場合にのみ見られ、患者についての予後は、癌性組織の外科的切除の後でさえも乏しい。したがって、結腸直腸癌の初期の検出は、検出がその罹患率を有意に減少させ得るという点で重要である。
【０００４】
内視鏡検査のような侵襲性診断方法により、ポリープのような潜在的に癌性増殖の直接的な視覚による特定、除去、および生検が可能である。内視鏡は、費用が高く、不快であり、本質的に危険であるため、結腸直腸癌の人々を特定するための集団スクリーニング用の実践的なツールではない。結腸直腸癌または前癌の存在を示す特徴のための糞便試料の非侵襲製の分析が初期診断の好ましい代替法であるが、この目標を信頼性高く達成するような既知の診断方法は、利用可能でない。
【０００５】
［発明の概要］
本発明は、核酸配列、およびそれにコードされるタンパク質、ならびに上記核酸配列に由来するプローブ、コードされたタンパク質に対する抗体、ならびに癌性細胞、特に結腸癌細胞を検出するための診断方法を提供する。本明細書中に開示する配列は、結腸癌細胞系および／または結腸癌組織でディファレンシャルに発現されることが見出されている。
【０００６】
一態様では、本発明は、配列番号１〜５０３を含む単離核酸配列、またはそれらに相補的な配列を提供する。
【０００７】
別の態様では、本発明は、配列番号１〜４４７０、４４７２、４４７４、４４７６、４４７８、４４８０、４４８２、４４８４、４４８６、４４８８、４４９０、４４９２、および４４９４の配列、またはそれらに相補的な配列に、ストリンジェント（ｓｔｒｉｎｇｅｎｔ）な条件下でハイブリダイズするヌクレオチド配列を含む単離核酸を提供する。
【０００８】
別の態様では、上記核酸は、配列番号１〜４４７０、４４７２、４４７４、４４７６、４４７８、４４８０、４４８２、４４８４、４４８６、４４８８、４４９０、４４９２、および４４９４、またはそれらに相補的な配列のうちの１つの、完全長以下の、少なくとも約１２個、少なくとも約１５個、少なくとも約２５個、または少なくとも約４０個の連続したヌクレオチドに相当する配列に対して少なくとも約８０％〜約１００％同一である。
【０００９】
別の態様では、本発明は、配列番号１〜１１０３、好ましくは配列番号１〜５０３の配列、またはそれらに相補的な配列に、ストリンジェントな条件下でハイブリダイズするヌクレオチド配列を含む単離核酸を提供する。関連実施形態では、上記核酸は、配列番号１〜１１０３、好ましくは配列番号１〜５０３、またはそれらに相補的な配列のうちの１つの、完全長以下の、少なくとも約１２個、少なくとも約１５個、少なくとも約２５個、または少なくとも約４０個の連続したヌクレオチドに相当する配列に対して少なくとも約８０％〜約１００％同一である。
【００１０】
一実施形態では、本発明は、配列番号１〜１１０３、好ましくは配列番号１〜５０３の配列、またはそれらに相補的な配列に、ストリンジェントな条件下でハイブリダイズするヌクレオチド配列、および上記ヌクレオチド配列を発現ベクターとして使用するのに適切とするように、上記ヌクレオチド配列に操作可能に連結される転写調節配列を含む核酸を提供する。別の実施形態では、上記核酸は、原核または真核細胞で複製することが可能な発現ベクターに含まれてもよい。関連実施形態では、本発明は、上記発現ベクターで形質転換された宿主細胞を提供する。
【００１１】
別の実施形態では、本発明は、配列番号１〜１１０３、好ましくは配列番号１〜５０３の配列、またはそれらに相補的な配列に、ストリンジェントな条件下でハイブリダイズするヌクレオチド配列を含む核酸の導入遺伝子を細胞に組み込まれたトランスジェニック動物を提供する。上記導入遺伝子は、上記核酸の発現レベル、上記核酸のｍＲＮＡ転写体の安定性、または上記核酸のコード産物の活性を改変させる。
【００１２】
さらに別の実施形態では、本発明は、配列番号１〜１１０３のヌクレオチド配列、またはそれらに相補的な配列を含む実質的に純粋な核酸を提供する。
【００１３】
さらに別の実施形態では、本発明は、配列番号１〜１１０３、好ましくは配列番号１〜５０３の配列、またはそれらに相補的な配列のうちの１つの、完全長以下の、少なくとも約１２個、少なくとも約１５個、少なくとも約２５個、または少なくとも約４０個の連続したヌクレオチドに相当する核酸プローブに、ストリンジェントな条件下でハイブリダイズする実質的に純粋な核酸を提供する。
【００１４】
本発明はまた、配列番号１〜４４７０、４４７２、４４７４、４４７６、４４７８、４４８０、４４８２、４４８４、４４８６、４４８８、４４９０、４４９２、および４４９４、またはそれらに相補的な配列の１つの、完全長以下の、少なくとも１２個、少なくとも２５個、または少なくとも５０個の連続したヌクレオチドに、ストリンジェントな条件下でハイブリダイズし、かつヌクレアーゼ、好ましくは内因性エンドヌクレアーゼまたはエキソヌクレアーゼによる切断に耐性であるアンチセンスオリゴヌクレオチド類縁体も提供する。
【００１５】
別の実施形態では、本発明は、配列番号１〜１１０３、またはそれらに相補的な配列の少なくとも約１２個、少なくとも約１５個、少なくとも約２５個、または少なくとも約４０個の連続したヌクレオチドを含む実質的に精製されたオリゴヌクオレチドを含むプローブ／プライマーを提供する。
【００１６】
別の実施形態では、本発明は、実質的に精製されたオリゴヌクレオチドを含むプローブ／プライマーであって、配列番号１〜１１０３、またはそれらに相補的な配列のうちの１つの完全長以下の、配列番号１〜１１０３から選択されるセンスまたはアンチセンス配列の少なくとも約１２個、少なくとも約１５個、少なくとも約２５個、または少なくとも約４０個の連続したオリゴヌクレオチドに、ストリンジェントな条件下でハイブリダイズするヌクレオチド配列の領域を含有するプローブ／プライマーを提供する。好ましい実施形態では、上記プローブは、標的核酸と選択的にハイブリダイズする。別の実施形態では、上記プローブは、それらに結合され、かつ検出可能な標識基を含んでもよい。上記標識基は、放射性同位体、蛍光化合物、酵素、および酵素補因子から選択され得る。本発明はさらに、固体支持体に結合された上述の少なくとも約１０個、少なくとも約２５個、少なくとも約５０個、または少なくとも約１００個の異なるプローブを有するアレイを提供する。
【００１７】
さらに別の実施形態では、本発明は、配列番号１〜４４７０、４４７２、４４７４、４４７６、４４７８、４４８０、４４８２、４４８４、４４８６、４４８８、４４９０、４４９２、および４４９４の少なくとも１つの核酸の、正常細胞に対するディファレンシャルな発現を検出することを含み、細胞の表現型の決定方法に関し、ここで上記核酸は、少なくとも２つだけ、少なくとも５つだけ、少なくとも２０だけ、または少なくとも５０だけからなるファクターがディファレンシャルに発現される。
【００１８】
さらなる別の実施形態では、本発明は、配列番号４４７２、４４７４、４４７６、４４７８、４４８０、４４８２、４４８４、４４８６、４４８８、４４９０、４４９２、および４４９４からなる群から選択される配列に、ストリンジェントな条件下でハイブリダイズする核酸にコードされる少なくとも１つのタンパク質の、正常細胞に対するディファレンシャルな発現を検出することを含む、細胞の表現型の決定方法に関し、ここで上記タンパク質は、少なくとも２つだけ、少なくとも５つだけ、少なくとも２０だけ、少なくとも５０までだけからなるファクターがディファレンシャルに発現される。
【００１９】
本発明はさらに、配列番号４４７１、４４７３、４４７５、４４７７、４４７９、４４８１、４４８３、４４８５、４４８７、４４８９、４４９１、および４４９３のポリペプチドからなる群から選択される少なくとも１つのポリペプチドの、正常細胞に対するディファレンシャルな発現を検出することを含む、細胞の表現型の決定方法を提供し、ここで上記ポリペプチドは、少なくとも２つだけ、少なくとも５つだけ、少なくとも２０だけ、少なくとも５０までだけからなるファクターがディファレンシャルに発現される。
【００２０】
さらに別の実施形態では、本発明は、配列番号１〜４４７０、４４７２、４４７４、４４７６、４４７８、４４８０、４４８２、４４８４、４４８６、４４８８、４４９０、４４９２、および４４９４のうちの１つに、ストリンジェントな条件下でハイブリダイズする少なくとも１つの核酸の、正常細胞に対するディファレンシャルな発現を検出することを含む、細胞の表現型の決定方法に関し、ここで上記核酸は、少なくとも２つだけ、少なくとも５つだけ、少なくとも２０だけ、少なくとも５０だけからなるファクターがディファレンシャルに発現される。
【００２１】
別の態様では、本発明は、対象核酸にコードされるポリペプチドを提供する。一実施形態では、本発明は、配列番号１〜１１０３の配列、またはそれらに相補的な配列に、ストリンジェントな条件下でハイブリダイズするヌクレオチド配列を含む核酸にコードされるアミノ酸配列を含むポリペプチド、あるいはそれら少なくとも約２５個、または少なくとも約４０個のアミノ酸を含む断片に関する。さらに、これらのポリペプチドと免疫反応性のある抗体を提供する。
【００２２】
さらなる態様では、本発明は、配列番号４４７２、４４７４、４４７６、４４７８、４４８０、４４８２、４４８４、４４８６、４４８８、４４９０、４４９２、および４４９４の配列の１つまたは複数にコードされるポリペプチドに関する。
【００２３】
さらなる態様では、本発明は、配列番号４４７１、４４７３、４４７５、４４７７、４４７９、４４８１、４４８３、４４８５、４４８７、４４８９、４４９１、および４４９３のうちの１つの配列を有するポリペプチドに関する。
【００２４】
さらなる別の態様では、本発明は診断方法を提供する。一実施形態では、本発明は、配列番号１〜４４７０、４４７２、４４７４、４４７６、４４７８、４４８０、４４８２、４４８４、４４８６、４４８８、４４９０、４４９２、および４４９４、またはそれらに相補的な配列の１つの完全長以下の、配列番号１〜４４７０、４４７２、４４７４、４４７６、４４７８、４４８０、４４８２、４４８４、４４８６、４４８８、４４９０、４４９２、および４４９４の配列で表される少なくとも約１０個、少なくとも約１５個、少なくとも約２５個、または少なくとも約４０個の連続したヌクレオチドを有するヌクレオチド配列を含む核酸プローブを供給することと、患者からの細胞の試料を獲得することと、任意に、実質的に全てが非癌性である第２の細胞試料を供給することと、上記プローブを、ストリンジェントな条件下で、上記第１および第２の細胞試料それぞれのｍＲＮＡと接触させることと、（ａ）上記第１の細胞試料のｍＲＮＡとの上記プローブのハイブリダイゼーションの量を、（ｂ）上記第２の細胞試料のｍＲＮＡとの上記プローブのハイブリダイゼーションの量と比較することであって、該比較において、上記第２の細胞試料の上記ｍＲＮＡとの上記ハイブリダイゼーションの量と比較した場合の上記第１の細胞試料の上記ｍＲＮＡとの上記ハイブリダイゼーションの量における少なくとも２つだけ、少なくとも５つだけ、少なくとも２０だけ、または少なくとも５０だけからなるファクターの差異が、上記第１の細胞試料中の細胞の該表現型であることを示していることによって、比較することとによる、患者からの細胞の表現型の決定方法に関する。表現型の決定には、その用語が本明細書中で使用される場合に遺伝子型の決定が包含される。
【００２５】
別の実施形態では、本発明は、患者から単離される細胞試料中の、配列番号１〜４４７０、４４７２、４４７４、４４７６、４４７８、４４８０、４４８２、４４８４、４４８６、４４８８、４４９０、４４９２、および４４９４の核酸に、ストリンジェントな条件下でハイブリダイズする核酸のレベルを測定するための、上述のプローブ／プライマーを含む、癌性細胞または組織の存在を同定するための試験キットを提供する。ある実施形態では、上記キットは、キットを使用するための指示書、上記細胞を懸濁または固定するための溶液、検出可能なタグまたは標識、核酸にハイブリダイゼーションを受けやすくさせるための溶液、細胞を溶解させるための溶液、または核酸精製用の溶液をさらに含んでもよい。
【００２６】
別の実施形態では、本発明は、配列番号１〜４４７０、４４７２、４４７４、４４７６、４４７８、４４８０、４４８２、４４８４、４４８６、４４８８、４４９０、４４９２、および４４９４、またはそれらに相補的な配列に、ストリンジェントな条件下でハイブリダイズする核酸にコードされる少なくとも１つのタンパク質の、正常または対照細胞に対するディファレンシャルな発現を検出することを含む、細胞の表現型の決定方法を提供し、ここで上記タンパク質は、少なくとも２だけ、少なくとも５だけ、少なくとも２０だけ、少なくとも５０だけからなるファクターがディファレンシャルに発現される。一実施形態では、上記タンパク質レベルは、イムノアッセイで検出される。本発明はまた、配列番号１〜１１０３のうちの１つに、ストリンジェントな条件下でハイブリダイズする核酸（例えばｍＲＮＡ）の細胞中の存在または非存在の決定方法であって、上記細胞を上述のプローブと接触させることを含む方法に関する。本発明はさらに、配列番号１〜１１０３のうちの１つに、ストリンジェントな条件下でハイブリダイズする核酸にコードされる対象ポリペプチドの細胞中の存在または非存在の決定方法であって、上記細胞を上述の抗体と接触させることを含む方法を提供する。
【００２７】
さらに別の実施形態では、本発明は、配列番号１〜１１０３の配列、またはそれらに相補的な配列に、ストリンジェントな条件下でハイブリダイズする配列中の異常突然変異（例えば、核酸の欠失、挿入、または置換）または異常メチル化の存在の決定方法であって、患者から細胞の試料を収集することと、上記試料の上記細胞から核酸を単離することと、上記核酸のハイブリダイゼーションおよび／または増幅が起きるような条件下で、上記核酸を、配列番号１〜４４７０、４４７２、４４７４、４４７６、４４７８、４４８０、４４８２、４４８４、４４８６、４４８８、４４９０、４４９２、および４４９４、またはそれらに相補的な配列の核酸配列と、ストリンジェントな条件下で特異的にハイブリダイズする１つまたは複数のプローブ／プライマーと接触させることと、増幅産物の存在、非存在またはサイズを、正常な細胞の増幅産物と比較することとを含む方法を提供する。
【００２８】
一実施形態では、本発明は、配列番号１〜４４７０、４４７２、４４７４、４４７６、４４７８、４４８０、４４８２、４４８４、４４８６、４４８８、４４９０、４４９２、および４４９４、またはそれらに相補的な配列のいずれか１つに、ストリンジェントな条件下でハイブリダイズする核酸にコードされるタンパクに特異的な抗体を含む、癌細胞の存在を同定するための試験キットを提供する。ある実施形態では、上記キットは、キットを使用するための指示書をさらに含む。ある実施形態では、上記キットは上記細胞を懸濁または固定するための溶液、検出可能なタグまたは標識、ポリペプチドに抗体の結合を受けやすくさせるための溶液、細胞を溶解させるための溶液、またはポリペプチド精製用の溶液をさらに含んでもよい。
【００２９】
さらに別の態様では、本発明は、対象核酸を含む薬学的組成物を提供する。一実施形態では、配列番号１〜４４７０、４４７２、４４７４、４４７６、４４７８、４４８０、４４８２、４４８４、４４８６、４４８８、４４９０、４４９２、および４４９４、またはそれらに相補的な配列のうちの１つに、ストリンジェントな条件下でハイブリダイズする核酸の細胞中の発現レベルを変更させる作用物質は、細胞を供給することと、上記細胞を試験作用物質で処理することと、配列番号１〜４４７０、４４７２、４４７４、４４７６、４４７８、４４８０、４４８２、４４８４、４４８６、４４８８、４４９０、４４９２、および４４９４、またはそれらに相補的な配列のうちの１つに、ストリンジェントな条件下でハイブリダイズする核酸の上記細胞中のレベルを決定することと、処理細胞中の上記核酸の発現レベルを、未処理細胞中の核酸の発現レベルと比較することであって、該比較において、未処理細胞中の上記核酸の該発現レベルに対する処理細胞中の上記核酸の該発現レベルの変化が、細胞中の上記核酸の該発現レベルを変更させる作用物質であることを示していることによって、比較することとにより同定される。本発明はさらに、この方法により同定される作用物質を含む薬学的組成物を提供する。別の実施形態では、本発明は、配列番号１〜４４７０、４４７２、４４７４、４４７６、４４７８、４４８０、４４８２、４４８４、４４８６、４４８８、４４９０、４４９２、および４４９４、またはそれらに相補的な配列のうちの１つに、ストリンジェントな条件下でハイブリダイズするヌクレオチド配列を有する核酸にコードされるポリペプチドを含む薬学的組成物を提供する。一実施形態では、本発明は、配列番号１〜４４７０、４４７２、４４７４、４４７６、４４７８、４４８０、４４８２、４４８４、４４８６、４４８８、４４９０、４４９２、および４４９４、またはそれらに相補的な配列のうちの１つに、ストリンジェントな条件下でハイブリダイズする配列を含む核酸を含む薬学的組成物に関する。
【００３０】
さらに別の態様では、本発明は、対象核酸を含む薬学的組成物を提供する。一実施形態では、配列番号４４７２、４４７４、４４７６、４４７８、４４８０、４４８２、４４８４、４４８６、４４８８、４４９０、４４９２、および４４９４、またはそれらに相補的な配列のうちの１つに、ストリンジェントな条件下でハイブリダイズする核酸の細胞中の発現レベルを変更させる作用物質は、細胞を供給することと、上記細胞を試験作用物質で処理することと、配列番号４４７２、４４７４、４４７６、４４７８、４４８０、４４８２、４４８４、４４８６、４４８８、４４９０、４４９２、および４４９４、またはそれらに相補的な配列のうちの１つに、ストリンジェントな条件下でハイブリダイズする核酸の上記細胞中の発現レベルを決定することと、処理細胞中の上記核酸の発現レベルを、未処理細胞中の核酸の発現レベルと比較することであって、該比較において、未処理細胞中の上記核酸の該発現レベルに対する処理細胞中の上記核酸の該発現レベルの変化が、細胞中の上記核酸の該発現レベルを変更させる作用物質であることを示していることによって、比較することとにより同定される。
【００３１】
本発明はさらに、配列番号４４７１、４４７３、４４７５、４４７７、４４７９、４４８１、４４８３、４４８５、４４８７、４４８９、４４９１、または４４９３の配列を有するポリペプチドの細胞中の発現レベルを変更させる作用物質の同定方法であって、細胞を供給することと、上記細胞を試験作用物質で処理することと、配列番号４４７１、４４７３、４４７５、４４７７、４４７９、４４８１、４４８３、４４８５、４４８７、４４８９、４４９１、および４４９３のポリペプチドの１つまたは複数に特異的な抗体と上記細胞を反応させることにより、上記細胞中の配列番号４４７１、４４７３、４４７５、４４７７、４４７９、４４８１、４４８３、４４８５、４４８７、４４８９、４４９１、および４４９３の１つまたは複数のポリペプチドの発現レベルを決定することと、処理細胞中の上記ポリヌクレオチドの上記発現レベルを、未処理細胞中の同じポリペプチドの発現レベルと比較することとであって、該比較において、未処理細胞中の上記核酸の上記発現レベルに対する処理細胞中の上記核酸の上記発現レベルの変化が、細胞中の上記ポリペプチドの上記発現レベルを変更させる作用物質であることを示していることによって、比較することとを含む方法を提供する。
【００３２】
本発明はさらに、上記方法により同定される作用物質を含む薬学的組成物を提供する。別の実施形態では、本発明は、配列番号４４７２、４４７４、４４７６、４４７８、４４８０、４４８２、４４８４、４４８６、４４８８、４４９０、４４９２、および４４９４、またはそれらに相補的な配列のうちの１つに、ストリンジェントな条件下でハイブリダイズするヌクレオチド配列を有する核酸にコードされるポリペプチドを含む薬学的組成物を提供する。さらなる実施形態では、本発明は、配列番号４４７２、４４７４、４４７６、４４７８、４４８０、４４８２、４４８４、４４８６、４４８８、４４９０、４４９２、および４４９４の１つまたは複数にコードされるポリペプチドに結合する１つまたは複数の抗体を含む薬学的組成物を提供する。さらなる実施形態で、本発明は、配列番号４４７１、４４７３、４４７５、４４７７、４４７９、４４８１、４４８３、４４８５、４４８７、４４８９、４４９１、および４４９３の１つまたは複数のポリペプチドに結合する１つまたは複数の抗体を含む薬学的組成物を提供する。一実施形態では、本発明は、配列番号１〜４４７０、４４７２、４４７４、４４７６、４４７８、４４８０、４４８２、４４８４、４４８６、４４８８、４４９０、４４９２、および４４９４、またはそれらに相補的な配列のうちの１つに、ストリンジェントな条件下でハイブリダイズする配列を含む核酸を含む薬学的組成物に関する。
【００３３】
一実施形態では、本発明は、患者試料における癌の検出方法に関し、ここで配列番号１〜４４７０にコードされるタンパク質に対する抗体が、上記患者試料中のタンパク質と反応するのに使用される。さらなる実施形態では、本発明は患者試料における癌の検出方法に関し、ここで配列番号４４７２、４４７４、４４７６、４４７８、４４８０、４４８２、４４８４、４４８６、４４８８、４４９０、４４９２、および４４９４の１つまたは複数にコードされるタンパク質に対する抗体が、上記患者試料中のタンパク質と反応するのに使用される。さらなる実施形態では、本発明は、患者試料における癌の検出方法を提供し、ここで配列番号４４７１、４４７３、４４７５、４４７７、４４７９、４４８１、４４８３、４４８５、４４８７、４４８９、４４９１、および４４９３の配列を有するタンパク質に対する抗体が、上記患者試料中のタンパク質と反応するのに使用される。
【００３４】
［発明の詳細な説明］
本発明は、開示するヌクレオチド配列（配列番号１〜４４７０、４４７２、４４７４、４４７６、４４７８、４４８０、４４８２、４４８４、４４８６、４４８８、４４９０、４４９２、および４４９４）を有する核酸、ならびにこれらの配列に相当する完全長ｃＤＮＡ、ｍＲＮＡ、および遺伝子、ならびにこれらの核酸および遺伝子にコードされるポリペプチドおよびタンパク質、およびそれらの断片に関する。特に、本発明は、配列番号４４７２、４４７４、４４７６、４４７８、４４８０、４４８２、４４８４、４４８６、４４８８、４４９０、４４９２、および４４９４の完全長ｃＤＮＡ配列、およびそれらにコードされ、それぞれ配列番号４４７１、４４７３、４４７５、４４７７、４４７９、４４８１、４４８３、４４８５、４４８７、４４８９、４４９１、および４４９３で示されるポリペプチド配列に関する。本明細書中に開示する４４９４配列は、この配列を、公的に利用可能なデータベースに開示されるものと比較することで分析した。検索結果に基づいて、配列番号１〜５０３は新規配列を含有し、配列番号５０４〜１１０３は既知のＥＳＴ配列を含有し、配列番号１１０４〜４４９４は既知の配列を含有することを見出した。
【００３５】
配列番号１〜４４７０、４４７２、４４７４、４４７６、４４７８、４４８０、４４８２、４４８４、４４８６、４４８８、４４９０、４４９２、および４４９４の核酸にコードされるポリペプチドおよびタンパク質、特に配列番号４４７１、４４７３、４４７５、４４７７、４４７９、４４８１、４４８３、４４８５、４４８７、４４８９、４４９１、および４４９３のポリペプチド配列も、本発明に包含される。これらのポリペプチド及び核酸をコードすることができる様々な核酸は、ほとんどのアミノ酸が１つ以上のトリプレットコドンにコードされるという理由で、遺伝コードの縮重により異なる。かかるコドンの独自性は、当該技術分野で既知であり、この情報は、本発明の範囲内の核酸を構築するのに使用することができる。一実施形態では、配列番号４４７１、４４７３、４４７５、４４７７、４４７９、４４８１、４４８３、４４８５、４４８７、４４８９、４４９１、および４４９３のポリペプチド配列は、それぞれ配列番号４４７２、４４７４、４４７６、４４７８、４４８０、４４８２、４４８４、４４８６、４４８８、４４９０、４４９２、および４４９４の完全長ｃＤＮＡ配列にコードされる。
【００３６】
本発明の核酸ならびに関連ｃＤＮＡおよび遺伝子にコードされるポリペプチドおよびタンパク質の変異体であるポリペプチドおよびタンパク質をコードする核酸もまた、本発明の範囲内である。変異体は、野生型タンパク質の生物活性を増強、追加、または減少させる１つまたは複数のアミノ酸置換を有する点で、野生型タンパク質と異なる。いったんアミノ酸変更が選択されれば、変異体をコードする核酸は、本発明により構築される。
【００３７】
以下の詳細な説明は、上記核酸に相当する完全長ｃＤＮＡおよびヒト遺伝子を獲得または作製する方法、これらの核酸および遺伝子を発現させる方法、上記遺伝子の構造モチーフを特定する方法、核酸に相当する遺伝子にコードされるタンパク質の機能を特定する方法、マッピングおよび組織プロファイリングでプローブとして核酸を使用する方法、抗体を産生させるために相当するポリペプチドおよびタンパク質を使用する方法、および上記核酸、ポリペプチド、およびタンパク質を診断の目的で使用する方法を開示する。
【００３８】
本明細書中に開示する配列は、結腸癌細胞系および／または結腸癌組織でディファレンシャルに発現されることが見出されており、したがって、細胞または組織試料中の結腸癌の存在を決定するのに有用である。本配列は、他の型の癌の存在または状態を決定するのにも有用である。
【００３９】
したがって、本発明の好ましい態様は、腫瘍細胞または組織、特に結腸癌組織または細胞中でディファレンシャルに発現される核酸、かかる核酸にコードされるポリペプチド、これらのポリペプチドと免疫反応性のある抗体、およびかかる組成物の調製物に関する。さらに、本発明は、例えば対象核酸の発現を含む障害を検出および治療するための診断用および治療用アッセイならびに試薬を提供する。
【００４０】
Ｉ．概説
本発明は、ヒト腫瘍、特に固形腫瘍、例えば癌腫および肉腫（例えば乳癌または結腸癌のような）に存在する癌性細胞を同定および／または類別するための組成物および方法に関する。その最も広い態様では、上記方法は、関連性正常細胞または組織と比較して、癌細胞系および／または癌組織中でディファレンシャルに発現される核酸を使用し、それらを用いて、腫瘍形成に関与する事象である特定遺伝子の発現のアップレギュレーションおよび／またはダウンレギュレーションにより腫瘍細胞を同定または類別する。
【００４１】
癌遺伝子のようなある種の遺伝子のアップレギュレーションまたは増加した発現は、悪性の増殖を促進するように作用する。腫瘍サプレッサー遺伝子のような遺伝子のダウンレギュレーションまたは減少した発現も、悪性の増殖を促進する。したがって、遺伝子のいずれかの型の発現の変更は、被験体が癌、例えば結腸癌を発達させる危険性があるかどうかを決定するための潜在的な診断指標である。
【００４２】
したがって、一態様では、本発明はまた、ヒト腫瘍細胞および組織、特に結腸癌細胞および組織のための、核酸マーカーのようなバイオマーカーを提供する。本発明はまた、これらの核酸マーカーにコードされるタンパク質を提供する。本発明はまた、かかる癌細胞の治療、および結腸癌のような癌性状態の治療に有用な薬剤の同定方法を特色とする。従来の方法と異なり、本発明は、発達の初期段階に癌細胞を同定する手段を提供し、その結果、前悪性細胞をそれらがヒトの身体全体に拡がる前に同定することができる。これにより、潜在的に癌性の状態の初期検出、および身体全体に癌性細胞が拡がる前のまたは回復不能の癌性状態へ発達する前の癌性状態の治療が可能である。
【００４３】
ＩＩ．定義
便宜上、明細書、実施例、および併記の特許請求の範囲で使用する特定の用語および語句の意味を以下に提供する。
【００４４】
本発明の核酸に適用する場合、「異常発現」という用語は、健常組織中の当該核酸の発現レベルと異なるか、または健常被験体中に存在するポリペプチドの活性と異なる当該核酸の発現レベルを指す。ポリペプチドの活性は、それがその天然対応物の活性よりも強力であるため異常であり得る。あるいは、活性は、それがその天然対応物の活性に対して弱いか、または存在しないために異常であり得る。異常活性はまた、活性の変化であり得る。例えば、異常ポリペプチドは、異なる標的ペプチドと相互作用することができる。細胞は、当該遺伝子の過剰発現および過小発現に起因して、異常発現レベルの遺伝子を有することができる。
【００４５】
本明細書で使用する場合、「アゴニスト」という用語は、タンパク質の生理活性を模倣するか、またはアップレギュレートする（増強または補足する）作用物質を指すことを意味する。アゴニストは、野生型タンパク質、または野生型タンパク質の少なくとも１つの生理活性を有するそれらの誘導体であり得る。アゴニストはまた、遺伝子の発現をアップレギュレートするか、またはタンパク質の少なくとも１つの生理活性を増加させる化合物であり得る。アゴニストは、ポリペプチドの、別の分子、例えば標的ペプチドまたは核酸との相互作用を増加させる化合物であり得る。
【００４６】
「対立遺伝子」という用語は、本明細書中では「対立遺伝子変異体」と交換可能に使用され、遺伝子またはその一部の代替形態を指す。対立遺伝子は、相同染色体上の同じ遺伝子座または位置を占める。被験体が遺伝子の２つの同一対立遺伝子を有する場合、その被験体は、当該遺伝子または対立遺伝子に関してホモ接合性であると言える。被験体が遺伝子の２つの異なる対立遺伝子を有する場合、その被験体は、当該遺伝子に関してヘテロ接合性であると言える。特定遺伝子の対立遺伝子は、単一ヌクレオチドまたは数個のヌクレオチドが互いに異なることがあり、ヌクレオチドの置換、欠失および／または挿入を含むことがある。遺伝子の対立遺伝子はまた、突然変異を含有する遺伝子の形態であり得る。
【００４７】
「遺伝子の多型領域の対立遺伝子変異体」という用語は、他の個体中の遺伝子の領域に見出される数個のヌクレオチド配列の１つを有する遺伝子の領域を指す。
【００４８】
本明細書で使用する場合、「アンタゴニスト」という用語は、タンパク質の少なくとも１つの生理活性をダウンレギュレートする（例えば、抑制または阻害する）作用物質を指すことを意味する。アンタゴニストは、タンパク質と別の分子（例えば、標的ペプチドまたは酵素基質）との間の相互作用を阻害または減少させる化合物であり得る。アンタゴニストはまた、遺伝子の発現をダウンレギュレートするか、または存在する発現タンパク質の量を減少させる化合物であり得る。
【００４９】
本明細書で使用する場合「抗体」という用語は、任意のアイソタイプ（ＩｇＧ、ＩｇＡ、ＩｇＭ、ＩｇＥ等）の全抗体を包含し、また脊椎動物（例えば、哺乳類）のタンパク質と特異的に反応性を有するそれらの断片を包含することを意図する。抗体は、従来の技法を用いて断片化することができ、断片は、全抗体に関して上述するのと同じ様式で有用性に関してスクリーニングすることができる。したがって、この用語は、あるタンパク質と選択的に反応することが可能な抗体分子のタンパク質分解的切断部分または組換え的調製部分のセグメントを包含する。かかるタンパク質分解性断片および／または組換え断片の非限定的な例としては、Ｆａｂ、Ｆ（ａｂ’）２、Ｆａｂ’、Ｆｖ、およびペプチドリンカーにより連結されるＶ［Ｌ］および／またはＶ［Ｈ］ドメインを含有する単鎖抗体（ｓｃＦｖ）が挙げられる。ｓｃＦｖは、共有結合または非共有結合されて、２つまたはそれ以上の結合部位を有する抗体を形成する。本発明は、抗体および組換え抗体のポリクローナル、モノクローナル、または他の精製調製物を包含する。
【００５０】
「アポトーシス」の現象は、既知であり、プログラムされた細胞死として記載することができる。既知であるように、アポトーシスは、毒性物質または他の外部の影響により死滅される結果として細胞が死亡する現象である「ネクローシス」と対比される。アポトーシスは、核凝縮、膜小胞形成、およびＤＮＡの断片化を伴い、それらは全て、一般的に顕微鏡検査で目にすることができる。
【００５１】
核酸の異常発現「に関連する」もしくは「を特徴とする」疾患、障害、または状態とは、核酸の発現と統計学的に相関させることができる被験体における疾患、障害、または状態を指す。
【００５２】
本明細書で使用する場合、「ポリペプチドの生理活性断片」という用語は、完全長のポリペプチドの断片であって、野生型ポリペプチドの活性を特異的に作動する（ａｇｏｎｉｚｅ）（模倣する）か、または拮抗する（阻害する）断片を指す。生理活性断片は、好ましくは、完全長タンパク質が結合することができる少なくとも１つの他の分子、例えばタンパク質、小分子、またはＤＮＡと相互作用することが可能な断片である。
【００５３】
「生物活性」または「生理活性」または「活性」または「生物学的機能」は、本明細書中では交換可能に使用され、ポリペプチド（その自然立体配座であろうと変性立体配座であろうと）により、またはそれらの任意の部分配列により、直接的または間接的に実施されるエフェクターあるいは抗原機能を意味する。生物活性としては、ポリペプチドへの結合、他のタンパク質または分子への結合、ＤＮＡ結合タンパク質としての、転写調節因子としての活性、損傷したＤＮＡを結合する能力等が挙げられる。生理活性は、対象ポリペプチドに直接影響を及ぼすことで調節することができる。あるいは、生理活性は、例えば相当する遺伝子の発現を調節することで、ポリペプチドレベルを調節することにより変化させることができる。
【００５４】
「バイオマーカー」という用語は、生物学的分子、例えば、ＤＮＡ、ｃＤＮＡ、ＲＮＡ、ｍＲＮＡ、ｔＲＮＡ、またはｒＲＮＡを含む核酸、ペプチド、ポリペプチド、タンパク質、ホルモン等を指し、それらの存在または濃度を検出し、疾患状態のような既知の状態と相関させることができる。
【００５５】
「細胞」、「宿主細胞」、または「組換え宿主細胞」は、本明細書中で交換可能に使用される用語である。かかる用語は、特定の対象細胞だけでなく、かかる細胞の子孫または潜在的子孫を指すことが理解されよう。突然変異または環境的影響により、続く世代ではある種の改変が起こり得るため、かかる子孫は、実際には親細胞とは同一でない場合があるが、依然として本明細書中で使用される用語の範囲内に包含される。
【００５６】
「キメラポリペプチド」または「融合ポリペプチド」は、対象ペプチドの１つをコードする第１のアミノ酸配列と、対象ポリペプチドの任意のドメインにとって外来性であり、かつそれとは実質的に相同的でないドメイン（例えば、ポリペプチド部分）を規定する第２のアミノ酸配列との融合である。キメラポリペプチドは、第１のポリペプチドも発現する生物中に見出される（異なるポリペプチドであろうとも）外来ドメインを提供し得る。あるいは、キメラポリペプチドは、種々の種類の生物により発現されるポリペプチド構造の「種間」、「遺伝子間」等の融合であってもよい。一般に、融合ポリペプチドは、一般式（Ｘ）ｎ−（Ｙ）ｍ−（Ｚ）ｎ（式中、Ｙは、対象ポリペプチドの一部を表し、ＸおよびＺはそれぞれ独立して、存在しないか、あるいは生物中に見出される天然配列に関連しないか、または対象配列と近接したポリペプチド鎖として見出されないアミノ酸配列を表し、ｍは、１以上の整数であり、各存在のｎは独立して、１以上の整数である（ｎおよびｍは、好ましくは５または１０以下である））で表すことができる。
【００５７】
「送達複合体」は、ターゲッティング手段（例えば、核酸、タンパク質、ポリペプチドまたはペプチドの標的細胞表面への高度の親和性結合、および／または標的細胞による細胞または核の増加した取り込みをもたらす分子）を意味するものとする。ターゲッティング手段の例としては、ステロール（例えばコレステロール）、脂質（例えばカチオン脂質、ビロソームまたはリポソーム）、ウイルス（例えばアデノウイルス、アデノ関連ウイルス、およびレトロウイルス）、または標的細胞特異的結合作用物質（例えば、標的細胞特異的受容体に認識されるリガンド）が挙げられる。好ましい複合体は、標的細胞による内在化の前にかなりの脱共役を防止するのに試験管内で（ｉｎ  ｖｉｖｏで）で十分に安定である。しかしながら、複合体は、細胞内の適切な条件下で切断可能であり、その結果、核酸、タンパク質、ポリペプチド、またはペプチドが、機能的形態で放出される。
【００５８】
既知であるように、遺伝子または特定のポリペプチドは、個体ゲノム内の単一または複数コピーに存在してもよい。かかる複製遺伝子は、同一であってもよく、あるいはヌクレオチド置換、付加または欠失を含むある種の改変（それらは全て、実質的に同じ活性を有するポリペプチドを依然としてコードする）を有してもよい。したがって、「ポリペプチドをコードするＤＮＡ配列」という用語は、特定の個体内の１つまたは複数の遺伝子を指してもよい。さらに、ヌクレオチド配列中のある種の差異は、個々の生物間に存在してもよく、それは対立遺伝子と呼ばれる。かかる対立遺伝子の差異は、コードされるポリペプチドのアミノ酸のアミノ酸配列に差異を生じても生じなくてもよいが、依然として同じ生物活性を有するポリペプチドをコードする。
【００５９】
「等価な」という用語は、機能的に等価なポリペプチドをコードするヌクレオチド配列を包含すると解釈される。等価なヌクレオチド配列は、対立遺伝子変異体のような１つまたは複数のヌクレオチド置換、付加または欠失により異なる配列を包含し、したがって、遺伝コードの縮重により配列番号１〜４４９４で示される核酸にヌクレオチド配列とは異なる配列を包含する。
【００６０】
本明細書中で使用する場合、「遺伝子」、「組換え遺伝子」、および「遺伝子構築物」は、エキソン配列、および任意にイントロン配列の両方を含む、オープンリーディングフレームと結合される本発明の核酸を指す。
【００６１】
「組換え遺伝子」は、ポリペプチドをコードし、エキソン配列を含む核酸を指すが、それは、例えば関連または未関連染色体遺伝子に由来するイントロン配列を任意に含んでもよい。「イントロン」という用語は、タンパク質に翻訳されず、一般にエキソンの間に見出される所定の遺伝子に存在するＤＮＡ配列を指す。
【００６２】
細胞の「増殖」または「増殖状態」という用語は、細胞の増殖性状態、ならびにその分化状態を指す。したがって、この用語は、細胞が例えばＧ０、Ｇ１、Ｇ２、または前期、中期、または終期、もしくは後期である細胞周期の期、ならびにその分化状態（例えば未分化、部分的分化、または完全分化）を指す。限定されることは望まないが、細胞の分化は、通常、細胞の増殖速度の減少により達成される。
【００６３】
「相同性」または「同一性」または「類似性」は、２つのペプチド間、または２つの核酸分子間の配列類似性を指し、同一性は、より厳格な比較である。相同性および同一性はそれぞれ、比較の目的で整列され得る各配列中の位置を比較することで決定することができる。比較した配列中の位置が同じ塩基またはアミノ酸により占められている場合、分子はその位置で同一である。核酸配列間の相同性または類似性または同一性度は、核酸配列により共有される位置での同一または適合ヌクレオチドの数の関数である。アミノ酸配列の同一性度は、アミノ酸配列により共有される位置での同一アミノ酸の数の関数である。アミノ酸配列の相同性または類似性度は、アミノ酸配列により共有される位置でのアミノ酸、すなわち構造的に関連するアミノ酸の数の関数である。「未関連」または「非相同性」配列は、本発明の配列の１つと、４０％未満の同一性であるが、好ましくは少なくとも２５％未満の同一性を共有する。
【００６４】
「％同一性」という用語は、２つのアミノ酸配列間、または２つのヌクレオチド配列間の配列同一性を指す。同一性はそれぞれ、比較の目的で整列され得る各配列中の位置を比較することで決定することができる。比較した配列中の等価な位置が同じ塩基またはアミノ酸により占められている場合、分子はその位置で同一である。等価な部位が同じかまたは類似のアミノ酸残基（例えば、立体的性質および／または電子的性質が類似）により占められる場合、分子はその位置で相同である（類似である）と呼ぶことができる。相同性、類似性、または同一性のパーセントとしての表現は、比較した配列により共有される位置での同一または類似のアミノ酸の数の関数である。ＦＡＳＴＡ、ＢＬＡＳＴ、またはＥＮＴＲＥＺを含む様々なアラインメントアルゴリズムおよび／またはプログラムが使用され得る。ＦＡＳＴＡおよびＢＬＡＳＴは、ＧＣＧ配列分析パッケージ（Ｕｎｉｖｅｒｓｉｔｙｏｆ Ｗｉｓｃｏｎｓｉｎ， Ｍａｄｉｓｏｎ， Ｗｉｓ．）の一部として入手可能であり、例えばデフォルト設定を用いて使用することができる。ＥＮＴＲＥＺは、ＮａｔｉｏｎａｌＣｅｎｔｅｒ ｆｏｒ Ｂｉｏｔｅｃｈｎｏｌｏｇｙ Ｉｎｆｏｒｍａｔｉｏｎ， Ｎａｔｉｏｎａｌ Ｌｉｂｒａｒｙ ｏｆ Ｍｅｄｉｃｉｎｅ， Ｎａｔｉ
ｏｎａｌ
Ｉｎｓｔｉｔｕｔｅｓ ｏｆ Ｈｅａｌｔｈ， Ｂｅｔｈｅｓｄａ， Ｍｄ．から入手可能である。一実施形態では、２つの配列の％同一性は、例えばギャップウェイト１を用いてＧＣＧプログラムにより決定することができ、各アミノ酸ギャップには、２つの配列間で単一のアミノ酸またはヌクレオチドミスマッチが存在するかのように重みをかける。
【００６５】
アラインメント用の他の技法は、Ｍｅｔｈｏｄｓ ｉｎ Ｅｎｚｙｍｏｌｏｇｙ， ｖｏｌ． ２６６： Ｃｏｍｐｕｔｅｒ Ｍｅｔｈｏｄｓ ｆｏｒ
Ｍａｃｒｏｍｏｌｅｃｕｌａｒ Ｓｅｑｕｅｎｃｅ Ａｎａｌｙｓｉｓ （１９９６）， ｅｄ． Ｄｏｏｌｉｔｔｌｅ， Ａｃａｄｅｍｉｃ Ｐｒｅｓｓ， Ｉｎｃ．， ａ
ｄｉｖｉｓｉｏｎ ｏｆ Ｈａｒｃｏｕｒｔ Ｂｒａｃｅ ＆ Ｃｏ．， Ｓａｎ Ｄｉｅｇｏ， Ｃａｌｆｏｒｎｉａ， ＵＳＡに記載されている。好ましくは、配列中のギャップを容認するアラインメントプログラムが、配列を整列するのに利用される。Ｓｍｉｔｈ−Ｗａｔｅｒｍａｎは、配列アラインメントにおいてギャップを容認するアルゴリズムの１つの型である。Ｍｅｔｈ．
Ｍｏｌ． ７０−１８７ （１９９７）を参照されたい。また、ＮｅｅｄｌｅｍａｎとＷｕｎｓｃｈのアラインメント方法を用いたＧＡＰプログラムも、配列を整列するのに利用することができる。代替的検索戦略は、ＭＰＳＲＣＨソフトウェアを使用し、それはＭＡＳＰＡＲコンピュータ上で作動する。ＭＰＳＲＣＨは、超並列コンピュータ上で配列をスコア付けするためにＳｍｉｔｈ−Ｗａｔｅｒｍａｎアルゴリズムを使用する。このアプローチは、関連性が遠いマッチを取得する能力を改善し、小さなギャップおよびヌクレオチド配列誤差に特に寛容である。核酸コードアミノ酸配列を用いて、タンパク質およびＤＮＡデータベースを検索することができる。
【００６６】
個々の配列を有するデータベースは、上述のＭｅｔｈｏｄｓ ｉｎ Ｅｎｚｙｍｏｌｏｇｙ． ｅｄ． Ｄｏｏｌｏｔｔｌｅに記載されている。データベースとしては、例えば、Ｇｅｎｂａｎｋ、ＥＭＢＬ、およびＤＮＡ
Ｄａｔａｂａｓｅ ｏｆ Ｊａｐａｎ（ＤＤＢＪ）が挙げられる。
【００６７】
好ましい核酸は、配列番号１〜４４９４のうちの１つで示される配列の核酸配列に対して少なくとも７０％、より好ましくは８０％同一の、さらに好ましくは９０％、よりいっそう好ましくは少なくとも９５％同一の配列を有する。配列番号１〜４４９４のうちの１つで表される核酸配列と少なくとも９０％、より好ましくは９５％、最も好ましくは少なくとも９８〜９９％同一の核酸も当然のことながら本発明の範囲内である。好ましい実施形態では、核酸は、哺乳類のものである。
【００６８】
本明細書中で使用する場合「相互作用する」という用語は、本質的にタンパク質−タンパク質間の、タンパク質−核酸間の、核酸−核酸間の、およびタンパク質−小分子間または核酸−小分子間の相互作用のような、分子間の検出可能な相互作用（例えば、生化学的相互作用）を包含することを意味する。タンパク質−タンパク質間の、タンパク質−核酸間の、核酸−核酸間の、およびタンパク質−小分子間または核酸−小分子間の相互作用の例としては、結合、修飾、切断、プロセシング、または触媒を挙げることができる。
【００６９】
ＤＮＡまたはＲＮＡのような核酸に関して本明細書中で使用する場合「単離」という用語は、高分子の天然源に存在する、それぞれ他のＤＮＡまたはＲＮＡから分離された分子を指す。本明細書中で使用する場合、単離という用語はまた、組換えＤＮＡ技法で産生される場合には細胞物質、ウイルス物質、または培地を、あるいは化学的に合成される場合には化学前駆物質または他の化学物質を実質的に含まない核酸またはペプチドを指す。さらに、「単離核酸」は、断片としては天然に存在せず、自然状態では見出されない核酸断片を包含することを意味する。「単離」という用語はまた、他の細胞タンパク質から単離されるポリペプチドを指すために本明細書中で使用され、精製および組換えポリペプチドの両方を包含することを意味する。
【００７０】
本明細書中で使用する場合「調節される」および「ディファレンシャルに調節される」という用語は、アップレギュレーション（すなわち、活性化または刺激、例えば作動することまたは増強することによる）およびダウンレギュレーション（すなわち、阻害または抑制、例えば拮抗すること、減少させること、または阻害することによる）の両方を指す。
【００７１】
「突然変異遺伝子」という用語は、突然変異遺伝子をもたない被験体に対して、突然変異遺伝子を有する被験体の表現型を変更させることが可能である遺伝子の対立遺伝子形態を指す。被験体が改変した表現型を有するためにこの突然変異に関してホモ接合性でなくてはならない場合、突然変異は、劣性であると言える。突然変異遺伝子の１つのコピーが被験体の遺伝子型を変更させるのに十分である場合、突然変異は、優性であると言える。被験体が突然変異遺伝子の１つのコピーを有し、ホモ接合性の被験体の表現型とヘテロ接合性の被験体の表現型（当該遺伝子に関して）の中間の表現型を有する場合、突然変異は、共優性であると言える。
【００７２】
「Ｎ」の称号は、それが添付の配列表中に見られる場合、相当するヌクレオチドの同一性が未知であることを示す。したがって、「Ｎ」は、必ずしも任意のヌクレオチド、例えばＡ、Ｔ、Ｃ、またはＧによる置換が可能であると解釈されず、むしろその同一性が最終的に決定されたヌクレオチドの位置を保持するものと解釈される。
【００７３】
本発明の「非ヒト動物」には、げっ歯類、非ヒト霊長類、ヒツジ、イヌ、ウシ、ブタのような哺乳類、鳥類、両生類、爬虫類等が包含される。好ましい非ヒト動物は、ラットおよびマウスを含むげっ歯類ファミリー、最も好ましくはマウスから選択されるが、アフリカツメガエル属の成員のようなトランスジェニック両性類、およびトランスジェニック鳥類もまた、例えば胚形成および組織形成に影響を及ぼすことができる作用物質を認識および同定するための重要なツールを提供することができる。「キメラ動物」という用語は、動物の幾つかの細胞であるが全てではない細胞において、組換え遺伝子が見出されるか、または組換え遺伝子が発現される動物を指すのに本明細書中で使用される。「組織特異的キメラ動物」という用語は、組換え遺伝子の１つが、ある組織では存在し、かつ／または発現もしくは崩壊されるが、他の組織ではそうではないことを示す。
【００７４】
本明細書で使用する場合、「核酸」という用語は、デオキシリボ核酸（ＤＮＡ）、および適切な場合にはリボ核酸（ＲＮＡ）のようなポリヌクレオチドを指す。この用語はまた、等価体、ヌクレオチド類縁体から作製されるＲＮＡまたはＤＮＡの類縁体、ならびに記載する実施形態に適用可能である場合、一本鎖（センスまたはアンチセンス）および二本鎖ポリヌクレオチドを包含することが理解されるはずである。ＥＳＴ、染色体、ｃＤＮＡ、ｍＲＮＡ、およびｒＲＮＡは、核酸と称され得る分子の代表例である。
【００７５】
「配列番号ｘのヌクレオチド配列に相補的なヌクレオチド配列」という用語は、配列番号ｘを有する核酸鎖の相補鎖のヌクレオチド配列を指す。「相補鎖」という用語は、「相補体」という用語と交換可能に本明細書中で使用される。核酸鎖の相補体は、コード鎖の相補体または非コード鎖の相補体であり得る。本明細書中で使用する場合、配列番号ｘに対する「相補鎖」は、配列番号ｘに、ストリンジェントな条件下でハイブリダイズする核酸配列である。
【００７６】
「多型」という用語は、遺伝子またはその一部（例えば、対立遺伝子変異体）の１つを超える形態の共存を指す。少なくとも２つの異なる形態、すなわち２つの異なるヌクレオチド配列が存在する遺伝子の一部を「遺伝子の多型領域」と呼ぶ。多型領域は、単一ヌクレオチドであり得る。その独自性は、異なる対立遺伝子で異なる。多型領域はまた、数個のヌクレオチド長であり得る。
【００７７】
「多型遺伝子」とは、少なくとも１つの多型領域を有する遺伝子を指す。
【００７８】
本明細書中で使用する場合、「プロモーター」という用語は、プロモーターに操作可能に連結される選択ＤＮＡ配列の発現を調節し、細胞で選択ＤＮＡ配列の発現を達成するＤＮＡ配列を意味する。この用語は、「組織特異的」プロモーター、すなわち、特定細胞（例えば、特定組織の細胞）でのみ選択ＤＮＡ配列の発現を達成するプロモーターを包含する。この用語はまた、主としてある組織で選択ＤＮＡの発現を調節するが、他の組織でも同様に発現を引き起こす、いわゆる「漏出（ｌｅａｋｙ）」プロモーターを包含する。この用語はまた、非組織特異的プロモーター、および構成的に発現されるプロモーターまたは誘導性のプロモーター（すなわち、発現レベルが制御され得る）を包含する。
【００７９】
「タンパク質」、「ポリペプチド」、および「ペプチド」という用語は、遺伝子産物を言及する場合に、本明細書中で交換可能に使用される。
【００８０】
「組換えタンパク質」という用語は、組換えＤＮＡ技法により産生される本発明のポリペプチドを指し、この技法では概して、ポリペプチドをコードするＤＮＡを適切な発現ベクターに挿入し、続いてそれを用いて宿主細胞を形質転換して、異種タンパク質を産生する。さらに、組換え遺伝子に関して、「に由来する」という語句は、天然ポリペプチドのアミノ酸配列、または天然に存在する形態のポリペプチドの置換および欠失（切断を含む）を含む突然変異により生成されるそれらに類似したアミノ酸配列を有するタンパク質を、「組換えタンパク質」の意味の内部に包含することを意味する。
【００８１】
本明細書中で使用する場合「小分子」は、約５ｋＤ未満、最も好ましくは約４ｋＤ未満の分子量を有する成分を指すことを意味する。小分子は、核酸、ペプチド、ポリペプチド、ペプチド擬似体、炭水化物、脂質または他の有機（炭素含有）もしくは無機分子であり得る。多くの製薬会社は、化学的および／または生物学的混合物、多くの場合は真菌、細菌または藻類抽出物の広範なライブラリーを有しており、それらを本発明のアッセイのいずれかを用いてスクリーニングして、生理活性を調節する化合物を同定することができる。
【００８２】
本明細書中で使用する場合、「特異的にハイブリダイズする」または「特異的に検出する」という用語は、配列番号１〜４４９４、またはそれらに相補的な配列、あるいはそれらの天然に存在する突然変異体のうちのいずれかで示される核酸の、例えば約６個、１２個、１５個、２０個、３０個、５０個、１００個、１５０個、２００個、３００個、３５０個、４００個、５００個、７５０個、または１０００個の連続したヌクレオチドの少なくとも一部にハイブリダイズする、本発明の核酸分子の能力を指し、したがって、本発明の核酸分子は、異なるタンパク質をコードする細胞核酸（例えばｍＲＮＡまたはゲノムＤＮＡ）には１５％未満、好ましくは１０％未満、より好ましくは５％未満のバックグラウンドハイブリダイゼーションを有する。好ましい実施形態では、オリゴヌクレオチドプローブは、特定核酸のみを検出し、例えばそれは、類似もしくは関連核酸、またはその相補体に、実質的にハイブリダイズしない。
【００８３】
「転写調節配列」は、それらが操作可能に連結されるタンパク質コード配列の転写を誘導または制御する、開始シグナル、エンハンサー、およびプロモーターのようなＤＮＡ配列を指すために、明細書全体にわたって使用される包括的な用語である。好ましい実施形態では、遺伝子の１つの転写は、発現が意図される細胞型での組換え遺伝子の発現を制御するプロモーター配列（または他の転写調節配列）の制御下にある。また、組換え遺伝子は、天然に存在する形態のポリペプチドの転写を制御する配列と同じであるか、または異なる転写調節配列の制御下にあり得ることも理解されよう。
【００８４】
本明細書中で使用する場合、「トランスフェクション」という用語は、核酸媒介性遺伝子移入によりレシピエント細胞に、例えば発現ベクターを介して、核酸を導入することを意味する。本明細書中で使用する場合、「形質転換」は、細胞の遺伝子型が外因性ＤＮＡまたはＲＮＡの細胞取り込みの結果として変更されるプロセスを指し、形質転換細胞は、組換え形態のポリペプチドを発現し、または移入される遺伝子からのアンチセンス発現の場合には、標的遺伝子の発現は崩壊される。
【００８５】
本明細書中で使用する場合「治療すること」という用語は、状態または疾患の少なくとも１つの症状を治癒または回復することを包含することを意図する。
【００８６】
「ベクター」という用語は、それが連結された別の核酸を輸送することが可能な核酸分子を指す。好ましいベクターの他の型は、エピソーム、すなわち染色体外複製が可能な核酸である。好ましいベクターは、それらが連結される核酸の自己複製および／または発現が可能なものである。ベクターが操作的に結合される遺伝子の発現を誘導することが可能なベクターを、本明細書中では「発現ベクター」と称する。一般に、組換えＤＮＡ技法において有用な発現ベクターは、概して、ベクターの形態では染色体に結合しない環状二重鎖ＤＮＡループを指す「プラスミド」の形態であることが多い。本明細書中では、プラスミドがベクターの最も一般的に使用される形態であるため、「プラスミド」および「ベクター」は、交換可能に使用される。しかしながら、本発明は、等価な機能を供し、その後に当該技術分野で既知になっているような他の型の発現ベクターも包含することが意図される。
【００８７】
「野生型対立遺伝子」という用語は、被験体中に２つのコピーが存在する場合に野生型の表現型をもたらす遺伝子の対立遺伝子を指す。遺伝子中のあるヌクレオチドの変化が、ヌクレオチド変化を有する遺伝子の２つのコピーを有する被験体の表現型に影響を及ぼし得ないため、特定遺伝子の幾つかの異なる野生型対立遺伝子は存在し得る。
【００８８】
ＩＩＩ．本発明の核酸
以下に記載するように、本発明の一態様は、単離核酸、かかる核酸の変異体、および／または等価体に関する。
【００８９】
本発明の核酸は、腫瘍細胞、例えば結腸癌由来細胞系、および結腸癌組織でディファレンシャルに発現される（正常細胞または組織、例えば正常結腸組織および／または正常非結腸組織での発現レベルに対して）と同定された。このディファレンシャルに発現される配列は、配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらに相補的な配列を含む。別の実施形態では、本発明は、配列番号１〜４４９４の配列のいずれかと、ストリンジェントな条件下でハイブリダイズする配列を含む。好ましい態様では、本発明の配列は、約５０％同一性、好ましくは約７０％同一性、より好ましくは約９０％同一性、よりいっそう好ましくは約１００％同一性で、配列番号１〜４４９４にハイブリダイズする。好ましい実施形態では、対象核酸は、少なくとも２だけ、好ましくは少なくとも５だけ、より好ましくは少なくとも２０だけ、よりいっそう好ましくは少なくとも５０だけからなるファクターがディファレンシャルに発現される。好ましい核酸は、結腸癌組織および結腸癌細胞系の両方でディファレンシャルに発現されると同定される配列である。好ましい実施形態では、本発明の核酸は、腫瘍細胞、特に結腸癌組織および／または結腸癌由来細胞系でアップレギュレートされる。別の実施形態では、本発明の核酸は、腫瘍細胞、特に結腸癌組織および／または結腸癌由来細胞系でダウンレギュレートされる。
【００９０】
異常増殖性の細胞において、癌遺伝子のようなアップレギュレートされる遺伝子、または腫瘍サプレッサーのようなダウンレギュレートされる遺伝子は、診断用途または治療用途のための標的として使用することができる。例えば、ｃｄｃ２遺伝子のアップレギュレーションは、有糸分裂を誘発する。有糸分裂不活性化因子であるｍｙｔ１遺伝子の過剰発現は、ｃｄｃ２の活性を負に調節する。したがって、ｃｄｃ２をアップレギュレートするか、またはｍｙｔ１をダウンレギュレートすることで、異常増殖が誘発され得る。同様に、ｐ５３およびＲｂのような腫瘍サプレッサーのダウンレギュレーションは、腫瘍形成に関与している。
【００９１】
特に好ましいポリペプチドは、配列番号１〜４４７０、４４７２、４４７４、４４７６、４４７８、４４８０、４４８２、４４８４、４４８６、４４８８、４４９０、４４９２、および４４９４の核酸配列に対して、少なくとも約７０％、７５％、８０％、９０％、９５％、９７％、または９８％類似の核酸配列にコードされるポリペプチドである。好ましくは、核酸は、配列番号１〜１１０３、最も好ましくは配列番号１〜５０３、またはそれらに相補的な核酸に相当するヌクレオチド配列の全てまたは一部（例えば、少なくとも約１０個、少なくとも約１５個、少なくとも約２５個、または少なくとも約４０個のヌクレオチド）を包含する。
【００９２】
本発明のさらなる他の好ましい核酸は、配列番号１〜４４７０、４４７２、４４７４、４４７６、４４７８、４４８０、４４８２、４４８４、４４８６、４４８８、４４９０、４４９２、および４４９４のうちの１つにコードされるポリペプチドの少なくとも一部を含むポリペプチドをコードする。例えば、プローブ／プライマーまたはアンチセンス分子として使用するのに好ましい核酸分子（すなわち、非コード核酸分子）は、配列番号１〜４４９４のいずれかの完全配列長以下の長さで、少なくとも約１０個、２０個、３０個、５０個、６０個、７０個、８０個、９０個、または１００個の塩基対を含むことができる。コード核酸分子は、例えば、約５０個、６０個、７０個、８０個、９０個、または１００個の塩基対から、配列番号１〜４４９４のいずれかの全配列の完全長以下を含むことができる。
【００９３】
本発明の別の態様は、配列番号１〜１１０３、好ましくは配列番号１〜５０３、またはそれらに相補的な配列の１つで表される核酸配列に、低、中または高ストリンジェントな条件下でハイブリダイズする核酸を提供する。ＤＮＡハイブリダイゼーションを促進する適切なストリンジェントな条件は、例えば、約４５℃で約６．０×塩化ナトリウム／クエン酸ナトリウム（ＳＳＣ）、続く約５０℃で約２．０×ＳＳＣの洗浄は、当業者に既知であるか、またはＣｕｒｒｅｎｔ
Ｐｒｏｔｏｃｏｌｓ ｉｎ Ｍｏｌｅｃｕｌａｒ Ｂｉｏｌｏｇｙ， Ｊｏｈｎ Ｗｉｌｅｙ ＆ Ｓｏｎｓ， Ｎ．Ｙ． （１９８９），
６．３．１−１２．３．６に見出すことができる。例えば、洗浄工程中の塩濃度は、約５０℃で約２．０×ＳＳＣの低ストリンジェント性から、約５０℃で約０．２×ＳＳＣの高ストリンジェント性までから選択することができる。さらに、洗浄工程の温度は、室温（約２２℃）での低ストリンジェントな条件から、約６５℃の高ストリンジェントな条件まで増加させることができる。温度および塩の両方を変更させてもよく、あるいは温度または塩濃度は、他方の変数を変化させながら一定に保ってもよい。好ましい実施形態では、本発明の核酸は、中程度のストリンジェントな条件（例えば、約２．０×ＳＳＣおよび約４０℃）下で、配列番号１〜１１０３、好ましくは配列番号１〜５０３、またはそれらに相補的な配列のうちの１つに結合する。特に好ましい実施形態では、本発明の核酸は、高ストリンジェントな条件下で、配列番号１〜１１０３、好ましくは配列番号１〜５０３、またはそれらに相補的な配列のうちの１つに結合する。
【００９４】
一実施形態では、本発明は、約室温で約６×ＳＳＣ、続く約室温で約２×ＳＳＣの洗浄の低ストリンジェントな条件下でハイブリダイズする核酸を提供する。
【００９５】
別の実施形態では、本発明は、約６５℃で約２×ＳＳＣ、続く約６５℃で約０．２×ＳＳＣの洗浄の高ストリンジェントな条件下でハイブリダイズする核酸を提供する。
【００９６】
遺伝コードでの縮重により、配列番号１〜１１０３、好ましくは配列番号１〜５０３、またはそれらに相補的な配列のうちの１つで示されるヌクレオチド配列と異なる配列を有する核酸も本発明の範囲内である。かかる核酸は、機能的に等価なペプチド（すなわち、等価なまたは類似の生物活性を有するペプチド）をコードするが、遺伝コードでの縮重により、配列表に示す配列からの配列とは異なる。例えば、多数のアミノ酸が、１つ以上のトリプレットで割り当てられる。同じアミノ酸、または同義のものを指定するコドン（例えば、ＣＡＵおよびＣＡＣはそれぞれヒスチジンをコードする）は、ポリペプチドのアミノ酸配列に影響を及ぼさない「サイレント」突然変異をもたらし得る。しかしながら、対象ポリペプチドのアミノ酸配列の変化を引き起こすＤＮＡ配列多型が哺乳類間に存在することが予想される。当業者は、ポリペプチドの活性を有するポリペプチドをコードする核酸の１つまたは複数のヌクレオチドでのこれらの変更（例えば、ヌクレオチドの約３〜５％以下）が、天然対立遺伝子変更により規定種の個体間に存在し得ることを理解されよう。
【００９７】
配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらに相補的な配列の核酸にコードされるタンパク質、あるいはかかるタンパク質の天然相同体のスプライシング変異体をコードする核酸も本発明の範囲内である。かかる相同体は、本明細書中にさらに記載するように、ハイブリダイゼーションまたはＰＣＲによりクローニングすることができる。
【００９８】
ポリヌクレオチド配列はまた、対象ポリペプチドのための、リーダー配列、例えば天然リーダー配列または異種リーダー配列をコードしてもよい。例えば、所望のＤＮＡ配列を、宿主細胞からのポリペプチドの発現および分泌を助長するＤＮＡ配列、例えば細胞からのポリペプチド輸送を制御するための分泌配列として機能するリーダー配列に、同じリーディングフレームで融合させてもよい。リーダー配列を有するタンパク質は、プレタンパク質であり、成熟型のタンパク質を形成するために宿主細胞により切断されるリーダー配列を有してもよい。
【００９９】
本発明のポリヌクレオチドはまた、本発明のマーキングおよび／または精製を可能にする、「タグポリペプチド」をコードする「タグ配列」とも本明細書において呼ばれるマーカー配列に、インフレームで融合させてもよい。好ましい実施形態では、マーカー配列は、例えばＰＱＥ−９ベクターにより供給されるヘキサヒスチジンタグである。数多くの他のタグポリペプチドが、市販されている。他の頻繁に使用されるタグとしては、ｃ−ｍｙｃ由来の１０残基配列を含むｍｙｃエピトープ（例えば、Ｅｌｌｉｓｏｎ
ｅｔ ａｌ．， （１９９） Ｊ Ｂｉｏｌ ｈｅｍ ２６６：２１１５０−２１１５６７を参照）、ｐＦＬＡＧ系（Ｉｎｔｅｒｎａｔｉｏｎａｌ
Ｂｉｏｔｅｃｈｎｏｌｏｇｉｅｓ， Ｉｎｃ．）、ｐＥＺＺ−タンパク質Ａ系（Ｐｈａｒｍａｃｉａ， ＮＪ）、およびインフルエンザ菌血球凝集素タンパク質の１６アミノ酸部分が挙げられる。さらに、タグポリペプチドと特異的に相互作用する試薬（例えば抗体）が入手可能であるか、または調製もしくは同定することができる限りは、任意のポリペプチドをタグとして使用することができる。
【０１００】
以下に記載の実施例により示されるように、核酸は、例えば多数の真核細胞または組織のいずれかに存在するｍＲＮＡから得ることができ、好ましくは、後生動物細胞または組織、より好ましくは脊椎動物細胞または組織、よりいっそう好ましくは哺乳類細胞および組織、最も好ましくはヒト細胞または組織から得られる。成体および胚の両方からのゲノムＤＮＡから本発明の核酸を得ることも可能である。例えば、遺伝子は、当業者に一般に既知のプロトコルに従って、ｃＤＮＡまたはゲノムライブラリーのいずれかからクローニングすることができる。ｃＤＮＡは、細胞、例えば脊椎動物細胞、哺乳類細胞、またはヒト細胞（胚細胞を含む）から全ｍＲＮＡを単離することにより得ることができる。続いて、全ｍＲＮＡから二重鎖ｃＤＮＡを調製することができ、次に多数の既知の技法のいずれか１つを用いて、適切なプラスミドまたはバクテリオファージベクターに挿入することができる。遺伝子はまた、本発明により提供されるヌクレオチド配列情報に従って、確立されたポリメラーゼ連鎖反応技法を用いてクローニングすることもできる。
【０１０１】
本発明は、その範囲内に、この生物学的物質から得られる核酸のヌクレオチド配列を有するポリヌクレオチドを包含し、この核酸は、配列番号１〜４４７０、４４７２、４４７４、４４７６、４４７８、４４８０、４４８２、４４８４、４４８６、４４８８、４４９０、４４９２、および４４９４の少なくとも１つの少なくとも１５個の連続したヌクレオチドと、ストリンジェントな条件（６５℃で少なくとも約４×ＳＳＣ、または４２℃で少なくとも約４×ＳＳＣ、例えば参照により本明細書中に援用される米国特許第５，７０７，８２９号を参照）下でハイブリダイズする。このことは、配列番号１〜４４７０、４４７２、４４７４、４４７６、４４７８、４４８０、４４８２、４４８４、４４８６、４４８８、４４９０、４４９２、および４４９４の１つの少なくとも１５個の連続したヌクレオチドをプローブとして使用する場合、そのプローブは、相補配列を含む（生物学的物質の）遺伝子またはｍＲＮＡと優先的にハイブリダイズし、選択プローブに比類なくハイブリダイズする生物学的物質の核酸の同定および回収を可能とすることを意図する。配列番号１〜４４７０、４４７２、４４７４、４４７６、４４７８、４４８０、４４８２、４４８４、４４８６、４４８８、４４９０、４４９２、および４４９４の１つを超えるもの由来のプローブは、それらが由来するｃＤＮＡが１つのｍＲＮＡに相当する場合に、同じ遺伝子またはｍＲＮＡとハイブリダイズする。１５個を超えるヌクレオチドのプローブを使用することができるが、１５個のヌクレオチドは、特有の同定に十分な配列を表している。
【０１０２】
本核酸は、部分的ｍＲＮＡ転写体を表すｃＤＮＡであるため、本発明の２つまたはそれ以上の核酸は、同じｍＲＮＡ転写体および同じ遺伝子の異なる領域を表し得る。したがって、配列番号１〜４４７０、４４７２、４４７４、４４７６、４４７８、４４８０、４４８２、４４８４、４４８６、４４８８、４４９０、４４９２、および４４９４の２つまたはそれ以上が同じクローンに属すると同定される場合、一方の配列は、完全長ｍＲＮＡまたは遺伝子を得るのに使用することができる。核酸関連ポリヌクレオチドはまた、ｃＤＮＡライブラリーから単離することができる。これらのライブラリーは、好ましくはヒト結腸細胞、より好ましくはヒト結腸癌特異的組織から調製され、表１で１００〜１０１、および１０３〜１１２クローンと称されている。別の実施形態では、核酸は、正常な結腸特異的組織から調製されるライブラリーから単離され、本明細書中では表１で１０２クローンと称されている。上述のように、配列番号１〜４４７０、４４７２、４４７４、４４７６、４４７８、４４８０、４４８２、４４８４、４４８６、４４８８、４４９０、４４９２、および４４９４のアラインメントは、関連タンパク質もしくはポリヌクレオチドの細胞系または組織供給源を、核酸関連ｃＤＮＡの供給源としても使用することができることを示す。
【０１０３】
核酸配列ライブラリーを生産およびプローブする技法は、例えば、Ｓａｍｂｒｏｏｋ ｅｔ ａｌ．， 「Ｍｏｌｅｃｕｌａｒ Ｃｌｏｎｉｎｇ： Ａ
Ｌａｂｏｒａｔｏｒｙ Ｍａｎｕａｌ」（Ｎｅｗ Ｙｏｒｋ， Ｃｏｌｄ Ｓｐｒｉｎｇ Ｈａｒｂｏｒ Ｌａｂｏｒａｔｏｒｙ， １９８９）に記載されている。ｃＤＮＡは、配列番号１〜４４７０、４４７２、４４７４、４４７６、４４７８、４４８０、４４８２、４４８４、４４８６、４４８８、４４９０、４４９２、および４４９４からの配列に基づいたプライマーを用いることで調製することができる。一実施形態では、ｃＤＮＡライブラリーは、ポリアデニル化ｍＲＮＡのみから作製することができる。したがって、ポリＴプライマーは、ｍＲＮＡからｃＤＮＡを調製するのに使用することができる。配列番号１〜４４７０、４４７２、４４７４、４４７６、４４７８、４４８０、４４８２、４４８４、４４８６、４４８８、４４９０、４４９２、および４４９４のアラインメントは、関連ポリペプチドまたはポリヌクレオチドの同定をもたらすことができる。本明細書中に開示するポリヌクレオチドの幾つかは、検索手順中にマスキングを受けやすい反復領域を含有する。反復領域に関する情報を以下に議論する。
【０１０４】
配列番号１〜４４７０、４４７２、４４７４、４４７６、４４７８、４４８０、４４８２、４４８４、４４８６、４４８８、４４９０、４４９２、および４４９４の配列を有するポリヌクレオチドの構築物は、合成的に生成することができる。あるいは、非常に多数のオリゴデオキシリボヌクレオチドからの遺伝子および全プラスミドの一段階構築が、Ｓｔｅｍｍｅｒ
ｅｔ ａｌ．， Ｇｅｎｅ （Ａｍｓｔｅｒｄａｍ） （１９９５） １６４（ｉ）：４９−５３に記載されている。この方法では、アセンブリＰＣＲ（非常に多数のオリゴデオキシリボヌクレオチド（ｏｌｉｇｏ）からの長いＤＮＡ配列の合成）について記載している。この方法は、ＤＮＡシャッフリングに由来し（Ｓｔｅｍｍｅｒ，
Ｎａｔｕｒｅ （１９９４） ３７０：３８９−３９１）、ＤＮＡリガーゼによるものではなく、代わりにアセンブリプロセス中にさらに長いＤＮＡ断片を構築するためにＤＮＡポリメラーゼに依存する。例えば、ＴＥＭ−１β−ラクタマーゼコード遺伝子（ｂｌａ）を含有する１．１ｋｂ断片は、それぞれが４０ヌクレオチド（ｎｔ）長である合計５６個のｏｌｉｇｏから単一反応で構築することができる。合成遺伝子を、ＰＣＲ増幅し、唯一の選択マーカーとしてテトラサイクリン＋耐性遺伝子（Ｔｃ−Ｒ）を含有するベクターにクローニングすることができる。アンピシリン（Ａｐ）選択に依存せずに、Ｔｃ−Ｒコロニーの７６％がＡｐ−Ｒであり、このアプローチを、任意の遺伝子の迅速かつ対費用効果の高い合成のための一般法としている。
【０１０５】
ＩＶ．当該技術分野で認識されている方法を用いた新規遺伝子の機能的および構造的モチーフの同定
核酸、ｃＤＮＡ、または完全遺伝子のヌクレオチド配列の翻訳物は、個々の既知の配列と整列させることができる。個々の配列との類似性は、本発明のポリヌクレオチドにコードされるポリペプチドの活性を決定するのに使用することができる。例えば、ケモカイン配列との類似性を示す配列は、ケモカイン活性を示し得る。また、１つを超える個々の配列との類似性を示す配列は、一方または両方の個々の配列に特徴的な活性を示し得る。
【０１０６】
隣接物のポリヌクレオチド配列の完全長配列および断片は、核酸の完全長配列を同定および単離するためのプローブならびにプライマーとして使用することができる。隣接物は、核酸の完全長配列に関するライブリーを構築するための使用されるべき組織または細胞型を示すことができる。
【０１０７】
典型的に、核酸は、個々の配列との最良のアラインメントを決定するために、６個全てのフレームで翻訳される。本明細書中で配列表において開示する配列は、５’から３’配向にあり、３つのフレームでの翻訳が十分であり得る（実施例に記載するような数少ない特定の例外を除く）。これらのアミノ酸配列は、一般にクエリー配列と呼ばれ、個々の配列と整列させる。
【０１０８】
核酸配列は、上述の方法のいずれかにより既知の遺伝子と比較することができる。個々の配列とクエリー配列のアラインメントの結果は、３つのカテゴリー：高類似性、弱類似性、および類似性なしに分けることができる。高類似性から弱類似性に及ぶ個々のアラインメントの結果は、ポリペプチド活性および／構造を決定するための基礎を提供する。
【０１０９】
個々の結果を分類するためのパラメータとしては、最強のアラインメントが見出されるアラインメント領域長％、％配列同一性、およびｐ値が挙げられる。
【０１１０】
アラインメント領域長％は、最強のアラインメント領域に見出される個々の配列の残基数を計数することで算出される。この数をクエリー配列の全残基長で除算して、％を得る。
【０１１１】
％配列同一性は、クエリー配列と個々の配列との間のアミノ酸マッチ数を計数し、マッチの総数を最強のアラインメント領域中に見出される個々の配列の残基数で除算することで算出される。上記の例について、％同一性は、１０個のマッチを、１１個のアミノ酸で除算したものであり、すなわち約９０．０％である。
【０１１２】
ｐ値は、アラインメントが偶然により生産される蓋然性である。単一アラインメントに関しては、ｐ値は、Ｋａｒｌｒｉｎ ｅｔ ａｌ．， Ｐｒｏｃ． Ｎａｔｌ．
Ａｃａｄ． Ｓｃｉ． ８７： ２２６４ （１９９０）、およびＫａｒｌｉｎ ｅｔ ａｌ．， Ｐｒｏｃ． Ｎａｔｌ． Ａｃａｄ． Ｓｃｉ． ９０： （１９９３）に従って算出することができる。同じクエリー配列を用いたマルチプルアラインメントのｐ値は、Ａｌｔｓｃｈｕｌｅｔ
ａｌ．， Ｇｅｎｅｔ． ６：１１９ （１９９４）に記載されるヒューリスティックアプローチを用いて算出することができる。ＢＬＡＳＴプログラムのようなアラインメントプログラムは、ｐ値を算出することができる。
【０１１３】
配列が整列する領域の境界は、上述のＤｏｏｌｉｔｔｌｅ， Ｍｅｔｈｏｄｓ ｉｎ Ｅｎｚｙｍｏｌｏｇｙ、ＢＬＡＳＴまたはＦＡＳＴＡプログラムに従って、あるいは配列同一性が最も高い区域を決定することで決定することができる。
【０１１４】
同一性または類似性を決定するのに考慮すべき別の要因は、類似性または同一性の位置である。強力な局所アラインメントは、アラインメントの長さが短い場合でも類似性を示すことができる。クエリー配列の長さ全体にわたって散在する配列同一性もまた、クエリー配列とプロフィール配列との間に類似性を示すことができる。
【０１１５】
高類似性
高類似性とみなされるアラインメントの結果に関して、アラインメント領域長％は典型的に、全長クエリー配列の少なくとも約５５％、クエリー配列の全残基長のより典型的には少なくとも約５８％、よりいっそう典型的には少なくとも約６０％である。通常、アラインメント領域長％は、約６２％程度、より通常的には約６４％程度、よりいっそう通常的には６６％程度の大きさであり得る。
【０１１６】
さらに、高類似性に関して、アラインメント領域は典型的に、少なくとも約７５％の配列同一性、より典型的には少なくとも約７８％、よりいっそう典型的には少なくとも約８０％の配列同一性を示す。通常、％配列同一性は、約８２％程度、より通常的には約８４％程度、よりいっそう通常的には約８６％程度の大きさであり得る。
【０１１７】
ｐ値は、これらの方法と併せて使用される。高類似性が見出される場合、ｐ値が約１０−２以下、より通常的には約１０−３以下、よりいっそう通常的には１０−４以下である場合に、クエリー配列はプロフィール配列と高類似性を有するとみなされる。より典型的には、ｐ値は、高類似性とみなされるクエリー配列に関して、約１０−５以下、より典型的には約１０−１０以下、よりいっそう典型的には約１０−１５以下である。
【０１１８】
弱類似性
弱いとみなされるアラインメントの結果に関して、アラインメント領域長％は最小でなく、すなわちアラインメントの長さは最小でない。アラインメント領域が典型的に、少なくとも約１５個のアミノ酸残基長、より典型的には少なくとも約２０個、よりいっそう典型的には少なくとも約２５個のアミノ酸残基長である場合に、弱類似性を良好に示すとみなされる。通常、アラインメント領域の長さは、約３０個程度の大きさのアミノ酸残基、より通常的には約４０個程度、よりいっそう通常的には約６０個程度のアミノ酸残基であり得る。
【０１１９】
さらに、弱類似性に関して、アラインメント領域は典型的に、少なくとも約３５％の配列同一性、より典型的には少なくとも約４０％、よりいっそう典型的には少なくとも約４５％の配列同一性を示す。通常、％配列同一性は、約５０％程度、より通常的には約５５％程度、よりいっそう通常的には約６０％程度であり得る。
【０１２０】
低類似性が見出される場合、ｐ値が約１０−２以下、より通常的には約１０−３以下、よりいっそう通常的には１０−４以下である場合に、クエリー配列はプロフィール配列と弱類似性を有するとみなされる。より典型的には、ｐ値は、弱類似性とみなされるクエリー配列に関して、１０−５以下、より典型的には約１０−１０以下、よりいっそう典型的には約１０−１５以下である。
【０１２１】
配列同一性により決定される類似性
配列同一性単独は、個々の配列に対するクエリー配列の類似性を決定するのに使用することができ、配列の活性を示すことができる。かかるアラインメントは好ましくは、配列を整列するためにギャップを容認する。典型的に、全クエリー配列にわたる配列同一性が少なくとも約１５％、より典型的に少なくとも約２０％、よりいっそう典型的に少なくとも約２５％、さらにいっそう典型的に少なくとも約５０％である場合に、クエリー配列は、プロフィール配列に関連する。類似性の尺度としての配列同一性単独は、クエリー配列が通常少なくとも８０残基長、より通常的には９０残基長、よりいっそう通常的には少なくとも９５アミノ酸残基長である場合に最も有用である。より典型的には、類似性は、クエリー配列が好ましくは１００残基長、より好ましくは１２０残基長、よりいっそう好ましくは１５０アミノ酸残基長である場合に、類似性は、配列同一性単独に基づいて断定することができる。
【０１２２】
プロフィール配列と複数整列配列とのアラインメントからの活性の決定
核酸の翻訳物は、タンパク質ファミリーまたは共通モチーフのいずれかを規定するアミノ酸プロフィールと整列させることができる。また、核酸の翻訳物は、タンパク質ファミリーまたはモチーフの成員のポリペプチド配列を含む複数配列アラインメント（ＭＳＡ）に整列させることができる。プロフィール配列もしくはＭＳＡとの類似性または同一性は、核酸または相当するｃＤＮＡもしくは遺伝子にコードされるポリペプチドの活性を決定するのに使用することができる。例えば、ケモカインプロフィールもしくはＭＳＡと同一性または類似性を示す配列は、ケモカイン活性を示すことができる。
【０１２３】
プロフィールは、（１）ファミリーに属する成員のアミノ酸配列のアラインメントであるＭＳＡを創出すること、および（２）アラインメントの統計学的表示を構築することにより手動で設計することができる。かかる方法は、例えば、Ｂｉｒｎｅｙ
ｅｔ ａｌ．， Ｎｕｃｌ． Ａｃｉｄ Ｒｅｓ． ２５（１４）：２７３０−２７３９ （１９９６）に記載されている。
【０１２４】
いくつかのタンパク質ファミリーおよびモチーフのＭＳＡは、公的に利用可能である。例えば、これらには、５４７個の異なるファミリーおよびモチーフのＭＳＡが含まれている。これらのＭＳＡは、Ｓｏｎｎｈａｍｍｅｒ
ｅｔ ａｌ．， Ｐｒｏｔｅｉｎｓ ２８： ４０５−４２０ （１９９７）にも記載されている。他の供給源もまた、ワールドワイドウェブ上で利用可能である。これらのＭＳＡの簡単な説明は、Ｐａｓｃａｒｅｌｌａ
ｅｔ ａｌ．， Ｐｒｏｔ．
Ｅｎｇ． ９（３）：２４９−２５１ （１９９６）に報告されている。
【０１２５】
ＭＳＡからプロフィールを構築するための技法は、上述のＳｏｎｎｈａｍｍｅｒ等、上述のＢｉｒｎｅｙ等、およびＭｅｔｈｏｄｓ ｉｎ Ｅｎｚｙｍｏｌｏｇｙ，
ｖｏｌ． ２６６： 「Ｃｏｍｐｕｔｅｒ Ｍｅｔｈｏｄｓ ｆｏｒ Ｍａｃｒｏｍｏｌｅｃｕｌａｒ Ｓｅｑｕｅｎｃｅ Ａｎａｌｙｓｉｓ」， １９９６， ｅｄ．
Ｄｏｏｌｉｔｔｌｅ， Ａｃａｄｅｍｉｃ Ｐｒｅｓｓ， Ｉｎｃ．， ａ ｄｉｖｉｓｉｏｎ ｏｆ Ｈａｒｃｏｕｒｔ Ｂｒａｃｅ ＆ Ｃｏ．， ＳａｎＤｉｅｇｏ， Ｃａｌｉｆｏｒｎｉａ， ＵＳＡに記載されている。
【０１２６】
クエリー配列とタンパク質ファミリーまたはモチーフとの間の類似性は、（ａ）プロフィールに対してクエリー配列を比較すること、および／または（ｂ）ファミリーまたはモチーフの成員とクエリー配列を整列させることにより決定することができる。
【０１２７】
典型的に、Ｓｅａｒｃｈｗｉｓｅのようなプログラムを用いて、プロフィールとしても既知であるマルチプルアラインメントの統計学的表示とクエリー配列を比較することができる。プログラムは、上述のＢｉｒｎｅｙ等に記載されている。配列とプロフィールを比較する他の技法は、上述のＳｏｎｎｈａｍｍｅｒ等、および上述のＤｏｏｌｉｔｔｌｅに記載されている。
【０１２８】
次に、Ｆｅｎｇ ｅｔ ａｌ．， Ｊ． Ｍｏｌ．， Ｅｖｏｌ． ２５：３５１−３６０ （１９８７）、およびＨｉｇｇｉｎｓ ｅｔ ａｌ．， ＣＡＢＩＯＳ
５：１５１−１５３ （１９８９）に記載される方法を使用して、クエリー配列を、ＭＳＡとしても既知のファミリーまたはモチーフの成員と整列させることができる。ＰＩＬＥＵＰのようなコンピュータプログラムを使用することができる。以下のＦｅｎｇ等を参照されたい。
【０１２９】
クエリー配列とプロフィールまたはＭＳＡとの間に類似性が存在するかどうかを、以下の要因を用いて決定することができる：（１）クエリー配列中に見出される保存残基数、（２）クエリー配列中に見出される保存残基の％、（３）フレームシフト数、および（４）保存残基間のスペーシング。
【０１３０】
配列を翻訳および整列させる幾つかのアラインメントプログラムは、最良のアラインメントを生産するために、ヌクレオチド配列を翻訳する場合に任意数のフレームシフトを作製することができる。アラインメントを生産するのに必要なフレームシフトが少ないほど、クエリーとプロフィールまたはＭＳＡとの間の類似性または同一性は強力である。例えば、フレームシフトが全くないものから生じる弱類似性は、２個のフレームシフトから生じる強力な類似性よりも、クエリー配列の活性または構造のより良好な目安であり得る。
【０１３１】
好ましくは、３個以下のフレームシフトがアラインメント中に見出される。より好ましくは２個以下のフレームシフト、よりいっそう好ましくは１個以下のフレームシフトが、クエリーとプロフィールまたはＭＳＡのアラインメント中に見出され、さらにいっそう好ましくは、フレームシフトが全く見出されない。
【０１３２】
保存残基は、ファミリーまたはモチーフの成員の全てまたは幾つかの特定位置で見出されるアミノ酸である。例えば、最も知られているケモカインは、４個の保存システインを含有する。あるいは、ある種のアミノ酸クラスのみが、ファミリー成員の全てまたは幾つかの特定位置に見出される場合に、位置は保存されているとみなされる。例えば、Ｎ末端位置は、リシン、アルギニン、またはヒスチジンのような正荷電アミノ酸を含有してもよい。
【０１３３】
典型的に、ポリペプチド残基は、アミノ酸クラスまたは単一アミノ酸が、全てのクラスの成員の少なくとも約４０％、より典型的には成員の少なくとも約５０％、よりいっそう典型的には少なくとも約６０％において特定位置で見出される場合に保存される。通常、残基は、アミノ酸クラスまたは単一アミノ酸が、ファミリーまたはモチーフの成員の少なくとも約７０％、より通常的には少なくとも約８０％、よりいっそう通常的には少なくとも約９０％、さらにいっそう通常的には少なくとも約９５％において見出される場合に保存される。
【０１３４】
残基は、３つの未関連アミノ酸が成員の幾つかまたは全て、より通常には２つの未関連アミノ酸において特定位置で見出される場合に保存される。これらの残基は、全てのクラスの成員の少なくとも約４０％、より典型的には成員の少なくとも約５０％、よりいっそう典型的には少なくとも約６０％において特定位置で見出される場合に保存される。通常、残基は、ファミリーまたはモチーフの成員の少なくとも約７０％、より通常的には少なくとも約８０％、よりいっそう通常的には少なくとも約９０％、さらにいっそう通常的には少なくとも約９５％である場合に保存される。
【０１３５】
クエリー配列が、プロフィールまたはＭＳＡの保存残基の少なくとも約２５％、より通常的には少なくとも約３０％、よりいっそう通常的には少なくとも約４０％を含む場合に、クエリー配列は、プロフィールまたはＭＳＡに対して類似性を有する。典型的に、クエリー配列がプロフィールまたはＭＳＡの保存残基の少なくとも約４５％、より典型的には少なくとも約５０％、よりいっそう典型的には少なくとも約５５％を含む場合に、クエリー配列は、プロフィール配列またはＭＳＡに対してより強力な類似性を有する。
【０１３６】
Ｖ．プローブおよびプライマー
腫瘍細胞、特に結腸癌細胞系および組織由来の遺伝子のクローニングから決定されたヌクレオチド配列はさらに、他の細胞型の、例えば他の組織由来の相同体、ならびに他の哺乳類生物由来の相同体を同定かつ／またはクローニングするように設計したプローブおよびプライマーの生成を可能にする。プローブ／プライマーとして有用なヌクレオチド配列は、配列番号１〜４４７０、４４７２、４４７４、４４７６、４４７８、４４８０、４４８２、４４８４、４４８６、４４８８、４４９０、４４９２、および４４９４に列挙される配列、またはそれらに相補的な配列、あるいは配列番号１〜４４７０、４４７２、４４７４、４４７６、４４７８、４４８０、４４８２、４４８４、４４８６、４４８８、４４９０、４４９２、および４４９４の全てまたは一部に、ストリンジェントな条件下でハイブリダイズする配列の全てまたは一部を包含し得る。例えば、本発明はまた、実質的に精製されたオリゴヌクレオチドを含むプローブ／プライマーを提供し、そのオリゴヌクレオチドは、配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらの相補的な配列、あるいはそれらの天然に存在する突然変異体からなる群から選択されるセンスまたはアンチセンス配列の、完全長以下の、少なくとも約１２個、好ましくは２５個、より好ましくは、４０個、５０個、または７５個の連続したヌクレオチドに、ストリンジェントな条件下でハイブリダイズするヌクレオチド配列を含む。例えば、配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、さらにいっそう好ましくは配列番号４４７２、４４７４、４４７６、４４７８、４４８０、４４８２、４４８４、４４８６、４４８８、４４９０、４４９２、および４４９４、またはそれらに相補的な配列で表される核酸に基づくプライマーは、当該配列の相同体をクローニングするためにＰＣＲ反応で使用することができる。
【０１３７】
さらなる別の実施形態では、本発明は、配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらの天然に存在する突然変異体からなる群から選択されるセンスまたはアンチセンス配列の、完全長以下の、少なくとも約１２個、１６個、２５個、４０個、５０個、または７５個の連続したヌクレオチドに、中程度のストリンジェントな条件下でハイブリダイズするヌクレオチド配列を含むプローブ／プライマーを提供する。
【０１３８】
特に、これらのプローブは、本発明の野生型遺伝子中の突然変異を検出する方法を提供するという理由で有用である。本発明の野生型遺伝子に相補的であり、かつ突然変異遺伝子とミスマッチを形成することができる核酸プローブを提供し、酵素的もしくは化学的切断により、または電気泳動移動度のシフトにより検出が可能である。同様に、対象配列に基づくプローブを用いて、例えば予後または診断アッセイにおける使用のために、同じタンパク質または相同タンパク質をコードする転写体またはゲノム配列を検出することができる。好ましい実施形態では、プローブは、それらに結合され、かつ検出することが可能な標識基をさらに含み、例えば標識基は、放射性同位体、蛍光化合物、化学発光化合物、酵素、および酵素補因子から選択される。
【０１３９】
開示する核酸を含む完全長ｃＤＮＡ分子は、以下のように得られる。好ましい実施形態では、本発明は、配列番号４４７２、４４７４、４４７６、４４７８、４４８０、４４８２、４４８４、４４８６、４４８８、４４９０、４４９２、および４４９４の完全長ｃＤＮＡ配列を提供する。配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらに相補的な配列で表される配列の、完全長以下の、少なくとも約１２個、１５個、１８個、または２０個のヌクレオチドを含む対象核酸またはその一部を、米国特許第５，６５４，１７３号、「分泌タンパク質およびそれらをコードするポリヌクレオチド（Ｓｅｃｒｅｔｅｄ
Ｐｒｏｔｅｉｎｓ ａｎｄ ＰｏｌｙｎｕｃｌｅｏｔｉｄｅｓＥｎｃｏｄｉｎｇ Ｔｈｅｍ）」（参照により本明細書に援用される）に記載されるように、プローブ設計方法、クローニング方法、およびクローン選択技法を用いて、ｃＤＮＡライブラリーのハイブリダイズする成員を検出するためのハイブリダイゼーションプローブとして使用してもよい。ｃＤＮＡライブラリーは、正常または腫瘍組織のような選択組織、あるいは例えば医薬品で処置した哺乳類の組織から作製してもよい。好ましくは、組織は、核酸とｃＤＮＡの両方が発現遺伝子を表すため、核酸を生成するのに使用するものと同じである。最も好ましくは、ｃＤＮＡライブラリーは、実施例にて本明細書中に記載する生物学的物質から作製される。あるいは、多くのｃＤＮＡライブラリーが市販されている（Ｓａｍｂｒｏｏｋ
ｅｔ ａｌ．， ＮｏｌｅｃｕｌａｒＣｌｏｎｉｎｇ： Ａ Ｌａｂｏｒａｔｏｒｙ Ｍａｎｕａｌ， ２ｎｄ Ｅｄ． （Ｃｏｌｄ Ｓｐｒｉｎｇ Ｈａｒｂｏｒ
Ｐｒｅｓｓ， Ｃｏｌｄ Ｓｐｒｉｎｇ Ｈａｒｂｏｒ， ＮＹ １９８９））。ライブラリー構築のための細胞型の選択は、核酸関連遺伝子にコードされるタンパク質の独自性がわかった後になされ得る。このことは、組織および細胞型が、関連遺伝子を発現する可能性が高く、それによりｃＤＮＡを生成するためにｍＲＮＡを含有することを示している。
【０１４０】
核酸、好ましくは自然メッセージの全配列を含有する核酸より大きなライブラリーの成員が得られ得る。全ｃＤＮＡが得られたことを確認するために、ＲＮＡ保護実験を以下のように実施してもよい。ｍＲＮＡへの完全長ｃＤＮＡのハイブリダイゼーションは、ＲＮＡ分解酵素分解からｍＲＮＡを保護し得る。ｃＤＮＡが完全長でない場合、ハイブリダイズされないｍＲＮＡの一部がＲＮＡ分解酵素分解を受けやすい場合がある。これを、ポリアクリルアミドゲル上での電気泳動移動度の変化により、または放出されたモノリボヌクレオチドの検出により、当該技術分野で既知であるようにアッセイしてもよい。Ｓａｍｂｒｏｏｋ
ｅｔ ａｌ．， Ｍｏｌｅｃｕｌａｒ Ｃｌｏｎｉｎｇ： Ａ Ｌａｂｏｒａｔｏｒｙ Ｍａｎｕａｌ， ２ｎｄ Ｅｄ． （Ｃｏｌｄ Ｓｐｒｉｎｇ Ｈａｒｂｏｒ
Ｐｒｅｓｓ， Ｃｏｌｄ
Ｓｐｒｉｎｇ Ｈａｒｂｏｒ， ＮＹ １９８９）。部分的ｃＤＮＡの末端に５’でさらなる配列を得るために、５’ＲＡＣＥ（ＰＣＲ Ｐｒｏｔｏｃｏｌｓ： Ａ
Ｇｕｉｄｅ ｔｏ Ｍｅｔｈｏｄｓ ａｎｄ Ａｐｐｌｉｃａｔｉｏｎｓ （Ａｃａｄｅｍｉｃ Ｐｒｅｓｓ， Ｉｎｃ． １９９０））を実施してもよい。
【０１４１】
ゲノムＤＮＡは、完全長ｃＤＮＡの単離と同様の方法で核酸を用いて単離し得る。簡潔に述べると、核酸またはその一部を、ゲノムＤＮＡのライブラリーに対するプローブとして使用してもよい。好ましくは、ライブラリーは、核酸を生成するのに使用した細胞型から得られる。最も好ましくは、ゲノムＤＮＡは、本明細書中で実施例にて記載する生物学的試料から得られる。かかるライブラリーは、Ｓａｍｂｒｏｏｋ
ｅｔ ａｌ．， ９．４−９．３０に詳述されるように、Ｐ１またはＹＡＣのようなゲノムの大きなセグメントを保有するのに適切なベクター中に存在し得る。さらに、ゲノム配列は、例えばヒトＢＡＣライブラリー（これは、Ｒｅｓｅａｒｃｈ
Ｇｅｎｅｔｉｃｓ， Ｉｎｃ．， Ｈｕｎｔｖｉｌｌｅ， Ａｌａｂａｍａ， ＵＳＡから市販されている）から単離することができる。さらなる５’または３’配列を得るために、Ｓａｍｂｒｏｏｋ等に記載されるように、染色体歩行を実施してもよく、その結果、ゲノムＤＮＡの隣接および重複断片が単離される。当該技術分野で既知のように、制限消化酵素およびＤＮＡリガーゼを用いて、これらをマッピングおよびつなぎ合わせてもよい。
【０１４２】
本発明の核酸を用いて、ｃＤＮＡライブラリーを構築および探索するために、古典的な方法およびＰＣＲ方法の両方を用いて、相当する完全長遺伝子を単離することができる。いずれかの方法を用いて、好ましくはノーザンブロットを多数の細胞型に実施して、どの細胞系が最高の割合で所定の遺伝子を発現するかを決定してもよい。
【０１４３】
上述のＳａｍｂｒｏｏｋ等におけるｃＤＮＡライブラリーを構築する古典的な方法。これらの方法により、ｃＤＮＡをｍＲＮＡから産生し、ウイルスベクターまたは発現ベクターに挿入することができる。典型的に、ポリ（Ａ）テイルを含むｍＲＮＡライブラリーは、ポリ（Ｔ）プライマーを用いて産生することができる。同様に、ｃＤＮＡライブラリーは、プライマーとして本配列を用いて産生することができる。
【０１４４】
ＰＣＲ方法を用いて、所望の挿入物を含むｃＤＮＡライブラリーの成員を増幅してもよい。この場合では、所望の挿入物は、本核酸に相当する完全長ｃＤＮＡからの配列を含有し得る。かかるＰＣＲ方法には、遺伝子トラッピングおよびＲＡＣＥ方法が含まれる。
【０１４５】
遺伝子トラッピングは、ｃＤＮＡライブラリーの成員をベクターに挿入することを伴い得る。続いて、ベクターを変性させて、一本鎖分子を産生し得る。次に、ビオチン化ｏｌｉｇｏのような基質結合プローブを用いて、所定のｃＤＮＡ挿入物をトラップする。ビオチン化プローブをアビジン結合固体基材に連結させることができる。ＰＣＲ方法を用いて、トラップしたｃＤＮＡを増幅することができる。完全長遺伝子に相当する配列をトラップするために、標識プローブ配列は、本発明の核酸、例えば配列番号１〜１１０３、好ましくは配列番号１〜５０３、またはそれらに相補的な配列に基づき得る。ランダムプライマーまたはライブラリーベクターに特異的なプライマーを用いて、トラップしたｃＤＮＡを増幅することができる。かかる遺伝子トラッピング技法は、Ｇｒｕｂｅｒ
ｅｔ ａｌ．， ＰＣＴ国際公開第９５／０４７４５号、およびＧｒｕｂｅｒ ｅｔ ａｌ．， 米国特許第５，５００，３５６号に記載されている。遺伝子トラッピング実験を実施するためのキットが、例えばＬｉｆｅ
Ｔｅｃｈｎｏｌｏｇｉｅｓ， Ｇａｉｔｈｅｒｓｂｕｒｇ， Ｍａｒｙｌａｎｄ， ＵＳＡから市販されている。
【０１４６】
「ｃＤＮＡ末端の迅速増幅」、すなわちＲＡＣＥは、多数の異なるＲＮＡからｃＤＮＡを増幅するＰＣＲ方法である。ｃＤＮＡをオリゴヌクレオチドリンカーに連結させて、２つのプライマーを用いてＰＣＲで増幅してもよい。一方のプライマーは、本核酸由来の配列に基づいてもよく、それに関しては完全長配列が望ましく、第２のプライマーは、ｃＤＮＡを増幅するためのオリゴヌクレオチドリンカーにハイブリダイズする配列を含んでもよい。この方法の詳細については、例えばＰＣＴ国際公開公報第９７／１９１１０号に報告されている。
【０１４７】
ＲＡＣＥの好ましい実施形態では、一般的プライマーは、ｃＤＮＡ末端に連結される任意のアダプター配列にアニーリングするように設計され得る（Ａｐｔｅ ａｎｄＳｉｅｂｅｒｔ， Ｂｉｏｔｅｃｈｎｉｑｕｅｓ， １５：８９０−８９３， １９９３； Ｅｄｗａｒｄｓ ｅｔ ａｌ．， Ｎｕｃ． Ａｃｉｄｓ Ｒｅｓ．，
１９：５２２７−５２３２， １９９１）。単一遺伝子特異的ＲＡＣＥプライマーは、一般的プライマーと対をなし、単一遺伝子特異的プライマーと一般的プライマーとの間の配列の優先的増幅が起きる。ＲＡＣＥで使用するために修飾された市販のｃＤＮＡプールが利用可能である。
【０１４８】
別のＰＣＲベースの方法は、ｃＤＮＡ配列の特定の知見なしで、固着末端を有する完全長ｃＤＮＡライブラリーを生成する。この方法は、ロックドッキング（ｌｏｃｋ−ｄｏｃｋｉｎｇ）プライマー（Ｉ〜ＶＩ）を使用し、ここで一方のプライマーであるポリＴＶ（Ｉ〜ＩＩＩ）は、真核ｍＲＮＡのポリＡテイルにわたってロックして、第１鎖合成をもたらし、第２のプライマーであるポリＧＨ（ＩＶ〜ＶＩ）は、末端デオキシヌクレオチジルトランスフェラーゼ（ＴｄＴ）により付加されるポリＣ尾上にロックする。この方法は、例えば、ＰＣＴ国際公開広報第９６／４０９９８号に記載されている。
【０１４９】
遺伝子のプロモーター領域は一般に、ＲＮＡポリメラーゼＩＬのための開始部位に対して５’に位置している。無数のプロモーター領域が、ＴＡＴＴＡまたはＴＡＴＡＡのような配列である「ＴＡＴＡ」ボックスを含有し、それは突然変異に対して感受性が高い。プロモーター領域は、遺伝子のコード領域から、プライマーを用いて５’ＲＡＣＥを実施することで得ることができる。あるいは、ｃＤＮＡをゲノム配列用のプローブとして使用することができ、コード領域に対して５’の領域を「歩行（ｗａｌｋｉｎｇ
ｕｐ）」で同定する。
【０１５０】
遺伝子が高度に発現されるか、またはディファレンシャルに発現される場合、遺伝子からのプロモーターは、異種遺伝子用の調節構築物での使用に有用であり得る。
【０１５１】
完全長ｃＤＮＡまたは遺伝子がいったん得られれば、変異体をコードするＤＮＡは、Ｓａｍｂｒｏｏｋ１５．３−１５．６３に詳述される部位特異的突然変異誘発により調製することができる。置き換えられるべきコドンまたはヌクレオチドの選択は、変更されるタンパク質構造および／または機能を達成するためのアミノ酸の任意の変化に関する本明細書中での開示に基づくことができる。
【０１５２】
生物学的物質からＤＮＡまたはＲＮＡを得るための代替的方法として、本発明の１つまたは複数の核酸の配列を有するヌクレオチドを含む核酸を合成することができる。したがって、本発明は、１２ヌクレオチド長（配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらに相補的な配列の１つで表される核酸に、ストリンジェントな条件下でハイブリダイズするか、あるいは当該核酸に対して、少なくとも８０％同一である少なくとも１２個の連続したヌクレオチドに相当する）から、核酸分子の複製および発現を含む１つまたは複数の生物学的操作に適切な最大長までの範囲の核酸分子を包含する。本発明は、（ａ）完全サイズを有し、かつ配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらに相補的な配列の少なくとも１つを含む核酸、（ｂ）融合タンパク質の発現を可能にするように操作可能に連結される少なくとも１つのさらなる遺伝子も含む、（ａ）の核酸、（ｃ）（ａ）または（ｂ）を含む発現ベクター、（ｄ）（ａ）または（ｂ）を含むプラスミド、および（ｅ）（ａ）または（ｂ）を含む組換えウイルス粒子を包含するが、これらに限定されない。（ｃ）の構築は、パートＶＩで以下に記載するように達成することができる。
【０１５３】
本発明の核酸の配列は限定されず、Ａ、Ｔ、Ｇ、および／またはＣ（ＤＮＡに関して）、およびＡ、Ｕ、Ｇ、および／またはＣ（ＲＮＡに関して）、またはイノシンおよびプソイドウリジンを含むそれらの修飾塩基の任意の配列であり得る。配列の選択は、所望の機能に依存し、所望のコード領域、所望のイントロン様領域、および所望の調節領域により指示され得る。
【０１５４】
ＶＩ．本発明の核酸を保有するベクター
本発明は、宿主細胞で遺伝子を発現させるのに使用することができるプラスミドおよびベクターをさらに提供する。宿主細胞は、任意の原核細胞または真核細胞であってもよい。したがって、タンパク質の全てまたは選択部分をコードする、配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、さらにいっそう好ましくは配列番号４４７２、４４７４、４４７６、４４７８、４４８０、４４８２、４４８４、４４８６、４４８８、４４９０、４４９２、および４４９４、またはそれらに相補的な配列のいずれか１つに由来するヌクレオチド配列を用いて、微生物または真核細胞プロセスにより組換え形態のポリペプチドを産生することができる。ポリヌクレオチド配列を、発現ベクターのような遺伝子構築物に連結すること、および真核（酵母、鳥類、昆虫または哺乳類）または原核（細菌細胞）の宿主に形質転換またはトランスフェクトすることは、当該技術分野で既知の標準的な手段である。
【０１５５】
細胞での核酸の発現を可能にするベクターを発現ベクターと称する。典型的に、発現ベクターは、少なくとも１つの転写調節配列に操作可能に連結される核酸を含有する。調節配列は、当該技術分野で認識されており、対象核酸の発現を誘導するように選択される。転写調節配列は、Ｇｏｅｄｄｅｌ；
Ｇｅｎｅ Ｅｘｐｒｅｓｓｉｏｎ Ｔｅｃｈｎｏｌｏｇｙ： Ｍｅｔｈｏｄｓ ｉｎ Ｅｎｚｙｍｏｌｏｇｙ １８５， Ａｃａｄｅｍｉｃ Ｐｒｅｓｓ， Ｓａｎ
Ｄｉｅｇｏ， ＣＡ （１９９０）に記載されている。一実施形態では、発現ベクターは、対象ポリペプチドのアゴニスト活性を有するペプチドをコードするか、あるいは対象ポリペプチドのアンタゴニスト形態であるペプチドをコードする組換え遺伝子を含む。
【０１５６】
プラスミドの選択は、繁殖が望ましい細胞型、および繁殖の目的に依存する。あるベクターは、大量の所望のＤＮＡ配列を増幅および作製するのに有用である。他のベクターは、培養中での細胞における発現に適している。さらなる他のベクターは、動物またはヒト全体での細胞における移入および発現に適している。適切なベクターの選択は、十分に当業者の範囲内である。多くのかかるベクターが市販されている。核酸または完全長遺伝子を、典型的にはベクター中の切断された制限酵素部位へのＤＮＡリガーゼ結合を用いてベクターに挿入する。あるいは、所望のヌクレオチド配列は、ｉｎ  ｖｉｖｏでの相同組換えにより挿入してもよい。典型的に、このことは、所望のヌクレオチド配列の隣接物上に、ベクターに対して相同性の領域を結合することで達成される。相同性の領域は、オリゴヌクレオチドの連結によるか、または相同性の領域と所望のヌクレオチド配列の一部の両方を含むプライマーを用いたポリメラーゼ連鎖反応により付加される。
【０１５７】
核酸または完全長遺伝子は、所望の発現特性を得るのに適切なように調節配列に連結される。これらとしては、プロモーター（センス鎖の５’末端またはアンチセンス鎖の３’末端に結合される）、エンハンサー、ターミネーター、オペレーター、レプレッサー、およびインデューサーが挙げられ得る。プロモーターは、調節されてもよく、または構成的であってもよい。ある状況においては、組織特異的または発達段階特異的プロモーターのような条件的に活性なプロモーターを使用することが望ましい場合がある。これらは、ベクターに連結するための上述の技法を用いて、所望のヌクレオチド配列に連結される。当該技術分野で既知の任意の方法を使用し得る。
【０１５８】
上記宿主細胞のいずれか、または他の適切な宿主細胞または生物が、本発明のポリヌクレオチドまたは核酸を複製かつ／または発現するのに使用される場合、得られる複製核酸、ＲＮＡ、発現タンパク質またはポリペプチドは、宿主細胞または生物の産物として本発明の範囲内である。産物は、当該技術分野で既知の任意の適切な手段により回収される。
【０１５９】
核酸に相当する遺伝子がいったん同定されれば、遺伝子が天然である細胞において、その発現を調節することができる。例えば、細胞の内因性遺伝子は、米国特許第５，６４１，６７０号の「タンパク質産生およびタンパク質送達（ＰｒｏｔｅｉｎＰｒｏｄｕｃｔｉｏｎ ａｎｄ Ｐｒｏｔｅｉｎ Ｄｅｌｉｖｅｒｙ）」に開示されるように、外因性調節配列により調節することができる。
【０１６０】
酵母において組換えタンパク質を発現するための多数のベクターが存在する（例えば、参照により本明細書に援用される、Ｂｒｏａｃｈ ｅｔ ａｌ （１９８３） ｉｎ
Ｅｘｐｅｒｉｍｅｎｔａｌ Ｍａｎｉｐｕｌａｔｉｏｎ ｏｆ Ｇｅｎｅ Ｅｘｐｒｅｓｓｉｏｎ， ｅｄ．， Ｍ． Ｉｎｏｕｙｅ， Ａｃａｄｅｍｉｃ Ｐｒｅｓｓ，
ｐ． ８３を参照、）。さらに、アンピシリンのような薬剤耐性マーカーを使用することができる。例示的実施形態では、配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらに相補的な配列の１つで表される核酸の１つをサブクローニングすることで生成される発現ベクターを組換え的に利用して、ポリペプチドを産生する。
【０１６１】
好ましい哺乳類発現ベクターは、細菌でのベクターの繁殖を容易にするための原核細胞の配列、および真核細胞で発現される１つまたは複数の真核細胞の転写ユニットの両方を含有する。プラスミドの調製、および宿主生物の形質転換に用いられる様々な方法が当該技術分野で既知である。原核細胞および真核細胞の両方に適した発現系、ならびに一般的な組換え手順に関しては、Ｍｏｌｅｃｕｌａｒ
Ｃｌｏｎｉｎｇ： Ａ Ｌａｂｏｒａｔｏｒｙ Ｍａｎｕａｌ， ２’Ｅｄ．， ｅｄ． Ｂｙ Ｓａｍｂｒｏｏｋ， Ｆｒｉｔｓｃｈ ａｎｄ Ｍａｎｉａｔｉｓ（Ｃｏｌｄ
Ｓｐｒｉｎｇ Ｈａｒｂｏｒ Ｌａｂｏｒａｔｏｒｙ Ｐｒｅｓｓ： １９８９） Ｃｈａｐｔｅｒｓ １６ ａｎｄ １７を参照されたい。
【０１６２】
遺伝子の一部（例えば、切断突然変異体）のみを発現することが望ましい場合、発現されるべき所望の配列を含有するオリゴヌクレオチド断片に開始コドン（ＡＴＧ）を付加することが必要な場合がある。Ｎ末端位置のメチオニンは、酵素メチオニンアミノペプチダーゼ（ＭＡＰ）を用いて酵素的に切断することができることが当該技術分野で既知である。ＭＡＰは、大腸菌（Ｂｅｎ−Ｂａｓｓａｔ
ｅｔ ａｌ．， （１９８７） Ｊ． Ｂａｃｔｅｒｉｏｌ． １６９：７５１−７５７）、およびネズミチフス菌からクローニングされ、そのｉｎ  ｖｉｔｒｏ活性が、組換えタンパク質で実証された（Ｍｉｌｌｅｒ
ｅｔ ａｌ．， （１９８７） ＰＮＡＳ ８４：２７１８−１７２２）。したがって、望ましい場合、Ｎ末端メチオニンの除去は、ＭＡＰを産生する宿主（例えば、大腸菌またはＣＭ８９またはＳ．セレビシエ（Ｓ．
ｃｅｒｅｖｉｓｉａｅ））でポリペプチドを発現することでｉｎ  ｖｉｖｏで、または精製ＭＡＰを用いて（例えば上述のＭｉｌｌｅｒ等の手順）ｉｎ  ｖｉｔｒｏで達成することができる。
【０１６３】
さらに、本発明の核酸構築物は、アンチセンス核酸のような核酸を送達するための遺伝子治療プロトコルの一部として使用することができる。したがって、本発明の別の態様は、アンチセンスオリゴヌクレオチドによるｉｎ  ｖｉｖｏまたはｉｎ  ｖｉｔｒｏトランスフェクションのための発現ベクターを特色とする。
【０１６４】
ウイルス移入方法のほかに、非ウイルス方法も、対象核酸、例えば配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらに相補的な配列の１つで表される配列を、動物組織に導入するのに使用することができる。遺伝子移入のほとんどの非ウイルス方法は、高分子の取り込みおよび細胞内輸送のために哺乳類細胞により使用される標準的な機構によるものである。好ましい実施形態では、本発明の非ウイルスターゲッティング手段は、標的細胞による対象核酸の取り込みに関するエンドサイトーシス経路に依存する。この型の例示的なターゲッティング手段としては、リポソーム由来の系、ポリリシン複合体、および人工ウイルスエンベロープが挙げられる。
【０１６５】
配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらに相補的な配列、対応するｃＤＮＡ、あるいは完全長遺伝子のいずれかの核酸を使用して、部分的または完全遺伝子産物を発現してもよい。例えばＳａｍｂｒｏｏｋ
ｅｔ ａｌ．， （１９８９） Ｍｏｌｅｃｕｌａｒ Ｃｌｏｎｉｎｇ： Ａ Ｌａｂｏｒａｔｏｒｙ Ｍａｎｕａｌ， ２ｎｄ ｅｄ． （Ｃｏｌｄ Ｓｐｒｉｎｇ
Ｈａｒｂｏｒ Ｐｒｅｓｓ， Ｃｏｌｄ Ｓｐｒｉｎｇ Ｈａｒｂｏｒ， Ｎｅｗ Ｙｏｒｋ）に記載されるような標準的な組換えＤＮＡ技法を用いて、かつ組換えＤＮＡ検索に関するＵｎｉｔｅｄ
Ｓｔａｔｅｓ Ｄｅｐｔ． ｏｆ ＨＨＳ， Ｎａｔｉｏｎａｌ Ｉｎｓｔｉｔｕｔｅ ｏｆ Ｈｅａｌｔｈ（ＮＩＨ） Ｇｕｉｄｅｌｉｎｅｓに記載される現在の規制の下で、適切な核酸構築物を精製する。核酸にコードされるポリペプチドは、例えば、細菌、酵母、昆虫、両生類および哺乳類系を含む任意の発現系で発現させてもよい。適切なベクターおよび宿主細胞は、例えば米国特許第５，６５４，１７３号に記載されている。
【０１６６】
細菌
細菌における発現系としては、Ｃｈａｎｇ ｅｔ ａｌ．， Ｎａｔｕｒｅ （１９７８） ２７５：６１５、Ｇｏｅｄｄｅｌｅｔ ａｌ．， Ｎａｔｕｒｅ （１９７９）
２８１： ５４４、Ｇｏｅｄｄｅｌ ｅｔ ａｌ．， Ｎｕｃｌｅｉｃ Ａｃｉｄｓ Ｒｅｃ． （１９８０） ８：４０５７、欧州特許第００３６，７７６号、米国特許第４，５５１，４３３号、ＤｅＢｏｅｒ
ｅｔ ａｌ．， Ｐｒｏｃ． Ｎａｔｌ． Ａｃａｄ． Ｓｃｉ． （ＵＳＡ） （１９８３） ８０：２１２５、およびＳｉｅｂｅｎｌｉｓｔ ｅｔ ａｌ．， Ｃｅｌｌ
（１９８０） ２０：２６９に記載されるものが挙げられる。
【０１６７】
酵母
酵母における発現系としては、Ｈｉｎｎｅｎ ｅｔ ａｌ．， Ｐｒｏｃ． Ｎａｔｌ． Ａｃａｄ． Ｓｃｉ． （ＵＳＡ） （１９７８） ７５：１９２９、Ｉｔｏ
ｅｔ ａｌ．， Ｊ． Ｂａｃｔｅｒｉｏｌ． （１９８３） １５３：１６３、Ｋｒｕｔｚｅｔ ａｌ．，
Ｍｏｌ． Ｃｅｌｌ． Ｂｉｏｌ． （１９８６） ６：１４２、Ｋｕｎｚｅ ｅｔ ａｌ．， Ｊ． Ｂａｓｉｃ Ｍｉｃｒｏｂｉｏｌ． （１９８５）２５：１４１、Ｇｌｅｅｓｏｎ ｅｔ ａｌ．， Ｊ． Ｇｅｎ． Ｍｉｃｒｏｂｉｏｌ． （１９８６） １３２：３４５９、Ｒｏｇｇｅｎｋａｍｐｅｔ ａｌ．，
Ｍｏｌ． Ｇｅｎ． Ｇｅｎｅｔ． （１９８６） ２０２：３０２、Ｄａｓ ｅｔ ａｌ．， Ｊ． Ｂａｃｔｅｒｉｏｌ． （１９８４）
１５８：１１６５、Ｄｅ Ｌｏｕｖｅｎｃｏｕｒｔｅｔ ａｌ．， Ｊ． Ｂａｃｔｅｒｉｏｌ． （１９８３） １５４：７３７、Ｖａｎ ｄｅｎ Ｂｅｒｇ ｅｔ
ａｌ．， Ｂｉｏ／Ｔｅｃｈｎｏｌｏｇｙ （１９９０） ８：１３５、Ｋｕｎｚｅ ｅｔ ａｌ．， Ｊ． Ｂａｓｉｃ Ｍｉｃｒｏｂｉｏｌ． （１９８５）
２５：１４１、Ｃｒｅｇｇｅｔ ａｌ．， Ｍｏｌ． Ｃｅｌｌ． Ｂｉｏｌ． （１９８５） ５：３３７６、米国特許第４，８３７，１４８号および第４，９２９，５５５号、Ｂｅａｃｈ
ａｎｄ Ｎｕｒｓｅ， Ｎａｔｕｒｅ （１９８１） ３００：７０６、Ｄａｖｉｄｏｗ ｅｔ ａｌ．， Ｃｕｒｒ． Ｇｅｎｅｔ． （１９８５） １０：３８０、Ｇａｉｌｌａｒｄｉｎｅｔ
ａｌ．， Ｃｕｒｒ． Ｇｅｎｅｔ． （１９８５） １０：４９、Ｂａｌｌａｎｃｅｅｔ ａｌ．， Ｂｉｏｃｈｅｍ． Ｂｉｏｐｈｙｓ． Ｒｅｓ． Ｃｏｍｍｕｎ．
（１９８３） １１２：２８４２８９、Ｔｉｌｂｕｒｎｅｔ ａｌ．， Ｇｅｎｅ （１９８３） ２６：２０５２２１、Ｙｅｌｔｏｎ ｅｔ ａｌ．， Ｐｒｏｃ．
Ｎａｔｌ． Ａｃａｄ． Ｓｃｉ． （ＵＳＡ） （１９８４） ８１：１４７０１４７４、Ｋｅｌｌｙ ａｎｄ Ｈｙｎｅｓ， ＥＭＢＯ Ｊ． （１９８５）
４：４７５４７９、欧州特許第０２４４，２３４号、および国際公開第９１／００３５７号に記載されるものが挙げられる。
【０１６８】
昆虫細胞
昆虫における異種遺伝子の発現は、米国特許第４，７４５，０５１号、Ｆｒｉｅｓｅｎ ｅｔ ａｌ．， （１９８６） 「Ｔｈｅ Ｒｅｇｕｌａｔｉｏｎ ｏｆ
ＢａｃｕｌｏｖｉｒｕｓＧｅｎｅ Ｅｘｐｒｅｓｓｉｏｎ」， ｉｎ： Ｔｈｅ Ｍｏｌｅｃｕｌａｒ Ｂｉｏｌｏｇｙ Ｏｆ Ｂａｃｕｌｏｖｉｒｕｓｅｓ（Ｗ．
Ｄｏｅｒｆｌｅｒ， ｅｄ．）、欧州特許第０１２７，８３９号、欧州特許第０１５５，４７６号、ならびにＶｌａｋ ｅｔ ａｌ．， Ｊ． Ｇｅｎ． Ｖｉｒｏｌ．
（１９８８） ６９：７６５７７６、Ｍｉｌｌｅｒ ｅｔ ａｌ．， Ａｎｎ． Ｒｅｖ． Ｍｉｃｒｏｂｉｏｌ． （１９８８） ４２：１７７、Ｃａｒｂｏｎｅｌｌ ｅｔ
ａｌ．， Ｇｅｎｅ （１９８８） ７３：４０９、Ｍａｅｄａ ｅｔ ａｌ．， Ｎａｔｕｒｅ （１９８５）
３１５：５９２５９４、Ｌｅｂａｃｑ Ｖｅｒｈｅｙｄｅｎ ｅｔ ａｌ．， Ｍｏｌ． Ｃｅｌｌ． Ｂｉｏｌ． （１９８８） ８：３１２９、Ｓｍｉｔｈ ｅｔ
ａｌ．， Ｐｒｏｃ． Ｎａｉｌ． Ａｃａｄ． Ｓｃｉ． （ＵＳＡ） （１９８５） ８２：８４０４、Ｍｉｙａｊｉｍａ ｅｔ ａｌ．， Ｇｅｎｅ （１９８７）
５８：２７３、およびＭａｒｔｉｎ ｅｔ ａｌ．， ＤＮＡ （１９８８） ７：９９に記載されているように達成される。数多くのバキュロウイルス株および変異体、および宿主由来の相当する許容昆虫宿主細胞は、Ｌｕｃｋｏｗ
ｅｔ ａｌ．， Ｂｉｏ／Ｔｅｃｈｎｏｌｏｇｙ （１９８８） ６：４７５５、Ｍｉｌｌｅｒ ｅｔ ａｌ．， Ｇｅｎｅｒｉｃ Ｅｎｇｉｎｅｅｒｉｎｇ（Ｓｅｔｌｏｗ， Ｊ．Ｋ． ｅｔ ａｌ． ｅｄｓ．）， Ｖｏｌ ８ （Ｐｌｅｎｕｍ Ｐｕｂｌｉｓｈｉｎｇ， １９８６）， ｐｐ． ２７７２７９、およびＭａｅｄａ
ｅｔ ａｌ．， Ｎａｔｕｒｅ， （１９８５） ３１５：５９２−５９４に記載されている。
【０１６９】
哺乳類細胞
哺乳類発現は、Ｄｉｊｋｅｍａ ｅｔ ａｌ．， ＥＭＢＯ Ｊ． （１９８５） ４：７６１、Ｇｏｒｍａｎ ｅｔ ａｌ．， Ｐｒｏｃ． Ｎａｔｌ． Ａｃａｄ．
Ｓｃｉ． （ＵＳＡ） （１９８２） ７９：６７７７、Ｂｏｓｈａｒｔ ｅｔ ａｌ．， Ｃｅｌｌ （１９８５） ４１：５２ １、および米国特許第４，３９９，２１６号に記載されるように達成される。哺乳類発現の他の特徴は、Ｈａｍ
ａｎｄ Ｗａｌｌａｃｅ， Ｍｅｔｈ． Ｅｎｚ． （１９７９） ５８：４４、Ｂａｒｎｅｓ ａｎｄ Ｓａｔｏ， Ａｎａｌ． Ｂｉｏｃｈｅｍ． （１９８０）
１０２：２５５、米国特許第４，７６７，７０４号、第４，６５７，８６６号、第４，９２７，７６２号、第４，５６０，６５５号、国際公開第９０／１０３４３０号、国際公開第８７／００１９５号、および米国特許再審査第３０，９８５号に記載されるように促進される。
【０１７０】
ＶＩＩ．治療用核酸構築物
本発明の一態様は単離核酸、例えば配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、またはそれらに相補的な配列の、アンチセンス療法での使用に関する。本明細書中で使用する場合、アンチセンス療法とは、細胞ｍＲＮＡおよび／またはゲノムＤＮＡと、細胞条件下で特異的にハイブリダイズ（例えば結合）するオリゴヌクレオチド分子またはその誘導体の投与または原位置での生成を指し、それにより遺伝子の転写および／または翻訳を阻害する。結合は、従来の塩基対相補性によるものであってもよく、または例えばＤＮＡ二重鎖に結合する場合に二重らせんの深いほうの溝での特異的な相互作用によるものであってもよい。一般に、アンチセンス療法とは、当該技術分野で一般に使用される技法範囲を指し、オリゴヌクレオチド配列への特異的結合による任意の療法を包含する。
【０１７１】
本発明のアンチセンス構築物は、例えば細胞で転写されると、細胞ｍＲＮＡの少なくとも特有部分に相補的なＲＮＡを産生する発現プラスミドとして送達することができる。あるいは、アンチセンス構築物は、ｅｘ  ｖｉｖｏで生成され、細胞に導入されると、対象核酸のｍＲＮＡおよび／またはゲノム配列とハイブリダイズすることで発現を阻害するオリゴヌクレオチドプローブである。かかるオリゴヌクレオチドプローブは、好ましくは、内因性ヌクレアーゼ、例えばエキソヌクレアーゼおよび／またはエンドヌクレアーゼに耐性であり、したがってｉｎ  ｖｉｖｏで安定な修飾オリゴヌクレオチドである。アンチセンスオリゴヌクレオチドとして使用するための例示的核酸分子は、ＤＮＡのホスホルアミデート、ホスホロチオエート、およびメチルホスホネート類縁体である（米国特許第５，１７６，９６６号、第５，２６４，５６４号、および第５，２５６，７７５号も参照）。さらに、アンチセンス療法で有用なオリゴマーを構築するための一般的アプローチは、例えば、Ｖａｎ
ｄｅｒ Ｋｒｏｌ ｅｔ ａｌ． （１９８８） Ｂｉｏ Ｔｅｃｈｎｉｑｕｅｓ ６：９５８−９７６、およびＳｔｅｉｎ ｅｔ ａｌ． （１９８８） Ｃａｎｃｅｒ
Ｒｅｓ ４８：２６５９−２６６８に概説されている。アンチセンスＤＮＡに関しては、転写開始部位（例えば所定のヌクレオチド配列の−１０〜１０領域）から得られるオリゴデオキシリボヌクレオチドが好ましい。
【０１７２】
アンチセンスアプローチは、ｍＲＮＡに相補的なオリゴヌクレオチド（ＤＮＡまたはＲＮＡ）の設計を包含する。アンチセンスオリゴヌクレオチドは、ｍＲＮＡ転写体に結合し、翻訳を防止するであろう。絶対的な相補性が好ましいが、必要であるわけではない。したがって、二重鎖アンチセンス核酸の場合では、二重鎖ＤＮＡの一本鎖を試験してもよく、あるいは三重鎖形成をアッセイしてもよい。ハイブリダイズする能力は、アンチセンス核酸の相補性度と長さの両方に依存するであろう。一般に、ハイブリダイズする核酸が長いほど、ＲＮＡとのより多くの塩基ミスマッチを含有する可能性があり、依然として安定な二重鎖（または場合によっては三重鎖）を包含する。当業者は、ハイブリダイズした複合体の融点を測定するための標準的な手順を用いて、許容可能なミスマッチ度を確認することができる。
【０１７３】
ｍＲＮＡの５’末端、例えばＡＵＧ開始コドンを含むＡＵＧ開始コドンまでの５’非翻訳配列に相補的なオリゴヌクレオチドは、翻訳を阻害する際に最も効率的に作動すべきである。しかしながら、ｍＲＮＡの３’非翻訳配列に相補的な配列も同様に、ｍＲＮＡの翻訳を阻害する際に効果的であることが最近わかってきた（Ｗａｇｎｅｒ，
Ｒ． １９９４． Ｎａｔｕｒｅ ３７２：３３３）。したがって、遺伝子の５’または３’非翻訳非コード領域に相補的なオリゴヌクレオチドは、内因性ｍＲＮＡの翻訳を阻害するためのアンチセンスアプローチに使用することができる。ｍＲＮＡの５’非翻訳領域に相補的なオリゴヌクレオチドは、ＡＵＧ開始コドンの相補体を含むべきである。ｍＲＮＡコード領域に相補的なアンチセンスオリゴヌクレオチドは典型的に、効率の悪い翻訳の阻害剤であるが、本発明によっても使用することができる。対象ｍＲＮＡの５’、３’またはコード領域にハイブリダイズするように設計されようと、アンチセンス核酸は、少なくとも６ヌクレオチド長であるべきであり、好ましくは約１００未満、より好ましくは約５０未満、２５未満、１７未満または１０未満のヌクレオチド長である。
【０１７４】
標的核酸の選択に関係なく、アンチセンスオリゴヌクレオチドの、遺伝子発現を阻害する能力を定量化するためのｉｎ  ｖｉｔｒｏ研究がまず実施されることが好ましい。これらの研究は、オリゴヌクレオチドのアンチセンス遺伝子阻害と非特異的生物学的効果とを区別する対照を利用することが好ましい。またこれらの研究は、内部対照ＲＮＡまたはタンパク質のレベルと、標的ＲＮＡまたはタンパク質のレベルを比較することも好ましい。さらに、アンチセンスオリゴヌクレオチドを用いて得られる結果を、対照オリゴヌクレオチドを用いて得られる結果と比較することが想定される。対照オリゴヌクレオチドが試験オリゴヌクレオチドとほぼ同じ長さであり、オリゴヌクレオチドのヌクレオチド配列は、標的配列に特異的にハイブリダイズするのを防止するのに必要とされる分だけアンチセンス配列と異なることが好ましい。
【０１７５】
オリゴヌクレオチドは、一本鎖または二本鎖の、ＤＮＡもしくはＲＮＡ、あるいはそれらのキメラ混合物または誘導体または改変型であり得る。オリゴヌクレオチドは、例えば分子の安定性、ハイブリダイゼーション等を改善するために、塩基部分、糖部分、またはリン酸バックボーンで修飾することができる。オリゴヌクレオチドは、ペプチド（例えば、宿主細胞受容体を標的とするために）、または細胞膜（例えば、Ｌｅｔｓｉｎｇｅｒ
ｅｔ ａｌ．， １９８９， Ｐｒｏｃ． Ｎａｔｌ． Ａｃａｄ． Ｓｃｉ． Ｕ．Ｓ．Ａ． ８６：６５５３−６５５６、Ｌｅｍａｉｔｒｅ ｅｔ ａｌ．， １９８７，
Ｐｒｏｃ． Ｎａｔｌ． Ａｃａｄ． Ｓｃｉ． ８４：６４８−６５２、１９８８年１２月１５日に公開されたＰＣＴ国際公開広報第８８／０９８１０号を参照）もしくは血液脳関門（例えば、１９８８年４月２５日に公開されたＰＣＴ国際公開広報第８９／１０１３４号を参照）を通過しての輸送を促進する作用物質、ハイブリダイゼーション誘発切断剤（例えば、Ｋｒｏｌ
ｅｔ ａｌ．， １９８８， ＢｉｏＴｅｃｈｎｉｑｕｅｓ６：９５８−９７６を参照）、またはインターカレート剤（例えば、Ｚｏｎ， １９８８，
Ｐｈａｒｍ． Ｒｅｓ． ５：５３９−５４９を参照）のような他の付随基を含んでもよい。この目的で、オリゴヌクレオチドを、別の分子、例えばペプチド、ハイブリダイゼーション誘発架橋剤、輸送剤、ハイブリダイゼーション誘発切断剤等に結合させてもよい。
【０１７６】
アンチセンスオリゴヌクレオチドは、５−フルオロウラシル、５−ブロモウラシル、５−クロロウラシル、５−ヨードウラシル、ヒポキサンチン、キサンチン、４−アセチルシトシン、５−（カルボキシヒドロキシトリエチル）ウラシル、５−カルボキシメチルアミノメチル−２−チオウリジン、５−カルボキシメチルアミノメチルウラシル、ジヒドロキシウラシル、β−Ｄ−ガラクトシルキュェオシン、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチル−２−チオウラシル、β−Ｄ−マンノシルキュェオシン、５−メトキシカルボキシメチルウラシル、５−メトキシウラシル、２−メチルチオ−Ｎ６−イソペンテニルアデニン、ウラシル−５−オキシ酢酸（ｖ）、ワイブトキソシン、プソイドウラシル、キュェオシン、２−チオシトシン、５−メチル−２−チオウラシル、２−チオウラシル、４−チオウラシル、５−メチルウラシル、ウラシル−５−オキシ酢酸メチルエステル、ウラシル−５−オキシ酢酸（ｖ）、５−メチル−２−チオウラシル、３−（３−アミノ−３−Ｎ−２−カルボキシプロピル）ウラシル、（ａｃｐ３）ｗ、および２，６−ジアミノプリンが挙げられるが、これらに限定されない群から選択される少なくとも１つの修飾塩基部分を含んでもよい。
【０１７７】
アンチセンスオリゴヌクレオチドはまた、アラビノース、２−フルオロアラビノース、キシルロース、およびヘキソースが挙げられるが、これらに限定されない群から選択される少なくとも１つの修飾糖部分を含んでもよい。
【０１７８】
アンチセンスオリゴヌクレオチドはまた、中性ペプチド様バックボーンを含有することもできる。かかる分子は、ペプチド核酸（ＰＮＡ）オリゴマーと呼ばれ、例えばＰｅｎｙ−Ｏ’Ｋｅｅｆｅ
ｅｔ ａｌ． （１９９６） Ｐｒｏｃ． Ｎａｔｌ． Ａｃａｄ． Ｓｃｉ． Ｕ．Ｓ．Ａ． ９３：１４６７０、およびＥｇｌｏｍ ｅｔ ａｌ． （１９９３）
Ｎａｔｕｒｅ ３６５：５６６に記載されている。ＰＮＡオリゴマーの利点の１つは、ＤＮＡの中性バックボーンに起因して、培地のイオン強度とは本質的に無関係に相補ＤＮＡに結合するそれらの能力である。さらに別の実施形態では、アンチセンスオリゴヌクレオチドは、ホスホロチオエート、ホスホロジチオエート、ホスホルアミドチオエート、ホスホルアミデート、ホスホルジアミデート、メチルホスホネート、アルキルホスホトリエステル、およびそれらのホルムアセタールまたは類縁体からなる群から選択される少なくとも１つの修飾リン酸バックボーンを含む。
【０１７９】
さらなる実施形態では、アンチセンスオリゴヌクレオチドは、α−アノマーオリゴヌクレオチドである。α−アノマーオリゴヌクレオチドは、相補ＲＮＡとの特異的二重鎖ハイブリッドを形成し、そこでは通常のβユニットと逆方向に、鎖は、互いに平行している（Ｇａｕｔｉｅｒ
ｅｔ ａｌ．， １９８７， Ｎｕｃｌ． Ａｃｉｄｓ Ｒｅｓ． １５：６６２５−６６４１）。オリゴヌクレオチドは、２’−Ｏ−メチルリボヌクレオチド（Ｉｎｏｕｅ
ｅｔ ａｌ．， １９８７， Ｎｕｃｌ． Ａｃｉｄｓ Ｒｅｓ． １５：６１３１−１２１４８）、またはキメラＲＮＡ−ＤＮＡ類縁体（Ｉｎｏｕｅ ｅｔ ａｌ．，
１９８７， ＦＥＢＳ Ｌｅｔｔ． ２１５： ３２７−３３０）である。
【０１８０】
本発明のオリゴヌクレオチドは、当該技術分野で既知の標準的な方法により、例えば自動ＤＮＡ合成機（Ｂｉｏｓｅａｒｃｈ、Ａｐｐｌｉｅｄ Ｂｉｏｓｙｓｔｅｍｓ等により市販されているもののような）を用いて合成してもよい。例として、ホスホロチオエートオリゴヌクレオチドは、Ｓｔｅｉｎ等の方法（１９９８，
Ｎｕｃｌ． Ａｃｉｄｓ Ｒｅｓ． １６：３２０９）により合成してもよく、メチルホスホネートオリゴヌクレオチドは、制御多孔質ガラスポリマー支持体などを用いて調製することができる（Ｓｔａｉｎ
ｅｔ ａｌ．， １９８８， Ｐｒｏｃ．
Ｎａｔｌ． Ａｃａｄ． Ｓｃｉ． Ｕ．Ｓ．Ａ． ８５：７４４８−７４５１）。
【０１８１】
コード領域配列に相補的なアンチセンスヌクレオチドを使用することができるが、転写される非翻訳領域および開始メチオニンを含む領域に相補的なものが最も好ましい。
【０１８２】
アンチセンス分子を、ｉｎ  ｖｉｖｏで標的核酸を発現する細胞に送達することができる。アンチセンスＤＮＡまたはＲＮＡを細胞に送達するための多数の方法が開発されており、例えば、アンチセンス分子を、組織部位に直接注射することができ、または所望の細胞を標的とするように設計した改変アンチセンス分子（例えば、標的細胞表面上で発現される受容体または抗原を特異的に結合するペプチドあるいは抗体に連結させたアンチセンス）を全身投与することができる。
【０１８３】
しかしながら、内因性ｍＲＮＡ上での翻訳を抑制するのに十分な細胞内濃度のアンチセンスを達成するのは困難であることが多い。したがって、好ましいアプローチは、アンチセンスオリゴヌクレオチドが強力なｐｏｌＩＩＩまたはｐｏｔＩＩプロモーターの制御下に置かれている組換えＤＮＡ構築物を利用する。患者において標的細胞をトランスフェクトするためのかかる構築物の使用は、内因性転写体との相補的塩基対を形成する十分量の一本鎖ＲＮＡの転写をもたらし、それにより標的ｍＲＮＡの翻訳を防止する。例えば、ベクターは、細胞に取り込まれてアンチセンスＲＮＡの転写を誘導するように、ｉｎ  ｖｉｖｏで導入することができる。かかるベクターは、転写されて所望のアンチセンスＲＮＡを産生する限りは、エピソームにとどまってもよく、あるいは染色体的に組み込まれてもよい。かかるベクターは、当該技術分野で標準的な組換えＤＮＡ技術により構築することができる。ベクターは、プラスミド、ウイルス、または哺乳類細胞における複製および発現のための当該技術分野で既知の他のものであり得る。アンチセンスＲＮＡをコードする配列の発現は、哺乳類、好ましくはヒト細胞で作用するために当該技術分野で既知の任意のプロモーターによるものであり得る。かかるプロモーターは、誘導性であっても構成的であってもよい。かかるプロモーターとしては、ＳＶ４０初期プロモーター領域（Ｂｅｒｎｏｉｓｔ
ａｎｄ Ｃｈａｍｂｏｎ， １９８１， Ｎａｔｕｒｅ ２９０：３０４−３１０）、ラウス肉腫ウイルスの３’末端反復配列に含まれるプロモーター（Ｙａｍａｍｏｔｏ
ｅｔ ａｌ．， １９８０， Ｃｅｌｌ ２２：７８７−７９７）、ヘルペスチミジンキナーゼプロモーター（Ｗａｇｎｅｒ ｅｔ ａｌ．， １９８１， Ｐｒｏｃ．
Ｎａｔｌ． Ａｃａｄ． Ｓｃｉ． Ｕ．Ｓ．Ａ． ７８：１４４１−１４４５）、メタロチオネイン遺伝子の調節配列（Ｂｒｉｎｓｔｅｒ ｅｔ ａｌ． １９８２，
Ｎａｔｕｒｅ ２９６：３９−４２）等が挙げられるが、これらに限定されない。任意の型のプラスミド、コスミド、ＹＡＣ、またはウイルスべクターを使用して、組織部位（例えば、脈絡叢または視床下部）に直接導入することができる組換えＤＮＡ構築物を調製することができる。あるいは、所望の組織を選択的に感染するウイルスベクターを使用することができ（例えば、脳に関しては、ヘルペスウイルスベクターが使用され得る）、その場合は、投与は別の経路で達成されてもよい（例えば全身的に）。
【０１８４】
本発明の別の態様では、標的ｍＲＮＡ転写体を触媒的に切断するように設計したリボザイム分子を用いて、標的ｍＲＮＡの翻訳および標的タンパク質の発現を防止することができる（例えば、１９９０年１０月４日に公開されたＰＣＴ国際公開広報第９０／１１３６４号、Ｓａｒｖｅｒ
ｅｔ ａｌ．， １９９０， Ｓｃｉｅｎｃｅ ２４７：１２２２−１２２５、および米国特許第５，０９３，２４６号を参照）。部位特異的認識配列でｍＲＮＡを切断するリボザイムを用いて標的ｍＲＮＡを破壊することができるが、ハンマーヘッドリボザイムの使用が好ましい。ハンマーヘッドリボザイムは、標的ｍＲＮＡと相補塩基対を形成するフランキング領域により影響される位置でｍＲＮＡを切断する。唯一の要件は、標的ｍＲＮＡが次の２塩基配列：５’−ＵＧ−３’を有することである。ハンマーヘッドリボザイムの構築および生産は、当該技術分野で既知であり、Ｈａｓｅｌｏｆｆ
ａｎｄ Ｇｅｒｌａｃｈ， １９８８， Ｎａｔｕｒｅ， ３３４：５８５−５９１により完全に記載されている。好ましくは、リボザイムは、切断認識部位が標的ｍＲＮＡの５’末端付近に位置するように、すなわち効率を高めて、非機能的ｍＲＮＡ転写体の細胞内蓄積を最小限に抑えるように操作される。
【０１８５】
本発明のリボザイムはまた、テトラヒメナ（Ｔｅｔｒａｈｙｍｅｎａ ｔｈｅｒｍｏｐｈｉｌａ）中に天然で存在し（ＩＶＳまたはＬ−１９ＩＶＳ  ＲＮＡとして既知）、Ｔｈｏｍａｓ
Ｃｅｃｈと共同研究者により広範に記載されているのものようなＲＮＡエンドリボヌクレアーゼ（これ以降、「Ｃｅｃｈ型リボザイム」）を包含する（Ｚａｕｇ， ｅｔ
ａｌ．， １９８４， Ｓｃｉｅｎｃｅ， ２２４：５７４−５７８、Ｚａｕｇ ａｎｄ Ｃｅｃｈ， １９８６， Ｓｃｉｅｎｃｅ， ２３１：４７０−４７５、Ｚａｕｇ，
ｅｔ
ａｌ． １９８６， Ｎａｔｕｒｅ， ３２４：４２９−４３３、国際特許出願公報第８８／０４３００号（Ｕｎｉｖｅｒｓｉｔｙ Ｐａｔｅｎｔｓ Ｉｎｃ．）、Ｂｅｅｎ
ａｎｄ Ｃｅｃｈ， １９８６， Ｃｅｌｌ， ４７：２０７−２１６）。Ｃｅｃｈ型リボザイムは、標的ＲＮＡ配列にハイブリダイズする８塩基対の活性部位を有し、それ以降で標的ＲＮＡの切断が起きる。本発明は、標的遺伝子中に存在する８塩基対の活性部位配列を標的とするＣｅｃｈ型リボザイムを包含する。
【０１８６】
アンチセンスアプローチと同様に、リボザイムは、修飾オリゴヌクレオチドで構成することができ（例えば、安定性、ターゲッティング等の改善のために）、ｉｎ  ｖｉｖｏで標的遺伝子を発現する細胞に送達されるべきである。好ましい送達方法は、強力な構成的ｐｏｌＩＩＩまたはｐｏｌＩＩプロモーターの制御下でリボザイムを「コードする」ＤＮＡ構築物を用いることを包含し、その結果トランスフェクトした細胞は、十分量のリボザイムを産生し、内因性メッセージを破壊して、翻訳を阻害するであろう。アンチセンス分子と異なり、リボザイムは触媒的であるため、より低い細胞内濃度が効率のために要される。
【０１８７】
本発明のアンチセンスＲＮＡ、ＤＮＡおよびリボザイム分子は、ＤＮＡおよびＲＮＡ分子の合成のための当該技術分野で既知の任意の方法により調製され得る。これらとしては、例えば固相ホスホルアミダイト化学合成のような当該技術分野で既知の、オリゴデオキシリボヌクレオチドおよびオリゴリボヌクレオチドを化学的に合成する技法が挙げられる。あるいは、ＲＮＡ分子は、アンチセンスＲＮＡ分子をコードするＤＮＡ配列のｉｎ  ｖｉｔｒｏおよびｉｎ  ｖｉｖｏ転写により生成してもよい。かかるＤＮＡ配列は、Ｔ７またはＳＰ６ポリメラーゼプロモーターのような適切なＲＮＡポリメラーゼプロモーターを組み込む多種多様のベクターに組み込まれてもよい。あるいは、使用するプロモーターに依存して、構成的にまたは誘導的にアンチセンスＲＮＡを合成するアンチセンスｃＤＮＡ構築物を、細胞系に安定に導入することができる。
【０１８８】
さらに、細胞内安定性および半減期を増加させるための手段として、核酸分子に対する様々な既知の修飾を導入してもよい。考え得る修飾としては、分子の５’および／または３’末端にリボヌクレオチドもしくはデオキシリボヌクレオチドのフランキング配列を付加すること、またはオリゴデオキシリボヌクレオチドバックボーン内のホスホジエステラーゼ連結でなくホスホロチオエートまたは２’−Ｏ−メチルを使用することが挙げられるが、これらに限定されない。
【０１８９】
ＶＩＩＩ．本発明の完全長ｃＤＮＡ配列
本発明はまた、配列番号１〜４４７０の１つまたはそれ以上の部分配列に相当する完全長ｃＤＮＡ配列に関する。特に本発明は、配列番号４４７２、４４７４、４４７６、４４７８、４４８０、４４８２、４４８４、４４８６、４４８８、４４９０、４４９２および４４９４の完全長ｃＤＮＡ配列を提供する。完全長配列は、上記と同様に得られる。これらの配列は図２に示されており、下記の表２に要約されている。表２には、完全長ｃＤＮＡ配列によりコードされ、配列番号４４７１、４４７３、４４７５、４４７７、４４７９、４４８１、４４８３、４４８５、４４８７、４４８９、４４９１および４４９３に相当するポリペプチドに関する配列番号およびＧｅｎＢａｎｋ寄託番号も示されている。
【０１９０】
【表】
2004528810.tif 000002
【０１９１】
ＩＸ．本発明のポリペプチド
本発明は、普通はポリペプチドと関連し得るその他の細胞タンパク質、特にその他のシグナル伝達因子および／または転写因子から単離され、あるいはそうでなければ実質的にそれらを含有しない利用可能な単離ポリペプチドを作製する。本発明の対象ポリペプチドとしては、配列番号１〜４４７０、４４７２、４４７４、４４７６、４４７８、４４８０、４４８２、４４８４、４４８６、４４８８、４４９０、４４９２および４４９４、好ましくは配列番号１〜１１０３、よりいっそう好ましくは配列番号１〜５０３、さらにいっそう好ましくは配列番号４４７２、４４７４、４４７６、４４７８、４４８０、４４８２、４４８４、４４８６、４４８８、４４９０、４４９２および４４９４またはそれらに相補的な配列の核酸にコードされるポリペプチド、あるいは配列番号１〜４４７０、４４７２、４４７４、４４７６、４４７８、４４８０、４４８２、４４８４、４４８６、４４８８、４４９０、４４９２および４４９４、好ましくは配列番号１〜１１０３、よりいっそう好ましくは配列番号１〜５０３の配列またはそれらに相補的な配列がその断片である遺伝子にコードされるポリペプチドが挙げられる。好ましい実施形態では、本発明において有用なポリペプチドは、配列番号４４７１、４４７３、４４７５、４４７７、４４７９、４４８１、４４８３、４４８５、４４８７、４４８９、４４９１および４４９３のうちの１つまたはそれ以上のアミノ酸配列を有する。本発明のポリペプチドは、腫瘍細胞、特に結腸癌由来細胞系（正常細胞、例えば正常結腸組織および非結腸組織と比較して）においてディファレンシャルに調節されるタンパク質を包含する。好ましい実施形態では、ディファレンシャル調節ポリペプチドは、配列番号４４７１、４４７３、４４７５、４４７７、４４７９、４４８１、４４８３、４４８５、４４８７、４４８９、４４９１および４４９３で記述される配列を有する１つまたはそれ以上のポリペプチドである。好ましい実施形態では、ポリペプチドは、腫瘍細胞中、特に結腸癌由来細胞系中でアップレギュレートされる。他の実施形態では、ポリペプチドは、腫瘍細胞、特に結腸癌由来細胞系中でダウンレギュレートされる。アップレギュレートされるタンパク質、例えば癌遺伝子、あるいはダウンレギュレートされるタンパク質、例えば腫瘍サプレッサーは、異常増殖性細胞中では、診断または治療技術のための標的であり得る。例えばｃｄｃ２遺伝子のアップレギュレーションは、有糸分裂を誘発する。有糸分裂不活性化因子であるｍｙｔｌ遺伝子の過剰発現は、ｃｄｃ２の活性を負に調節する。したがって異常増殖は、ｃｄｃ２をアップレギュレートすることにより、またはｍｙｔｌをダウンレギュレートすることにより、誘導され得る。
【０１９２】
「他の細胞タンパク質（本明細書中では「夾雑タンパク質」としても称される）を実質的に含まない」または「実質的に純粋なまたは精製された調製物」という用語は、約２０重量％（乾燥重量）未満の夾雑タンパク質を有する、好ましくは約５％未満の夾雑タンパク質を有するポリペプチドの調製物を包含すると定義される。機能的形態の対象ポリペプチドは、本明細書中に記載されたようなクローン化核酸を用いることにより精製調製物として初めて調製され得る。完全長タンパク質または１つまたはそれ以上の特定のモチーフおよび／またはドメインに、あるいは任意のサイズ、例えば少なくとも約５個、１０個、２５個、５０個、７５個または１００個のアミノ酸長に相当する断片は、本発明の範囲内である。
【０１９３】
例えば単離ポリペプチドは、配列番号１〜４４７０、４４７２、４４７４、４４７６、４４７８、４４８０、４４８２、４４８４、４４８６、４４８８、４４９０、４４９２および４４９４、好ましくは配列番号１〜１１０３、よりいっそう好ましくは配列番号１〜５０３、最も好ましくは配列番号４４７２、４４７４、４４７６、４４７８、４４８０、４４８２、４４８４、４４８６、４４８８、４４９０、４４９２および４４９４、またはその相補的配列のいずれかで示される核酸配列全部あるいは一部によりコードされ得る。タンパク質の単離ペプチジル部分は、このようなペプチドをコードする核酸の相当する断片から組換え的に産生されたペプチドをスクリーニングすることにより得られる。さらに、断片は、当該技術分野で既知の技法、例えば慣用的メリフィールド固相ｆ−Ｍｏｃまたはｔ−Ｂｏｃ化学を用いて化学的に合成され得る。例えば本発明のポリペプチドは、任意に、断片の重複を伴わない所望長の断片に分けられるし、あるいは好ましくは所望長の重複断片に分けられ得る。断片は、野生型（例えば「真正」）タンパク質のアゴニストまたはアンタゴニストとして機能し得るペプチジル断片を同定するために産生され（組換え的にまたは化学合成により）、試験され得る。
【０１９４】
本発明の別の態様は、組換え形態の対象タンパク質に関する。上記のように本発明により選好される組換えポリペプチドが、天然タンパク質のほかに、配列番号１〜４４７０、４４７２、４４７４、４４７６、４４７８、４４８０、４４８２、４４８４、４４８６、４４８８、４４９０、４４９２および４４９４にコードされるアミノ酸配列と少なくとも６０％、さらに好ましくは少なくとも８０％、さらに好ましくは８５％、さらに好ましくは９０％、さらに好ましくは９５％同一である核酸にコードされる。配列番号１〜４４７０、４４７２、４４７４、４４７６、４４７８、４４８０、４４８２、４４８４、４４８６、４４８８、４４９０、４４９２および４４９４の配列と少なくとも約９８〜９９％同一である核酸にコードされるポリペプチドも、本発明の範囲内である。このようなタンパク質の少なくとも一部を含むペプチド断片も本発明に包含される。
【０１９５】
好ましい実施形態では、本発明のポリペプチドは哺乳類ポリペプチド、さらに好ましくはヒトポリペプチドである。特に好ましい実施形態では、ポリペプチドは野生型生理活性を保有する。ある種の翻訳後修飾、例えばリン酸化等は、非修飾ポリペプチド鎖と比較してポリペプチドの見掛けの分子量を増大し得ると理解される。
【０１９６】
本発明はさらに、組換え形態の対象ポリペプチドの１つに関する。このような組換えポリペプチドは好ましくは、添付の配列表の野生型（「真正」）ポリペプチドの少なくとも１つの生物学的活性のアゴニストまたはアンタゴニストの役割のうちの１つにおいて機能することができる。タンパク質のアミノ酸配列に関して、「〜に進化的に関連した」という用語は、天然に生じていたアミノ酸配列を有するポリペプチドと、例えば組合せ突然変異誘発由来のヒトポリペプチドの突然変異体とを指す。
【０１９７】
概して、タンパク質の活性を有する（例えば「生理活性的」である）と本明細書中で言及されるポリペプチドは、配列番号１〜４４７０、４４７２、４４７４、４４７６、４４７８、４４８０、４４８２、４４８４、４４８６、４４８８、４４９０、４４９２および４４９４、好ましくは配列番号１〜１１０３、より好ましくは配列番号１〜５０３、最も好ましくは配列番号４４７１、４４７３、４４７５、４４７７、４４７９、４４８１、４４８３、４４８５、４４８７、４４８９、４４９１および４４９３のうちの１つで示される核酸配列またはそれらと相補的な配列の全部または一部にコードされるアミノ酸配列を包含し、天然に存在するタンパク質の生物学的／生化学的活性の全部または一部を模倣するかまたはそれと拮抗するポリペプチドと定義される。本発明によれば、ポリペプチドは、それが天然に存在する形態のタンパク質の特異的アゴニストまたはアンタゴニストである場合、生物学的活性を有する。
【０１９８】
化合物、例えばタンパク質またはその変異体が１つまたはそれ以上の上記の生物学的活性を有するか否かを決定するためのアッセイは、当該技術分野で既知である。ある種の実施形態では、本発明のポリペプチドは上で略記したものと同様の活性を有する。
【０１９９】
別の実施形態では、ポリペプチドに関するコード配列は、異なるポリペプチドをコードするヌクレオチド配列を含めて、融合遺伝子の一部として組み込まれ得る。この種類の発現系は、ポリペプチドの免疫原断片を産生するのが望ましい条件下で有用であり得る（例えばＥＰ公開第０２５９１４９号；ならびにＥｖａｎｓ
ｅｔ
ａｌ． （１９８９）Ｎａｔｕｒｅ ３３９：３ ８５； Ｈｕａｎｇ ｅｔ ａｌ． （１９８８） Ｊ． Ｖｉｒｏｌ． ６２：３ ８５５；およびＳｃｈｌｉｅｎｇｅｒ
ｅｔ ａｌ．， （１９９２） Ｊ． Ｖｉｒｏｌ． ６６：２参照）。免疫原性を強化するために融合タンパク質を利用するほかに、融合タンパク質はタンパク質の発現を促し、したがって本発明のポリペプチドの発現に用いられ得ると広範に理解される（例えばＣｕｒｒｅｎｔ
Ｐｒｏｔｏｃｏｌｓ ｉｎ Ｍｏｌｅｃｕｌａｒ Ｂｉｏｌｏｇｙ， ｅｄｓ． Ａｕｓｕｂｅｌ ｅｔ ａｌ．（Ｎ．Ｙ． Ｊｏｈｎ Ｗｉｌｅｙ ＆ Ｓｏｎｓ，
１９９１）参照）。別の実施形態では、精製リーダー配列をコードする融合タンパク質、例えば組換えタンパク質の所望の部分のＮ末端のポリ−（Ｈｉｓ）／エンテロキナーゼ切断部位配列は、Ｎｉ２＋金属樹脂を用いたアフィニティークロマトグラフィーによる発現融合タンパク質の精製を可能にし得る。精製リーダー配列は次に、エンテロキナーゼを用いた処理によりその後除去されて、精製タンパク質を提供し得る（例えばＨｏｃｈｕｌｉ
ｅｔ ａｌ． （１９８７） Ｊ． Ｃｈｒｏｍａｔｏｇｒａｐｈｙ ４１１： １７７；およびＪａｎｋｎｅｃｈｔ ｅｔ ａｌ． ＰＮＡＳ ８８：８９７２参照）。
【０２００】
融合遺伝子の作製技法は、当業者に既知である。本質的には、異なるポリペプチド配列をコードする種々のＤＮＡ断片の連結は、連結のための平滑末端または付着末端、適切な末端を提供するための制限酵素消化、適切な場合には粘着末端の充填、望ましくない連結を避けるためのアルカリホスファターゼ処理、ならびに酵素的連結を用いて、慣用的技法にしたがって実施される。別の実施形態では、融合遺伝子は、慣用的技法、例えば自動ＤＮＡ合成機により合成され得る。あるいは、その後アニーリングされてキメラ核酸配列を生じ得る２つの連続した核酸断片間に相補的オーバーハングを生じるアンカープライマーを用いて、核酸断片のＰＣＲ増幅が実施され得る（例えばＣｕｒｒｅｎｔ
Ｐｒｏｔｏｃｏｌｓ ｉｎ Ｍｏｌｅｃｕｌａｒ Ｂｉｏｌｏｇｙ， ｅｄｓ． Ａｕｓｕｂｅｌｅｔ ａｌ． Ｊｏｈｎ Ｗｉｌｅｙ ＆ Ｓｏｎｓ： １９９２参照）。
【０２０１】
本発明はさらに、対象ポリペプチドの製造方法に関する。例えば、対象ポリペプチドをコードするヌクレオチド配列の発現を指図する核酸ベクターでトランスフェクトされた宿主細胞は、適切な条件下で培養されて、ペプチドの発現を起こさせる。細胞培養のための適切な培地は、当該技術分野で既知である。組換えポリペプチドは、タンパク質を精製するための当該技術分野で既知の技法、例えばイオン交換クロマトグラフィー、ゲル濾過クロマトグラフィー、限外濾過、電気泳動およびこのようなペプチドに特異的な抗体を用いたイムノアフィニティー精製を用いて、細胞培地、宿主細胞またはその両方から単離され得る。好ましい実施形態では、組換えポリペプチドは、その精製を促すドメインを含有する融合タンパク質、例えばＧＳＴ融合タンパク質である。
【０２０２】
さらに、ある状況下では、天然に存在する形態のタンパク質の生物学的活性のサブセットのみを促進または阻害するために、アゴニスト（模倣的）またはアンタゴニストのうちの１つとして限定能力で機能する対象ポリペプチドの１つの相同体を提供することが有益であり得ると一般に理解される。したがって特定の生物学的作用は、限定機能の相同体を用いた処理により、および天然に存在する形態の対象タンパク質の生物学的活性のすべてに向けられるアゴニストまたはアンタゴニストを用いた処理と比較してより少ない副作用を有する処理により特定の生物学的作用が引き出され得る。
【０２０３】
対象ポリペプチドの各々の相同体は、突然変異誘発により、例えば別個の点突然変異（単数または複数）により、または切断により生成され得る。例えば突然変異は、それが得られたポリペプチドの実質的に同一のまたは単にサブセットの生物学的活性を保有する相同体を生じ得る。あるいは例えば受容体と競合的に結合することにより、天然に存在する形態のタンパク質の機能を抑制することができるアンタゴニスト形態のポリペプチドが生成され得る。
【０２０４】
本発明の組換えポリペプチドは、例えばタンパク質に関連した普遍性またはその他の酵素的ターゲッティングを変更する突然変異のために、野生型タンパク質の相同体、例えばタンパク質分解的切断に耐性である種類のタンパク質も包含する。
【０２０５】
ポリペプチドは、グリコシル基、脂質、ホスフェート、アセチル基等のようなその他の化学的部分との共有結合的または凝集結合体を形成することにより誘導体を作製するために化学的に修飾され得る。タンパク質の共有結合的誘導体は、タンパク質のアミノ酸側鎖上のまたはポリペプチドのＮ末端またはＣ末端の官能基と化学部分を連結することにより調製され得る。
【０２０６】
対象ポリペプチドの構造の修飾は、治療的または予防的効力、安定性（例えばｅｘ  ｖｉｖｏ貯蔵寿命およびタンパク質分解的分解に対する耐性）、あるいは翻訳後修飾（例えばタンパク質のリン酸化パターンを変更するために）を強化するといったような目的のためであり得る。このような修飾ペプチドは、天然に存在する形態のタンパク質の少なくとも１つの活性を保持するように、またはその特異的アゴニストを産生するように設計された場合、本明細書中でより詳細に記載されたポリペプチドの機能的等価物と考えられる。このような修飾ペプチドは、例えばアミノ酸置換、欠失または付加により生成され得る。置換的変異体は、置換保存アミノ酸または置換非保存アミノ酸であり得る。
【０２０７】
例えば、イソロイシンまたはバリンによるロイシンの、グルタミン酸によるアスパラギン酸の、セリンによるスレオニンの単離置換、あるいは構造的に関連したアミノ酸による類似の置換（すなわち等電子配置性および／または等電性突然変異）は、その結果生じる分子の生物学的活性に大きな影響を及ぼさないと予測するのは理にかなっている。保存的置換は、それらの側鎖において関連があるアミノ酸のファミリー内で起こるものである。遺伝子コードアミノ酸は、４つのファミリーに分けられ得る：（１）酸性＝アスパラギン酸、グルタミン酸、（２）塩基性＝リシン、アルギニン、ヒスチジン、（３）非極性＝アラニン、バリン、ロイシン、イソロイシン、プロリン、フェニルアラニン、メチオニン、トリプトファン、ならびに（４）非荷電極性＝グリシン、アスパラギン、グルタミン、システイン、セリン、スレオニン、チロシン。同様の方式で、アミノ酸類は以下のように群別され得る：（１）酸性＝アスパラギン酸、グルタミン酸、（２）塩基性＝リシン、アルギニン、ヒスチジン、（３）脂肪族＝グリシン、アラニン、バリン、ロイシン、イソロイシン、セリン、スレオニンで、任意にセリンおよびスレオニンは脂肪族−ヒドロキシルとして別個に分類される、（４）芳香族＝フェニルアラニン、チロシン、トリプトファン、（５）アミド＝アスパラギン、グルタミン、ならびに（６）硫黄含有＝システインおよびメチオニン（例えばＢｉｏｃｈｅｍｉｓｔｒｙ，
２ ｅｄ．， Ｅｄ． ｂｙ Ｌ． Ｓｔｒｙｅｒ， ＷＨ Ｆｒｅｅｍａｎ ａｎｄ Ｃｏ．：１９８１参照）。ペプチドのアミノ酸配列中の変化が機能的相同体を生じる（例えばその結果生じるポリペプチドが野生型形態を模倣するかまたは拮抗するという意味で機能的である）か否かは、野生型タンパク質と同様の方式で細胞中での応答を生じるかまたはこのような応答を競合的に抑制する変異体ペプチドの能力を査定することにより容易に決定され得る。
【０２０８】
１つより多い置換が起きたポリペプチドは、同一方式で容易に試験され得る。変異体は、タンパク質の特定領域の生物学的活性を保持するよう設計され得る。非限定例において、Ｏｓａｗａ
ｅｔ ａｌ．， １９９４， Ｂｉｏｃｈｅｍｉｓｔｒｙ ａｎｄ Ｍｏｌｅｃｕｌａｒ Ｉｎｔｅｒｎａｔｉｏｎａｌ ３４：１００３−１００９は、いくつかの異なる種からのタンパク質のアクチン結合領域を考察している。これらの種のアクチン結合領域は、それらが「相同残基群」内にあるアミノ酸を有するという事実に基づいて相同であると考えられる。相同残基は、以下の群（一文字アミノ酸名を使用）にしたがって判定される：ＳＴＡＧ；ＩＬＶＭＦ；ＨＲＫ；ＤＥＱＮ；およびＦＹＷ。例えばＳ、Ｔ、ＡまたはＧは一位置にあり、その機能（この場合はアクチン結合）が保持される。
【０２０９】
アミノ酸置換に関する付加的指針は、タンパク質進化の研究から得られる。Ｇｏｅｔ ａｌ．， １９８０， Ｉｎｔ． Ｊ． Ｐｅｐｔｉｄｅ Ｐｒｏｔｅｉｎ Ｒｅｓ． １５：２１１−２２４は、アミノ酸残基部位を、それらの接近可能性によって、内部または外部と分類した。外部部位におけるより高頻度の置換は、それらの生物学的機能および補欠分子族の存否に関係なく、８組の相同タンパク質ファミリーにおいて一般的であることが確証された。事実上すべての種類のアミノ酸残基が内部より外部においてより高い変異可能性を有した。変異可能性と極性との間の相関は、内部および外部のそれぞれにおけるアミノ酸残基について観察されなかった。アミノ酸残基は、それらの極性によって３群のうちの１つに分類された：極性（Ａｒｇ、Ｌｙｓ、Ｈｉｓ、Ｇｌｎ、Ａｓｎ、ＡｓｐおよびＧｌｕ）；弱極性（Ａｌａ、Ｐｒｏ、Ｇｌｙ、ＴｈｒおよびＳｅｒ）；ならびに非極性（Ｃｙｓ、Ｖａｌ、Ｍｅｔ、Ｉｌｅ、Ｌｅｕ、Ｐｈｅ、ＴｙｒおよびＴｒｐ）。タンパク質進化中のアミノ酸置換は非常に保存的であった：内部または外部におけるそれらのそれぞれ８８％および７６％が３つのうちの同一群内であった。群内置換は、弱極性残基が内部においては多くの場合非極性残基により、また外部に関しては多くの場合極性残基により置き換えられる。
【０２１０】
Ｑｕｅｒｏｌ ｅｔ ａｌ．， １９９６， Ｐｒｏｔ． Ｅｎｇ． ９：２６５−２７１は、タンパク質熱安定性を強化するためのアミノ酸置換に関する一般規則を提供する。新しいグリコシル化部位は、Ｏｌｓｅｎ
ａｎｄ Ｔｈｏｍｓｅｎ， １９９１， Ｊ． Ｇｅｎ． Ｍｉｃｒｏｂｉｏｌ． １３７：５７９−５８５に考察されているように導入され得る。付加的ジスルフィド架橋は、Ｐｅｒｒｙ
ａｎｄ Ｗｅｔｚｅｌ， １９８４， Ｓｃｉｅｎｃｅ ２２６：５５５−５５７； Ｐａｎｔｏｌｉａｎｏ ｅｔ ａｌ．， １９８７， Ｂｉｏｃｈｅｍｉｓｔｒｙ
２６：２０７７−２０８２； Ｍａｔｓｕｍｕｒａ ｅｔ ａｌ．， １９８９， Ｎａｔｕｒｅ ３４２：２９１−２９３； Ｎｉｓｈｉｋａｗａ ｅｔ ａｌ．，
１９９０， Ｐｒｏｔｅｉｎ Ｅｎｇ． ３：４４３−４４８； Ｔａｋａｇｉ ｅｔ ａｌ．， １９９０， Ｊ． Ｂｉｏｌ． Ｃｈｅｍ，
２６５：６８７４−６８７８； Ｃｌａｒｋｅ ｅｔ ａｌ．， １９９３， Ｂｉｏｃｈｅｍｉｓｔｒｙ ３２：４３２２−４３２９９；およびＷａｋａｒｃｈｕｋ ｅｔ
ａｌ．， １９９４， Ｐｒｏｔｅｉｎ Ｅｎｇ． ７：１３７９−１３８６により考察されているように導入され得る。
【０２１１】
付加的金属結合部位は、Ｔｏｍａ ｅｔ ａｌ．， １９９１， Ｂｉｏｃｈｅｍｉｓｔｒｙ ３０：９７−１０６およびＨａｅｚｅｒｂｒｏｕｃｋ ｅｔ ａｌ．，
１９９３， Ｐｒｏｔｅｉｎ Ｅｎｇ． ６：６４３−６４９にしたがって導入され得る。ループ中のプロリンによる置換は、Ｍａｓｕｌ ｅｔ ａｌ．， １９９４，
Ａｐｐｌ Ｅｎｖ． Ｍｉｃｒｏｂｉｏｌ． ６０：３５７９−３５８４およびＨａｒｄｙ ｅｔ ａｌ．， ＦＥＢＳ Ｌｅｔｔ． ３１７：８９−９２にしたがってなされ得る。
【０２１２】
システイン枯渇突然変異タンパク質は、本発明の範囲内の変異体と考えられる。これらの変異体は、システインを他のアミノ酸に置換する方法および置換の生物学的活性および作用を決定する方法を開示する米国特許第４，９５９，３１４号に開示された方法にしたがって構築され得る。このような方法は、例えばジスルフィド結合形成を排除するための、このような置換に適したシステイン残基を有する本発明によるタンパク質に適している。
【０２１３】
核酸と相関する遺伝子の同一性および機能を知るために、核酸または相当するアミノ酸配列がタンパク質ファミリーのプロフィールに対してスクリーニングされ得る。このようなプロフィールは、各ファミリーのタンパク質の間の共通の構造的モチーフに焦点をあわせる。公的に利用可能なプロフィールは上記のとおりである。
【０２１４】
新規の核酸と既知の配列との比較に際して、数個のアラインメントツールが利用可能である。例としては、マルチプル配列アラインメントを作製するＰｉｌｅＵｐが挙げられ、Ｆｅｎｇ
ｅｔ ａｌ．， Ｊ． Ｍｏｌ． Ｅｖｏｌ．（１９８７）２５：３５ １−３６０に記載されている。別の方法ＧＡＰは、Ｎｅｅｄｌｅｍａｎ ｅｔ ａｌ．， Ｊ．
Ｍｏｌ． Ｂｉｏｌ． （１９７０） ４８：４４３−４５３のアラインメント方法を用いる。ＧＡＰは、配列の包括的アラインメントに最も適している。第三の方法ＢｅｓｔＦｉｔは、Ｓｍｉｔｈ
ａｎｄ Ｗａｔｅｒｍａｎ， Ａｄｖ． Ａｐｐｌ．
Ｍａｔｈ． （１９８１） ２：４８２−４８９の局所相同アルゴリズムを用いてマッチ数を最大にするためにギャップを挿入することにより機能する。
【０２１５】
Ｘ．診断的および予後的アッセイならびに薬剤スクリーニング方法
本発明は、開示されたバイオマーカー、すなわちそれにコードされる結腸癌に関する本発明の核酸（配列番号１〜４４９４）および／またはポリペプチドマーカー（好ましくは配列番号４４７１、４４７３、４４７５、４４７７、４４７９、４４８１、４４８３、４４８５、４４８７、４４８９、４４９１および４４９３）を検出することにより、望ましくない細胞増殖を特徴とする疾患または症状を被験体が発現する危険があるか否かを決定するための方法を提供する。
【０２１６】
臨床用途では、本明細書中で同定されたバイオマーカーの存在および／または非存在に関して、ヒト組織試料がスクリーニングされ得る。このような試料は、針生検コア、外科的切除試料、リンパ節組織または血清から成る。例えばこれらの方法は、総細胞集団の約８０％に腫瘍細胞を濃化するためにクリオスタット切断により任意に分別される生検を得ることを包含する。ある種の実施形態では、これらの試料から抽出される核酸は、当該技術分野で既知の技法により増幅され得る。検出された選定マーカーのレベルは、転移、非転移、悪性、良性または正常結腸組織試料の統計学的有効群と比較される。
【０２１７】
一実施形態では、診断方法は、例えばノーザンブロット分析、逆転写−ポリメラーゼ連鎖反応（ＲＴ−ＰＣＲ）、ｉｎ  ｓｉｔｕハイブリダイゼーション、免疫沈降、ウエスタンブロットハイブリダイゼーションまたは免疫組織化学により、被験体が異常ｍＲＮＡおよび／またはタンパク質レベルの開示マーカーを有するか否かを決定することを含む。当該方法によって、細胞が被験体から得られ、開示バイオマーカーのレベル、タンパク質またはｍＲＮＡレベルが決定され、健常被験体におけるこれらのマーカーのレベルと比較される。異常レベルのバイオマーカーポリペプチドまたはｍＲＮＡレベルは、癌、例えば結腸癌を示すと思われる。
【０２１８】
したがって一態様において、本発明は、本明細書中に開示された独特の核酸マーカーに対して特異的であるプローブおよびプライマーを提供する。したがって核酸プローブは、少なくとも１０ヌクレオチド長、好ましくは少なくとも１５ヌクレオチド長、さらに好ましくは２５ヌクレオチド、最も好ましくは少なくとも４０ヌクレオチド、核酸配列が配列番号１〜４４９４またはそれらに相補的な配列により表されるマーカー核酸配列のコード配列の一部と相補的であるすべてのまたはほとんどすべてのコード配列までのヌクレオチド配列を含む。
【０２１９】
一実施形態では、本方法は、患者からの組織中の癌性細胞の存在を決定するために核酸プローブを用いることを包含する。特に本方法は、以下の：
１．少なくとも１０ヌクレオチド長、好ましくは少なくとも１５ヌクレオチド、さらに好ましくは２５ヌクレオチド、最も好ましくは少なくとも４０ヌクレオチド、および配列番号１〜４４９４またはそれらに相補的な配列のコード配列により表される核酸配列の一部と相補的であり、腫瘍細胞、例えば結腸癌細胞中でディファレンシャルに発現されるすべてのまたはほとんどすべてのコード配列までのヌクレオチド配列を含む核酸プローブを供給することと、
２．癌性細胞を含む可能性のある患者から組織試料を獲得することと、
３．実質的にすべてが非癌性である細胞を含有する第２の組織試料を提供することと、
４．核酸プローブをストリンジェントな条件下で上記の第１のおよび第２の組織試料のそれぞれのＲＮＡとを接触させること（例えばノーザンブロットまたはｉｎ ｓｉｔｕハイブリダイゼーションアッセイにおいて）と、
５．（ａ）第１の組織試料のＲＮＡとのプローブのハイブリダイゼーションの量を（ｂ）第２の組織試料のＲＮＡとのプローブのハイブリダイゼーションの量と比較することであって、該比較において、第２の組織試料のＲＮＡとのハイブリダイゼーションの量と比較した場合の第１の組織試料のＲＮＡとのハイブリダイゼーションの量の統計学的有意差は、第１の組織試料中の癌性細胞の存在を示していることによって、比較する
こととを包含する。
【０２２０】
一態様において、本方法は、核酸が配列番号１〜４４９４により表される所定のマーカー核酸配列またはそれらに相補的な配列に由来するプローブとのｉｎ ｓｉｔｕハイブリダイゼーションを包含する。本方法は、標識ハイブリダイゼーションプローブと癌細胞または前癌性細胞を含有する可能性のある所定の種類の組織の試料ならびに正常細胞とを接触させることと、プローブが、それが同一組織型の他の細胞を標識する程度と有意に異なる程度に（例えば少なくとも２つだけ、または少なくとも５つだけ、または少なくとも２０だけ、または少なくとも５０だけからなるファクター）所定組織のいくつかの種類を標識するか否かを決定することとを包含する。
【０２２１】
試験細胞のｍＲＮＡを、少なくとも１２ヌクレオチド長、好ましくは少なくとも１５ヌクレオチド、さらに好ましくは少なくとも２５ヌクレオチド、最も好ましくは少なくとも４０ヌクレオチド、および配列番号１〜４４９４、またはそれらに相補的な配列により表される核酸配列のコード配列の一部分と相補的であり、所定の組織型の正常細胞と比較した場合に腫瘍細胞中でディファレンシャルに発現されるすべてのまたはほとんどすべての配列までの核酸プローブと接触させること、およびｍＲＮＡとのプローブのハイブリダイゼーションのおよその量、試験細胞が癌性または前癌性であることを示す組織型の正常細胞のｍＲＮＡを用いて観察されるよりも多いかまたは少ないハイブリダイゼーションの量を決定することにより、所定のヒト組織からの試験細胞の表現型を、例えば細胞が（ａ）正常であるかあるいは（ｂ）癌性または前癌性であるかを決定する方法も本発明の範囲内である。
【０２２２】
あるいは、上記の診断アッセイは、核酸が配列番号１〜４４９４、またはそれらに相補的な配列により表されるマーカー核酸配列にコードされるタンパク質産物を検出するために抗体を用いて実行され得る。したがって一実施形態では、アッセイは、配列番号１〜４４９４、好ましくは配列番号４４７２、４４７４、４４７６、４４７８、４４８０、４４８２、４４８４、４４８６、４４８８、４４９０、４４９２および４４９４、またはそれらに相補的な配列により表される核酸の遺伝子産物に特異的な抗体と試験細胞のタンパク質とを接触させ（マーカー核酸は試験細胞と同一組織型の正常細胞中で所定制御レベルで発現されるものである）、抗体および試験細胞のタンパク質による免疫複合体形成のおよその量を決定することを含み、同一組織型の正常細胞と比較した場合の試験細胞のタンパク質を用いて形成される免疫複合体の量における統計学的有意差は、試験細胞が癌性または前癌性であることの指標である。好ましくは抗体は、配列番号４４７１、４４７３、４４７５、４４７７、４４７９、４４８１、４４８３、４４８５、４４８７、４４８９、４４９１および４４９３のうちの１つに対して特異的である。
【０２２３】
本発明において有用なポリペプチドと特異的に結合するポリクローナルおよび／またはモノクローナル抗体の産生方法は当業者に既知であり、例えば、Ｄｙｍｅｃｋｉ ｅｔ
ａｌ．， １９９２， Ｊ． Ｂｉｏｌ． Ｃｈｅｍ．， ２６７：４８１５； Ｂｏｅｒｓｍａ ＆ Ｖａｎ Ｌｅｅｕｗｅｎ， １９９４， Ｊ．
Ｎｅｕｒｏｓｃｉ． Ｍｅｔｈｏｄｓ， ５１：３１７； Ｇｒｅｅｎ ｅｔ ａｌ．， １９８２， Ｃｅｌｌ， ２８：４７７；およびＡｒｎｈｅｉｔｅｒｅｔ ａｌ．，
１９８１， Ｎａｔｕｒｅ， ２９４：２７８に見出され得る。
【０２２４】
別のこのような方法は、以下の：配列番号１〜４４９４により表されるマーカー核酸配列の遺伝子産物に特異的な抗体を提供する工程であって、遺伝子産物は、同一組織型の非癌性組織中の遺伝子産物のレベルより多いかまたは少ないレベルで所定の組織型の癌性組織（例えば結腸組織）中に存在する、供給する工程と；所定の組織型の組織の第１の試料を患者から採取する工程であって、試料は、癌性細胞を含む可能性がある、採取する工程と；同一組織型の組織（同じ患者または正常な対照からのもの、例えば他人または培養細胞であってよい）の第２の試料を提供する工程であって、この第２の試料は、正常細胞および本質的非癌性細胞を含有する、供給する工程と；抗体と第１のおよび第２の試料のタンパク質（溶解された、しかし非分画細胞中で、または原位置で部分的に精製され得る）とを、抗体と試料中に存在するマーカー核酸配列産物との間の免疫複合体形成を可能にする条件下で接触させる工程と；（ａ）第１の試料中の免疫複合体形成の量を（ｂ）第２の試料中の免疫複合体形成の量と比較する工程であって、第２の試料中での免疫複合体形成の量と比較した場合に、低い第１の試料中の免疫複合体形成の量における統計学的有意差が、組織の第１の試料中の癌性細胞の存在を示していることによって、比較することとを含む方法である。
【０２２５】
本発明はさらに、被験体から得られる細胞試料が異常量のマーカーポリペプチドを保有するか否かを決定する方法であって、（ａ）被験体から細胞試料を採取することと、（ｂ）そのようにして得られた試料中のマーカーポリペプチドの量を定量的に決定することと、（ｃ）そのようにして決定されたマーカーポリペプチドの量を既知の標準と比較することであって、それにより被験体から得られた細胞試料が異常量のマーカーポリペプチドを保有するか否かを決定するために比較することと、を包含する方法を提供する。このようなマーカーポリペプチドは、免疫組織化学アッセイ、ドットブロットアッセイ、ＥＬＩＳＡ等により検出され得る。
【０２２６】
イムノアッセイは細胞試料中のタンパク質のレベルを定量するために一般的に用いられ、多数のその他のイムノアッセイ技法が当該技術分野で既知である。本発明は特定のアッセイ手法に限定されず、したがって同種および異種手法の両方を包含するよう意図される。本発明にしたがって実行され得るイムノアッセイの例としては、蛍光分極イムノアッセイ（ＦＰＩＡ）、蛍光イムノアッセイ（ＦＩＡ）、酵素イムノアッセイ（ＥＩＡ）、比濁分析的阻害イムノアッセイ（ＮＩＡ）、酵素結合免疫吸着アッセイ（ＥＬＩＳＡ）およびラジオイムノアッセイ（ＲＩＡ）が挙げられる。指標部分または標識基は対象抗体に取り付けられ、アッセイ装備および適合性イムノアッセイ手法の利用可能性によりしばしば決定される方法の種々の用途の要求を満たすよう選択される。上記の種々のイムノアッセイを実施する場合に使用される一般的技法は、当業者に既知である。
【０２２７】
別の実施形態では、コード産物、すなわち配列番号１〜４４９４またはそれらに相補的な配列にコードされる産物のレベル、あるいは患者の生物学的液体（例えば血液または尿）中の配列番号４４７１、４４７３、４４７５、４４７７、４４７９、４４８１、４４８３、４４８５、４４８７、４４８９、４４９１および４４９３のポリペプチドのレベルは、その患者の細胞中のマーカー核酸配列の発現のレベルをモニタリングすることにより決定され得る。このような方法は、患者から生物学的液体の試料を獲得する工程と、試料（または試料からのタンパク質）をコードマーカーポリペプチドに特異的な抗体と接触させる工程と、抗体による免疫複合体形成の量を、試料中のマーカーコード産物のレベルを示す免疫複合体形成の量を用いて決定する工程とを包含する。この決定は特に、正常個体から採取された対照試料におけるあるいは同一人から予めまたはその後得られる１つまたはそれ以上の試料における同一抗体による免疫複合体形成の量と比較される場合に有益である。
【０２２８】
別の実施形態では、本方法は、細胞中に存在するマーカーポリペプチドの量を決定するために用いられるが、この量は次に、過増殖性障害、例えば結腸癌の進行と相関され得る。マーカーポリペプチドのレベルは、細胞の試料が、形質転換されるかまたは前もって形質転換される細胞になるようにされる細胞を含有するか否かを評価するために予測的に用いられ得る。さらに本発明の方法は、形質転換されることが既知である細胞の表現型を査定するために用いられ、表現型分類結果は、特定の治療レジメンを計画するのに有用である。例えば試料細胞中の極高レベルのマーカーポリペプチドは、癌、例えば結腸癌に関する強力な診断および予後マーカーである。マーカーポリペプチドレベルの観察は、例えばより攻撃的な療法の使用に関する決定に利用され得る。
【０２２９】
上記のように本発明の一態様は、患者から単離された細胞の情況において、マーカーポリペプチドのレベルが試料細胞中で有意に低減されるか否かを決定するための診断アッセイに関する。「有意に低減される」という用語は、同様の組織起源の正常細胞と比較して、細胞がマーカーポリペプチドの細胞量低減を示す細胞表現型を指す。例えば細胞は、正常対照細胞より約５０％、２５％、１０％または５％少ないマーカーポリペプチドを有し得る。特に本アッセイは、試験細胞中のマーカーポリペプチドのレベルを評価し、好ましくは、測定レベルを、少なくとも１つの対照細胞、例えば既知の表現型の正常細胞および／または形質転換細胞中で検出されるマーカーポリペプチドと比較する。
【０２３０】
本発明に対して特に重要なのは、正常または異常マーカーポリペプチドレベルに関連した細胞の数により決定される場合、マーカーポリペプチドのレベルを定量する能力である。特定マーカーポリペプチド表現型を有する細胞の数は次に、患者予後と相関され得る。本発明の一実施形態では、病変のマーカーポリペプチド表現型は、異常に高い／低いレベルのマーカーポリペプチドを有することが見出されている生検における細胞のパーセンテージとして決定される。このような発現は、免疫組織化学アッセイ、ドットブロットアッセイ、ＥＬＩＳＡ等により検出され得る。
【０２３１】
組織試料が用いられる場合、免疫組織化学的染色が用いられて、マーカーポリペプチド表現型を有する細胞の数が決定され得る。このような染色のために、組織の多ブロックが生検またはその他の組織試料から採取され、プロテアーゼＫまたはペプシンのような作用物質を用いてタンパク質分解的加水分解に付される。ある種の実施形態では、試料細胞から核分画を単離し、核分画中のマーカーポリペプチドのレベルを検出するのが望ましい。
【０２３２】
組織試料は、ホルマリン、グルタルアルデヒド、メタノール等のような試薬を用いた処理により固定される。次に試料は、マーカーポリペプチドに対する結合特異性を有する抗体、好ましくはモノクローナル抗体とともにインキュベートされる。この抗体は、結合のその後の検出のための標識と接合され得る。試料は、免疫複合体の形成に十分な時間、インキュベートされる。その後、この抗体と接合した標識により、抗体の結合が検出される。抗体が標識されていない場合、例えば抗マーカーポリペプチド抗体のアイソタイプに特異的な二次標識抗体が用いられ得る。用いられ得る標識の例としては、放射性核種、蛍光体、化学発光体、酵素等が挙げられる。
【０２３３】
酵素が用いられる場合、酵素のための基質が試料に添加されて、着色または蛍光産物を提供する。結合体中に用いるための適切な酵素の例としては、ホースラディッシュペルオキシダーゼ、アルカリホスファターゼ、マレイン酸デヒドロゲナーゼ等が挙げられる。市販されていない場合、このような抗体−酵素接合体は、当業者に既知の技法により容易に産生される。
【０２３４】
一実施形態では、アッセイはドットブロットアッセイとして実施される。ドットブロットアッセイは、所定数の細胞から産生される無細胞抽出物中のマーカーポリペプチドの量と相関させることにより、それが単一細胞と関連したマーカーポリペプチドの平均量の決定を可能にするので、組織試料が用いられる場合に特に用途を見出す。
【０２３５】
同一種類の腫瘍細胞（例えば乳癌および／または結腸癌細胞）が個々の癌遺伝子の発現の均一増大または個々の腫瘍抑制遺伝子の発現の均一低減を示さないということは、癌文献中で十分に確立されている。所定の種類の癌の細胞間でさえ所定マーカー遺伝子の種々のレベルの発現が存在し、単一試験よりむしろ一組の試験に対する信頼の必要性をさらに強調する。したがって一態様において、本発明は、診断試験の信頼性および／または精度を改良するために、多数の本発明のプローブを利用する一組の試験を提供する。
【０２３６】
一実施形態では、本発明は、核酸プローブが組織化アレイ中のＤＮＡチップ上に固定される方法も提供する。オリゴヌクレオチドは、種々の方法、例えばリソグラフィーにより固体支持体に結合され得る。例えばチップは、２５０，０００個のオリゴヌクレオチドまでを保持し得る（ＧｅｎｅＣｈｉｐ，
Ａｆｆｙｍｅｔｒｉｘ）。これらの核酸プローブは、少なくとも約１２ヌクレオチド長、好ましくは少なくとも約１５ヌクレオチド、より好ましくは少なくとも約２５ヌクレオチド、さらにより好ましくは少なくとも約４０ヌクレオチド配列、および配列番号１〜４４９４により表されるマーカー核酸配列のコード配列の一部と相補的であり、腫瘍細胞、例えば結腸癌細胞中でディファレンシャルに発現されるすべてのまたはほぼすべての配列までを包含する。本発明は、単一チップ上に核酸マーカーのアレイを提供することにより試験の信頼性を増大するため、種々の癌、例えば結腸癌に関して利用可能な試験を上回る有意の利点を提供する。
【０２３７】
本方法は、総細胞集団の約８０％に腫瘍細胞を濃化するためにクリオスタット切断により任意に分別される生検を得ることを包含する。次にＤＮＡまたはＲＮＡが抽出され、増幅され、ＤＮＡチップを用いて分析されて、マーカー核酸配列の存在または非存在を決定する。
【０２３８】
一実施形態では、核酸プローブは二次元マトリックスまたはアレイ中の支持体上にスポッティングされる。核酸の試料は標識され、次にプローブとハイブリダイズされる。プローブ核酸に結合された標識試料核酸を含む二本鎖核酸は、いったん試料の非結合部分が洗い落とされれば、検出され得る。
【０２３９】
プローブ核酸は、支持体、例えばガラス、ニトロセルロース等の上にスポッティングされ得る。プローブは、共有結合によるかまたは非特異的相互作用、例えば疎水性相互作用により支持体に結合され得る。試料核酸は、放射性標識、蛍光団、発色団等を用いて標識され得る。
【０２４０】
アレイの構築のための技法およびこれらのアレイを用いる方法は、例えば欧州特許第０，７９９，８９７号、ＰＣＴ国際公開第９７／２９２１２号、ＰＣＴ国際公開第９７１２７３１７号、欧州特許第０，７８５，２８０号、ＰＣＴ国際公開第９７／０２３５７号、米国特許第５，５９３，８３９号、米国特許第５，５７８，８３２号、欧州特許第０，７２８，５２０号、米国特許第５，５９９，６９５号、欧州特許第０，７２１，０１６号、米国特許第５，５５６，７５２号、ＰＣＴ  国際公開第９５／２２０５８号、および米国特許第５，６３１，７３４号に記載されている。
【０２４１】
さらに、アレイは、遺伝子のディファレンシャルな発現を検査するために用いられ得るし、遺伝子機能を決定するために用いられ得る。例えば当該核酸配列のアレイは、任意の核酸配列が例えば正常細胞および癌細胞間でディファレンシャルに発現されるか否かを決定するために用いられ得る。相当する正常細胞中では観察されない癌細胞中の特定のメッセージの高発現は、癌特異的タンパク質を示し得る。
【０２４２】
一実施形態では、本発明において有用な核酸分子、例えば配列番号１〜４４９４のもの、好ましくは配列番号４４７２、４４７４、４４７６、４４７８、４４８０、４４８２、４４８４、４４８６、４４８８、４４９０、４４９２、および４４９４のものは、整列させた核酸分子を用いて任意の核酸が正常細胞または組織および癌性細胞または組織間でディファレンシャルに発現されるか否かを決定し得るよう、膜のような固体表面にマクロアレイを生成するために用いられ得る。一実施形態では、本発明の核酸分子は、ｃＤＮＡであるか、またはその後ＰＣＲにより増幅され、ナイロン膜上にスポッティングされるｃＤＮＡ分子を生成するために用いられ得る。膜は次に、癌性および正常組織または細胞の等価試料から得られた放射能標識標的核酸分子と反応させられる。ｃＤＮＡ生成およびマクロアレイ調製の方法は当業者に既知であり、例えばＢｅｒｔｕｃｃｉ
ｅｔ ａｌ．， １９９９ Ｈｕｍ．
Ｍｏｌ． Ｇｅｎｅｔ． ８：２１２９、Ｎｇｕｙｅｎ ｅｔ ａｌ．， １９９５， Ｇｅｎｏｍｉｃｓ， ２９：２０７、Ｚｈａｏ ｅｔ ａｌ．，Ｇｅｎｅ， １５６：２０７、Ｇｒｅｓｓ ｅｔ ａｌ．， １９９２， Ｍａｍｍａｌｉａｎ Ｇｅｎｏｍｅ， ３：６０９、Ｚｈｕｍａｂａｙｅｖａｅｔ ａｌ．， ２００１， Ｂｉｏｔｅｃｈｎｉｑｕｅｓ， ３０：１５８；およびＬｅｎｎｏｎ ｅｔ ａｌ．， １９９１， Ｔｒｅｎｄｓ Ｇｅｎｅｔ． ７：３１４に見出され得る。
【０２４３】
さらに別の実施形態では、本発明は、本発明のマーカーポリペプチドに対して生成される抗体のパネルを用いることを意図し、このポリペプチドは、配列番号１〜４４９４、好ましくは配列番号４４７２、４４７４、４４７６、４４７８、４４８０、４４８２、４４８４、４４８６、４４８８、４４９０、４４９２、および４４９４のうちの１つまたは複数にコードされる。好ましくは抗体は、配列番号４４７１、４４７３、４４７５、４４７７、４４７９、４４８１、４４８３、４４８５、４４８７、４４８９、４４９１、および４４９３の配列を有する１つまたは複数のポリペプチドに対して生成される。このような抗体のパネルは、結腸癌に関する信頼できる診断プローブとして用いられ得る。本発明のアッセイは、細胞、例えば結腸細胞を含有する生検試料を、１つまたは複数のコード産物に対する抗体のパネルと接触させて、マーカーポリペプチドの存在または非存在を決定することを包含する。
【０２４４】
本発明の診断方法は、治療に対する追跡調査としても用いられ、例えばマーカーポリペプチドのレベルの定量は、現在用いられているかまたは前に用いられた癌療法の有効性、ならびに患者の予後におけるこれらの治療の効果を示し得る。
【０２４５】
したがって本発明は、例えば細胞の腫瘍形成性形質転換から生じる増殖性障害の診断および表現型分類を助けるために、細胞からのマーカーポリペプチドの獲得および／または損失を検出するための診断アッセイおよび試薬を利用可能にする。
【０２４６】
上記の診断アッセイは、同様に予後アッセイとして用いられるよう適合され得る。このような用途は、腫瘍の進行に特徴的な段階で起こる事象に対する本発明のアッセイの感度を利用する。例えば所定のマーカー遺伝子は、ごく初期に、おそらくは細胞が不可逆的に悪性疾患に発達する前に、アップレギュレートまたはダウンレギュレートされ得るが、一方、別のマーカー遺伝子はごく後期にのみ、特徴的にアップレギュレートまたはダウンレギュレートされ得る。このような方法は、試験細胞のｍＲＮＡを、腫瘍進行の異なる段階での癌性または前癌性細胞中で異なる特徴的レベルで発現される所定のマーカー核酸由来の核酸プローブと接触させ、細胞のｍＲＮＡとのプローブのハイブリダイゼーションのおよその量（このような量は細胞中の遺伝子の発現レベルの指標であり、したがって細胞の腫瘍進行の段階の指標である）を決定する工程を包含し、あるいはアッセイは、試験細胞のタンパク質と接触された所定のマーカー核酸の遺伝子産物に特異的な抗体を用いて実行され得る。一組のこのような試験は、腫瘍の存在および位置を開示するだけでなく、腫瘍に最も適した治療の方式を医師に選択させ、その治療の成功の見込みを予測させる。
【０２４７】
本発明の方法は、腫瘍の臨床経過を追跡するためにも用いられ得る。例えば本発明のアッセイは、患者からの組織試料に適用され得る。癌に対する患者の治療後、別の組織試料が採取され、試験が反復される。首尾よい治療は、癌性または前癌性細胞に特徴的なディファレンシャルな発現を実証するすべての細胞の除去を、あるいはおそらくは正常レベルに近づくかまたはそれを超えることさえあるそれらの細胞中の遺伝子の発現の実質的増大を生じる。
【０２４８】
さらに別の実施形態では、本発明は、被験体が、配列番号１〜４４９４の核酸にコードされるポリペプチドのいずれか１つ、好ましくは配列番号４４７１、４４７３、４４７５、４４７７、４４７９、４４８１、４４８３、４４８５、４４８７、４４８９、４４９１、および４４９３のポリペプチドのいずれか１つの異常活性に関連した疾患を発症する危険にさらされている、例えば癌、例えば結腸癌を発症する素因があるか否かを決定するための方法を提供するが、この場合、ポリペプチドの異常活性は、（ｉ）マーカーポリペプチドをコードする遺伝子の完全性に影響を及ぼす変化、または（ｉｉ）コード核酸の誤発現のうちの少なくとも１つにより特性化される遺伝子病変の存在または非存在を検出することにより特性化される。例示するために、このような遺伝子病変は、（ｉ）核酸配列からの１つまたは複数のヌクレオチドの欠失、（ｉｉ）核酸配列への１つまたは複数のヌクレオチドの付加、（ｉｉｉ）核酸配列の１つまたは複数のヌクレオチドの置換、（ｉｖ）核酸配列の全体的染色体再配列、（ｖ）核酸配列のメッセンジャーＲＮＡ転写体のレベルにおける全体的変化、（ｖｉ）核酸配列の、例えばゲノムＤＮＡのメチル化パターンの異常修飾、（ｖｉｉ）遺伝子のメッセンジャーＲＮＡ転写体の非野生型スプライシングパターンの存在、（ｖｉｉｉ）非野生型レベルのマーカーポリペプチド、（ｉｘ）遺伝子の対立遺伝子損失、および／または（ｘ）マーカーポリペプチドの不適切な翻訳後修飾のうちの少なくとも１つの存在を確証することにより検出され得る。
【０２４９】
本発明は、コード核酸配列中の病変を検出するためのアッセイ技法を提供する。これらの方法としては、配列分析、サザンブロットハイブリダイゼーション、制限酵素部位マッピングを包含する方法、ならびに分析される核酸とプローブとの間のヌクレオチド対合の非存在の検出を包含する方法が挙げられるが、これらに限定されない。
【０２５０】
特定の疾患または障害、例えば遺伝子疾患または障害は、突然変異化タンパク質を必ずしもコードしないある種の遺伝子の多型領域の特定の対立遺伝子変異体に関連する。したがって、被験体における遺伝子の多型領域の特定の対立遺伝子変異体の存在は、被験体が特定の疾患または障害を発症し易くし得る。遺伝子中の多型領域は、個体の集団中での遺伝子のヌクレオチド配列を決定することにより同定され得る。多型領域が同定された場合には、特定疾患との関連は、個体、例えば結腸癌のような特定の疾患を発症した個体である固体の特定集団を研究することにより決定され得る。多型領域は、エキソン、イントロンおよびプロモーター領域のコードまたは非コード領域における遺伝子の任意の領域、例えばエキソンで位置付けられ得る。
【０２５１】
例示的実施形態では、遺伝子またはその天然突然変異体のセンスまたはアンチセンス配列、もしくは対象遺伝子またはその天然突然変異体と天然に関連した５‘または３’フランキング配列あるいはイントロン配列とハイブリダイズし得るヌクレオチド配列の領域を包含する核酸プローブを含む核酸組成物が提供される。細胞の核酸はハイブリダイゼーションのために接近可能にされ、プローブは試料の核酸と接触され、試料核酸とのプローブのハイブリダイゼーションが検出される。このような技法は、欠失、置換等を含めたゲノムまたはｍＲＮＡレベルでの病変または対立遺伝子変異体を検出するために、ならびにｍＲＮＡ転写体レベルを決定するために用いられ得る。
【０２５２】
好ましい検出方法は、突然変異または多型部位に重複し、突然変異または多型部位周囲に約５個、１０個、２０個、２５個または３０個のヌクレオチドを有するプローブを用いる対立遺伝子特異的ハイブリダイゼーションである。本発明の好ましい実施形態では、対立遺伝子変異体と特異的にハイブリダイズし得る数個のプローブが固相支持体、例えば「チップ」に取り付けられる。「ＤＮＡプローブアレイ」とも呼ばれるオリゴヌクレオチドを含むこれらのチップを用いた突然変異検出分析は、例えばＣｒｏｎｉｎ
ｅｔ ａｌ．（１９９６） Ｈｕｍａｎ Ｍｕｔａｔｉｏｎ ７：２４４に記載されている。一実施形態では、チップは遺伝子の少なくとも１つの多型領域のすべての対立遺伝子変異体を含む。次に固相支持体は試験核酸と接触され、特定プローブへのハイブリダイゼーションが検出される。したがって、１つまたは複数の遺伝子の多数の対立遺伝子変異体の同一性は、簡単なハイブリダイゼーション実験において同定され得る。
【０２５３】
ある種の実施形態では、病変の検出は、ポリメラーゼ連鎖反応（ＰＣＲ）（例えば米国特許第４，６８３，１９５号および第４，６８３，２０２号参照）、例えばアンカーＰＣＲまたはＲＡＣＥ  ＰＣＲにおいて、あるいはリガーゼ連鎖反応（ＬＣＲ）（例えばＬａｎｄｅｇｒａｎ
ｅｔ ａｌ． （１９８８） Ｓｃｉｅｎｃｅ ２４１：１０７７−１０８０、およびＮａｋａｚａｗａ ｅｔ ａｌ． （１９９４） ＰＮＡＳ ９１：３６０−３６４参照）において、プローブ／プライマーを利用することを包含し、これらのうちの後者は、遺伝子中の点突然変異を検出するために特に有用であり得る（Ａｂｒａｖａｙａ
ｅｔ ａｌ． （１９９５） Ｎｕｃ Ａｃｉｄ Ｒｅｓ ２３：６７５−６８２参照）。単なる例示的実施形態では、本方法は、（ｉ）患者から細胞の試料を収集する工程と、（ｉｉ）試料の細胞から核酸（例えばゲノム、ｍＲＮＡまたは両方）を単離する工程と、（ｉｉｉ）核酸（存在する場合）のハイブリダイゼーションおよび増幅が起きるような条件下で、核酸配列に特異的にハイブリダイズする１つまたは複数のプライマーと核酸試料を接触させる工程と、（ｉｖ）増幅産物の存在または非存在を検出する工程、あるいは増幅産物のサイズを検出して、対照試料と長さを比較する工程とを包含する。ＰＣＲおよび／またはＬＣＲは、本明細書中に記載された突然変異を検出するために用いられる任意の技法とともに予備増幅工程として用いるのが望ましいと予測される。
【０２５４】
代替的増幅方法としては、自己持続性配列複製（Ｇｕａｔｅｌｌｉ， Ｊ．Ｃ． ｅｔ ａｌ．， １９９０， Ｐｒｏｃ． Ｎａｔｌ． Ａｃａｄ． Ｓｃｉ． ＵＳＡ
８７：１８７４−１８７８）、転写増幅系（Ｋｗｏｈ， Ｄ．Ｙ． ｅｔ ａｌ．， １９８９， Ｐｒｏｃ． Ｎａｔｌ． Ａｃａｄ． Ｓｃｉ． ＵＳＡ
８６：１１７３−１１７７）、Ｑ−βレプリカーゼ（Ｌｉｚａｒｄｉ， Ｐ．Ｍ． ｅｔ ａｌ．， １９８８， Ｂｉｏ／Ｔｅｃｈｎｏｌｏｇｙ ６：１１９７）または任意のその他の核酸増幅方法と、その後に、当業者に既知の技法を用いた増幅分子の検出が挙げられる。これらの検出方式は、核酸分子がごく少数で存在する場合に、このような分子の検出のために特に有用である。
【０２５５】
本発明のアッセイの好ましい実施形態では、試料細胞からの遺伝子の突然変異またはその対立遺伝子変異体は、制限酵素切断パターンの変化により同定される。例えば試料および対照ＤＮＡが単離され、増幅され（任意に）、１つまたは複数の制限エンドヌクレアーゼで消化され、かつゲル電気泳動により断片長サイズが決定される。さらに、配列特異的リボザイム（例えば米国特許第５，４９８，５３１号参照）の使用は、リボザイム切断部位の発達または損失により特定の突然変異の存在に関して採点するために用いられ得る。
【０２５６】
本発明の別の態様は、異常増殖により特性化される細胞の分化および増殖を調整し得る作用物質の同定に関する。これに関して、本発明は、マーカー核酸（配列番号１〜４４９４、好ましくは配列番号４４７２、４４７４、４４７６、４４７８、４４８０、４４８２、４４８４、４４８６、４４８８、４４９０、４４９２、および４４９４）の発現を調整し、かつ／または配列番号４４７１、４４７３、４４７５、４４７７、４４７９、４４８１、４４８３、４４８５、４４８７、４４８９、４４９１、および４４９３のようなコードされたポリペプチドの生理活性を変更する（例えば阻害する）化合物を決定するためのアッセイを提供する。
【０２５７】
いくつかのｉｎ  ｖｉｖｏ方法を用いて、マーカー核酸（配列番号１〜４４９４）の発現を調整し、かつ／またはコードポリペプチドの生理活性を変更する、例えば阻害する化合物を同定し得る。
【０２５８】
薬剤スクリーニングは、試験化合物を細胞の試料に添加し、かつその作用をモニタリングすることにより実施される。試験化合物を受入れない平行試料も、対照としてモニタリングされる。次に、任意の適切な表現型判定基準、例えば顕微鏡的分析、生育可能性試験、複製する能力、組織学的検査、細胞に関連した特定のＲＮＡまたはポリペプチドのレベル、細胞または細胞溶解産物により発現される酵素活性のレベル、ならびに他の細胞または化合物と相互作用する細胞の能力（これらに限定されない）により、処理細胞と非処理細胞が比較される。処理細胞と非処理細胞との間の差は、試験化合物に起因する作用を示す。
【０２５９】
試験化合物の望ましい作用としては、癌関連マーカー核酸配列により付与された任意の表現型に及ぼす作用が挙げられる。例としては、ｍＲＮＡの過多を制限し、コードタンパク質の産生を制限し、またはタンパク質の機能的作用を制限する試験化合物が挙げられる。試験化合物の作用は、処理細胞と非処理細胞との間の結果を比較すると明らかになる。
【０２６０】
したがって本発明は、ｉｎ  ｖｉｔｒｏでの核酸マーカー（配列番号１〜４４９４、好ましくは配列番号４４７２、４４７４、４４７６、４４７８、４４８０、４４８２、４４８４、４４８６、４４８８、４４９０、４４９２、および４４９４）の発現を阻害する作用物質に関するスクリーニング方法であって、作用物質がｍＲＮＡの産生を阻害し得るか否かを決定するために、マーカー核酸ｍＲＮＡが培養細胞中で検出可能である細胞または組織を作用物質に曝露し、かつ曝露細胞または組織中のｍＲＮＡのレベルを決定することを含む方法も包含するが、この場合、作用物質への細胞系の曝露後のｍＲＮＡのレベルの低下は、マーカー核酸ｍＲＮＡ産生の阻害を示す。
【０２６１】
あるいはスクリーニング方法は、マーカータンパク質の産生を阻害すると思われる作用物質に対してマーカータンパク質が培養細胞中で検出可能である細胞または組織をｉｎ  ｖｉｔｒｏでスクリーニングし、かつ細胞または組織中のマーカータンパク質のレベルを決定することを包含し得るが、この場合、作用物質への細胞系または組織曝露後のマーカータンパク質のレベルの低減は、マーカータンパク質産生の阻害を示す。
【０２６２】
本発明は、マーカー核酸の発現を阻害する作用物質に関するｉｎ  ｖｉｖｏスクリーニング方法であって、マーカーｍＲＮＡまたはタンパク質が検出可能である腫瘍細胞を有する哺乳類を、マーカー核酸ｍＲＮＡまたはタンパク質の産生を阻害すると思われる作用物質に曝露し、かつ曝露哺乳類の腫瘍細胞中のｍＲＮＡまたはタンパク質のレベルを決定することを含む方法も包含する。作用物質への哺乳類の曝露後のマーカーｍＲＮＡまたはタンパク質のレベルの低減は、マーカー核酸発現の阻害を示す。
【０２６３】
したがって本発明は、マーカー核酸（配列番号１〜４４９４）を発現する細胞を試験化合物とともにインキュベートすることと、ｍＲＮＡまたはタンパク質レベルを測定することとを包含する方法を提供する。本発明はさらに、細胞集団中のマーカー核酸の発現レベルを定量的に決定する方法、ならびに作用物質が細胞集団中のマーカー核酸の発現レベルを増大し得るかまたは低減し得るかを決定する方法を提供する。作用物質が細胞集団中のマーカー核酸の発現レベルを増大し得るかまたは低減し得るかを決定する方法は、（ａ）対照および作用物質処理細胞集団から細胞抽出物を調製する工程と、（ｂ）細胞抽出物からマーカーポリペプチドを単離する工程と、（ｃ）マーカーポリペプチドと上記ポリペプチドに特異的な抗体との間に形成される免疫複合体の量を（平行して）定量する工程とを包含する。本発明のマーカーポリペプチドは、その生理活性に関してアッセイすることによっても定量され得る。マーカー核酸発現増大を誘導する作用物質は、対照細胞中に形成される免疫複合体の量と比較した場合に、処理細胞中で形成される免疫複合体の量を増大するそれらの能力により同定され得る。同様にして、マーカー核酸の発現を低減する作用物質は、対照細胞と比較した場合に、処理細胞抽出物中に形成される免疫複合体の量を低減するそれらの能力により同定され得る。
【０２６４】
ｍＲＮＡレベルは、ノーザンブロットハイブリダイゼーションにより決定され得る。ｍＲＮＡレベルは、ＰＣＲを包含する方法によっても決定され得る。高スループットアッセイに用いられ得るｍＲＮＡを測定するためのその他の感受性方法、例えばＤＥＬＦＩＡ終点検出を用いる方法および定量方法は、例えばＷｅｂｂ
ａｎｄ Ｈｕｒｓｋａｉｎｅｎ （１９９６） Ｊｏｕｒｎａｌ ｏｆ Ｂｉｏｍｏｌｅｃｕｌａｒ Ｓｃｒｅｅｎｉｎｇ １：１１９に記載されている。マーカータンパク質レベルは、配列番号１〜４４９４、好ましくは配列番号４４７１、４４７３、４４７５、４４７７、４４７９、４４８１、４４８３、４４８５、４４８７、４４８９、４４９１、および４４９３の配列を有するタンパク質のうちの１つまたは複数にコードされるタンパク質産物を特異的に認識する抗体を用いた免疫沈降または免疫組織化学により決定され得る。
【０２６５】
薬剤スクリーニングアッセイにおいて活性であると同定される作用物質は、細胞増殖活性を遮断するそれらの能力に関して試験される候補である。これらの作用物質は、細胞、特に結腸細胞の細胞異常増殖を包含する障害を治療するために有用である。
【０２６６】
種々のアッセイ方式が十分であり、本発明の開示を鑑みて、本明細書中にはっきりと記載されていないものは、それにもかかわらず当業者に理解される。例えばアッセイは多数の異なる方式で生成され得て、その例としては、無細胞系、例えば精製タンパク質または細胞溶解物に基づいたアッセイ、ならびに無傷細胞を利用する細胞ベースのアッセイが挙げられる。
【０２６７】
化合物および天然抽出物のライブラリーを試験する多数の薬剤スクリーニングプログラムにおいて、所定期間に検査される化合物の数を最大にするためには、ハイスループットアッセイが望ましい。精製または半精製タンパク質を用いて、あるいは溶解物を用いて得ることができるような無細胞系で実施される本発明のアッセイは、試験化合物により媒介される分子標的における変化の迅速な発達および比較的容易な検出を可能にするためにそれらが生成され得るという点において「一次」スクリーニングとして、しばしば選択される。さらに、試験化合物の細胞毒性および／または生物学的利用能の作用は、ｉｎ  ｖｉｔｒｏ系においては一般的に無視され、それに代わるアッセイは、他のタンパク質との結合親和性の変化または分子標的の酵素特性の変化において明白であり得る分子標的に及ぼす薬剤の作用に主として集中している。
【０２６８】
Ａ．マッピングおよび組織プロファイリングプローブにおけるプローブとしての核酸の使用
例えば、ヌクレオチド配列番号１〜４４７０、４４７２、４４７４、４４７６、４４７８、４４８０、４４８２、４４８４、４４８６、４４８８、４４９０、４４９２、および４４９４、好ましくは配列番号１〜１１０３、よりいっそう好ましくは配列番号１〜５０３、さらにいっそう好ましくは配列番号４４７２、４４７４、４４７６、４４７８、４４８０、４４８２、４４８４、４４８６、４４８８、４４９０、４４９２、および４４９４またはそれらに相補的な配列から選択される少なくとも１２個の連続したヌクレオチドを含む上記のようなポリペプチドプローブは、種々の目的のために、例えばヒト染色体の同定ならびに転写レベルの決定のために用いられる。核酸配列の好ましい領域についての付加的開示は、添付の表に見出される。
【０２６９】
ヌクレオチドプローブは、例えば放射性、蛍光、ビオチン化または化学発光標識を用いて標識され、選定された特定の標識に適した既知の方法により検出される。ヌクレオチドプローブを中期染色体の調製物とハイブリダイズするためのプロトコルも、当該技術分野で既知である。ヌクレオチドプローブは、プローブのヌクレオチド配列と相補的である染色体調製物中のヌクレオチド配列と特異的にハイブリダイズする。核酸と特異的にハイブリダイズするプローブは、他の非関連配列を用いて提供されるバックグラウンドハイブリダイゼーションより少なくとも５倍、１０倍または２０倍高い検出シグナルを提供するはずである。
【０２７０】
非限定例では、癌のような疾患と一般的に関連した染色体の領域を同定するためには、市販のプログラムが利用可能である。本発明の核酸を用いて、これらの領域をプローブし得る。例えばプロフィール探索により、核酸が、キナーゼをコードする遺伝子に相当すると同定された場合、癌関連染色体領域と結合するその能力は、腫瘍細胞発達／増殖の１つまたは複数の段階におけるキナーゼとしてのその役割を示唆する。役割を明らかにする必要がある実験もあるが、核酸は、癌診断または治療を開発するための可能性を有する特定タンパク質を単離するための新規の物質を構成する。
【０２７１】
ヌクレオチドプローブは、核酸に相当する遺伝子の発現を検出するために用いられる。例えばノーザンブロットにおいては、ｍＲＮＡは電気泳動的に分離され、プローブと接触される。特定サイズのｍＲＮＡ種とハイブリダイズする場合に、プローブは検出される。ハイブリダイゼーションの量は、例えば特定条件下で発現の相対量を決定するために定量される。プローブは、ポリメラーゼ連鎖反応による増幅の産物を検出するためにも用いられる。反応産物はプローブとハイブリダイズされて、ハイブリッドが検出される。プローブは、発現を検出するための細胞とのｉｎ
ｓｉｔｕハイブリダイゼーションのために用いられる。プローブは、ハイブリダイズしている配列の診断的検出のためにｉｎ  ｖｉｖｏでも用いられ得る。プローブは、典型的には放射性同位元素を用いて標識される。他の種類の検出可能標識、例えば発色団、蛍光団および酵素が用いられ得る。
【０２７２】
特定のｍＲＮＡの発現は、異なる細胞型において変化し、組織特異的であり得る。異なる細胞型におけるｍＲＮＡレベルのこの変化は、核酸プローブアッセイとともに利用されて、組織型を決定し得る。例えば、配列番号１〜４４７０、４４７２、４４７４、４４７６、４４７８、４４８０、４４８２、４４８４、４４８６、４４８８、４４９０、４４９２および４４９４、好ましくは配列番号１〜１１０３、さらに好ましくは配列番号１〜５０３、さらに好ましくは配列番号４４７２、４４７４、４４７６、４４７８、４４８０、４４８２、４４８４、４４８６、４４８８、４４９０、４４９２および４４９４またはそれらに相補的な配列の核酸と実質的に同一であるかまたは相補的である核酸プローブを利用するＰＣＲ、分枝鎖ＤＮＡプローブアッセイ、またはブロッティング技法は、標的ｃＤＮＡまたはｍＲＮＡの存在または非存在を決定し得る。
【０２７３】
ヌクレオチドハイブリダイゼーションアッセイの例は、ＰＣＴ国際公開第９２／０２５２６号（Ｕｒｄｅａ等）および米国特許第５，１２４，２４６号（Ｕｒｄｅａ等）（これらの記載内容はともに、参照により本明細書中に援用される）に記載されている。当該参考文献は、サンドイッチヌクレオチドハイブリダイゼーションアッセイの一例を記載する。
【０２７４】
あるいはポリメラーゼ連鎖反応（ＰＣＲ）は、Ｍｕｌｌｉｓ ｅｔ ａｌ．， Ｍｅｔ／ｉ． Ｅｎｚｙｍｏｌ． （１９８７） １５５：３３５−３５０、米国特許第４，６８３，１９５号および米国特許第４，６８３，２０２号（これらの記載内容は、参照により本明細書中に援用される）に記載されているように、少量の標的核酸を検出するための別の手段である。２つのプライマーポリヌクレオチドは、標的核酸とハイブリダイズし、反応を用意するために用いられる。プライマーは、配列表のポリヌクレオチド内のまたはそれに対して３’および５’の配列から成る。あるいは、プライマーがこれらのポリヌクレオチドに対して３’および５’である場合、それらはそれらとまたは相同体とハイブリダイズする必要はない。熱安定性ポリメラーゼは、鋳型としてオリジナル標的核酸を用いて、プライマーから標的核酸のコピーを作製する。大量の標的核酸がポリメラーゼにより生成された後、それは、サザンブロットのような方法により検出される。サザンブロット法を用いる場合、標識プローブは、配列表のポリヌクレオチドまたは相同体とハイブリダイズする。
【０２７５】
さらに、ｍＲＮＡまたはｃＤＮＡは、Ｓａｍｂｒｏｏｋ ｅｔ ａｌ．， “Ｍｏｌｅｃｕｌａｒ Ｃｌｏｎｉｎｇ： Ａ Ｌａｂｏｒａｔｏｒｙ Ｍａｎｕａｌ”（Ｎｅｗ
Ｙｏｒｋ， Ｃｏｌｄ Ｓｐｒｉｎｇ Ｈａｒｂｏｒ Ｌａｂｏｒａｔｏｒｙ， １９８９）に記載された伝統的ブロッティング技法により検出され得る。ポリメラーゼ酵素を用いてｍＲＮＡから生成されたｍＲＮＡまたはｃＤＮＡは、ゲル電気泳動を用いて精製され、分離され得る。ゲル上の核酸は次に、固体支持体、例えばニトロセルロース上にブロットされる。固体支持体は標識プローブに曝露され、次に洗浄されて、あらゆるハイブリダイズしていないプローブを除去する。次に、標識プローブを含有する二重鎖が検出される。典型的には、プローブは放射能で標識される。
【０２７６】
マッピング
本発明の核酸は、相当する遺伝子が存在する染色体を同定するために用いられる。正常中期展開物上で蛍光ｉｎ ｓｉｔｕハイブリダイゼーション（ＦＩＳＨ）を用いて、比較ゲノムハイブリダイゼーションは、ＤＮＡ配列の相対コピー数の変化の全体的ゲノム評価を可能にする（Ｓｃｈｗａｒｔｚ
ａｎｄ Ｓａｍａｄ， Ｃｕｒｒｅｎｔ Ｏｐｉｎｉｏｎｓ ｉｎ Ｂｉｏｔｅｃｈｎｏｌｏｇｙ （１９９４） ８：７０−７４； Ｋａｌｌｉｏｎｉｅｍｉ ｅｔ
ａｌ．， Ｓｅｍｉｎａｒｓ ｉｎ Ｃａｎｃｅｒ Ｂｉｏｌｏｇｙ （１９９３） ４：４１−４６； Ｖａｌｄｅｓ ａｎｄ Ｔａｇｌｅ， Ｍｅｔｈｏｄｓ ｉｎ
Ｍｏｌｅｃｕｌａｒ Ｂｉｏｌｏｇｙ （１９９７） ６８：１， Ｂｏｕｌｔｗｏｏｄ， ｅｄ．， Ｈｕｍａｎ Ｐｒｅｓｓ， Ｔｏｔｏｗａ， ＮＪ参照）。
【０２７７】
ヒト中期染色体の調製物は、ヒト初代組織または細胞系から標準細胞遺伝学的技法を用いて調製される。配列番号１〜４４７０、４４７２、４４７４、４４７６、４４７８、４４８０、４４８２、４４８４、４４８６、４４８８、４４９０、４４９２および４４９４、好ましくは配列番号１〜１１０３、よりいっそう好ましくは配列番号１〜５０３、さらにいっそう好ましくは配列番号４４７２、４４７４、４４７６、４４７８、４４８０、４４８２、４４８４、４４８６、４４８８、４４９０、４４９２および４４９４のヌクレオチド配列またはそれらに相補的な配列から選択される少なくとも１２個の連続したヌクレオチドを含むヌクレオチドプローブが、相当する染色体を同定するために用いられる。ヌクレオチドプローブは、例えば放射性、蛍光、ビオチン化または化学発光標識を用いて標識され、選定された特定の標識に適した既知の方法により検出される。ヌクレオチドプローブを中期染色体の調製物とハイブリダイズするためのプロトコルも、当該技術分野で既知である。ヌクレオチドプローブは、プローブのヌクレオチド配列と相補的である染色体調製物中のヌクレオチド配列と特異的にハイブリダイズする。標的遺伝子と特異的にハイブリダイズするプローブは、非関連コード配列を用いて提供されるバックグラウンドハイブリダイゼーションより少なくとも５倍、１０倍または２０倍高い検出シグナルを提供する。
【０２７８】
核酸は、例えば放射線ハイブリッドまたは染色体特異的ハイブリッドパネルを用いて特定の染色体にマッピングされる（Ｌｅａｃｈ ｅｔ ａｌ．， Ａｄｖａｎｃｅｓ
ｉｎ Ｇｅｎｅｔｉｃｓ， （１９９５） ３３：６３−９９； Ｗａｌｔｅｒ ｅｔ ａｌ．， Ｎａｔｕｒｅ Ｇｅｎｅｔｉｃｓ （１９９４） ７：２２−２８；
Ｗａｌｔｅｒ
ａｎｄ Ｇｏｏｄｆｅｌｌｏｗ， Ｔｒｅｎｄｓ ｉｎ Ｇｅｎｅｔｉｃｓ （１９９２） ９：３５２参照）。放射線ハイブリッドマッピングに関するパネルは、Ｒｅｓｅａｒｃｈ
Ｇｅｎｅｔｉｃｓ， Ｉｎｃ．， Ｈｕｎｔｓｖｉｌｌｅ， Ａｌａｂａｍａ， ＵＳＡから入手可能である。種々のパネルを用いたマーカーに関するデータベースは、ｈｔｔｐ：／Ｆ／ｓｈｇｃ−ｗｗｗ．ｓｔａｎｆｏｒｄ．ｅｄｕおよびその他のロケーションでワールドワイドウェブを経由して利用可能である。統計プログラムＲＨＭＡＰは、あるオーダー対別のオーダーの相対的見込みの測定により放射線ハイブリダイゼーションからのデータに基づいたマップを構築するために用いられ、ＲＨＭＡＰは、ｈｔｔｐ：／／ｗｗｗ．ｓｐｈ．ｕｍｉｃｈ．ｅｄｕ／ｇｒｏｕｐ／ｓｔａｔｇｅｎ／ｓｏｆｔｗａｒｅでワールドワイドウェブを経由して利用可能である。
【０２７９】
このようなマッピングは、既知の機能を有する他の遺伝子に対するその近接性により標的遺伝子の機能を同定するのに有用であり得る。機能は、特定の症候群または疾患が同一染色体に位置する場合、標的遺伝子に割り当てられ得る。
【０２８０】
組織プロファイリング
本発明の核酸は、所定試料が得られる組織型を決定するために用いられ得る。例えば転移性病変は、その器官または組織の特定のマーカーの発現を同定することにより、その発達した器官または組織源により同定される。核酸が特定組織型においてのみ発現され、転移性病変がその核酸を発現することが見出された場合には、病変の発生源は同定された。特定核酸の発現は、相当するｍＲＮＡまたはタンパク質産物の検出によりアッセイされる。免疫学的方法、例えば抗体染色を用いて、特定タンパク質産物を検出し得る。ハイブリダイゼーション法は、特定ｍＲＮＡ種を検出するために用いられ、その例としては、例えばｉｎ
ｓｉｔｕハイブリダイゼーションおよびノーザンブロットが挙げられるが、これらに限定されない。
【０２８１】
多型の使用
遺伝子の相当する領域がヒト集団において多型である場合、核酸は、討論学、遺伝子分析、マッピングおよび診断的用途に有用である。特定の多型形態の核酸を用いて、疑わしいものに由来すると試料を同定するか、あるいは試料が疑わしいものに由来する可能性を除外し得る。遺伝子における多型を検出するための任意の手段が用いられ、その例としてはタンパク質多型変異体の電気泳動、制限酵素切断に対するディファレンシャルな感受性および対立遺伝子特異的プローブとのハイブリダイゼーションが挙げられるが、これらに限定されない。
【０２８２】
Ｂ．抗体を産生するための核酸およびコードポリペプチドの使用
核酸の発現産物、相当するｍＲＮＡまたはｃＤＮＡ、あるいは相当する完全遺伝子は、実験、診断および治療目的のために抗体を産生するために調製され、用いられる。相当する遺伝子が割り当てられていない核酸に関しては、これは、相当する遺伝子を同定するための付加的方法を提供する。核酸または関連ｃＤＮＡは、上記と同様に発現され、抗体が調製される。これらの抗体はコードポリペプチド上のエピトープに対して特異的であり、細胞または組織調製物中で、あるいはｉｎ  ｖｉｔｒｏ発現系の無細胞抽出物中で、相当する天然タンパク質を沈殿させるかまたはそれと結合し得る。
【０２８３】
抗体を産生するための免疫原は、本発明の核酸にコードされるポリペプチドをアジュバントと混合することにより調製される。あるいはポリペプチドは、大型免疫原性タンパク質との融合タンパク質として作製される。ポリペプチドは、他の大型免疫原性タンパク質、例えばスカシガイヘモシアニンとも共有結合される。免疫原は、典型的には皮内に、皮下にまたは筋肉内に投与される。免疫原は、実験動物、例えばウサギ、ヒツジおよびマウスに投与されて、抗体を生成する。任意に、動物脾臓細胞が単離され、骨髄腫細胞と融合されて、モノクローナル抗体を分泌するハイブリドーマを形成する。このような方法は、当該技術分野で既知である。当該技術分野で既知の別の方法によれば、核酸は直接的に、例えば筋肉内注射により投与されて、ｉｎ
ｖｉｖｏで発現される。発現タンパク質は、タンパク質の投与に匹敵する種々のタンパク質特異的免疫応答、例えば抗体産生を生じる。
【０２８４】
核酸コードタンパク質およびポリペプチドに特異的なポリクローナルおよびモノクローナル抗体の調製は、当該技術分野で既知の標準方法を用いてなされる。抗体は、配列番号１〜４４７０、４４７２、４４７４、４４７６、４４７８、４４８０、４４８２、４４８４、４４８６、４４８８、４４９０、４４９２および４４９４、好ましくは配列番号１〜１１０３、よりいっそう好ましくは配列番号１〜５０３、よりいっそう好ましくは配列番号４４７２、４４７４、４４７６、４４７８、４４８０、４４８２、４４８４、４４８６、４４８８、４４９０、４４９２および４４９４の核酸またはそれらに相補的な配列にコードされるポリペプチド中に存在するエピトープと特異的に結合する。好ましい実施形態では、抗体は、配列番号４４７１、４４７３、４４７５、４４７７、４４７９、４４８１、４４８３、４４８５、４４８７、４４８９、４４９１および４４９３のポリペプチド上のエピトープと結合する。典型的には、エピトープを形成するためには少なくとも約６個、８個、１０個または１２個の連続したアミノ酸が必要とされる。しかしながら、非連続アミノ酸を包含するエピトープは、より多くの、例えば少なくとも約１５個、２５個または５０個のアミノ酸を要する。その場合、既知のタンパク質との交差反応性に関する可能性のために、短い配列のアミノ酸は、相当する新規タンパク質を同定するために抗体を産生するためのエピトープとして用いるのに適していないことがある。しかしながら抗体は、特にそれらが既知のタンパク質および本発明の核酸にコードされる新規のポリペプチドの共通の構造的特徴を同定する場合、他の目的のために有用であり得る。
【０２８５】
ヒト核酸コードポリペプチドと特異的に結合する抗体は、ウエスタンブロットまたはその他の免疫化学的アッセイに用いられる場合、他のタンパク質を用いて提供される検出シグナルより少なくとも約５倍、１０倍または２０倍高い検出シグナルを提供するはずである。好ましくは、核酸Ｔコードポリペプチドと特異的に結合する抗体は免疫化学的アッセイにおいて他のタンパク質を検出せず、溶液から核酸コードタンパク質を免疫沈降し得る。
【０２８６】
ヒト集団における核酸コードポリペプチドに対する血清抗体の存在に関して試験するために、ヒト抗体が当該技術分野で既知の方法により精製される。好ましくは抗体は、核酸コードタンパク質、ポリペプチドまたは融合タンパク質が結合されるカラム上に抗血清を通すことにより、アフィニティー精製される。結合抗体は次に、例えば高塩濃度を有する緩衝液を用いてカラムから溶離され得る。
【０２８７】
上記の抗体のほかに、遺伝子操作した抗体誘導体、例えば一本鎖抗体が作製される。
【０２８８】
抗体は、当該技術分野で既知の標準プロトコルを用いて作製され得る（例えばＡｎｔｉｂｏｄｉｅｓ： Ａ Ｌａｂｏｒａｔｏｒｙ Ｍａｎｕａｌ ｅｄ． Ｂｙ
Ｈａｒｌｏｗ ａｎｄ Ｌａｎｅ （Ｃｏｌｄ Ｓｐｒｉｎｇ Ｈａｒｂｏｒ Ｐｒｅｓｓ： １９８８）参照）。哺乳類、例えばマウス、ハムスターまたはウサギは、免疫原形態のペプチド（例えば抗体応答を引き出すことが可能な哺乳類ポリペプチドまたは抗原性断片、あるいは上記のような融合タンパク質）を用いて免疫感作され得る。
【０２８９】
一態様において、本発明は、対象ポリペプチドが結腸直腸組織または腫瘍組織、特に結腸癌組織または結腸癌由来細胞系中で高度に発現されることを示すモノクローナル抗体を包含する。したがって一実施形態において、本発明は、概して、特に結腸癌に対する診断としての対象ポリペプチドの発現の分析のための診断ツールを提供する。
【０２９０】
タンパク質またはペプチドに免疫原性を付与するための技法としては、担体への結合または当該技術分野で既知の他の技法が挙げられる。タンパク質の免疫原性部分は、アジュバントの存在下で投与され得る。免疫感作の進行は、血漿または血清中の抗体力価の検出によりモニタリングされ得る。標準ＥＬＩＳＡまたはその他のイムノアッセイが抗原としての免疫原とともに用いられて、抗体のレベルを査定し得る。好ましい実施形態では、対象抗体は、哺乳類のタンパク質の抗原決定基、例えば配列番号１〜４４７０、４４７２、４４７４、４４７６、４４７８、４４８０、４４８２、４４８４、４４８６、４４８８、４４９０、４４９２および４４９４または密接に関連する相同体（例えば少なくとも９０％同一、さらに好ましくは少なくとも９５％同一）のうちの１つにコードされるタンパク質の抗原決定基に対して免疫特異的である。
【０２９１】
ポリペプチドの抗原性調製物による動物の免疫感作後、抗血清が得られ、所望により、血清からポリクローナル抗体が単離される。モノクローナル抗体を産生するためには、抗体産生細胞（リンパ球）が免疫感作動物から収穫され、骨髄腫細胞のような不死化細胞を用いた標準体細胞融合手法により融合されて、ハイブリドーマ細胞を生じる。このような技法は当該技術分野で既知であり、その例としては、例えばハイブリドーマ技法（初めは、Ｋｏｈｌｅｒ
ａｎｄ Ｍｉｌｓｔｅｉｎ， （１９７５） Ｎａｔｕｒｅ， ２５６：４９５−４９７により開発された）、ヒトＢ細胞ハイブリドーマ技法（Ｋｏｚｂａｒ ｅｔ ａｌ．，
（１９８３） Ｉｍｍｕｎｏｌｏｇｙ Ｔｏｄａｙ， ４：７２）、ならびにヒトモノクローナル抗体を産生するためのＥＢＶハイブリドーマ技法（Ｃｏｌｅ ｅｔ ａｌ．，
（１９８５） Ｍｏｎｏｃｌｏｎａｌ Ａｎｔｉｂｏｄｉｅｓ ａｎｄ Ｃａｎｃｅｒ Ｔｈｅｒａｐｙ， Ａｌａｎ Ｒ． Ｌｉｓｓ， Ｉｎｃ． ｐｐ． ７７−９６）が挙げられる。ハイブリドーマ細胞は、本発明のポリペプチドと特異的に反応する抗体の産生のために免疫化学的にスクリーニングされ、モノクローナル抗体が、このようなハイブリドーマ細胞を含む培養から単離される。
【０２９２】
抗体という用語は、本明細書中で用いる場合、対象ポリペプチドの１つと特異的に反応性であるその断片を包含するよう意図される。抗体は慣用的技法を用いて断片化され、断片は、全抗体に関して上記されたのと同様の方法で、有用性に関してスクリーニングされる。例えばＦ（ａｂ）２断片は、ペプシンで抗体を処理することにより生成され得る。その結果生じるＦ（ａｂ）２断片は、ジスルフィド架橋を還元するよう処理されて、Ｆａｂ断片を生成し得る。本発明の抗体はさらに、二重特異的一本鎖、ならびに抗体の少なくとも１つのＣＤＲ領域により付与されるポリペプチドに対する親和性を有するキメラおよびヒト化分子を包含するよう意図される。好ましい実施形態では、抗体はさらに、それに付着された標識を含み、検出され得る（例えば標識は、放射性同位元素、蛍光化合物、化学発光化合物、酵素または酵素補因子であり得る）。
【０２９３】
抗体は、例えば被験体が異常タンパク質レベルに関連した疾患または状態、例えば結腸癌を有するか否かを決定するために、あるいはこのような障害に冒された個体に対する所定の治療レジメンの効力の決定を可能にするために、個体におけるタンパク質レベルをモニタリングするために用いられ得る。ポリペプチドのレベルは、体液中、例えば血液試料中の細胞から測定され得る。
【０２９４】
本発明の抗体の別の用途は、ｇｔｌ１、ｇｔｌ８−２３、ＺＡＰおよびＯＲＦ８のような発現ベクター中に構築されたｃＤＮＡライブラリーの免疫学的スクリーニングにおいてである。正しいリーディングフレームおよび配向で挿入されたコード配列を有するこの種類のメッセンジャーライブラリーは、融合タンパク質を生成し得る。例えばｇｔｌ１は、そのアミノ末端がβ−ガラクトシダーゼアミノ酸配列からなり、そのカルボキシル末端が外来ポリペプチドからなる融合タンパク質を生成する。次に、例えば感染プレートから取り外されたニトロセルロースフィルターを抗体と反応させると、タンパク質の抗原エピトープ、例えば特定のタンパク質の他のオルトログまたは同一種からの他のパラログが抗体を用いて検出され得る。次に、このアッセイにより検出された陽性ファージが感染プレートから単離され得る。このようにして相同体の存在は、ヒトからのアイソフォーム（例えばスプライシング変異体）を変え得るので、他の動物から検出され、クローンニングされ得る。
【０２９５】
別の実施形態では、モノクローナル抗体のパネルが用いられ得るが、この場合、エピトープ包含機能の各々は、モノクローナル抗体により表される。パネル中のモノクローナル抗体の結合の損失または摂動は、タンパク質の、したがって相当する遺伝子の突然変異性配慮を示す。
【０２９６】
Ｃ．ディファレンシャルな発現
本発明は、ヒトにおける異常または疾患組織を同定するための方法も提供する。上記のようなタンパク質ファミリーのプロフィールに相当する核酸に関しては、推定生物学的機能により組織の選択が決定される。特定の核酸に相当する遺伝子の発現は、罹患が疑われる第１の組織とヒトの第２の正常組織との間で比較される。正常組織は、ヒトの任意の組織、特に標的遺伝子を発現するものであり、その例としては脳、胸腺、精巣、心臓、前立腺、胎盤、脾臓、小腸、骨格筋、膵臓および結腸の粘膜内層が挙げられるが、これらに限定されない。
【０２９７】
異常または罹患が疑われる組織は、ヒトの異なる組織型から得られるが、好ましくはそれは同一組織型から得られる。例えば腸ポリープまたはその他の異常増殖は、正常腸組織と比較されるべきである。例えば分子量、アミノ酸またはヌクレオチド配列、あるいは相対存在量において比較される２つの組織中の標的遺伝子、ｍＲＮＡまたはタンパク質間の差は、罹患が疑われたヒトの組織中の遺伝子の、またはそれを調節する遺伝子の変化を示す。
【０２９８】
２つの組織中の標的遺伝子は、当該技術分野で既知の任意の手段により比較される。例えば２つの遺伝子はシーケンシングされ、罹患が疑われる組織中の遺伝子の配列が正常組織中の遺伝子配列と比較される。２つの組織中の標的遺伝子またはその一部分は、例えば、ポリメラーゼ連鎖反応を用いて、配列表に示されたヌクレオチド配列を基礎にしたヌクレオチドプライマーを用いて増幅される。増幅遺伝子または遺伝子の一部分は、配列番号１〜４４９４で示された相当するヌクレオチド配列から選択されるヌクレオチドプローブとハイブリダイズされる。正常ヌクレオチド配列と比較した場合の罹患が疑われる組織中の標的遺伝子のヌクレオチド配列における差は、疾患における核酸コードタンパク質の役割を示唆し、治療薬を調製するためのきっかけを提供する。ヌクレオチドプローブは、種々の方法により、例えば放射能標識、ビオチン化、あるいは蛍光または化学発光タグを用いた標識により標識され、当該技術分野で既知の標準方法により検出される。
【０２９９】
あるいは２つの組織中の標的ｍＲＮＡが比較される。ポリＡ＋ＲＮＡが、当該技術分野で既知のように２つの組織から単離される。例えば、ノーザンブロット、および配列表に示されたヌクレオチド配列から選択されるヌクレオチドプローブを用いて、２つの組織間の標的ｍＲＮＡ転写体のサイズまたは量の差を当業者は容易に決定し得る。正常組織中の同一標的ｍＲＮＡの発現と比較した場合の、罹患が疑われる組織試料中の標的ＲＮＡの発現の増大または低減は、発現タンパク質が疾患においてある役割を有することを示唆し、治療薬を調製するためのきっかけも提供する。
【０３００】
タンパク質を分析するための任意の方法を用いて、適合試料からの２つの核酸コードタンパク質を比較する。２つの組織中のタンパク質のサイズは、例えば本発明の抗体を用いて比較されて、２つの組織からのタンパク質抽出物のウエスタンブロットにおいて核酸コードタンパク質を検出する。他の変化、例えば発現レベルまたは亜細胞性局在化も、相当するタンパク質に対する抗体を用いて免疫学的に検出され得る。正常組織中の同一核酸コードタンパク質発現レベルと比較した場合の、罹患が疑われる組織中の核酸コードタンパク質発現のより高いまたはより低いレベルは、発現タンパク質が疾患においてある役割を有することを示し、治療薬を調製するための別のきっかけを提供する。
【０３０１】
同様に、罹患が疑われるヒト組織とヒトの正常組織との間の遺伝子配列の、または遺伝子発現産物の、例えばｍＲＮＡまたはタンパク質の比較を用いて、ヒトにおける疾患進行または寛解を追跡する。遺伝子、ｍＲＮＡまたはタンパク質のこのような比較は、上記のようになされる。
【０３０２】
例えば腫瘍性であることが疑われる組織中の標的遺伝子の発現の増大または低減は、組織中の腫瘍性細胞の存在を示し得る。正常組織中の遺伝子の発現と比較した場合の腫瘍性組織中の標的遺伝子の発現増大の程度、あるいは長時間に及ぶ腫瘍性組織中の標的遺伝子の発現増大の量の差を用いて、その組織における腫瘍形成の進行を査定し、あるいは長時間に及ぶ治療プロトコルに対する腫瘍性組織の応答をモニタリングする。
【０３０３】
任意の２つの細胞型の、例えば低および高転移性腫瘍細胞系、あるいは治療薬に曝露された、または曝露されたことのない組織からの細胞の発現パターンが比較され得る。胎児組織中の標的遺伝子、ｍＲＮＡまたはタンパク質を、正常標的遺伝子、ｍＲＮＡまたはタンパク質と比較することにより、ヒトにおける疾患に対する遺伝的素因が検出される。この目的のために用いられる胎児組織としては、羊水、絨毛膜絨毛、血液およびｉｎ  ｖｉｔｒｏ受精胚の卵割球が挙げられるが、これらに限定されない。匹敵する正常標的遺伝子は、任意の組織から得られる。ｍＲＮＡまたはタンパク質は、標的遺伝子が発現されるヒトの正常組織から得られる。ヌクレオチド配列あるいは胎児標的遺伝子またはｍＲＮＡのサイズにおける変化、あるいは分子量、アミノ酸配列または胎児標的タンパク質の相対存在量における変化といった差異は、胎児の標的遺伝子における生殖細胞系列突然変異を示し、これは疾患に対する遺伝的素因を示す。
【０３０４】
好ましい実施形態では、配列番号１〜４４７０、４４７２、４４７４、４４７６、４４７８、４４８０、４４８２、４４８４、４４８６、４４８８、４４９０、４４９２および４４９４の１つまたは複数の配列を含む核酸マクロアレイを用いて、上記のように正常細胞または組織中の同一配列の発現と比較した場合の癌性細胞または組織中の核酸配列のディファレンシャルな発現を評価し得る。好ましくはこのような配列は、正常細胞または組織と比較して、癌性細胞または組織中では少なくとも３倍、ディファレンシャルに発現される。より具体的には、本発明は、正常患者試料と比較して少なくとも３倍、癌性結腸細胞／組織中でディファレンシャルに発現される配列番号４４７２、４４７４、４４７６、４４７８、４４８０、４４８２、４４８４、４４８６、４４８８、４４９０、４４９２および４４９４の完全長配列を提供する。したがって配列番号４４７２、４４７４、４４７６、４４７８、４４８０、４４８２、４４８４、４４８６、４４８８、４４９０、４４９２および４４９４の配列、ならびにコードされるポリペプチド（それぞれ配列番号４４７１、４４７３、４４７５、４４７７、４４７９、４４８１、４４８３、４４８５、４４８７、４４８９、４４９１および４４９３）は、患者における結腸癌に関して同定し、スクリーニングするための有益な診断マーカーとして役立つ。
【０３０５】
Ｄ．ペプチド類縁体およびアンタゴニストに関してスクリーニングするための核酸およびコードポリペプチドの使用
当該核酸、例えば配列番号１〜４４７０、４４７２、４４７４、４４７６、４４７８、４４８０、４４８２、４４８４、４４８６、４４８８、４４９０、４４９２および４４９４、好ましくは配列番号１〜１１０３、よりいっそう好ましくは配列番号１〜５０３、最も好ましくは配列番号４４７２、４４７４、４４７６、４４７８、４４８０、４４８２、４４８４、４４８６、４４８８、４４９０、４４９２および４４９４、またはそれらに相補的な配列、ならびに相当する完全長遺伝子にコードされるポリペプチドを用いて、ペプチドライブラリーをスクリーニングして、コードポリペプチドの間から結合相手、例えば受容体を同定し得る。好ましくは配列番号４４７１、４４７３、４４７５、４４７７、４４７９、４４８１、４４８３、４４８５、４４８７、４４８９、４４９１および４４９３のポリペプチドを用いて、結合相手に関してスクリーニングし得る。
【０３０６】
ペプチドのライブラリーは、米国特許第５，０１０，１７５号およびＰＣＴ  国際公開第９１／１７８２３に開示された方法にしたがって合成され得る。以下で簡単に説明されるように、ペプチドの混合物を調製し、次にこれをスクリーニングして、所望のシグナル伝達および受容体結合活性を示すペプチドを同定する。特許‘１７５の方法では、適切なペプチド合成支持体（例えば樹脂）は、適切に保護した活性化アミノ酸の混合物に結合される。反応混合物中の各アミノ酸の濃度は、生成物が、出発樹脂に結合されたアミノ酸の等モル混合物であるよう、そのカップリング反応速度に逆比例して平衡または調整される。次に、結合アミノ酸を脱保護化し、別の平衡アミノ酸混合物と反応させて、すべての考え得るジペプチドの等モル混合物を形成する。所望長（例えば六量体）のペプチドの混合物が生成されるまで、この過程が反復される。各工程にすべてのアミノ酸を包含する必要はない、すなわち、いくつかの段階では１つまたは２つのアミノ酸だけを包含し（例えば特定のアミノ酸が所定位置に不可欠であることが既知である場合）、したがって混合物の複雑さを低減し得る、ということに留意されたい。ペプチドライブラリーの合成が完了した後、選定ポリペプチドとの結合に関して、ペプチドの混合物がスクリーニングされる。ペプチドは次に、活性を阻害または強化するそれらの能力に関して試験される。所望の活性を示すペプチドは次に、単離され、シーケンシングされる。
【０３０７】
国際公開第９１／１７８２３に記載された方法は同様である。しかしながら、合成樹脂と活性化アミノ酸の混合物とを反応させる代わりに、樹脂は２０の等部分に（またはその段階で添加される異なるアミノ酸の数に相当する多数の部分に）分けられ、各アミノ酸は樹脂のその部分に別々に結合される。樹脂部分は次に、併合され、混合され、第２のアミノ酸との反応のために再び多数の等部分に分けられる。このようにして、各反応は容易に完了するよう強いられる。さらに、各段階ですべての樹脂を併合するというよりむしろ、並行して部分を処理することにより、別個の「サブプール」を保持し得る。これは、ペプチドが任意の観察された受容体結合またはシグナル伝達活性に寄与するか否かを決定する過程を簡素化する。
【０３０８】
このような場合、例えば各々１〜２，０００個の候補を含有するサブプールは、１つまたは複数の本発明のポリペプチドに曝露される。陽性結果を生じる各サブプールは、その後、例えば２０〜１００個の候補を含有するより小さいサブプール（サブ−サブプール）の一群として再合成され、再アッセイされる。陽性サブ−サブプールは、個々の化合物として再合成され、最後に高結合定数を示すペプチドを決定するためにアッセイされる。これらのペプチドは、天然活性を阻害または強化するそれらの能力に関して試験され得る。国際公開第９１／１７８２３および米国特許第５，１９４，３９２号（これらの記載内容は、参照により本明細書中に援用される）に記載された方法は、すべての合成および再合成が日常的に実施され得るよう、並行して自動技法によりこのようなプールおよびサブプールの調製を可能にする。
【０３０９】
ペプチドアゴニストまたはアンタゴニストは、任意の利用可能な方法、例えばシグナル伝達、抗体結合、受容体結合、分裂促進アッセイ、走化性アッセイ等を用いてスクリーニングされる。本明細書中に記載された方法が、目下好ましい。アッセイ条件は、理想的には、天然活性がｉｎ  ｖｉｖｏで示される条件、すなわち生理学的ｐＨ、温度およびイオン強度下での条件に類似すべきである。適切なアゴニストまたはアンタゴニストは、被験体において有毒副作用を引き起こさない濃度で強度の天然活性の阻害または強化を示すであろう。天然ポリペプチドとの結合に関して競合するアゴニストまたはアンタゴニストは天然濃度と等しいかまたはそれより高い濃度を要し得るが、一方、ポリペプチドと不可逆的に結合可能な阻害剤は、天然濃度のオーダーの濃度で付加され得る。
【０３１０】
このようなスクリーニングおよび実験の最終結果は、本発明の核酸にコードされる少なくとも１つの新規のポリペプチド結合相手、例えば受容体、ならびに新規の結合相手の少なくとも１つのペプチドアゴニストまたはアンタゴニストである。このようなアゴニストおよびアンタゴニストは、受容体が自然である細胞における、あるいは遺伝子操作した結果として受容体を保有する細胞における受容体機能を調整、強化、または阻害するために用いられ得る。さらに、新規の受容体が既知の受容体と生物学的に重要な特徴を共有する場合、アゴニスト／アンタゴニスト結合についての情報は、既知の受容体の改良型アゴニスト／アンタゴニストを開発するのに役立ち得る。
【０３１１】
本発明の実施は、別記しない限り、細胞生物学、細胞培養、分子生物学、トランスジェニック生物学、微生物学、組換えＤＮＡおよび免疫学の慣用的技術（これらは当該技術分野の技能内である）を用いる。このような技術は、文献中で十分に説明されている（例えばＭｏｌｅｃｕｌａｒ
Ｃｌｏｎｉｎｇ， Ａ Ｌａｂｏｒａｔｏｒｙ Ｍａｎｕａｌ， ２ｎｄ Ｅｄ．， ｅｄ． ｂｙ Ｓａｍｂｒｏｏｋ， Ｆｒｉｔｓｃｈ ａｎｄ
Ｍａｎｉａｔｉｓ（Ｃｏｌｄ Ｓｐｒｉｎｇ Ｈａｒｂｏｒ Ｌａｂｏｒａｔｏｒｙ Ｐｒｅｓｓ： １９８９）； ＤＮＡ Ｃｌｏｎｉｎｇ， Ｖｏｌｕｍｅｓ Ｉ ａｎｄ
ＩＩ（Ｄ．Ｎ． Ｇｌｏｖｅｒ ｅｄ．， １９８５）； Ｏｌｉｇｏｎｕｃｌｅｏｔｉｄｅ Ｓｙｎｔｈｓｉｓ（Ｍ．Ｊ． Ｇａｉｔ ｅｄ．， １９８４）； 米国特許第４，６８３，１９５号（Ｍｕｌｌｉｓ等）；Ｎｕｃｌｅｉｃ
Ａｃｉｄ Ｈｙｂｒｉｄｉｚａｔｉｏｎ （Ｂ．Ｄ． Ｈａｍｅｓ ＆ Ｓ．Ｊ． Ｈｉｇｇｉｎｓ ｅｄｓ．
１９８４）； Ｔｒａｎｓｃｒｉｐｔｉｏｎ Ａｎｄ Ｔｒａｎｓｌａｔｉｏｎ （Ｂ．Ｄ．Ｈａｍｅｓ ＆ Ｓ．Ｊ．Ｈｉｇｇｉｎｓｅｄｓ．
１９８４）；Ｃｕｌｔｕｒｅ Ｏｆ Ａｎｉｍａｌ Ｃｅｌｌｓ （Ｒ．Ｉ． Ｆｒｅｓｈｎｅｙ， Ａｌａｎ Ｒ． Ｌｉｓｓ， Ｉｎｃ．， １９８７）；Ｉｍｍｏｂｉｌｉｚｅｄ Ｃｅｌｌｓ Ａｎｄ Ｅｎｚｙｍｅｓ （ＩＲＬ Ｐｒｅｓｓ， １９８６）； Ｂ． Ｐｅｒｂａｌ， Ａ Ｐｒａｃｔｉｃａｌ Ｇｕｉｄｅ
Ｔｏ Ｍｏｌｅｃｕｌａｒ Ｃｌｏｎｉｎｇ （１９８４）； ｔｈｅ ｔｒｅａｔｉｓｅ， Ｍｅｔｈｏｄｓ ｉｎ Ｅｎｚｙｍｏｌｏｇｙ（Ａｃａｄｅｍｉｃ
Ｐｒｅｓｓ， Ｉｎｃ．， Ｎ．Ｙ．）； Ｇｅｎｅ Ｔｒａｎｓｆｅｒ Ｖｅｃｔｏｒｓ Ｆｏｒ Ｍａｍｍａｌｉａｎ Ｃｅｌｌｓ （Ｊ．Ｈ． Ｍｉｌｌｅｒ ａｎｄ
Ｍ．Ｐ． Ｃａｌｏｓ ｅｄｓ．， １９８７， Ｃｏｌｄ Ｓｐｒｉｎｇ Ｈａｒｂｏｒ Ｌａｂｏｒａｔｏｒｙ）； Ｍｅｔｈｏｄｓ Ｉｎ Ｅｎｚｙｍｏｌｏｇｙ，
Ｖｏｌｓ． １５４ ａｎｄ １５５ （Ｗｕ ｅｔ ａｌ． ｅｄｓ．）， Ｉｍｍｕｎｏｃｈｅｍｉｃａｌ Ｍｅｔｈｏｄｓ Ｉｎ Ｃｅｌｌ Ａｎｄ
Ｍｏｌｅｃｕｌａｒ Ｂｉｏｌｏｇｙ （Ｍａｙｅｒ ａｎｄ Ｗａｌｋｅｒ， ｅｄｓ．， Ａｃａｄｅｍｉｃ Ｐｒｅｓｓ， Ｌｏｎｄｏｎ， １９８７）；
Ｈａｎｄｂｏｏｋ Ｏｆ Ｅｘｐｅｒｉｍｅｎｔａｌ Ｉｍｍｕｎｏｌｏｇｙ， Ｖｏｌｕｍｅｓ Ｉ−ＩＶ（Ｄ．Ｍ．
Ｗｅｉｒ ａｎｄ Ｃ．Ｃ． Ｂｌａｃｋｗｅｌｌ， ｅｄｓ．， １９８６）； Ｍａｎｉｐｕｌａｔｉｎｇ ｔｈｅ Ｍｏｕｓｅ Ｅｍｂｒｙｏ， （Ｃｏｌｄ
Ｓｐｒｉｎｇ Ｈａｒｂｏｒ Ｌａｂｏｒａｔｏｒｙ Ｐｒｅｓｓ， Ｃｏｌｄ Ｓｐｒｉｎｇ Ｈａｒｂｏｒ Ｎ．Ｙ．， １９８６）参照）。
【０３１２】
上記のように、本明細書中に記載された配列は、結腸癌に関して特別な有用性を有すると考えられる。しかしながらそれらは、他の種類の癌および他の疾患状態に関しても有用であり得る。
【０３１３】
特に有益な実施形態を記述する以下の実施例を参照することにより、ここで本発明を例証する。しかしながら、これらの実施形態は例証的であって、いかなる点においても本発明を制限するよう意図されないことに留意されたい。
【０３１４】
ＸＩ．実施例
Ａ．ディファレンシャルな発現配列の同定
ライブラリーの説明
配列番号１〜４４７０は、以下で簡単に説明されるような、添付の表（表１）中の１０１、１０２、１０３、１０４、１０９、１１０、１１１および１１２と称されるライブラリーから得た。例えば１０１ライブラリーは、標準化した結腸癌特異的な差し引き（ｓｕｂｔｒａｃｔｅｄ）ｃＤＮＡライブラリーである。それは結腸癌中［近位および遠位Ｄｕｋｅｓ’Ｂ、マイクロサテライト不安定陰性（ＭＳＩ−）］で発現されるが、しかし正常結腸組織を含めた正常組織中では発現されない配列に特異的である。１０２ライブラリーは、標準化した結腸特異的な差し引きｃＤＮＡライブラリーである。それは正常結腸組織中で発現されるが、しかし他の正常組織中では発現されない配列に特異的である。残りのライブラリーの特徴は、表１に記載されている。
【０３１５】
【表１】ライブラリー名称および説明
2004528810.tif 000003
【０３１６】
標準化および差し引きｃＤＮＡライブラリーの構築
公開された手法（Ｄａｉｔｃｈｅｎｋｏ ｅｔ ａｌ．， １９９６ ＰＮＡＳ ９３：６０２５−６０３０， Ｇｕｒｓｋａｙａ ｅｔａｌ．， １９９６ Ａｎａｌｙｔｉｃａｌ Ｂｉｏｃｈｅｍｉｓｔｒｙ ２４０：９０−９７）にしたがって、標準化および差し引きｃＤＮＡライブラリーを構築した。ＣｌｏｎｔｅｃｈＬａｂｏｒａｔｏｒｉｅｓ，
Ｉｎｃ．， Ｐａｌｏ
Ａｌｔｏ， Ｃａｌｉｆｏｒｎｉａからの市販キットを利用した（ＣｌｏｎｔｅｃｈＳＭＡＲＴ
ｃＤＮＡ合成キット、カタログ番号Ｋ１０５２−１およびＣｌｏｎｔｅｃｈＰＣＲ−セレクトｃＤＮＡ差し引きキット、カタログ番号Ｋ１８０４−１）。各差し引きライブラリーに関しては、特定のまたは「テスター」ｃＤＮＡは、一緒にプールされた４つの同様の試料型からの増幅ｃＤＮＡで構成された。同様に、参照または「ドライバー」ｃＤＮＡは、表１に示したような試料型のプールで構成された。差し引き過程中、テスターに独特の遺伝子または転写体を保持し、テスターおよびドライバーの両方に共通の遺伝子または転写体を除去する。したがって原則として、差し引きライブラリー中に存在するクローンは、テスター中で発現（または過剰発現）されるが、しかしドライバー中では発現されない（過小発現される）遺伝子または転写体を示す。テスターおよびドライバー物質を逆にした逆差し引きライブラリーも構築した。これらのライブラリーのみを利用して、標識した標的を調製した（以下参照）。
【０３１７】
ライブラリーを構築するために、ＣｌｏｎｔｅｃｈＳＭＡＲＴ  ｃＤＮＡ合成キットを用いて、各試料からの１μｇの全ＲＮＡを代表的に増幅した。増幅ｃＤＮＡを精製し、プールして、その後のライブラリー構築のために用いられる個々のテスターおよびドライバー試料を作製した。標準化および差し引きライブラリーを構築するために、ＣｌｏｎｔｅｃｈＰＣＲ−セレクトｃＤＮＡ差し引きキットを利用した。各差し引き実験のために、４５倍の過剰質量のドライバーｃＤＮＡ（４５０ナノグラム）を用いた。テスターとドライバーｃＤＮＡとの差し引きハイブリダイゼーションを、２回、毎回８〜１２時間実施した。差し引き癌特異的ｃＤＮＡをｐＣＲ２．１−ＴＯＰＯプラスミドベクター（ＩｎｖｉｔｒｏｇｅｎＣｏｒｐｏｒａｔｉｏｎ，
Ｃａｒｌｓｂａｄ、 ＣＡ）に連結し、超適格性Ｅｐｉｃｕｒｉａｎ大腸菌ＸＬ１Ｏ−Ｇｏｌｄ細胞（Ｓｔｒａｔａｇｅｎｅ， Ｌａ Ｊｏｌｌａ， ＣＡ）中で化学的に形質転換した。ＩＰＴＧおよびＸ−ｇａｌを含有するＬＢ−アンピシリンプレート上で形質転換細胞を平板培養した。クローン化挿入物を有するものを示す個々の白色コロニーを摘み取って、ＬＢ−アンピシリンブロス中で一夜増殖させた。ＱＩＡｐｒｅｐ９６Ｔｕｒｂｏキット（Ｑｉａｇｅｎ，
Ｖａｌｅｎｃｉａ， ＣＡ）を用いて、プラスミドＤＮＡを精製した。
【０３１８】
クローンのシーケンシング
サンガーシーケンシング法による蛍光標識ジデオキシヌクレオチドを用いてＴ７またはＭ１３プロモーター部位からの１回シーケンシングにより、クローンからの挿入物のヌクレオチド配列を決定した。個々のクローンのヌクレオチド配列を、テキストに記載された方法にしたがってＢｌａｓｔ２ホモロジー検索により、公的データベース（ＧｅｎＢａｎｋ、ｄｂＥＳＴ、Ｇｅｎｅｓｅｑ）中の配列と比較した。
【０３１９】
差し引きライブラリーの作製に用いたｃＤＮＡを、約６００塩基対の平均サイズを有する断片を生じる４塩基切断体制限エンドヌクレアーゼであるＲｓａＩで制限したため、上記のライブラリーからの個々のクローン由来の配列は、部分ｍＲＮＡ転写体からの配列を示す。
【０３２０】
本発明の核酸に、配列同定番号（図１参照）を割り当てた。添付の配列表に核酸配列を提示する。
【０３２１】
結腸癌におけるディファレンシャルな発現の検証
このライブラリーに見出されるディファレンシャルな発現配列が結腸癌に特異的であることを検証するために、プラスミドＤＮＡからの挿入物を、ベクター特異的プライマーを用いてＰＣＲにより増幅した。増幅産物をナイロン膜上に整列させ、差し引きライブラリーｃＤＮＡならびに相当する逆差し引きｃＤＮＡライブラリーから調製した３３Ｐ−標識ｃＤＮＡとハイブリダイズさせた。各膜アレイは、約３，４５６クローンを含む。以下の表３に示すように、生成された４つのこのような膜は、表１に示したクローンライブラリーを含む。
【０３２２】
【表３】
2004528810.tif 000004
【０３２３】
当業者に既知のさらに上記した技法を用いて、４つの膜の組を、ヒト結腸癌組織から得た３２Ｐ標識標的核酸分子とハイブリダイズさせる。次に、同一組の膜を、正常ヒト結腸組織から得た３２Ｐ標識標的核酸分子とハイブリダイズさせる。その後、癌膜上のハイブリダイゼーション産物のシグナルを正常膜上のシグナルと比較する。結腸癌対正常における配列の発現の差を示す少なくとも３倍というハイブリダイゼーションの差異は、ディファレンシャルな発現を示すと考えられる。
【０３２４】
この検証技法を用いて、配列番号４４７２、４４７４、４４７６、４４７８、４４８０、４４８２、４４８４、４４８６、４４８８、４４９０、４４９２および４４９４の完全長ｃＤＮＡ配列は、正常結腸組織と比較して、結腸癌において有意にディファレンシャルに発現されると同定された。
【０３２５】
慣例より少ない実験を用いて、多くが、本明細書中に記載した本発明の特定の実施形態と等価であると当業者は認識し、あるいは確証し得る。このような特定の実施形態および等価物は特許請求の範囲に包含されるよう意図される。
【０３２６】
本明細書中で引用された特許、公開特許出願および刊行物はすべて、それらの記載内容が参照により本明細書中に援用される。
【図面の簡単な説明】
【図１】
配列番号１〜４４７０の核酸配列を表す。
【図２】
配列番号４４７２、４４７４、４４７６、４４７８、４４８０、４４８２、４４８４、４４８６、４４８８、４４９０、４４９２、および４４９４の核酸配列を表す。
【図３】
配列番号４４７１、４４７３、４４７５、４４７７、４４７９、４４８１、４４８３、４４８５、４４８７、４４８９、４４９１、および４４９３のアミノ酸配列を表す。
【配列表】
2004528810.tif 000005
2004528810.tif 000006
2004528810.tif 000007
2004528810.tif 000008
2004528810.tif 000009
2004528810.tif 000010
2004528810.tif 000011
2004528810.tif 000012
2004528810.tif 000013
2004528810.tif 000014
2004528810.tif 000015
2004528810.tif 000016
2004528810.tif 000017
2004528810.tif 000018
2004528810.tif 000019
2004528810.tif 000020
2004528810.tif 000021
2004528810.tif 000022
2004528810.tif 000023
2004528810.tif 000024
2004528810.tif 000025
2004528810.tif 000026
2004528810.tif 000027
2004528810.tif 000028
2004528810.tif 000029
2004528810.tif 000030
2004528810.tif 000031
2004528810.tif 000032
2004528810.tif 000033
2004528810.tif 000034
2004528810.tif 000035
2004528810.tif 000036
2004528810.tif 000037
2004528810.tif 000038
2004528810.tif 000039
2004528810.tif 000040
2004528810.tif 000041
2004528810.tif 000042
2004528810.tif 000043
2004528810.tif 000044
2004528810.tif 000045
2004528810.tif 000046
2004528810.tif 000047
2004528810.tif 000048
2004528810.tif 000049
2004528810.tif 000050
2004528810.tif 000051
2004528810.tif 000052
2004528810.tif 000053
2004528810.tif 000054
2004528810.tif 000055
2004528810.tif 000056
2004528810.tif 000057
2004528810.tif 000058
2004528810.tif 000059
2004528810.tif 000060
2004528810.tif 000061
2004528810.tif 000062
2004528810.tif 000063
2004528810.tif 000064
2004528810.tif 000065
2004528810.tif 000066
2004528810.tif 000067
2004528810.tif 000068
2004528810.tif 000069
2004528810.tif 000070
2004528810.tif 000071
2004528810.tif 000072
2004528810.tif 000073
2004528810.tif 000074
2004528810.tif 000075
2004528810.tif 000076
2004528810.tif 000077
2004528810.tif 000078
2004528810.tif 000079
2004528810.tif 000080
2004528810.tif 000081
2004528810.tif 000082
2004528810.tif 000083
2004528810.tif 000084
2004528810.tif 000085
2004528810.tif 000086
2004528810.tif 000087
2004528810.tif 000088
2004528810.tif 000089
2004528810.tif 000090
2004528810.tif 000091
2004528810.tif 000092
2004528810.tif 000093
2004528810.tif 000094
2004528810.tif 000095
2004528810.tif 000096
2004528810.tif 000097
2004528810.tif 000098
2004528810.tif 000099
2004528810.tif 000100
2004528810.tif 000101
2004528810.tif 000102
2004528810.tif 000103
2004528810.tif 000104
2004528810.tif 000105
2004528810.tif 000106
2004528810.tif 000107
2004528810.tif 000108
2004528810.tif 000109
2004528810.tif 000110
2004528810.tif 000111
2004528810.tif 000112
2004528810.tif 000113
2004528810.tif 000114
2004528810.tif 000115
2004528810.tif 000116
2004528810.tif 000117
2004528810.tif 000118
2004528810.tif 000119
2004528810.tif 000120
2004528810.tif 000121
2004528810.tif 000122
2004528810.tif 000123
2004528810.tif 000124
2004528810.tif 000125
2004528810.tif 000126
2004528810.tif 000127
2004528810.tif 000128
2004528810.tif 000129
2004528810.tif 000130
2004528810.tif 000131
2004528810.tif 000132
2004528810.tif 000133
2004528810.tif 000134
2004528810.tif 000135
2004528810.tif 000136
2004528810.tif 000137
2004528810.tif 000138
2004528810.tif 000139
2004528810.tif 000140
2004528810.tif 000141
2004528810.tif 000142
2004528810.tif 000143
2004528810.tif 000144
2004528810.tif 000145
2004528810.tif 000146
2004528810.tif 000147
2004528810.tif 000148
2004528810.tif 000149
2004528810.tif 000150
2004528810.tif 000151
2004528810.tif 000152
2004528810.tif 000153
2004528810.tif 000154
2004528810.tif 000155
2004528810.tif 000156
2004528810.tif 000157
2004528810.tif 000158
2004528810.tif 000159
2004528810.tif 000160
2004528810.tif 000161
2004528810.tif 000162
2004528810.tif 000163
2004528810.tif 000164
2004528810.tif 000165
2004528810.tif 000166
2004528810.tif 000167
2004528810.tif 000168
2004528810.tif 000169
2004528810.tif 000170
2004528810.tif 000171
2004528810.tif 000172
2004528810.tif 000173
2004528810.tif 000174
2004528810.tif 000175
2004528810.tif 000176
2004528810.tif 000177
2004528810.tif 000178
2004528810.tif 000179
2004528810.tif 000180
2004528810.tif 000181
2004528810.tif 000182
2004528810.tif 000183
2004528810.tif 000184
2004528810.tif 000185
2004528810.tif 000186
2004528810.tif 000187
2004528810.tif 000188
2004528810.tif 000189
2004528810.tif 000190
2004528810.tif 000191
2004528810.tif 000192
2004528810.tif 000193
2004528810.tif 000194
2004528810.tif 000195
2004528810.tif 000196
2004528810.tif 000197
2004528810.tif 000198
2004528810.tif 000199
2004528810.tif 000200
2004528810.tif 000201
2004528810.tif 000202
2004528810.tif 000203
2004528810.tif 000204
2004528810.tif 000205
2004528810.tif 000206
2004528810.tif 000207
2004528810.tif 000208
2004528810.tif 000209
2004528810.tif 000210
2004528810.tif 000211
2004528810.tif 000212
2004528810.tif 000213
2004528810.tif 000214
2004528810.tif 000215
2004528810.tif 000216
2004528810.tif 000217
2004528810.tif 000218
2004528810.tif 000219
2004528810.tif 000220
2004528810.tif 000221
2004528810.tif 000222
2004528810.tif 000223
2004528810.tif 000224
2004528810.tif 000225
2004528810.tif 000226
2004528810.tif 000227
2004528810.tif 000228
2004528810.tif 000229
2004528810.tif 000230
2004528810.tif 000231
2004528810.tif 000232
2004528810.tif 000233
2004528810.tif 000234
2004528810.tif 000235
2004528810.tif 000236
2004528810.tif 000237
2004528810.tif 000238
2004528810.tif 000239
2004528810.tif 000240
2004528810.tif 000241
2004528810.tif 000242
2004528810.tif 000243
2004528810.tif 000244
2004528810.tif 000245
2004528810.tif 000246
2004528810.tif 000247
2004528810.tif 000248
2004528810.tif 000249
2004528810.tif 000250
2004528810.tif 000251
2004528810.tif 000252
2004528810.tif 000253
2004528810.tif 000254
2004528810.tif 000255
2004528810.tif 000256
2004528810.tif 000257
2004528810.tif 000258
2004528810.tif 000259
2004528810.tif 000260
2004528810.tif 000261
2004528810.tif 000262
2004528810.tif 000263
2004528810.tif 000264
2004528810.tif 000265
2004528810.tif 000266
2004528810.tif 000267
2004528810.tif 000268
2004528810.tif 000269
2004528810.tif 000270
2004528810.tif 000271
2004528810.tif 000272
2004528810.tif 000273
2004528810.tif 000274
2004528810.tif 000275
2004528810.tif 000276
2004528810.tif 000277
2004528810.tif 000278
2004528810.tif 000279
2004528810.tif 000280
2004528810.tif 000281
2004528810.tif 000282
2004528810.tif 000283
2004528810.tif 000284
2004528810.tif 000285
2004528810.tif 000286
2004528810.tif 000287
2004528810.tif 000288
2004528810.tif 000289
2004528810.tif 000290
2004528810.tif 000291
2004528810.tif 000292
2004528810.tif 000293
2004528810.tif 000294
2004528810.tif 000295
2004528810.tif 000296
2004528810.tif 000297
2004528810.tif 000298
2004528810.tif 000299
2004528810.tif 000300
2004528810.tif 000301
2004528810.tif 000302
2004528810.tif 000303
2004528810.tif 000304
2004528810.tif 000305
2004528810.tif 000306
2004528810.tif 000307
2004528810.tif 000308
2004528810.tif 000309
2004528810.tif 000310
2004528810.tif 000311
2004528810.tif 000312
2004528810.tif 000313
2004528810.tif 000314
2004528810.tif 000315
2004528810.tif 000316
2004528810.tif 000317
2004528810.tif 000318
2004528810.tif 000319
2004528810.tif 000320
2004528810.tif 000321
2004528810.tif 000322
2004528810.tif 000323
2004528810.tif 000324
2004528810.tif 000325
2004528810.tif 000326
2004528810.tif 000327
2004528810.tif 000328
2004528810.tif 000329
2004528810.tif 000330
2004528810.tif 000331
2004528810.tif 000332
2004528810.tif 000333
2004528810.tif 000334
2004528810.tif 000335
2004528810.tif 000336
2004528810.tif 000337
2004528810.tif 000338
2004528810.tif 000339
2004528810.tif 000340
2004528810.tif 000341
2004528810.tif 000342
2004528810.tif 000343
2004528810.tif 000344
2004528810.tif 000345
2004528810.tif 000346
2004528810.tif 000347
2004528810.tif 000348
2004528810.tif 000349
2004528810.tif 000350
2004528810.tif 000351
2004528810.tif 000352
2004528810.tif 000353
2004528810.tif 000354
2004528810.tif 000355
2004528810.tif 000356
2004528810.tif 000357
2004528810.tif 000358
2004528810.tif 000359
2004528810.tif 000360
2004528810.tif 000361
2004528810.tif 000362
2004528810.tif 000363
2004528810.tif 000364
2004528810.tif 000365
2004528810.tif 000366
2004528810.tif 000367
2004528810.tif 000368
2004528810.tif 000369
2004528810.tif 000370
2004528810.tif 000371
2004528810.tif 000372
2004528810.tif 000373
2004528810.tif 000374
2004528810.tif 000375
2004528810.tif 000376
2004528810.tif 000377
2004528810.tif 000378
2004528810.tif 000379
2004528810.tif 000380
2004528810.tif 000381
2004528810.tif 000382
2004528810.tif 000383
2004528810.tif 000384
2004528810.tif 000385
2004528810.tif 000386
2004528810.tif 000387
2004528810.tif 000388
2004528810.tif 000389
2004528810.tif 000390
2004528810.tif 000391
2004528810.tif 000392
2004528810.tif 000393
2004528810.tif 000394
2004528810.tif 000395
2004528810.tif 000396
2004528810.tif 000397
2004528810.tif 000398
2004528810.tif 000399
2004528810.tif 000400
2004528810.tif 000401
2004528810.tif 000402
2004528810.tif 000403
2004528810.tif 000404
2004528810.tif 000405
2004528810.tif 000406
2004528810.tif 000407
2004528810.tif 000408
2004528810.tif 000409
2004528810.tif 000410
2004528810.tif 000411
2004528810.tif 000412
2004528810.tif 000413
2004528810.tif 000414
2004528810.tif 000415
2004528810.tif 000416
2004528810.tif 000417
2004528810.tif 000418
2004528810.tif 000419
2004528810.tif 000420
2004528810.tif 000421
2004528810.tif 000422
2004528810.tif 000423
2004528810.tif 000424
2004528810.tif 000425
2004528810.tif 000426
2004528810.tif 000427
2004528810.tif 000428
2004528810.tif 000429
2004528810.tif 000430
2004528810.tif 000431
2004528810.tif 000432
2004528810.tif 000433
2004528810.tif 000434
2004528810.tif 000435
2004528810.tif 000436
2004528810.tif 000437
2004528810.tif 000438
2004528810.tif 000439
2004528810.tif 000440
2004528810.tif 000441
2004528810.tif 000442
2004528810.tif 000443
2004528810.tif 000444
2004528810.tif 000445
2004528810.tif 000446
2004528810.tif 000447
2004528810.tif 000448
2004528810.tif 000449
2004528810.tif 000450
2004528810.tif 000451
2004528810.tif 000452
2004528810.tif 000453
2004528810.tif 000454
2004528810.tif 000455
2004528810.tif 000456
2004528810.tif 000457
2004528810.tif 000458
2004528810.tif 000459
2004528810.tif 000460
2004528810.tif 000461
2004528810.tif 000462
2004528810.tif 000463
2004528810.tif 000464
2004528810.tif 000465
2004528810.tif 000466
2004528810.tif 000467
2004528810.tif 000468
2004528810.tif 000469
2004528810.tif 000470
2004528810.tif 000471
2004528810.tif 000472
2004528810.tif 000473
2004528810.tif 000474
2004528810.tif 000475
2004528810.tif 000476
2004528810.tif 000477
2004528810.tif 000478
2004528810.tif 000479
2004528810.tif 000480
2004528810.tif 000481
2004528810.tif 000482
2004528810.tif 000483
2004528810.tif 000484
2004528810.tif 000485
2004528810.tif 000486
2004528810.tif 000487
2004528810.tif 000488
2004528810.tif 000489
2004528810.tif 000490
2004528810.tif 000491
2004528810.tif 000492
2004528810.tif 000493
2004528810.tif 000494
2004528810.tif 000495
2004528810.tif 000496
2004528810.tif 000497
2004528810.tif 000498
2004528810.tif 000499
2004528810.tif 000500
2004528810.tif 000501
2004528810.tif 000502
2004528810.tif 000503
2004528810.tif 000504
2004528810.tif 000505
2004528810.tif 000506
2004528810.tif 000507
2004528810.tif 000508
2004528810.tif 000509
2004528810.tif 000510
2004528810.tif 000511
2004528810.tif 000512
2004528810.tif 000513
2004528810.tif 000514
2004528810.tif 000515
2004528810.tif 000516
2004528810.tif 000517
2004528810.tif 000518
2004528810.tif 000519
2004528810.tif 000520
2004528810.tif 000521
2004528810.tif 000522
2004528810.tif 000523
2004528810.tif 000524
2004528810.tif 000525
2004528810.tif 000526
2004528810.tif 000527
2004528810.tif 000528
2004528810.tif 000529
2004528810.tif 000530
2004528810.tif 000531
2004528810.tif 000532
2004528810.tif 000533
2004528810.tif 000534
2004528810.tif 000535
2004528810.tif 000536
2004528810.tif 000537
2004528810.tif 000538
2004528810.tif 000539
2004528810.tif 000540
2004528810.tif 000541
2004528810.tif 000542
2004528810.tif 000543
2004528810.tif 000544
2004528810.tif 000545
2004528810.tif 000546
2004528810.tif 000547
2004528810.tif 000548
2004528810.tif 000549
2004528810.tif 000550
2004528810.tif 000551
2004528810.tif 000552
2004528810.tif 000553
2004528810.tif 000554
2004528810.tif 000555
2004528810.tif 000556
2004528810.tif 000557
2004528810.tif 000558
2004528810.tif 000559
2004528810.tif 000560
2004528810.tif 000561
2004528810.tif 000562
2004528810.tif 000563
2004528810.tif 000564
2004528810.tif 000565
2004528810.tif 000566
2004528810.tif 000567
2004528810.tif 000568
2004528810.tif 000569
2004528810.tif 000570
2004528810.tif 000571
2004528810.tif 000572
2004528810.tif 000573
2004528810.tif 000574
2004528810.tif 000575
2004528810.tif 000576
2004528810.tif 000577
2004528810.tif 000578
2004528810.tif 000579
2004528810.tif 000580
2004528810.tif 000581
2004528810.tif 000582
2004528810.tif 000583
2004528810.tif 000584
2004528810.tif 000585
2004528810.tif 000586
2004528810.tif 000587
2004528810.tif 000588
2004528810.tif 000589
2004528810.tif 000590
2004528810.tif 000591
2004528810.tif 000592
2004528810.tif 000593
2004528810.tif 000594
2004528810.tif 000595
2004528810.tif 000596
2004528810.tif 000597
2004528810.tif 000598
2004528810.tif 000599
2004528810.tif 000600
2004528810.tif 000601
2004528810.tif 000602
2004528810.tif 000603
2004528810.tif 000604
2004528810.tif 000605
2004528810.tif 000606
2004528810.tif 000607
2004528810.tif 000608
2004528810.tif 000609
2004528810.tif 000610
2004528810.tif 000611
2004528810.tif 000612
2004528810.tif 000613
2004528810.tif 000614
2004528810.tif 000615
2004528810.tif 000616
2004528810.tif 000617
2004528810.tif 000618
2004528810.tif 000619
2004528810.tif 000620
2004528810.tif 000621
2004528810.tif 000622
2004528810.tif 000623
2004528810.tif 000624
2004528810.tif 000625
2004528810.tif 000626
2004528810.tif 000627
2004528810.tif 000628
2004528810.tif 000629
2004528810.tif 000630
2004528810.tif 000631
2004528810.tif 000632
2004528810.tif 000633
2004528810.tif 000634
2004528810.tif 000635
2004528810.tif 000636
2004528810.tif 000637
2004528810.tif 000638
2004528810.tif 000639
2004528810.tif 000640
2004528810.tif 000641
2004528810.tif 000642
2004528810.tif 000643
2004528810.tif 000644
2004528810.tif 000645
2004528810.tif 000646
2004528810.tif 000647
2004528810.tif 000648
2004528810.tif 000649
2004528810.tif 000650
2004528810.tif 000651
2004528810.tif 000652
2004528810.tif 000653
2004528810.tif 000654
2004528810.tif 000655
2004528810.tif 000656
2004528810.tif 000657
2004528810.tif 000658
2004528810.tif 000659
2004528810.tif 000660
2004528810.tif 000661
2004528810.tif 000662
2004528810.tif 000663
2004528810.tif 000664
2004528810.tif 000665
2004528810.tif 000666
2004528810.tif 000667
2004528810.tif 000668
2004528810.tif 000669
2004528810.tif 000670
2004528810.tif 000671
2004528810.tif 000672
2004528810.tif 000673
2004528810.tif 000674
2004528810.tif 000675
2004528810.tif 000676
2004528810.tif 000677
2004528810.tif 000678
2004528810.tif 000679
2004528810.tif 000680
2004528810.tif 000681
2004528810.tif 000682
2004528810.tif 000683
2004528810.tif 000684
2004528810.tif 000685
2004528810.tif 000686
2004528810.tif 000687
2004528810.tif 000688
2004528810.tif 000689
2004528810.tif 000690
2004528810.tif 000691
2004528810.tif 000692
2004528810.tif 000693
2004528810.tif 000694
2004528810.tif 000695
2004528810.tif 000696
2004528810.tif 000697
2004528810.tif 000698
2004528810.tif 000699
2004528810.tif 000700
2004528810.tif 000701
2004528810.tif 000702
2004528810.tif 000703
2004528810.tif 000704
2004528810.tif 000705
2004528810.tif 000706
2004528810.tif 000707
2004528810.tif 000708
2004528810.tif 000709
2004528810.tif 000710
2004528810.tif 000711
2004528810.tif 000712
2004528810.tif 000713
2004528810.tif 000714
2004528810.tif 000715
2004528810.tif 000716
2004528810.tif 000717
2004528810.tif 000718
2004528810.tif 000719
2004528810.tif 000720
2004528810.tif 000721
2004528810.tif 000722
2004528810.tif 000723
2004528810.tif 000724
2004528810.tif 000725
2004528810.tif 000726
2004528810.tif 000727
2004528810.tif 000728
2004528810.tif 000729
2004528810.tif 000730
2004528810.tif 000731
2004528810.tif 000732
2004528810.tif 000733
2004528810.tif 000734
2004528810.tif 000735
2004528810.tif 000736
2004528810.tif 000737
2004528810.tif 000738
2004528810.tif 000739
2004528810.tif 000740
2004528810.tif 000741
2004528810.tif 000742
2004528810.tif 000743
2004528810.tif 000744
2004528810.tif 000745
2004528810.tif 000746
2004528810.tif 000747
2004528810.tif 000748
2004528810.tif 000749
2004528810.tif 000750
2004528810.tif 000751
2004528810.tif 000752
2004528810.tif 000753
2004528810.tif 000754
2004528810.tif 000755
2004528810.tif 000756
2004528810.tif 000757
2004528810.tif 000758
2004528810.tif 000759
2004528810.tif 000760
2004528810.tif 000761
2004528810.tif 000762
2004528810.tif 000763
2004528810.tif 000764
2004528810.tif 000765
2004528810.tif 000766
2004528810.tif 000767
2004528810.tif 000768
2004528810.tif 000769
2004528810.tif 000770
2004528810.tif 000771
2004528810.tif 000772
2004528810.tif 000773
2004528810.tif 000774
2004528810.tif 000775
2004528810.tif 000776
2004528810.tif 000777
2004528810.tif 000778
2004528810.tif 000779
2004528810.tif 000780
2004528810.tif 000781
2004528810.tif 000782
2004528810.tif 000783
2004528810.tif 000784
2004528810.tif 000785
2004528810.tif 000786
2004528810.tif 000787
2004528810.tif 000788
2004528810.tif 000789
2004528810.tif 000790
2004528810.tif 000791
2004528810.tif 000792
2004528810.tif 000793
2004528810.tif 000794
2004528810.tif 000795
2004528810.tif 000796
2004528810.tif 000797
2004528810.tif 000798
2004528810.tif 000799
2004528810.tif 000800
2004528810.tif 000801
2004528810.tif 000802
2004528810.tif 000803
2004528810.tif 000804
2004528810.tif 000805
2004528810.tif 000806
2004528810.tif 000807
2004528810.tif 000808
2004528810.tif 000809
2004528810.tif 000810
2004528810.tif 000811
2004528810.tif 000812
2004528810.tif 000813
2004528810.tif 000814
2004528810.tif 000815
2004528810.tif 000816
2004528810.tif 000817
2004528810.tif 000818
2004528810.tif 000819
2004528810.tif 000820
2004528810.tif 000821
2004528810.tif 000822
2004528810.tif 000823
2004528810.tif 000824
2004528810.tif 000825
2004528810.tif 000826
2004528810.tif 000827
2004528810.tif 000828
2004528810.tif 000829
2004528810.tif 000830
2004528810.tif 000831
2004528810.tif 000832
2004528810.tif 000833
2004528810.tif 000834
2004528810.tif 000835
2004528810.tif 000836
2004528810.tif 000837
2004528810.tif 000838
2004528810.tif 000839
2004528810.tif 000840
2004528810.tif 000841
2004528810.tif 000842
2004528810.tif 000843
2004528810.tif 000844
2004528810.tif 000845
2004528810.tif 000846
2004528810.tif 000847
2004528810.tif 000848
2004528810.tif 000849
2004528810.tif 000850
2004528810.tif 000851
2004528810.tif 000852
2004528810.tif 000853
2004528810.tif 000854
2004528810.tif 000855
2004528810.tif 000856
2004528810.tif 000857
2004528810.tif 000858
2004528810.tif 000859
2004528810.tif 000860
2004528810.tif 000861
2004528810.tif 000862
2004528810.tif 000863
2004528810.tif 000864
2004528810.tif 000865
2004528810.tif 000866
2004528810.tif 000867
2004528810.tif 000868
2004528810.tif 000869
2004528810.tif 000870
2004528810.tif 000871
2004528810.tif 000872
2004528810.tif 000873
2004528810.tif 000874
2004528810.tif 000875
2004528810.tif 000876
2004528810.tif 000877
2004528810.tif 000878
2004528810.tif 000879
2004528810.tif 000880
2004528810.tif 000881
2004528810.tif 000882
2004528810.tif 000883
2004528810.tif 000884
2004528810.tif 000885
2004528810.tif 000886
2004528810.tif 000887
2004528810.tif 000888
2004528810.tif 000889
2004528810.tif 000890
2004528810.tif 000891
2004528810.tif 000892
2004528810.tif 000893
2004528810.tif 000894
2004528810.tif 000895
2004528810.tif 000896
2004528810.tif 000897
2004528810.tif 000898
2004528810.tif 000899
2004528810.tif 000900
2004528810.tif 000901
2004528810.tif 000902
2004528810.tif 000903
2004528810.tif 000904
2004528810.tif 000905
2004528810.tif 000906
2004528810.tif 000907
2004528810.tif 000908
2004528810.tif 000909
2004528810.tif 000910
2004528810.tif 000911
2004528810.tif 000912
2004528810.tif 000913
2004528810.tif 000914
2004528810.tif 000915
2004528810.tif 000916
2004528810.tif 000917
2004528810.tif 000918
2004528810.tif 000919
2004528810.tif 000920
2004528810.tif 000921
2004528810.tif 000922
2004528810.tif 000923
2004528810.tif 000924
2004528810.tif 000925
2004528810.tif 000926
2004528810.tif 000927
2004528810.tif 000928
2004528810.tif 000929
2004528810.tif 000930
2004528810.tif 000931
2004528810.tif 000932
2004528810.tif 000933
2004528810.tif 000934
2004528810.tif 000935
2004528810.tif 000936
2004528810.tif 000937
2004528810.tif 000938
2004528810.tif 000939
2004528810.tif 000940
2004528810.tif 000941
2004528810.tif 000942
2004528810.tif 000943
2004528810.tif 000944
2004528810.tif 000945
2004528810.tif 000946
2004528810.tif 000947
2004528810.tif 000948
2004528810.tif 000949
2004528810.tif 000950
2004528810.tif 000951
2004528810.tif 000952
2004528810.tif 000953
2004528810.tif 000954
2004528810.tif 000955
2004528810.tif 000956
2004528810.tif 000957
2004528810.tif 000958
2004528810.tif 000959
2004528810.tif 000960
2004528810.tif 000961
2004528810.tif 000962
2004528810.tif 000963
2004528810.tif 000964
2004528810.tif 000965
2004528810.tif 000966
2004528810.tif 000967
2004528810.tif 000968
2004528810.tif 000969
2004528810.tif 000970
2004528810.tif 000971
2004528810.tif 000972
2004528810.tif 000973
2004528810.tif 000974
2004528810.tif 000975
2004528810.tif 000976
2004528810.tif 000977
2004528810.tif 000978
2004528810.tif 000979
2004528810.tif 000980
2004528810.tif 000981
2004528810.tif 000982
2004528810.tif 000983
2004528810.tif 000984
2004528810.tif 000985
2004528810.tif 000986
2004528810.tif 000987
2004528810.tif 000988
2004528810.tif 000989
2004528810.tif 000990
2004528810.tif 000991
2004528810.tif 000992
2004528810.tif 000993
2004528810.tif 000994
2004528810.tif 000995
2004528810.tif 000996
2004528810.tif 000997
2004528810.tif 000998
2004528810.tif 000999
2004528810.tif 001000
2004528810.tif 001001
2004528810.tif 001002
2004528810.tif 001003
2004528810.tif 001004
2004528810.tif 001005
2004528810.tif 001006
2004528810.tif 001007
2004528810.tif 001008
2004528810.tif 001009
2004528810.tif 001010
2004528810.tif 001011
2004528810.tif 001012
2004528810.tif 001013
2004528810.tif 001014
2004528810.tif 001015
2004528810.tif 001016
2004528810.tif 001017
2004528810.tif 001018
2004528810.tif 001019
2004528810.tif 001020
2004528810.tif 001021
2004528810.tif 001022
2004528810.tif 001023
2004528810.tif 001024
2004528810.tif 001025
2004528810.tif 001026
2004528810.tif 001027
2004528810.tif 001028
2004528810.tif 001029
2004528810.tif 001030
2004528810.tif 001031
2004528810.tif 001032
2004528810.tif 001033
2004528810.tif 001034
2004528810.tif 001035
2004528810.tif 001036
2004528810.tif 001037
2004528810.tif 001038
2004528810.tif 001039
2004528810.tif 001040
2004528810.tif 001041
2004528810.tif 001042
2004528810.tif 001043
2004528810.tif 001044
2004528810.tif 001045
2004528810.tif 001046
2004528810.tif 001047
2004528810.tif 001048
2004528810.tif 001049
2004528810.tif 001050
2004528810.tif 001051
2004528810.tif 001052
2004528810.tif 001053
2004528810.tif 001054
2004528810.tif 001055
2004528810.tif 001056
2004528810.tif 001057
2004528810.tif 001058
2004528810.tif 001059
2004528810.tif 001060
2004528810.tif 001061
2004528810.tif 001062
2004528810.tif 001063
2004528810.tif 001064
2004528810.tif 001065
2004528810.tif 001066
2004528810.tif 001067
2004528810.tif 001068
2004528810.tif 001069
2004528810.tif 001070
2004528810.tif 001071
2004528810.tif 001072
2004528810.tif 001073
2004528810.tif 001074
2004528810.tif 001075
2004528810.tif 001076
2004528810.tif 001077
2004528810.tif 001078
2004528810.tif 001079
2004528810.tif 001080
2004528810.tif 001081
2004528810.tif 001082
2004528810.tif 001083
2004528810.tif 001084
2004528810.tif 001085
2004528810.tif 001086
2004528810.tif 001087
2004528810.tif 001088
2004528810.tif 001089
2004528810.tif 001090
2004528810.tif 001091
2004528810.tif 001092
2004528810.tif 001093
2004528810.tif 001094
2004528810.tif 001095
2004528810.tif 001096
2004528810.tif 001097
2004528810.tif 001098
2004528810.tif 001099
2004528810.tif 001100
2004528810.tif 001101
2004528810.tif 001102
2004528810.tif 001103
2004528810.tif 001104
2004528810.tif 001105
2004528810.tif 001106
2004528810.tif 001107
2004528810.tif 001108
2004528810.tif 001109
2004528810.tif 001110
2004528810.tif 001111
2004528810.tif 001112
2004528810.tif 001113
2004528810.tif 001114
2004528810.tif 001115
2004528810.tif 001116
2004528810.tif 001117
2004528810.tif 001118
2004528810.tif 001119
2004528810.tif 001120
2004528810.tif 001121
2004528810.tif 001122
2004528810.tif 001123
2004528810.tif 001124
2004528810.tif 001125
2004528810.tif 001126
2004528810.tif 001127
2004528810.tif 001128
2004528810.tif 001129
2004528810.tif 001130
2004528810.tif 001131
2004528810.tif 001132
2004528810.tif 001133
2004528810.tif 001134
2004528810.tif 001135
2004528810.tif 001136
2004528810.tif 001137
2004528810.tif 001138
2004528810.tif 001139
2004528810.tif 001140
2004528810.tif 001141
2004528810.tif 001142
2004528810.tif 001143
2004528810.tif 001144
2004528810.tif 001145
2004528810.tif 001146
2004528810.tif 001147
2004528810.tif 001148
2004528810.tif 001149
2004528810.tif 001150
2004528810.tif 001151
2004528810.tif 001152
2004528810.tif 001153
2004528810.tif 001154
2004528810.tif 001155
2004528810.tif 001156
2004528810.tif 001157
2004528810.tif 001158
2004528810.tif 001159
2004528810.tif 001160
2004528810.tif 001161
2004528810.tif 001162
2004528810.tif 001163
2004528810.tif 001164
2004528810.tif 001165
2004528810.tif 001166
2004528810.tif 001167
2004528810.tif 001168
2004528810.tif 001169
2004528810.tif 001170
2004528810.tif 001171
2004528810.tif 001172
2004528810.tif 001173
2004528810.tif 001174
2004528810.tif 001175
2004528810.tif 001176
2004528810.tif 001177
2004528810.tif 001178
2004528810.tif 001179
2004528810.tif 001180
2004528810.tif 001181
2004528810.tif 001182
2004528810.tif 001183
2004528810.tif 001184
2004528810.tif 001185
2004528810.tif 001186
2004528810.tif 001187
2004528810.tif 001188
2004528810.tif 001189
2004528810.tif 001190
2004528810.tif 001191
2004528810.tif 001192
2004528810.tif 001193
2004528810.tif 001194
2004528810.tif 001195
2004528810.tif 001196
2004528810.tif 001197
2004528810.tif 001198
2004528810.tif 001199
2004528810.tif 001200
2004528810.tif 001201
2004528810.tif 001202
2004528810.tif 001203
2004528810.tif 001204
2004528810.tif 001205
2004528810.tif 001206
2004528810.tif 001207
2004528810.tif 001208
2004528810.tif 001209
2004528810.tif 001210
2004528810.tif 001211
2004528810.tif 001212
2004528810.tif 001213
2004528810.tif 001214
2004528810.tif 001215
2004528810.tif 001216
2004528810.tif 001217
2004528810.tif 001218
2004528810.tif 001219
2004528810.tif 001220
2004528810.tif 001221
2004528810.tif 001222
2004528810.tif 001223
2004528810.tif 001224
2004528810.tif 001225
2004528810.tif 001226
2004528810.tif 001227
2004528810.tif 001228
2004528810.tif 001229
2004528810.tif 001230
2004528810.tif 001231
2004528810.tif 001232
2004528810.tif 001233
2004528810.tif 001234
2004528810.tif 001235
2004528810.tif 001236
2004528810.tif 001237
2004528810.tif 001238
2004528810.tif 001239
2004528810.tif 001240
2004528810.tif 001241
2004528810.tif 001242
2004528810.tif 001243
2004528810.tif 001244
2004528810.tif 001245
2004528810.tif 001246
2004528810.tif 001247
2004528810.tif 001248
2004528810.tif 001249
2004528810.tif 001250
2004528810.tif 001251
2004528810.tif 001252
2004528810.tif 001253
2004528810.tif 001254
2004528810.tif 001255
2004528810.tif 001256
2004528810.tif 001257
2004528810.tif 001258
2004528810.tif 001259
2004528810.tif 001260
2004528810.tif 001261
2004528810.tif 001262
2004528810.tif 001263
2004528810.tif 001264
2004528810.tif 001265
2004528810.tif 001266
2004528810.tif 001267
2004528810.tif 001268
2004528810.tif 001269
2004528810.tif 001270
2004528810.tif 001271
2004528810.tif 001272
2004528810.tif 001273
2004528810.tif 001274
2004528810.tif 001275
2004528810.tif 001276
2004528810.tif 001277
2004528810.tif 001278
2004528810.tif 001279
2004528810.tif 001280
2004528810.tif 001281
2004528810.tif 001282
2004528810.tif 001283
2004528810.tif 001284
2004528810.tif 001285
2004528810.tif 001286
2004528810.tif 001287
2004528810.tif 001288
2004528810.tif 001289
2004528810.tif 001290
2004528810.tif 001291
2004528810.tif 001292
2004528810.tif 001293
2004528810.tif 001294
2004528810.tif 001295
2004528810.tif 001296
2004528810.tif 001297
2004528810.tif 001298
2004528810.tif 001299
2004528810.tif 001300
2004528810.tif 001301
2004528810.tif 001302
2004528810.tif 001303
2004528810.tif 001304
2004528810.tif 001305
2004528810.tif 001306
2004528810.tif 001307
2004528810.tif 001308
2004528810.tif 001309
2004528810.tif 001310
2004528810.tif 001311
2004528810.tif 001312
2004528810.tif 001313
2004528810.tif 001314
2004528810.tif 001315
2004528810.tif 001316
2004528810.tif 001317
2004528810.tif 001318
2004528810.tif 001319
2004528810.tif 001320
2004528810.tif 001321
2004528810.tif 001322
2004528810.tif 001323
2004528810.tif 001324
2004528810.tif 001325
2004528810.tif 001326
2004528810.tif 001327
2004528810.tif 001328
2004528810.tif 001329
2004528810.tif 001330
2004528810.tif 001331
2004528810.tif 001332
2004528810.tif 001333
2004528810.tif 001334
2004528810.tif 001335
2004528810.tif 001336
2004528810.tif 001337
2004528810.tif 001338
2004528810.tif 001339
2004528810.tif 001340
2004528810.tif 001341
2004528810.tif 001342
2004528810.tif 001343
2004528810.tif 001344
2004528810.tif 001345
2004528810.tif 001346
2004528810.tif 001347
2004528810.tif 001348
2004528810.tif 001349
2004528810.tif 001350
2004528810.tif 001351
2004528810.tif 001352
2004528810.tif 001353
2004528810.tif 001354
2004528810.tif 001355
2004528810.tif 001356
2004528810.tif 001357
2004528810.tif 001358
2004528810.tif 001359
2004528810.tif 001360
2004528810.tif 001361
2004528810.tif 001362
2004528810.tif 001363
2004528810.tif 001364
2004528810.tif 001365
2004528810.tif 001366
2004528810.tif 001367
2004528810.tif 001368
2004528810.tif 001369
2004528810.tif 001370
2004528810.tif 001371
2004528810.tif 001372
2004528810.tif 001373
2004528810.tif 001374
2004528810.tif 001375
2004528810.tif 001376
2004528810.tif 001377
2004528810.tif 001378
2004528810.tif 001379
2004528810.tif 001380
2004528810.tif 001381
2004528810.tif 001382
2004528810.tif 001383
2004528810.tif 001384
2004528810.tif 001385
2004528810.tif 001386
2004528810.tif 001387
2004528810.tif 001388
2004528810.tif 001389
2004528810.tif 001390
2004528810.tif 001391
2004528810.tif 001392
2004528810.tif 001393
2004528810.tif 001394
2004528810.tif 001395
2004528810.tif 001396
2004528810.tif 001397
2004528810.tif 001398
2004528810.tif 001399
2004528810.tif 001400
2004528810.tif 001401
2004528810.tif 001402
2004528810.tif 001403
2004528810.tif 001404
2004528810.tif 001405
2004528810.tif 001406
2004528810.tif 001407
2004528810.tif 001408
2004528810.tif 001409
2004528810.tif 001410
2004528810.tif 001411
2004528810.tif 001412
2004528810.tif 001413
2004528810.tif 001414
2004528810.tif 001415
2004528810.tif 001416
2004528810.tif 001417
2004528810.tif 001418
2004528810.tif 001419
2004528810.tif 001420
2004528810.tif 001421
2004528810.tif 001422
2004528810.tif 001423
2004528810.tif 001424
2004528810.tif 001425
2004528810.tif 001426
2004528810.tif 001427
2004528810.tif 001428
2004528810.tif 001429
2004528810.tif 001430
2004528810.tif 001431
2004528810.tif 001432
2004528810.tif 001433
2004528810.tif 001434
2004528810.tif 001435
2004528810.tif 001436
2004528810.tif 001437
2004528810.tif 001438
2004528810.tif 001439
2004528810.tif 001440
2004528810.tif 001441
2004528810.tif 001442
2004528810.tif 001443
2004528810.tif 001444
2004528810.tif 001445
2004528810.tif 001446
2004528810.tif 001447
2004528810.tif 001448
2004528810.tif 001449
2004528810.tif 001450
2004528810.tif 001451
2004528810.tif 001452
2004528810.tif 001453
2004528810.tif 001454
2004528810.tif 001455
2004528810.tif 001456
2004528810.tif 001457
2004528810.tif 001458
2004528810.tif 001459
2004528810.tif 001460
2004528810.tif 001461
2004528810.tif 001462
2004528810.tif 001463
2004528810.tif 001464
2004528810.tif 001465
2004528810.tif 001466
2004528810.tif 001467
2004528810.tif 001468
2004528810.tif 001469
2004528810.tif 001470
2004528810.tif 001471
2004528810.tif 001472
2004528810.tif 001473
2004528810.tif 001474
2004528810.tif 001475
2004528810.tif 001476
2004528810.tif 001477
2004528810.tif 001478
2004528810.tif 001479
2004528810.tif 001480
2004528810.tif 001481
2004528810.tif 001482
2004528810.tif 001483
2004528810.tif 001484
2004528810.tif 001485
2004528810.tif 001486
2004528810.tif 001487
2004528810.tif 001488
2004528810.tif 001489
2004528810.tif 001490
2004528810.tif 001491
2004528810.tif 001492
2004528810.tif 001493
2004528810.tif 001494
2004528810.tif 001495
2004528810.tif 001496
2004528810.tif 001497
2004528810.tif 001498
2004528810.tif 001499
2004528810.tif 001500
2004528810.tif 001501
2004528810.tif 001502
2004528810.tif 001503
2004528810.tif 001504
2004528810.tif 001505
2004528810.tif 001506
2004528810.tif 001507
2004528810.tif 001508
2004528810.tif 001509
2004528810.tif 001510
2004528810.tif 001511
2004528810.tif 001512
2004528810.tif 001513
2004528810.tif 001514
2004528810.tif 001515
2004528810.tif 001516
2004528810.tif 001517
2004528810.tif 001518
2004528810.tif 001519
2004528810.tif 001520
2004528810.tif 001521
2004528810.tif 001522
2004528810.tif 001523
2004528810.tif 001524
2004528810.tif 001525
2004528810.tif 001526
2004528810.tif 001527
2004528810.tif 001528
2004528810.tif 001529
2004528810.tif 001530
2004528810.tif 001531
2004528810.tif 001532
2004528810.tif 001533
2004528810.tif 001534
2004528810.tif 001535
2004528810.tif 001536
2004528810.tif 001537
2004528810.tif 001538
2004528810.tif 001539
2004528810.tif 001540
2004528810.tif 001541
2004528810.tif 001542
2004528810.tif 001543
2004528810.tif 001544
2004528810.tif 001545
2004528810.tif 001546
2004528810.tif 001547
2004528810.tif 001548
2004528810.tif 001549
2004528810.tif 001550
2004528810.tif 001551
2004528810.tif 001552
2004528810.tif 001553
2004528810.tif 001554
2004528810.tif 001555
2004528810.tif 001556
2004528810.tif 001557
2004528810.tif 001558
2004528810.tif 001559
2004528810.tif 001560
2004528810.tif 001561
2004528810.tif 001562
2004528810.tif 001563
2004528810.tif 001564
2004528810.tif 001565
2004528810.tif 001566
2004528810.tif 001567
2004528810.tif 001568
2004528810.tif 001569
2004528810.tif 001570
2004528810.tif 001571
2004528810.tif 001572
2004528810.tif 001573
2004528810.tif 001574
2004528810.tif 001575
2004528810.tif 001576
2004528810.tif 001577
2004528810.tif 001578
2004528810.tif 001579
2004528810.tif 001580
2004528810.tif 001581
2004528810.tif 001582
2004528810.tif 001583
2004528810.tif 001584
2004528810.tif 001585
2004528810.tif 001586
2004528810.tif 001587
2004528810.tif 001588
2004528810.tif 001589
2004528810.tif 001590
2004528810.tif 001591
2004528810.tif 001592
2004528810.tif 001593
2004528810.tif 001594
2004528810.tif 001595
2004528810.tif 001596
2004528810.tif 001597
2004528810.tif 001598
2004528810.tif 001599
2004528810.tif 001600
2004528810.tif 001601
2004528810.tif 001602
2004528810.tif 001603
2004528810.tif 001604
2004528810.tif 001605
2004528810.tif 001606
2004528810.tif 001607
2004528810.tif 001608
2004528810.tif 001609
2004528810.tif 001610
2004528810.tif 001611
2004528810.tif 001612
2004528810.tif 001613
2004528810.tif 001614
2004528810.tif 001615
2004528810.tif 001616
2004528810.tif 001617
2004528810.tif 001618
2004528810.tif 001619
2004528810.tif 001620
2004528810.tif 001621
2004528810.tif 001622
2004528810.tif 001623
2004528810.tif 001624
2004528810.tif 001625
2004528810.tif 001626
2004528810.tif 001627
2004528810.tif 001628
2004528810.tif 001629
2004528810.tif 001630
2004528810.tif 001631
2004528810.tif 001632
2004528810.tif 001633
2004528810.tif 001634
2004528810.tif 001635
2004528810.tif 001636
2004528810.tif 001637
2004528810.tif 001638
2004528810.tif 001639
2004528810.tif 001640
2004528810.tif 001641
2004528810.tif 001642
2004528810.tif 001643
2004528810.tif 001644
2004528810.tif 001645
2004528810.tif 001646
2004528810.tif 001647
2004528810.tif 001648
2004528810.tif 001649
2004528810.tif 001650
2004528810.tif 001651
2004528810.tif 001652
2004528810.tif 001653
2004528810.tif 001654
2004528810.tif 001655
2004528810.tif 001656
2004528810.tif 001657
2004528810.tif 001658
2004528810.tif 001659
2004528810.tif 001660
2004528810.tif 001661
2004528810.tif 001662
2004528810.tif 001663
2004528810.tif 001664
2004528810.tif 001665
2004528810.tif 001666
2004528810.tif 001667
2004528810.tif 001668
2004528810.tif 001669
2004528810.tif 001670
2004528810.tif 001671
2004528810.tif 001672
2004528810.tif 001673
2004528810.tif 001674
2004528810.tif 001675
2004528810.tif 001676
2004528810.tif 001677
2004528810.tif 001678
2004528810.tif 001679
2004528810.tif 001680
2004528810.tif 001681
2004528810.tif 001682
2004528810.tif 001683
2004528810.tif 001684
2004528810.tif 001685
2004528810.tif 001686
2004528810.tif 001687
2004528810.tif 001688
2004528810.tif 001689
2004528810.tif 001690
2004528810.tif 001691
2004528810.tif 001692
2004528810.tif 001693
2004528810.tif 001694
2004528810.tif 001695
2004528810.tif 001696
2004528810.tif 001697
2004528810.tif 001698
2004528810.tif 001699
2004528810.tif 001700
2004528810.tif 001701
2004528810.tif 001702
2004528810.tif 001703
2004528810.tif 001704
2004528810.tif 001705
2004528810.tif 001706
2004528810.tif 001707
2004528810.tif 001708
2004528810.tif 001709
2004528810.tif 001710
2004528810.tif 001711
2004528810.tif 001712
2004528810.tif 001713
2004528810.tif 001714
2004528810.tif 001715
2004528810.tif 001716
2004528810.tif 001717
2004528810.tif 001718
2004528810.tif 001719
2004528810.tif 001720
2004528810.tif 001721
2004528810.tif 001722
2004528810.tif 001723
2004528810.tif 001724
2004528810.tif 001725
2004528810.tif 001726
2004528810.tif 001727
2004528810.tif 001728
2004528810.tif 001729
2004528810.tif 001730
2004528810.tif 001731
2004528810.tif 001732
2004528810.tif 001733
2004528810.tif 001734
2004528810.tif 001735
2004528810.tif 001736
2004528810.tif 001737
2004528810.tif 001738
2004528810.tif 001739
2004528810.tif 001740
2004528810.tif 001741
2004528810.tif 001742
2004528810.tif 001743
2004528810.tif 001744
2004528810.tif 001745
2004528810.tif 001746
2004528810.tif 001747
2004528810.tif 001748
2004528810.tif 001749
2004528810.tif 001750
2004528810.tif 001751
2004528810.tif 001752
2004528810.tif 001753
2004528810.tif 001754
2004528810.tif 001755
2004528810.tif 001756
2004528810.tif 001757
2004528810.tif 001758
2004528810.tif 001759
2004528810.tif 001760
2004528810.tif 001761
2004528810.tif 001762
2004528810.tif 001763
2004528810.tif 001764
2004528810.tif 001765
2004528810.tif 001766
2004528810.tif 001767
2004528810.tif 001768
2004528810.tif 001769
2004528810.tif 001770
2004528810.tif 001771
2004528810.tif 001772
2004528810.tif 001773
2004528810.tif 001774
2004528810.tif 001775
2004528810.tif 001776
2004528810.tif 001777
2004528810.tif 001778
2004528810.tif 001779
2004528810.tif 001780
2004528810.tif 001781
2004528810.tif 001782
2004528810.tif 001783
2004528810.tif 001784
2004528810.tif 001785
2004528810.tif 001786
2004528810.tif 001787
2004528810.tif 001788
2004528810.tif 001789
2004528810.tif 001790
2004528810.tif 001791
2004528810.tif 001792
2004528810.tif 001793
2004528810.tif 001794
2004528810.tif 001795
2004528810.tif 001796
2004528810.tif 001797
2004528810.tif 001798
2004528810.tif 001799
2004528810.tif 001800
2004528810.tif 001801
2004528810.tif 001802
2004528810.tif 001803
2004528810.tif 001804
2004528810.tif 001805
2004528810.tif 001806
2004528810.tif 001807
2004528810.tif 001808
2004528810.tif 001809
2004528810.tif 001810
2004528810.tif 001811
2004528810.tif 001812
2004528810.tif 001813
2004528810.tif 001814
2004528810.tif 001815
2004528810.tif 001816
2004528810.tif 001817
2004528810.tif 001818
2004528810.tif 001819
2004528810.tif 001820
2004528810.tif 001821
2004528810.tif 001822
2004528810.tif 001823
2004528810.tif 001824
2004528810.tif 001825
2004528810.tif 001826
2004528810.tif 001827
2004528810.tif 001828
2004528810.tif 001829
2004528810.tif 001830
2004528810.tif 001831
2004528810.tif 001832
2004528810.tif 001833
2004528810.tif 001834
2004528810.tif 001835
2004528810.tif 001836
2004528810.tif 001837
2004528810.tif 001838
2004528810.tif 001839
2004528810.tif 001840
2004528810.tif 001841
2004528810.tif 001842
2004528810.tif 001843
2004528810.tif 001844
2004528810.tif 001845
2004528810.tif 001846
2004528810.tif 001847
2004528810.tif 001848
2004528810.tif 001849
2004528810.tif 001850
2004528810.tif 001851
2004528810.tif 001852
2004528810.tif 001853
2004528810.tif 001854
2004528810.tif 001855
2004528810.tif 001856
2004528810.tif 001857
2004528810.tif 001858
2004528810.tif 001859
2004528810.tif 001860
2004528810.tif 001861
2004528810.tif 001862
2004528810.tif 001863
2004528810.tif 001864
2004528810.tif 001865
2004528810.tif 001866
2004528810.tif 001867
2004528810.tif 001868
2004528810.tif 001869
2004528810.tif 001870
2004528810.tif 001871
2004528810.tif 001872
2004528810.tif 001873
2004528810.tif 001874
2004528810.tif 001875
2004528810.tif 001876
2004528810.tif 001877
2004528810.tif 001878
2004528810.tif 001879
2004528810.tif 001880
2004528810.tif 001881
2004528810.tif 001882
2004528810.tif 001883
2004528810.tif 001884
2004528810.tif 001885
2004528810.tif 001886
2004528810.tif 001887
2004528810.tif 001888
2004528810.tif 001889
2004528810.tif 001890
2004528810.tif 001891
2004528810.tif 001892
2004528810.tif 001893
2004528810.tif 001894
2004528810.tif 001895
2004528810.tif 001896
2004528810.tif 001897
2004528810.tif 001898
2004528810.tif 001899
2004528810.tif 001900
2004528810.tif 001901
2004528810.tif 001902
2004528810.tif 001903
2004528810.tif 001904
2004528810.tif 001905
2004528810.tif 001906
2004528810.tif 001907
2004528810.tif 001908
2004528810.tif 001909
2004528810.tif 001910
2004528810.tif 001911
2004528810.tif 001912
2004528810.tif 001913
2004528810.tif 001914
2004528810.tif 001915
2004528810.tif 001916
2004528810.tif 001917
2004528810.tif 001918
2004528810.tif 001919
2004528810.tif 001920
2004528810.tif 001921
2004528810.tif 001922
2004528810.tif 001923
2004528810.tif 001924
2004528810.tif 001925
2004528810.tif 001926
2004528810.tif 001927
2004528810.tif 001928
2004528810.tif 001929
2004528810.tif 001930
2004528810.tif 001931
2004528810.tif 001932
2004528810.tif 001933
2004528810.tif 001934
2004528810.tif 001935
2004528810.tif 001936
2004528810.tif 001937
2004528810.tif 001938
2004528810.tif 001939
2004528810.tif 001940
2004528810.tif 001941
2004528810.tif 001942
2004528810.tif 001943
2004528810.tif 001944
2004528810.tif 001945
2004528810.tif 001946
2004528810.tif 001947
2004528810.tif 001948
2004528810.tif 001949
2004528810.tif 001950
2004528810.tif 001951
2004528810.tif 001952
2004528810.tif 001953
2004528810.tif 001954
2004528810.tif 001955
2004528810.tif 001956
2004528810.tif 001957
2004528810.tif 001958
2004528810.tif 001959
2004528810.tif 001960
2004528810.tif 001961
2004528810.tif 001962
2004528810.tif 001963
2004528810.tif 001964
2004528810.tif 001965
2004528810.tif 001966
2004528810.tif 001967
2004528810.tif 001968
2004528810.tif 001969
2004528810.tif 001970
2004528810.tif 001971
2004528810.tif 001972
2004528810.tif 001973
2004528810.tif 001974
2004528810.tif 001975
2004528810.tif 001976
2004528810.tif 001977
2004528810.tif 001978
2004528810.tif 001979
2004528810.tif 001980
2004528810.tif 001981
2004528810.tif 001982
2004528810.tif 001983
2004528810.tif 001984
2004528810.tif 001985
2004528810.tif 001986
2004528810.tif 001987
2004528810.tif 001988
2004528810.tif 001989
2004528810.tif 001990
2004528810.tif 001991
2004528810.tif 001992
2004528810.tif 001993
2004528810.tif 001994
2004528810.tif 001995
2004528810.tif 001996
2004528810.tif 001997
2004528810.tif 001998
2004528810.tif 001999
2004528810.tif 002000
2004528810.tif 002001
2004528810.tif 002002
2004528810.tif 002003
2004528810.tif 002004
2004528810.tif 002005
2004528810.tif 002006
2004528810.tif 002007
2004528810.tif 002008
2004528810.tif 002009
2004528810.tif 002010
2004528810.tif 002011
2004528810.tif 002012
2004528810.tif 002013
2004528810.tif 002014
2004528810.tif 002015
2004528810.tif 002016
2004528810.tif 002017
2004528810.tif 002018
2004528810.tif 002019
2004528810.tif 002020
2004528810.tif 002021
2004528810.tif 002022
2004528810.tif 002023
2004528810.tif 002024
2004528810.tif 002025
2004528810.tif 002026
2004528810.tif 002027
2004528810.tif 002028
2004528810.tif 002029
2004528810.tif 002030
2004528810.tif 002031
2004528810.tif 002032
2004528810.tif 002033
2004528810.tif 002034
2004528810.tif 002035
2004528810.tif 002036
2004528810.tif 002037
2004528810.tif 002038
2004528810.tif 002039
2004528810.tif 002040
2004528810.tif 002041
2004528810.tif 002042
2004528810.tif 002043
2004528810.tif 002044
2004528810.tif 002045
2004528810.tif 002046
2004528810.tif 002047
2004528810.tif 002048
2004528810.tif 002049
2004528810.tif 002050
2004528810.tif 002051
2004528810.tif 002052
2004528810.tif 002053
2004528810.tif 002054
2004528810.tif 002055
2004528810.tif 002056
2004528810.tif 002057
2004528810.tif 002058
2004528810.tif 002059
2004528810.tif 002060
2004528810.tif 002061
2004528810.tif 002062
2004528810.tif 002063
2004528810.tif 002064
2004528810.tif 002065
2004528810.tif 002066
2004528810.tif 002067
2004528810.tif 002068
2004528810.tif 002069
2004528810.tif 002070
2004528810.tif 002071
2004528810.tif 002072
2004528810.tif 002073
2004528810.tif 002074
2004528810.tif 002075
2004528810.tif 002076
2004528810.tif 002077
2004528810.tif 002078
2004528810.tif 002079
2004528810.tif 002080
2004528810.tif 002081
2004528810.tif 002082
2004528810.tif 002083
2004528810.tif 002084
2004528810.tif 002085
2004528810.tif 002086
2004528810.tif 002087
2004528810.tif 002088
2004528810.tif 002089
2004528810.tif 002090
2004528810.tif 002091
2004528810.tif 002092
2004528810.tif 002093
2004528810.tif 002094
2004528810.tif 002095
2004528810.tif 002096
2004528810.tif 002097
2004528810.tif 002098
2004528810.tif 002099
2004528810.tif 002100
2004528810.tif 002101
2004528810.tif 002102
2004528810.tif 002103
2004528810.tif 002104
2004528810.tif 002105
2004528810.tif 002106
2004528810.tif 002107
2004528810.tif 002108
2004528810.tif 002109
2004528810.tif 002110
2004528810.tif 002111
2004528810.tif 002112
2004528810.tif 002113
2004528810.tif 002114
2004528810.tif 002115
2004528810.tif 002116
2004528810.tif 002117
2004528810.tif 002118
2004528810.tif 002119
2004528810.tif 002120
2004528810.tif 002121
2004528810.tif 002122
2004528810.tif 002123
2004528810.tif 002124
2004528810.tif 002125
2004528810.tif 002126
2004528810.tif 002127
2004528810.tif 002128
2004528810.tif 002129
2004528810.tif 002130
2004528810.tif 002131
2004528810.tif 002132
2004528810.tif 002133
2004528810.tif 002134
2004528810.tif 002135
2004528810.tif 002136
2004528810.tif 002137
2004528810.tif 002138
2004528810.tif 002139
2004528810.tif 002140
2004528810.tif 002141
2004528810.tif 002142
2004528810.tif 002143
2004528810.tif 002144
2004528810.tif 002145
2004528810.tif 002146
2004528810.tif 002147
2004528810.tif 002148
2004528810.tif 002149
2004528810.tif 002150
2004528810.tif 002151
2004528810.tif 002152
2004528810.tif 002153
2004528810.tif 002154
2004528810.tif 002155
2004528810.tif 002156
2004528810.tif 002157
2004528810.tif 002158
2004528810.tif 002159
2004528810.tif 002160
2004528810.tif 002161
2004528810.tif 002162
2004528810.tif 002163
2004528810.tif 002164
2004528810.tif 002165
2004528810.tif 002166
2004528810.tif 002167
2004528810.tif 002168
2004528810.tif 002169
2004528810.tif 002170
2004528810.tif 002171
2004528810.tif 002172
2004528810.tif 002173
2004528810.tif 002174
2004528810.tif 002175
2004528810.tif 002176
2004528810.tif 002177
2004528810.tif 002178
2004528810.tif 002179
2004528810.tif 002180
2004528810.tif 002181
2004528810.tif 002182
2004528810.tif 002183
2004528810.tif 002184
2004528810.tif 002185
2004528810.tif 002186
2004528810.tif 002187
2004528810.tif 002188
2004528810.tif 002189
2004528810.tif 002190
2004528810.tif 002191
2004528810.tif 002192
2004528810.tif 002193
2004528810.tif 002194
2004528810.tif 002195
2004528810.tif 002196
2004528810.tif 002197
2004528810.tif 002198
2004528810.tif 002199
2004528810.tif 002200
2004528810.tif 002201
2004528810.tif 002202
2004528810.tif 002203
2004528810.tif 002204
2004528810.tif 002205
2004528810.tif 002206
2004528810.tif 002207
2004528810.tif 002208
2004528810.tif 002209
2004528810.tif 002210
2004528810.tif 002211
2004528810.tif 002212
2004528810.tif 002213
2004528810.tif 002214
2004528810.tif 002215
2004528810.tif 002216
2004528810.tif 002217
2004528810.tif 002218
2004528810.tif 002219
2004528810.tif 002220
2004528810.tif 002221
2004528810.tif 002222
2004528810.tif 002223
2004528810.tif 002224
2004528810.tif 002225
2004528810.tif 002226
2004528810.tif 002227
2004528810.tif 002228
2004528810.tif 002229
2004528810.tif 002230
2004528810.tif 002231
2004528810.tif 002232
2004528810.tif 002233
2004528810.tif 002234
2004528810.tif 002235
2004528810.tif 002236
2004528810.tif 002237
2004528810.tif 002238
2004528810.tif 002239
2004528810.tif 002240
2004528810.tif 002241
2004528810.tif 002242
2004528810.tif 002243
2004528810.tif 002244
2004528810.tif 002245
2004528810.tif 002246
2004528810.tif 002247
2004528810.tif 002248
2004528810.tif 002249
2004528810.tif 002250
2004528810.tif 002251
2004528810.tif 002252
2004528810.tif 002253
2004528810.tif 002254
2004528810.tif 002255
2004528810.tif 002256
2004528810.tif 002257
2004528810.tif 002258
2004528810.tif 002259
2004528810.tif 002260
2004528810.tif 002261
2004528810.tif 002262
2004528810.tif 002263
2004528810.tif 002264
2004528810.tif 002265
2004528810.tif 002266
2004528810.tif 002267
2004528810.tif 002268
2004528810.tif 002269
2004528810.tif 002270
2004528810.tif 002271
2004528810.tif 002272
2004528810.tif 002273
2004528810.tif 002274
2004528810.tif 002275
2004528810.tif 002276
2004528810.tif 002277
2004528810.tif 002278
2004528810.tif 002279
2004528810.tif 002280
2004528810.tif 002281
2004528810.tif 002282
2004528810.tif 002283
2004528810.tif 002284
2004528810.tif 002285
2004528810.tif 002286
2004528810.tif 002287
2004528810.tif 002288
2004528810.tif 002289
2004528810.tif 002290
2004528810.tif 002291
2004528810.tif 002292
2004528810.tif 002293
2004528810.tif 002294
2004528810.tif 002295
2004528810.tif 002296
2004528810.tif 002297
2004528810.tif 002298
2004528810.tif 002299
2004528810.tif 002300
2004528810.tif 002301
2004528810.tif 002302
2004528810.tif 002303
2004528810.tif 002304
2004528810.tif 002305
2004528810.tif 002306
2004528810.tif 002307
2004528810.tif 002308
2004528810.tif 002309
2004528810.tif 002310
2004528810.tif 002311
2004528810.tif 002312
2004528810.tif 002313
2004528810.tif 002314
2004528810.tif 002315
2004528810.tif 002316
2004528810.tif 002317
2004528810.tif 002318
2004528810.tif 002319
2004528810.tif 002320
2004528810.tif 002321
2004528810.tif 002322
2004528810.tif 002323
2004528810.tif 002324
2004528810.tif 002325
2004528810.tif 002326
2004528810.tif 002327
2004528810.tif 002328
2004528810.tif 002329
2004528810.tif 002330
2004528810.tif 002331
2004528810.tif 002332
2004528810.tif 002333
2004528810.tif 002334
2004528810.tif 002335
2004528810.tif 002336
2004528810.tif 002337
2004528810.tif 002338
2004528810.tif 002339
2004528810.tif 002340
2004528810.tif 002341
2004528810.tif 002342
2004528810.tif 002343
2004528810.tif 002344
2004528810.tif 002345
2004528810.tif 002346
2004528810.tif 002347
2004528810.tif 002348
2004528810.tif 002349
2004528810.tif 002350
2004528810.tif 002351
2004528810.tif 002352
2004528810.tif 002353
2004528810.tif 002354
2004528810.tif 002355
2004528810.tif 002356
2004528810.tif 002357
2004528810.tif 002358
2004528810.tif 002359
2004528810.tif 002360
2004528810.tif 002361
2004528810.tif 002362
2004528810.tif 002363
2004528810.tif 002364
2004528810.tif 002365
2004528810.tif 002366
2004528810.tif 002367
2004528810.tif 002368
2004528810.tif 002369
2004528810.tif 002370
2004528810.tif 002371
2004528810.tif 002372
2004528810.tif 002373
2004528810.tif 002374
2004528810.tif 002375
2004528810.tif 002376
2004528810.tif 002377
2004528810.tif 002378
2004528810.tif 002379
2004528810.tif 002380
2004528810.tif 002381
2004528810.tif 002382
2004528810.tif 002383
2004528810.tif 002384
2004528810.tif 002385
2004528810.tif 002386
2004528810.tif 002387
2004528810.tif 002388
2004528810.tif 002389
2004528810.tif 002390
2004528810.tif 002391
2004528810.tif 002392
2004528810.tif 002393
2004528810.tif 002394
2004528810.tif 002395
2004528810.tif 002396
2004528810.tif 002397
2004528810.tif 002398
2004528810.tif 002399
2004528810.tif 002400
2004528810.tif 002401
2004528810.tif 002402
2004528810.tif 002403
2004528810.tif 002404
2004528810.tif 002405
2004528810.tif 002406
2004528810.tif 002407
2004528810.tif 002408
2004528810.tif 002409
2004528810.tif 002410
2004528810.tif 002411
2004528810.tif 002412
2004528810.tif 002413
2004528810.tif 002414
2004528810.tif 002415
2004528810.tif 002416
2004528810.tif 002417
2004528810.tif 002418
2004528810.tif 002419
2004528810.tif 002420
2004528810.tif 002421
2004528810.tif 002422
2004528810.tif 002423
2004528810.tif 002424
2004528810.tif 002425
2004528810.tif 002426
2004528810.tif 002427
2004528810.tif 002428
2004528810.tif 002429
2004528810.tif 002430
１８０
2004528810.tif 002431
2004528810.tif 002432
2004528810.tif 002433
2004528810.tif 002434
2004528810.tif 002435
2004528810.tif 002436
2004528810.tif 002437
2004528810.tif 002438
2004528810.tif 002439
2004528810.tif 002440
2004528810.tif 002441
2004528810.tif 002442
2004528810.tif 002443
2004528810.tif 002444
2004528810.tif 002445
2004528810.tif 002446
2004528810.tif 002447
2004528810.tif 002448
2004528810.tif 002449
2004528810.tif 002450
2004528810.tif 002451
2004528810.tif 002452
１２０
2004528810.tif 002453
2004528810.tif 002454
2004528810.tif 002455
2004528810.tif 002456
2004528810.tif 002457
2004528810.tif 002458
2004528810.tif 002459
2004528810.tif 002460
2004528810.tif 002461
2004528810.tif 002462
2004528810.tif 002463
2004528810.tif 002464
2004528810.tif 002465
2004528810.tif 002466
2004528810.tif 002467
2004528810.tif 002468
2004528810.tif 002469
2004528810.tif 002470
2004528810.tif 002471
2004528810.tif 002472
2004528810.tif 002473
2004528810.tif 002474
2004528810.tif 002475
2004528810.tif 002476
2004528810.tif 002477
2004528810.tif 002478
2004528810.tif 002479
2004528810.tif 002480
2004528810.tif 002481
2004528810.tif 002482
2004528810.tif 002483
2004528810.tif 002484
2004528810.tif 002485
2004528810.tif 002486
2004528810.tif 002487
2004528810.tif 002488
2004528810.tif 002489
2004528810.tif 002490
2004528810.tif 002491
2004528810.tif 002492
2004528810.tif 002493
2004528810.tif 002494
2004528810.tif 002495
2004528810.tif 002496
2004528810.tif 002497
2004528810.tif 002498
2004528810.tif 002499
2004528810.tif 002500
２４０
2004528810.tif 002501
2004528810.tif 002502
2004528810.tif 002503
2004528810.tif 002504
2004528810.tif 002505
2004528810.tif 002506
４２０
2004528810.tif 002507
2004528810.tif 002508
2004528810.tif 002509
2004528810.tif 002510
2004528810.tif 002511
2004528810.tif 002512
2004528810.tif 002513
2004528810.tif 002514
2004528810.tif 002515
2004528810.tif 002516
2004528810.tif 002517
2004528810.tif 002518
2004528810.tif 002519
2004528810.tif 002520
2004528810.tif 002521
2004528810.tif 002522
2004528810.tif 002523
2004528810.tif 002524
2004528810.tif 002525
2004528810.tif 002526
2004528810.tif 002527
2004528810.tif 002528
2004528810.tif 002529
2004528810.tif 002530
2004528810.tif 002531
2004528810.tif 002532
2004528810.tif 002533
2004528810.tif 002534
2004528810.tif 002535
2004528810.tif 002536
2004528810.tif 002537
2004528810.tif 002538
2004528810.tif 002539
2004528810.tif 002540
2004528810.tif 002541
2004528810.tif 002542
2004528810.tif 002543
2004528810.tif 002544
2004528810.tif 002545
2004528810.tif 002546
2004528810.tif 002547
2004528810.tif 002548
2004528810.tif 002549
2004528810.tif 002550
2004528810.tif 002551
2004528810.tif 002552
2004528810.tif 002553
2004528810.tif 002554
2004528810.tif 002555
2004528810.tif 002556
2004528810.tif 002557
2004528810.tif 002558
2004528810.tif 002559
2004528810.tif 002560
2004528810.tif 002561
2004528810.tif 002562
2004528810.tif 002563
2004528810.tif 002564
2004528810.tif 002565
2004528810.tif 002566
2004528810.tif 002567
2004528810.tif 002568
2004528810.tif 002569
2004528810.tif 002570
2004528810.tif 002571
2004528810.tif 002572
2004528810.tif 002573
2004528810.tif 002574
2004528810.tif 002575
2004528810.tif 002576
2004528810.tif 002577
2004528810.tif 002578
2004528810.tif 002579
2004528810.tif 002580
2004528810.tif 002581
2004528810.tif 002582
2004528810.tif 002583
2004528810.tif 002584
2004528810.tif 002585
2004528810.tif 002586
2004528810.tif 002587
2004528810.tif 002588
2004528810.tif 002589
2004528810.tif 002590
2004528810.tif 002591
2004528810.tif 002592
2004528810.tif 002593
2004528810.tif 002594
2004528810.tif 002595
2004528810.tif 002596
2004528810.tif 002597
2004528810.tif 002598
2004528810.tif 002599
2004528810.tif 002600
2004528810.tif 002601
2004528810.tif 002602
2004528810.tif 002603
2004528810.tif 002604
2004528810.tif 002605
2004528810.tif 002606
2004528810.tif 002607
2004528810.tif 002608
2004528810.tif 002609
2004528810.tif 002610
2004528810.tif 002611
2004528810.tif 002612
2004528810.tif 002613
2004528810.tif 002614
2004528810.tif 002615
2004528810.tif 002616
2004528810.tif 002617
2004528810.tif 002618
2004528810.tif 002619
2004528810.tif 002620
2004528810.tif 002621
2004528810.tif 002622
2004528810.tif 002623
2004528810.tif 002624
2004528810.tif 002625
2004528810.tif 002626
2004528810.tif 002627
2004528810.tif 002628
2004528810.tif 002629
2004528810.tif 002630
2004528810.tif 002631
2004528810.tif 002632
2004528810.tif 002633
2004528810.tif 002634
2004528810.tif 002635
2004528810.tif 002636
2004528810.tif 002637
2004528810.tif 002638
2004528810.tif 002639
2004528810.tif 002640
2004528810.tif 002641
2004528810.tif 002642
2004528810.tif 002643
2004528810.tif 002644
2004528810.tif 002645
2004528810.tif 002646
2004528810.tif 002647
2004528810.tif 002648
2004528810.tif 002649
2004528810.tif 002650
2004528810.tif 002651
2004528810.tif 002652
2004528810.tif 002653
2004528810.tif 002654
2004528810.tif 002655
2004528810.tif 002656
2004528810.tif 002657
2004528810.tif 002658
2004528810.tif 002659
2004528810.tif 002660
2004528810.tif 002661
2004528810.tif 002662
2004528810.tif 002663
2004528810.tif 002664
2004528810.tif 002665
2004528810.tif 002666
2004528810.tif 002667
2004528810.tif 002668
2004528810.tif 002669
2004528810.tif 002670
2004528810.tif 002671
2004528810.tif 002672
2004528810.tif 002673
2004528810.tif 002674
2004528810.tif 002675
2004528810.tif 002676
2004528810.tif 002677
2004528810.tif 002678
2004528810.tif 002679
2004528810.tif 002680
2004528810.tif 002681
2004528810.tif 002682
2004528810.tif 002683
2004528810.tif 002684
2004528810.tif 002685
2004528810.tif 002686
2004528810.tif 002687
2004528810.tif 002688
2004528810.tif 002689
2004528810.tif 002690
2004528810.tif 002691
2004528810.tif 002692
2004528810.tif 002693
2004528810.tif 002694
2004528810.tif 002695
2004528810.tif 002696
2004528810.tif 002697
2004528810.tif 002698
2004528810.tif 002699
2004528810.tif 002700
2004528810.tif 002701
2004528810.tif 002702
2004528810.tif 002703
2004528810.tif 002704
2004528810.tif 002705
2004528810.tif 002706
2004528810.tif 002707
2004528810.tif 002708
2004528810.tif 002709
2004528810.tif 002710
2004528810.tif 002711
2004528810.tif 002712
2004528810.tif 002713
2004528810.tif 002714
2004528810.tif 002715
2004528810.tif 002716
2004528810.tif 002717
2004528810.tif 002718
2004528810.tif 002719
2004528810.tif 002720
2004528810.tif 002721
2004528810.tif 002722
2004528810.tif 002723
2004528810.tif 002724
2004528810.tif 002725
2004528810.tif 002726
2004528810.tif 002727
2004528810.tif 002728
2004528810.tif 002729
2004528810.tif 002730
2004528810.tif 002731
2004528810.tif 002732
2004528810.tif 002733
2004528810.tif 002734
2004528810.tif 002735
2004528810.tif 002736
2004528810.tif 002737
2004528810.tif 002738
2004528810.tif 002739
2004528810.tif 002740
2004528810.tif 002741
2004528810.tif 002742
2004528810.tif 002743
2004528810.tif 002744
2004528810.tif 002745
2004528810.tif 002746
2004528810.tif 002747
2004528810.tif 002748
2004528810.tif 002749
2004528810.tif 002750
2004528810.tif 002751
2004528810.tif 002752
2004528810.tif 002753
2004528810.tif 002754
2004528810.tif 002755
2004528810.tif 002756
2004528810.tif 002757
2004528810.tif 002758
2004528810.tif 002759
2004528810.tif 002760
2004528810.tif 002761
2004528810.tif 002762
2004528810.tif 002763
2004528810.tif 002764
2004528810.tif 002765
2004528810.tif 002766
2004528810.tif 002767
2004528810.tif 002768
2004528810.tif 002769
2004528810.tif 002770
2004528810.tif 002771
2004528810.tif 002772
2004528810.tif 002773
2004528810.tif 002774
2004528810.tif 002775
2004528810.tif 002776
2004528810.tif 002777
2004528810.tif 002778
2004528810.tif 002779
2004528810.tif 002780
2004528810.tif 002781
2004528810.tif 002782
2004528810.tif 002783
2004528810.tif 002784
2004528810.tif 002785
2004528810.tif 002786
2004528810.tif 002787
2004528810.tif 002788
2004528810.tif 002789
2004528810.tif 002790
2004528810.tif 002791
2004528810.tif 002792
2004528810.tif 002793
2004528810.tif 002794
2004528810.tif 002795
2004528810.tif 002796
2004528810.tif 002797
2004528810.tif 002798
2004528810.tif 002799
2004528810.tif 002800
2004528810.tif 002801
2004528810.tif 002802
2004528810.tif 002803
2004528810.tif 002804
2004528810.tif 002805
2004528810.tif 002806
2004528810.tif 002807
2004528810.tif 002808
2004528810.tif 002809
2004528810.tif 002810
2004528810.tif 002811
2004528810.tif 002812
2004528810.tif 002813
2004528810.tif 002814
2004528810.tif 002815
2004528810.tif 002816
2004528810.tif 002817
2004528810.tif 002818
2004528810.tif 002819
2004528810.tif 002820
2004528810.tif 002821
2004528810.tif 002822
2004528810.tif 002823
2004528810.tif 002824
2004528810.tif 002825
2004528810.tif 002826
2004528810.tif 002827
2004528810.tif 002828
2004528810.tif 002829
2004528810.tif 002830
2004528810.tif 002831
2004528810.tif 002832
2004528810.tif 002833
2004528810.tif 002834
2004528810.tif 002835
2004528810.tif 002836
2004528810.tif 002837
2004528810.tif 002838
2004528810.tif 002839
2004528810.tif 002840
2004528810.tif 002841
2004528810.tif 002842
2004528810.tif 002843
2004528810.tif 002844
2004528810.tif 002845
2004528810.tif 002846
2004528810.tif 002847
2004528810.tif 002848
2004528810.tif 002849
2004528810.tif 002850
2004528810.tif 002851
2004528810.tif 002852
2004528810.tif 002853
2004528810.tif 002854
2004528810.tif 002855
2004528810.tif 002856
2004528810.tif 002857
2004528810.tif 002858
2004528810.tif 002859
2004528810.tif 002860
2004528810.tif 002861
2004528810.tif 002862
2004528810.tif 002863
2004528810.tif 002864
2004528810.tif 002865
2004528810.tif 002866
2004528810.tif 002867
2004528810.tif 002868
2004528810.tif 002869
2004528810.tif 002870
2004528810.tif 002871
2004528810.tif 002872
2004528810.tif 002873
2004528810.tif 002874
2004528810.tif 002875
2004528810.tif 002876
2004528810.tif 002877
2004528810.tif 002878
2004528810.tif 002879
2004528810.tif 002880
2004528810.tif 002881
2004528810.tif 002882
2004528810.tif 002883
2004528810.tif 002884
2004528810.tif 002885
2004528810.tif 002886
2004528810.tif 002887
2004528810.tif 002888
2004528810.tif 002889
2004528810.tif 002890
2004528810.tif 002891
2004528810.tif 002892
2004528810.tif 002893
2004528810.tif 002894
2004528810.tif 002895
2004528810.tif 002896
2004528810.tif 002897
2004528810.tif 002898
2004528810.tif 002899
2004528810.tif 002900
2004528810.tif 002901
2004528810.tif 002902
2004528810.tif 002903
2004528810.tif 002904
2004528810.tif 002905
2004528810.tif 002906
2004528810.tif 002907
2004528810.tif 002908
2004528810.tif 002909
2004528810.tif 002910
2004528810.tif 002911
2004528810.tif 002912
2004528810.tif 002913
2004528810.tif 002914
2004528810.tif 002915
2004528810.tif 002916
2004528810.tif 002917
2004528810.tif 002918
2004528810.tif 002919
2004528810.tif 002920
2004528810.tif 002921
2004528810.tif 002922
2004528810.tif 002923
2004528810.tif 002924
2004528810.tif 002925
2004528810.tif 002926
2004528810.tif 002927
2004528810.tif 002928
2004528810.tif 002929
2004528810.tif 002930
2004528810.tif 002931
2004528810.tif 002932
2004528810.tif 002933
2004528810.tif 002934
2004528810.tif 002935
2004528810.tif 002936
2004528810.tif 002937
2004528810.tif 002938
2004528810.tif 002939
2004528810.tif 002940
2004528810.tif 002941
2004528810.tif 002942
2004528810.tif 002943
2004528810.tif 002944
2004528810.tif 002945
2004528810.tif 002946
2004528810.tif 002947
2004528810.tif 002948
2004528810.tif 002949
2004528810.tif 002950
2004528810.tif 002951
2004528810.tif 002952
2004528810.tif 002953
2004528810.tif 002954
2004528810.tif 002955
2004528810.tif 002956
2004528810.tif 002957
2004528810.tif 002958
2004528810.tif 002959
2004528810.tif 002960
2004528810.tif 002961
2004528810.tif 002962
2004528810.tif 002963
2004528810.tif 002964
2004528810.tif 002965
2004528810.tif 002966
2004528810.tif 002967
2004528810.tif 002968
2004528810.tif 002969
2004528810.tif 002970
2004528810.tif 002971
2004528810.tif 002972
2004528810.tif 002973
2004528810.tif 002974
2004528810.tif 002975
2004528810.tif 002976
2004528810.tif 002977
2004528810.tif 002978
2004528810.tif 002979
2004528810.tif 002980
2004528810.tif 002981
2004528810.tif 002982
2004528810.tif 002983
2004528810.tif 002984
2004528810.tif 002985
2004528810.tif 002986
2004528810.tif 002987
2004528810.tif 002988
2004528810.tif 002989
2004528810.tif 002990
2004528810.tif 002991
2004528810.tif 002992
2004528810.tif 002993
2004528810.tif 002994
2004528810.tif 002995
2004528810.tif 002996
2004528810.tif 002997
2004528810.tif 002998
2004528810.tif 002999
2004528810.tif 003000
2004528810.tif 003001
2004528810.tif 003002
2004528810.tif 003003
2004528810.tif 003004
2004528810.tif 003005
2004528810.tif 003006
2004528810.tif 003007
2004528810.tif 003008
2004528810.tif 003009
2004528810.tif 003010
2004528810.tif 003011
2004528810.tif 003012
2004528810.tif 003013
2004528810.tif 003014
2004528810.tif 003015
2004528810.tif 003016
2004528810.tif 003017
2004528810.tif 003018
2004528810.tif 003019
2004528810.tif 003020
2004528810.tif 003021
2004528810.tif 003022
2004528810.tif 003023
2004528810.tif 003024
2004528810.tif 003025
2004528810.tif 003026
2004528810.tif 003027
2004528810.tif 003028
2004528810.tif 003029
2004528810.tif 003030
2004528810.tif 003031
2004528810.tif 003032
2004528810.tif 003033
2004528810.tif 003034
2004528810.tif 003035
2004528810.tif 003036
2004528810.tif 003037
2004528810.tif 003038
2004528810.tif 003039
2004528810.tif 003040
2004528810.tif 003041
2004528810.tif 003042
2004528810.tif 003043
2004528810.tif 003044
2004528810.tif 003045
2004528810.tif 003046
2004528810.tif 003047
2004528810.tif 003048
2004528810.tif 003049
2004528810.tif 003050
2004528810.tif 003051
2004528810.tif 003052
2004528810.tif 003053
2004528810.tif 003054
2004528810.tif 003055
2004528810.tif 003056
2004528810.tif 003057
2004528810.tif 003058
2004528810.tif 003059
2004528810.tif 003060
2004528810.tif 003061
2004528810.tif 003062
2004528810.tif 003063
2004528810.tif 003064
2004528810.tif 003065
2004528810.tif 003066
2004528810.tif 003067
2004528810.tif 003068
2004528810.tif 003069
2004528810.tif 003070
2004528810.tif 003071
2004528810.tif 003072
2004528810.tif 003073
2004528810.tif 003074
2004528810.tif 003075
2004528810.tif 003076
2004528810.tif 003077
2004528810.tif 003078
2004528810.tif 003079
2004528810.tif 003080
2004528810.tif 003081
2004528810.tif 003082
2004528810.tif 003083
2004528810.tif 003084
2004528810.tif 003085
2004528810.tif 003086
2004528810.tif 003087
2004528810.tif 003088
2004528810.tif 003089
2004528810.tif 003090
2004528810.tif 003091
2004528810.tif 003092
2004528810.tif 003093
2004528810.tif 003094
2004528810.tif 003095
2004528810.tif 003096
2004528810.tif 003097
2004528810.tif 003098
2004528810.tif 003099
2004528810.tif 003100
2004528810.tif 003101
2004528810.tif 003102
2004528810.tif 003103
2004528810.tif 003104
2004528810.tif 003105
2004528810.tif 003106
2004528810.tif 003107
2004528810.tif 003108
2004528810.tif 003109
2004528810.tif 003110
2004528810.tif 003111
2004528810.tif 003112
2004528810.tif 003113
2004528810.tif 003114
2004528810.tif 003115
2004528810.tif 003116
2004528810.tif 003117
2004528810.tif 003118
2004528810.tif 003119
2004528810.tif 003120
2004528810.tif 003121
2004528810.tif 003122
2004528810.tif 003123
2004528810.tif 003124
2004528810.tif 003125
2004528810.tif 003126
2004528810.tif 003127
2004528810.tif 003128
2004528810.tif 003129
2004528810.tif 003130
2004528810.tif 003131
2004528810.tif 003132
2004528810.tif 003133
2004528810.tif 003134
2004528810.tif 003135
2004528810.tif 003136
2004528810.tif 003137
2004528810.tif 003138
2004528810.tif 003139
2004528810.tif 003140
2004528810.tif 003141
2004528810.tif 003142
2004528810.tif 003143
2004528810.tif 003144
2004528810.tif 003145
2004528810.tif 003146
2004528810.tif 003147
2004528810.tif 003148
2004528810.tif 003149
2004528810.tif 003150
2004528810.tif 003151
2004528810.tif 003152
2004528810.tif 003153
2004528810.tif 003154
2004528810.tif 003155
2004528810.tif 003156
2004528810.tif 003157
2004528810.tif 003158
2004528810.tif 003159
2004528810.tif 003160
2004528810.tif 003161
2004528810.tif 003162
2004528810.tif 003163
2004528810.tif 003164
2004528810.tif 003165
2004528810.tif 003166
2004528810.tif 003167
2004528810.tif 003168
2004528810.tif 003169
2004528810.tif 003170
2004528810.tif 003171
2004528810.tif 003172
2004528810.tif 003173
2004528810.tif 003174
2004528810.tif 003175
2004528810.tif 003176
2004528810.tif 003177
2004528810.tif 003178
2004528810.tif 003179
2004528810.tif 003180
2004528810.tif 003181
2004528810.tif 003182
2004528810.tif 003183
2004528810.tif 003184
2004528810.tif 003185
2004528810.tif 003186
2004528810.tif 003187
2004528810.tif 003188
2004528810.tif 003189
2004528810.tif 003190
2004528810.tif 003191
2004528810.tif 003192
2004528810.tif 003193
2004528810.tif 003194
2004528810.tif 003195
2004528810.tif 003196
2004528810.tif 003197
2004528810.tif 003198
2004528810.tif 003199
2004528810.tif 003200
2004528810.tif 003201
2004528810.tif 003202
2004528810.tif 003203
2004528810.tif 003204
2004528810.tif 003205
2004528810.tif 003206
2004528810.tif 003207
2004528810.tif 003208
2004528810.tif 003209
2004528810.tif 003210
2004528810.tif 003211
2004528810.tif 003212
2004528810.tif 003213
2004528810.tif 003214
2004528810.tif 003215
2004528810.tif 003216
2004528810.tif 003217
2004528810.tif 003218
2004528810.tif 003219
2004528810.tif 003220
2004528810.tif 003221
2004528810.tif 003222
2004528810.tif 003223
2004528810.tif 003224
2004528810.tif 003225
2004528810.tif 003226
2004528810.tif 003227
2004528810.tif 003228
2004528810.tif 003229
2004528810.tif 003230
2004528810.tif 003231
2004528810.tif 003232
2004528810.tif 003233
2004528810.tif 003234
2004528810.tif 003235
2004528810.tif 003236
2004528810.tif 003237
2004528810.tif 003238
2004528810.tif 003239
2004528810.tif 003240
2004528810.tif 003241
2004528810.tif 003242
2004528810.tif 003243
2004528810.tif 003244
2004528810.tif 003245
2004528810.tif 003246
2004528810.tif 003247
2004528810.tif 003248
2004528810.tif 003249
2004528810.tif 003250
2004528810.tif 003251
2004528810.tif 003252
2004528810.tif 003253
2004528810.tif 003254
2004528810.tif 003255
2004528810.tif 003256
2004528810.tif 003257
2004528810.tif 003258
2004528810.tif 003259
2004528810.tif 003260
2004528810.tif 003261
2004528810.tif 003262
2004528810.tif 003263
2004528810.tif 003264
2004528810.tif 003265
2004528810.tif 003266
2004528810.tif 003267
2004528810.tif 003268
2004528810.tif 003269
2004528810.tif 003270
2004528810.tif 003271
2004528810.tif 003272
2004528810.tif 003273
2004528810.tif 003274
2004528810.tif 003275
2004528810.tif 003276
2004528810.tif 003277
2004528810.tif 003278
2004528810.tif 003279
2004528810.tif 003280
2004528810.tif 003281
2004528810.tif 003282
2004528810.tif 003283
2004528810.tif 003284
2004528810.tif 003285
2004528810.tif 003286
2004528810.tif 003287
2004528810.tif 003288
2004528810.tif 003289
2004528810.tif 003290
2004528810.tif 003291
2004528810.tif 003292
2004528810.tif 003293
2004528810.tif 003294
2004528810.tif 003295
2004528810.tif 003296
2004528810.tif 003297
2004528810.tif 003298
2004528810.tif 003299
2004528810.tif 003300
2004528810.tif 003301
2004528810.tif 003302
2004528810.tif 003303
2004528810.tif 003304
2004528810.tif 003305
2004528810.tif 003306
2004528810.tif 003307
2004528810.tif 003308
2004528810.tif 003309
2004528810.tif 003310
2004528810.tif 003311
2004528810.tif 003312
2004528810.tif 003313
2004528810.tif 003314
2004528810.tif 003315
2004528810.tif 003316
2004528810.tif 003317
2004528810.tif 003318
2004528810.tif 003319
2004528810.tif 003320
2004528810.tif 003321
2004528810.tif 003322
2004528810.tif 003323
2004528810.tif 003324
2004528810.tif 003325
2004528810.tif 003326
2004528810.tif 003327
2004528810.tif 003328
2004528810.tif 003329
2004528810.tif 003330
2004528810.tif 003331
2004528810.tif 003332
2004528810.tif 003333
2004528810.tif 003334
2004528810.tif 003335
2004528810.tif 003336
2004528810.tif 003337
2004528810.tif 003338
2004528810.tif 003339
2004528810.tif 003340
2004528810.tif 003341
2004528810.tif 003342
2004528810.tif 003343
2004528810.tif 003344
2004528810.tif 003345
2004528810.tif 003346
2004528810.tif 003347
2004528810.tif 003348
2004528810.tif 003349
2004528810.tif 003350
2004528810.tif 003351
2004528810.tif 003352
2004528810.tif 003353
2004528810.tif 003354
2004528810.tif 003355
2004528810.tif 003356
2004528810.tif 003357
2004528810.tif 003358
2004528810.tif 003359
2004528810.tif 003360
2004528810.tif 003361
2004528810.tif 003362
2004528810.tif 003363
2004528810.tif 003364
2004528810.tif 003365
2004528810.tif 003366
2004528810.tif 003367
2004528810.tif 003368
2004528810.tif 003369
2004528810.tif 003370
2004528810.tif 003371
2004528810.tif 003372
2004528810.tif 003373
2004528810.tif 003374
2004528810.tif 003375
2004528810.tif 003376
2004528810.tif 003377
2004528810.tif 003378
2004528810.tif 003379
2004528810.tif 003380
2004528810.tif 003381
2004528810.tif 003382
2004528810.tif 003383
2004528810.tif 003384
2004528810.tif 003385
2004528810.tif 003386
2004528810.tif 003387
2004528810.tif 003388
2004528810.tif 003389
2004528810.tif 003390
2004528810.tif 003391
2004528810.tif 003392
2004528810.tif 003393
2004528810.tif 003394
2004528810.tif 003395
2004528810.tif 003396
2004528810.tif 003397
2004528810.tif 003398
2004528810.tif 003399
2004528810.tif 003400
2004528810.tif 003401
2004528810.tif 003402
2004528810.tif 003403
2004528810.tif 003404
2004528810.tif 003405
2004528810.tif 003406
2004528810.tif 003407
2004528810.tif 003408
2004528810.tif 003409
2004528810.tif 003410
2004528810.tif 003411
2004528810.tif 003412
2004528810.tif 003413
2004528810.tif 003414
2004528810.tif 003415
2004528810.tif 003416
2004528810.tif 003417
2004528810.tif 003418
2004528810.tif 003419
2004528810.tif 003420
2004528810.tif 003421
2004528810.tif 003422
2004528810.tif 003423
2004528810.tif 003424
2004528810.tif 003425
2004528810.tif 003426
2004528810.tif 003427
2004528810.tif 003428
2004528810.tif 003429
2004528810.tif 003430
2004528810.tif 003431
2004528810.tif 003432
2004528810.tif 003433
2004528810.tif 003434
2004528810.tif 003435
2004528810.tif 003436
2004528810.tif 003437
2004528810.tif 003438
2004528810.tif 003439
2004528810.tif 003440
2004528810.tif 003441
2004528810.tif 003442
2004528810.tif 003443
2004528810.tif 003444
2004528810.tif 003445
2004528810.tif 003446
2004528810.tif 003447
2004528810.tif 003448
2004528810.tif 003449
2004528810.tif 003450
2004528810.tif 003451
2004528810.tif 003452
2004528810.tif 003453
2004528810.tif 003454
2004528810.tif 003455
2004528810.tif 003456
2004528810.tif 003457
2004528810.tif 003458
2004528810.tif 003459
2004528810.tif 003460
2004528810.tif 003461
2004528810.tif 003462
2004528810.tif 003463
2004528810.tif 003464
2004528810.tif 003465
2004528810.tif 003466
2004528810.tif 003467
2004528810.tif 003468
2004528810.tif 003469
2004528810.tif 003470
2004528810.tif 003471
2004528810.tif 003472
2004528810.tif 003473
2004528810.tif 003474
2004528810.tif 003475
2004528810.tif 003476
2004528810.tif 003477
2004528810.tif 003478
2004528810.tif 003479
2004528810.tif 003480
2004528810.tif 003481
2004528810.tif 003482
2004528810.tif 003483
2004528810.tif 003484
2004528810.tif 003485
2004528810.tif 003486
2004528810.tif 003487
2004528810.tif 003488
2004528810.tif 003489
2004528810.tif 003490
2004528810.tif 003491
2004528810.tif 003492
2004528810.tif 003493
2004528810.tif 003494
2004528810.tif 003495
2004528810.tif 003496
2004528810.tif 003497
2004528810.tif 003498
2004528810.tif 003499
2004528810.tif 003500
2004528810.tif 003501
2004528810.tif 003502
2004528810.tif 003503
2004528810.tif 003504
2004528810.tif 003505
2004528810.tif 003506
2004528810.tif 003507
2004528810.tif 003508
2004528810.tif 003509
2004528810.tif 003510
2004528810.tif 003511
2004528810.tif 003512
2004528810.tif 003513
2004528810.tif 003514
2004528810.tif 003515
2004528810.tif 003516
2004528810.tif 003517
2004528810.tif 003518
2004528810.tif 003519
2004528810.tif 003520
2004528810.tif 003521
2004528810.tif 003522
2004528810.tif 003523
2004528810.tif 003524
2004528810.tif 003525
2004528810.tif 003526
2004528810.tif 003527
2004528810.tif 003528
2004528810.tif 003529
2004528810.tif 003530
2004528810.tif 003531
2004528810.tif 003532
2004528810.tif 003533
2004528810.tif 003534
2004528810.tif 003535
2004528810.tif 003536
2004528810.tif 003537
2004528810.tif 003538
2004528810.tif 003539
2004528810.tif 003540
2004528810.tif 003541
2004528810.tif 003542
2004528810.tif 003543
2004528810.tif 003544
2004528810.tif 003545
2004528810.tif 003546
2004528810.tif 003547
2004528810.tif 003548
2004528810.tif 003549
2004528810.tif 003550
2004528810.tif 003551
2004528810.tif 003552
2004528810.tif 003553
2004528810.tif 003554
2004528810.tif 003555
2004528810.tif 003556
2004528810.tif 003557
2004528810.tif 003558
2004528810.tif 003559
2004528810.tif 003560
2004528810.tif 003561
2004528810.tif 003562
2004528810.tif 003563
2004528810.tif 003564
2004528810.tif 003565
2004528810.tif 003566
2004528810.tif 003567
2004528810.tif 003568
2004528810.tif 003569
2004528810.tif 003570
2004528810.tif 003571
2004528810.tif 003572
2004528810.tif 003573
2004528810.tif 003574
2004528810.tif 003575
2004528810.tif 003576
2004528810.tif 003577
2004528810.tif 003578
2004528810.tif 003579
2004528810.tif 003580
2004528810.tif 003581
2004528810.tif 003582
2004528810.tif 003583
2004528810.tif 003584
2004528810.tif 003585
2004528810.tif 003586
2004528810.tif 003587
2004528810.tif 003588
2004528810.tif 003589
2004528810.tif 003590
2004528810.tif 003591
2004528810.tif 003592
2004528810.tif 003593
2004528810.tif 003594
2004528810.tif 003595
2004528810.tif 003596
2004528810.tif 003597
2004528810.tif 003598
2004528810.tif 003599
2004528810.tif 003600
2004528810.tif 003601
2004528810.tif 003602
2004528810.tif 003603
2004528810.tif 003604
2004528810.tif 003605
2004528810.tif 003606
2004528810.tif 003607
2004528810.tif 003608
2004528810.tif 003609
2004528810.tif 003610
2004528810.tif 003611
2004528810.tif 003612
2004528810.tif 003613
2004528810.tif 003614
2004528810.tif 003615
2004528810.tif 003616
2004528810.tif 003617
2004528810.tif 003618
2004528810.tif 003619
2004528810.tif 003620
2004528810.tif 003621
2004528810.tif 003622
2004528810.tif 003623
2004528810.tif 003624
2004528810.tif 003625
2004528810.tif 003626
2004528810.tif 003627
2004528810.tif 003628
2004528810.tif 003629
2004528810.tif 003630
2004528810.tif 003631
2004528810.tif 003632
2004528810.tif 003633
2004528810.tif 003634
2004528810.tif 003635
2004528810.tif 003636
2004528810.tif 003637
2004528810.tif 003638
2004528810.tif 003639
2004528810.tif 003640
2004528810.tif 003641
2004528810.tif 003642
2004528810.tif 003643
2004528810.tif 003644
2004528810.tif 003645
2004528810.tif 003646
2004528810.tif 003647
2004528810.tif 003648
2004528810.tif 003649
2004528810.tif 003650
2004528810.tif 003651
2004528810.tif 003652
2004528810.tif 003653
2004528810.tif 003654
2004528810.tif 003655
2004528810.tif 003656
2004528810.tif 003657
2004528810.tif 003658
2004528810.tif 003659
2004528810.tif 003660
2004528810.tif 003661
2004528810.tif 003662
2004528810.tif 003663
2004528810.tif 003664
2004528810.tif 003665
2004528810.tif 003666
2004528810.tif 003667
2004528810.tif 003668
2004528810.tif 003669
2004528810.tif 003670
2004528810.tif 003671
2004528810.tif 003672
2004528810.tif 003673
2004528810.tif 003674
2004528810.tif 003675
2004528810.tif 003676
2004528810.tif 003677
2004528810.tif 003678
2004528810.tif 003679
2004528810.tif 003680
2004528810.tif 003681
2004528810.tif 003682
2004528810.tif 003683
2004528810.tif 003684
2004528810.tif 003685
2004528810.tif 003686
2004528810.tif 003687
2004528810.tif 003688
2004528810.tif 003689
2004528810.tif 003690
2004528810.tif 003691
2004528810.tif 003692
2004528810.tif 003693
2004528810.tif 003694
2004528810.tif 003695
2004528810.tif 003696
2004528810.tif 003697
2004528810.tif 003698
2004528810.tif 003699
2004528810.tif 003700
2004528810.tif 003701
2004528810.tif 003702
2004528810.tif 003703
2004528810.tif 003704
2004528810.tif 003705
2004528810.tif 003706
2004528810.tif 003707
2004528810.tif 003708
2004528810.tif 003709
2004528810.tif 003710
2004528810.tif 003711
2004528810.tif 003712
2004528810.tif 003713
2004528810.tif 003714
2004528810.tif 003715
2004528810.tif 003716
2004528810.tif 003717
2004528810.tif 003718
2004528810.tif 003719
2004528810.tif 003720
2004528810.tif 003721
2004528810.tif 003722
2004528810.tif 003723
2004528810.tif 003724
2004528810.tif 003725
2004528810.tif 003726
2004528810.tif 003727
2004528810.tif 003728
2004528810.tif 003729
2004528810.tif 003730
2004528810.tif 003731
2004528810.tif 003732
2004528810.tif 003733
2004528810.tif 003734
2004528810.tif 003735
2004528810.tif 003736
2004528810.tif 003737
2004528810.tif 003738
2004528810.tif 003739
2004528810.tif 003740
2004528810.tif 003741
2004528810.tif 003742
2004528810.tif 003743
2004528810.tif 003744
2004528810.tif 003745
2004528810.tif 003746
2004528810.tif 003747
2004528810.tif 003748
2004528810.tif 003749
2004528810.tif 003750
2004528810.tif 003751
2004528810.tif 003752
2004528810.tif 003753
2004528810.tif 003754
2004528810.tif 003755
2004528810.tif 003756
2004528810.tif 003757
2004528810.tif 003758
2004528810.tif 003759
2004528810.tif 003760
2004528810.tif 003761
2004528810.tif 003762
2004528810.tif 003763
2004528810.tif 003764
2004528810.tif 003765
2004528810.tif 003766
2004528810.tif 003767
2004528810.tif 003768
2004528810.tif 003769
2004528810.tif 003770
2004528810.tif 003771
2004528810.tif 003772
2004528810.tif 003773
2004528810.tif 003774
2004528810.tif 003775
2004528810.tif 003776
2004528810.tif 003777
2004528810.tif 003778
2004528810.tif 003779
2004528810.tif 003780
2004528810.tif 003781
2004528810.tif 003782
2004528810.tif 003783
2004528810.tif 003784
2004528810.tif 003785
2004528810.tif 003786
2004528810.tif 003787
2004528810.tif 003788
2004528810.tif 003789
2004528810.tif 003790
2004528810.tif 003791
2004528810.tif 003792
2004528810.tif 003793
2004528810.tif 003794
2004528810.tif 003795
2004528810.tif 003796
2004528810.tif 003797
2004528810.tif 003798
2004528810.tif 003799
2004528810.tif 003800
2004528810.tif 003801
2004528810.tif 003802
2004528810.tif 003803
2004528810.tif 003804
2004528810.tif 003805
2004528810.tif 003806
2004528810.tif 003807
2004528810.tif 003808
2004528810.tif 003809
2004528810.tif 003810
2004528810.tif 003811
2004528810.tif 003812
2004528810.tif 003813
2004528810.tif 003814
2004528810.tif 003815
2004528810.tif 003816
2004528810.tif 003817
2004528810.tif 003818
2004528810.tif 003819
2004528810.tif 003820
2004528810.tif 003821
2004528810.tif 003822
2004528810.tif 003823
2004528810.tif 003824
2004528810.tif 003825
2004528810.tif 003826
2004528810.tif 003827
2004528810.tif 003828
2004528810.tif 003829
2004528810.tif 003830
2004528810.tif 003831
2004528810.tif 003832
2004528810.tif 003833
2004528810.tif 003834
2004528810.tif 003835
2004528810.tif 003836
2004528810.tif 003837
2004528810.tif 003838
2004528810.tif 003839
2004528810.tif 003840
2004528810.tif 003841
2004528810.tif 003842
2004528810.tif 003843
2004528810.tif 003844
2004528810.tif 003845
2004528810.tif 003846
2004528810.tif 003847
2004528810.tif 003848
2004528810.tif 003849
2004528810.tif 003850
2004528810.tif 003851
2004528810.tif 003852
2004528810.tif 003853
2004528810.tif 003854
2004528810.tif 003855
2004528810.tif 003856
2004528810.tif 003857
2004528810.tif 003858
2004528810.tif 003859
2004528810.tif 003860
2004528810.tif 003861
2004528810.tif 003862
2004528810.tif 003863
2004528810.tif 003864
2004528810.tif 003865
2004528810.tif 003866
2004528810.tif 003867
2004528810.tif 003868
2004528810.tif 003869
2004528810.tif 003870
2004528810.tif 003871
2004528810.tif 003872
2004528810.tif 003873
2004528810.tif 003874
2004528810.tif 003875
2004528810.tif 003876
2004528810.tif 003877
2004528810.tif 003878
2004528810.tif 003879
2004528810.tif 003880
2004528810.tif 003881
2004528810.tif 003882
2004528810.tif 003883
2004528810.tif 003884
2004528810.tif 003885
2004528810.tif 003886
2004528810.tif 003887
2004528810.tif 003888
2004528810.tif 003889
2004528810.tif 003890
2004528810.tif 003891
2004528810.tif 003892
2004528810.tif 003893
2004528810.tif 003894
2004528810.tif 003895
2004528810.tif 003896
2004528810.tif 003897
2004528810.tif 003898
2004528810.tif 003899
2004528810.tif 003900
2004528810.tif 003901
2004528810.tif 003902
2004528810.tif 003903
2004528810.tif 003904
2004528810.tif 003905
2004528810.tif 003906
2004528810.tif 003907
2004528810.tif 003908
2004528810.tif 003909
2004528810.tif 003910
2004528810.tif 003911
2004528810.tif 003912
2004528810.tif 003913
2004528810.tif 003914
2004528810.tif 003915
2004528810.tif 003916
2004528810.tif 003917
2004528810.tif 003918
2004528810.tif 003919
2004528810.tif 003920
2004528810.tif 003921
2004528810.tif 003922
2004528810.tif 003923
2004528810.tif 003924
2004528810.tif 003925
2004528810.tif 003926
2004528810.tif 003927
2004528810.tif 003928
2004528810.tif 003929
2004528810.tif 003930
2004528810.tif 003931
2004528810.tif 003932
2004528810.tif 003933
2004528810.tif 003934
2004528810.tif 003935
2004528810.tif 003936
2004528810.tif 003937
2004528810.tif 003938
2004528810.tif 003939
2004528810.tif 003940
2004528810.tif 003941
2004528810.tif 003942
2004528810.tif 003943
2004528810.tif 003944
2004528810.tif 003945
2004528810.tif 003946
2004528810.tif 003947
2004528810.tif 003948
2004528810.tif 003949
2004528810.tif 003950
2004528810.tif 003951
2004528810.tif 003952
2004528810.tif 003953
2004528810.tif 003954
2004528810.tif 003955
2004528810.tif 003956
2004528810.tif 003957
2004528810.tif 003958
2004528810.tif 003959
2004528810.tif 003960
2004528810.tif 003961
2004528810.tif 003962
2004528810.tif 003963
2004528810.tif 003964
2004528810.tif 003965
2004528810.tif 003966
2004528810.tif 003967
2004528810.tif 003968
2004528810.tif 003969
2004528810.tif 003970
2004528810.tif 003971
2004528810.tif 003972
2004528810.tif 003973
2004528810.tif 003974
2004528810.tif 003975
2004528810.tif 003976
2004528810.tif 003977
2004528810.tif 003978
2004528810.tif 003979
2004528810.tif 003980
2004528810.tif 003981
2004528810.tif 003982
2004528810.tif 003983
2004528810.tif 003984
2004528810.tif 003985
2004528810.tif 003986
2004528810.tif 003987
2004528810.tif 003988
2004528810.tif 003989
2004528810.tif 003990
2004528810.tif 003991
2004528810.tif 003992
2004528810.tif 003993
2004528810.tif 003994
2004528810.tif 003995
2004528810.tif 003996
2004528810.tif 003997
2004528810.tif 003998
2004528810.tif 003999
2004528810.tif 004000
2004528810.tif 004001
2004528810.tif 004002
2004528810.tif 004003
2004528810.tif 004004
2004528810.tif 004005
2004528810.tif 004006
2004528810.tif 004007
2004528810.tif 004008
2004528810.tif 004009
2004528810.tif 004010
2004528810.tif 004011
2004528810.tif 004012
2004528810.tif 004013
2004528810.tif 004014
2004528810.tif 004015
2004528810.tif 004016
2004528810.tif 004017
2004528810.tif 004018
2004528810.tif 004019
2004528810.tif 004020
2004528810.tif 004021
2004528810.tif 004022
2004528810.tif 004023
2004528810.tif 004024
2004528810.tif 004025
2004528810.tif 004026
2004528810.tif 004027
2004528810.tif 004028
2004528810.tif 004029
2004528810.tif 004030
2004528810.tif 004031
2004528810.tif 004032
2004528810.tif 004033
2004528810.tif 004034
2004528810.tif 004035
2004528810.tif 004036
2004528810.tif 004037
2004528810.tif 004038
2004528810.tif 004039
2004528810.tif 004040
2004528810.tif 004041
2004528810.tif 004042
2004528810.tif 004043
2004528810.tif 004044
2004528810.tif 004045
2004528810.tif 004046
2004528810.tif 004047
2004528810.tif 004048
2004528810.tif 004049
2004528810.tif 004050
2004528810.tif 004051
2004528810.tif 004052
2004528810.tif 004053
2004528810.tif 004054
2004528810.tif 004055
2004528810.tif 004056
2004528810.tif 004057
2004528810.tif 004058
2004528810.tif 004059
2004528810.tif 004060
2004528810.tif 004061
2004528810.tif 004062
2004528810.tif 004063
2004528810.tif 004064
2004528810.tif 004065
2004528810.tif 004066
2004528810.tif 004067
2004528810.tif 004068
2004528810.tif 004069
2004528810.tif 004070
2004528810.tif 004071
2004528810.tif 004072
2004528810.tif 004073
2004528810.tif 004074
2004528810.tif 004075
2004528810.tif 004076
2004528810.tif 004077
2004528810.tif 004078
2004528810.tif 004079
2004528810.tif 004080
2004528810.tif 004081
2004528810.tif 004082
2004528810.tif 004083
2004528810.tif 004084
2004528810.tif 004085
2004528810.tif 004086
2004528810.tif 004087
2004528810.tif 004088
2004528810.tif 004089
2004528810.tif 004090
2004528810.tif 004091
2004528810.tif 004092
2004528810.tif 004093
2004528810.tif 004094
2004528810.tif 004095
2004528810.tif 004096
2004528810.tif 004097
2004528810.tif 004098
2004528810.tif 004099
2004528810.tif 004100
2004528810.tif 004101
2004528810.tif 004102
2004528810.tif 004103
2004528810.tif 004104
2004528810.tif 004105
2004528810.tif 004106
2004528810.tif 004107
2004528810.tif 004108
2004528810.tif 004109
2004528810.tif 004110
2004528810.tif 004111
2004528810.tif 004112
2004528810.tif 004113
2004528810.tif 004114
2004528810.tif 004115
2004528810.tif 004116
2004528810.tif 004117
2004528810.tif 004118
2004528810.tif 004119
2004528810.tif 004120
2004528810.tif 004121
2004528810.tif 004122
2004528810.tif 004123
2004528810.tif 004124
2004528810.tif 004125
2004528810.tif 004126
2004528810.tif 004127
2004528810.tif 004128
2004528810.tif 004129
2004528810.tif 004130
2004528810.tif 004131
2004528810.tif 004132
2004528810.tif 004133
2004528810.tif 004134
2004528810.tif 004135
2004528810.tif 004136
2004528810.tif 004137
2004528810.tif 004138
2004528810.tif 004139
2004528810.tif 004140
2004528810.tif 004141
2004528810.tif 004142
2004528810.tif 004143
2004528810.tif 004144
2004528810.tif 004145
2004528810.tif 004146
2004528810.tif 004147
2004528810.tif 004148
2004528810.tif 004149
2004528810.tif 004150
2004528810.tif 004151
2004528810.tif 004152
2004528810.tif 004153
2004528810.tif 004154
2004528810.tif 004155
2004528810.tif 004156
2004528810.tif 004157
2004528810.tif 004158
2004528810.tif 004159
2004528810.tif 004160
2004528810.tif 004161
2004528810.tif 004162
2004528810.tif 004163
2004528810.tif 004164
2004528810.tif 004165
2004528810.tif 004166
2004528810.tif 004167
2004528810.tif 004168
2004528810.tif 004169
2004528810.tif 004170
2004528810.tif 004171
2004528810.tif 004172
2004528810.tif 004173
2004528810.tif 004174
2004528810.tif 004175
2004528810.tif 004176
2004528810.tif 004177
2004528810.tif 004178
2004528810.tif 004179
2004528810.tif 004180
2004528810.tif 004181
2004528810.tif 004182
2004528810.tif 004183
2004528810.tif 004184
2004528810.tif 004185
2004528810.tif 004186
2004528810.tif 004187
2004528810.tif 004188
2004528810.tif 004189
2004528810.tif 004190
2004528810.tif 004191
2004528810.tif 004192
2004528810.tif 004193
2004528810.tif 004194
2004528810.tif 004195
2004528810.tif 004196
2004528810.tif 004197
2004528810.tif 004198
2004528810.tif 004199
2004528810.tif 004200
2004528810.tif 004201
2004528810.tif 004202
2004528810.tif 004203
2004528810.tif 004204
2004528810.tif 004205
2004528810.tif 004206
2004528810.tif 004207
2004528810.tif 004208
2004528810.tif 004209
2004528810.tif 004210
2004528810.tif 004211
2004528810.tif 004212
2004528810.tif 004213
2004528810.tif 004214
2004528810.tif 004215
2004528810.tif 004216
2004528810.tif 004217
2004528810.tif 004218
2004528810.tif 004219
2004528810.tif 004220
2004528810.tif 004221
2004528810.tif 004222
2004528810.tif 004223
2004528810.tif 004224
2004528810.tif 004225
2004528810.tif 004226
2004528810.tif 004227
2004528810.tif 004228
2004528810.tif 004229
2004528810.tif 004230
2004528810.tif 004231
2004528810.tif 004232
2004528810.tif 004233
2004528810.tif 004234
2004528810.tif 004235
2004528810.tif 004236
2004528810.tif 004237
2004528810.tif 004238
2004528810.tif 004239
2004528810.tif 004240
2004528810.tif 004241
2004528810.tif 004242
2004528810.tif 004243
2004528810.tif 004244
2004528810.tif 004245
2004528810.tif 004246
2004528810.tif 004247
2004528810.tif 004248
2004528810.tif 004249
2004528810.tif 004250
2004528810.tif 004251
2004528810.tif 004252
2004528810.tif 004253
2004528810.tif 004254
2004528810.tif 004255
2004528810.tif 004256
2004528810.tif 004257
2004528810.tif 004258
2004528810.tif 004259
2004528810.tif 004260
2004528810.tif 004261
2004528810.tif 004262
2004528810.tif 004263
2004528810.tif 004264
2004528810.tif 004265
2004528810.tif 004266
2004528810.tif 004267
2004528810.tif 004268
2004528810.tif 004269
2004528810.tif 004270
2004528810.tif 004271
2004528810.tif 004272
2004528810.tif 004273
2004528810.tif 004274
2004528810.tif 004275
2004528810.tif 004276
2004528810.tif 004277
2004528810.tif 004278
2004528810.tif 004279
2004528810.tif 004280
2004528810.tif 004281
2004528810.tif 004282
2004528810.tif 004283
2004528810.tif 004284
2004528810.tif 004285
2004528810.tif 004286
2004528810.tif 004287
2004528810.tif 004288
2004528810.tif 004289
2004528810.tif 004290
2004528810.tif 004291
2004528810.tif 004292
2004528810.tif 004293
2004528810.tif 004294
2004528810.tif 004295
2004528810.tif 004296
2004528810.tif 004297
2004528810.tif 004298
2004528810.tif 004299
2004528810.tif 004300
2004528810.tif 004301
2004528810.tif 004302
2004528810.tif 004303
2004528810.tif 004304
2004528810.tif 004305
2004528810.tif 004306
2004528810.tif 004307
2004528810.tif 004308
2004528810.tif 004309
2004528810.tif 004310
2004528810.tif 004311
2004528810.tif 004312
2004528810.tif 004313
2004528810.tif 004314
2004528810.tif 004315
2004528810.tif 004316
2004528810.tif 004317
2004528810.tif 004318
2004528810.tif 004319
2004528810.tif 004320
2004528810.tif 004321
2004528810.tif 004322
2004528810.tif 004323
2004528810.tif 004324
2004528810.tif 004325
2004528810.tif 004326
2004528810.tif 004327
2004528810.tif 004328
2004528810.tif 004329
2004528810.tif 004330
2004528810.tif 004331
2004528810.tif 004332
2004528810.tif 004333
2004528810.tif 004334
2004528810.tif 004335
2004528810.tif 004336
2004528810.tif 004337
2004528810.tif 004338
2004528810.tif 004339
2004528810.tif 004340
2004528810.tif 004341
2004528810.tif 004342
2004528810.tif 004343
2004528810.tif 004344
2004528810.tif 004345
2004528810.tif 004346
2004528810.tif 004347
2004528810.tif 004348
2004528810.tif 004349
2004528810.tif 004350
2004528810.tif 004351
2004528810.tif 004352
2004528810.tif 004353
2004528810.tif 004354
2004528810.tif 004355
2004528810.tif 004356
2004528810.tif 004357
2004528810.tif 004358
2004528810.tif 004359
2004528810.tif 004360
2004528810.tif 004361
2004528810.tif 004362
2004528810.tif 004363
2004528810.tif 004364
2004528810.tif 004365
2004528810.tif 004366
2004528810.tif 004367
2004528810.tif 004368
2004528810.tif 004369
2004528810.tif 004370
2004528810.tif 004371
2004528810.tif 004372
2004528810.tif 004373
2004528810.tif 004374
2004528810.tif 004375
2004528810.tif 004376
2004528810.tif 004377
2004528810.tif 004378
2004528810.tif 004379
2004528810.tif 004380
2004528810.tif 004381
2004528810.tif 004382
2004528810.tif 004383
2004528810.tif 004384
2004528810.tif 004385
2004528810.tif 004386
2004528810.tif 004387
2004528810.tif 004388
2004528810.tif 004389
2004528810.tif 004390
2004528810.tif 004391
2004528810.tif 004392
2004528810.tif 004393
2004528810.tif 004394
2004528810.tif 004395
2004528810.tif 004396
2004528810.tif 004397
2004528810.tif 004398
2004528810.tif 004399
2004528810.tif 004400
2004528810.tif 004401
2004528810.tif 004402
2004528810.tif 004403
2004528810.tif 004404
2004528810.tif 004405
2004528810.tif 004406
2004528810.tif 004407
2004528810.tif 004408
2004528810.tif 004409
2004528810.tif 004410
2004528810.tif 004411
2004528810.tif 004412
2004528810.tif 004413
2004528810.tif 004414
2004528810.tif 004415
2004528810.tif 004416
2004528810.tif 004417
2004528810.tif 004418
2004528810.tif 004419
2004528810.tif 004420
2004528810.tif 004421
2004528810.tif 004422
2004528810.tif 004423
2004528810.tif 004424
2004528810.tif 004425
2004528810.tif 004426
2004528810.tif 004427
2004528810.tif 004428
2004528810.tif 004429
2004528810.tif 004430
2004528810.tif 004431
2004528810.tif 004432
2004528810.tif 004433
2004528810.tif 004434
2004528810.tif 004435
2004528810.tif 004436
2004528810.tif 004437
2004528810.tif 004438
2004528810.tif 004439
2004528810.tif 004440
2004528810.tif 004441
2004528810.tif 004442
2004528810.tif 004443
2004528810.tif 004444
2004528810.tif 004445
2004528810.tif 004446
2004528810.tif 004447
2004528810.tif 004448
2004528810.tif 004449
2004528810.tif 004450
2004528810.tif 004451
2004528810.tif 004452
2004528810.tif 004453
2004528810.tif 004454
2004528810.tif 004455
2004528810.tif 004456
2004528810.tif 004457
2004528810.tif 004458
2004528810.tif 004459
2004528810.tif 004460
2004528810.tif 004461
2004528810.tif 004462
2004528810.tif 004463
2004528810.tif 004464
2004528810.tif 004465
2004528810.tif 004466
2004528810.tif 004467
2004528810.tif 004468
2004528810.tif 004469
2004528810.tif 004470
2004528810.tif 004471
2004528810.tif 004472
2004528810.tif 004473
2004528810.tif 004474
2004528810.tif 004475
2004528810.tif 004476
2004528810.tif 004477
2004528810.tif 004478
2004528810.tif 004479
2004528810.tif 004480
2004528810.tif 004481
2004528810.tif 004482
2004528810.tif 004483
2004528810.tif 004484
2004528810.tif 004485
2004528810.tif 004486
2004528810.tif 004487
2004528810.tif 004488
2004528810.tif 004489
2004528810.tif 004490
2004528810.tif 004491
2004528810.tif 004492
2004528810.tif 004493
2004528810.tif 004494
2004528810.tif 004495
2004528810.tif 004496
2004528810.tif 004497
2004528810.tif 004498
2004528810.tif 004499
2004528810.tif 004500
2004528810.tif 004501
2004528810.tif 004502
2004528810.tif 004503
2004528810.tif 004504
2004528810.tif 004505
2004528810.tif 004506
2004528810.tif 004507
2004528810.tif 004508
2004528810.tif 004509
2004528810.tif 004510
2004528810.tif 004511
2004528810.tif 004512
2004528810.tif 004513
2004528810.tif 004514
2004528810.tif 004515
2004528810.tif 004516
2004528810.tif 004517
2004528810.tif 004518
2004528810.tif 004519
2004528810.tif 004520
2004528810.tif 004521
2004528810.tif 004522
2004528810.tif 004523
2004528810.tif 004524
2004528810.tif 004525
2004528810.tif 004526
2004528810.tif 004527
2004528810.tif 004528
2004528810.tif 004529
2004528810.tif 004530
2004528810.tif 004531
2004528810.tif 004532
2004528810.tif 004533
2004528810.tif 004534
2004528810.tif 004535
2004528810.tif 004536
2004528810.tif 004537
2004528810.tif 004538
2004528810.tif 004539
2004528810.tif 004540
2004528810.tif 004541
2004528810.tif 004542
2004528810.tif 004543
2004528810.tif 004544
2004528810.tif 004545
2004528810.tif 004546
2004528810.tif 004547
2004528810.tif 004548
2004528810.tif 004549
2004528810.tif 004550
2004528810.tif 004551
2004528810.tif 004552
2004528810.tif 004553
2004528810.tif 004554
2004528810.tif 004555
2004528810.tif 004556
2004528810.tif 004557
2004528810.tif 004558
2004528810.tif 004559
2004528810.tif 004560
2004528810.tif 004561
2004528810.tif 004562
2004528810.tif 004563
2004528810.tif 004564
2004528810.tif 004565
2004528810.tif 004566
2004528810.tif 004567
2004528810.tif 004568
2004528810.tif 004569
2004528810.tif 004570
2004528810.tif 004571
2004528810.tif 004572
2004528810.tif 004573
2004528810.tif 004574
2004528810.tif 004575
2004528810.tif 004576
2004528810.tif 004577
2004528810.tif 004578
2004528810.tif 004579
2004528810.tif 004580
2004528810.tif 004581
2004528810.tif 004582
2004528810.tif 004583
2004528810.tif 004584
2004528810.tif 004585
2004528810.tif 004586
2004528810.tif 004587
2004528810.tif 004588
2004528810.tif 004589
2004528810.tif 004590
2004528810.tif 004591
2004528810.tif 004592
2004528810.tif 004593
2004528810.tif 004594
2004528810.tif 004595
2004528810.tif 004596
2004528810.tif 004597
2004528810.tif 004598
2004528810.tif 004599
2004528810.tif 004600
2004528810.tif 004601
2004528810.tif 004602
2004528810.tif 004603
2004528810.tif 004604
2004528810.tif 004605
2004528810.tif 004606
2004528810.tif 004607
2004528810.tif 004608
2004528810.tif 004609
2004528810.tif 004610
2004528810.tif 004611
2004528810.tif 004612
2004528810.tif 004613
2004528810.tif 004614
2004528810.tif 004615
2004528810.tif 004616
2004528810.tif 004617
2004528810.tif 004618
2004528810.tif 004619
2004528810.tif 004620
2004528810.tif 004621
2004528810.tif 004622
2004528810.tif 004623
2004528810.tif 004624
2004528810.tif 004625
2004528810.tif 004626
2004528810.tif 004627
2004528810.tif 004628
2004528810.tif 004629
2004528810.tif 004630
2004528810.tif 004631
2004528810.tif 004632
2004528810.tif 004633
2004528810.tif 004634
2004528810.tif 004635
2004528810.tif 004636
2004528810.tif 004637
2004528810.tif 004638
2004528810.tif 004639
2004528810.tif 004640
2004528810.tif 004641
2004528810.tif 004642
2004528810.tif 004643
2004528810.tif 004644
2004528810.tif 004645
2004528810.tif 004646
2004528810.tif 004647
2004528810.tif 004648
2004528810.tif 004649
2004528810.tif 004650
2004528810.tif 004651
2004528810.tif 004652
2004528810.tif 004653
2004528810.tif 004654
2004528810.tif 004655
2004528810.tif 004656
2004528810.tif 004657
2004528810.tif 004658
2004528810.tif 004659
2004528810.tif 004660
2004528810.tif 004661
2004528810.tif 004662
2004528810.tif 004663
2004528810.tif 004664
2004528810.tif 004665
2004528810.tif 004666
2004528810.tif 004667
2004528810.tif 004668
2004528810.tif 004669
2004528810.tif 004670
2004528810.tif 004671
2004528810.tif 004672
2004528810.tif 004673
2004528810.tif 004674
2004528810.tif 004675
2004528810.tif 004676
2004528810.tif 004677
2004528810.tif 004678
2004528810.tif 004679
2004528810.tif 004680
2004528810.tif 004681
2004528810.tif 004682
2004528810.tif 004683
2004528810.tif 004684
2004528810.tif 004685
2004528810.tif 004686
2004528810.tif 004687
2004528810.tif 004688
2004528810.tif 004689
2004528810.tif 004690
2004528810.tif 004691
2004528810.tif 004692
2004528810.tif 004693
2004528810.tif 004694
2004528810.tif 004695
2004528810.tif 004696
2004528810.tif 004697
2004528810.tif 004698
2004528810.tif 004699
2004528810.tif 004700
2004528810.tif 004701
【国際公開パンフレット】
2004528810.tif 004702
2004528810.tif 004703
2004528810.tif 004704
2004528810.tif 004705
2004528810.tif 004706
2004528810.tif 004707
2004528810.tif 004708
2004528810.tif 004709
2004528810.tif 004710
2004528810.tif 004711
2004528810.tif 004712
2004528810.tif 004713
2004528810.tif 004714
2004528810.tif 004715
2004528810.tif 004716
2004528810.tif 004717
2004528810.tif 004718
2004528810.tif 004719
2004528810.tif 004720
2004528810.tif 004721
2004528810.tif 004722
2004528810.tif 004723
2004528810.tif 004724
2004528810.tif 004725
2004528810.tif 004726
2004528810.tif 004727
2004528810.tif 004728
2004528810.tif 004729
2004528810.tif 004730
2004528810.tif 004731
2004528810.tif 004732
2004528810.tif 004733
2004528810.tif 004734
2004528810.tif 004735
2004528810.tif 004736
2004528810.tif 004737
2004528810.tif 004738
2004528810.tif 004739
2004528810.tif 004740
2004528810.tif 004741
2004528810.tif 004742
2004528810.tif 004743
2004528810.tif 004744
2004528810.tif 004745
2004528810.tif 004746
2004528810.tif 004747
2004528810.tif 004748
2004528810.tif 004749
2004528810.tif 004750
2004528810.tif 004751
2004528810.tif 004752
2004528810.tif 004753
2004528810.tif 004754
2004528810.tif 004755
2004528810.tif 004756
2004528810.tif 004757
2004528810.tif 004758
2004528810.tif 004759
2004528810.tif 004760
2004528810.tif 004761
2004528810.tif 004762
2004528810.tif 004763
2004528810.tif 004764
2004528810.tif 004765
2004528810.tif 004766
2004528810.tif 004767
2004528810.tif 004768
2004528810.tif 004769
2004528810.tif 004770
2004528810.tif 004771
2004528810.tif 004772
2004528810.tif 004773
2004528810.tif 004774
2004528810.tif 004775
2004528810.tif 004776
2004528810.tif 004777
2004528810.tif 004778
2004528810.tif 004779
2004528810.tif 004780
2004528810.tif 004781
2004528810.tif 004782
2004528810.tif 004783
2004528810.tif 004784
2004528810.tif 004785
2004528810.tif 004786
2004528810.tif 004787
2004528810.tif 004788
2004528810.tif 004789
2004528810.tif 004790
2004528810.tif 004791
2004528810.tif 004792
2004528810.tif 004793
2004528810.tif 004794
2004528810.tif 004795
2004528810.tif 004796
2004528810.tif 004797
2004528810.tif 004798
2004528810.tif 004799
2004528810.tif 004800
2004528810.tif 004801
2004528810.tif 004802
2004528810.tif 004803
2004528810.tif 004804
2004528810.tif 004805
2004528810.tif 004806
2004528810.tif 004807
2004528810.tif 004808
2004528810.tif 004809
2004528810.tif 004810
2004528810.tif 004811
2004528810.tif 004812
2004528810.tif 004813
2004528810.tif 004814
2004528810.tif 004815
2004528810.tif 004816
2004528810.tif 004817
2004528810.tif 004818
2004528810.tif 004819
2004528810.tif 004820
2004528810.tif 004821
2004528810.tif 004822
2004528810.tif 004823
2004528810.tif 004824
2004528810.tif 004825
2004528810.tif 004826
2004528810.tif 004827
2004528810.tif 004828
2004528810.tif 004829
2004528810.tif 004830
2004528810.tif 004831
2004528810.tif 004832
2004528810.tif 004833
2004528810.tif 004834
2004528810.tif 004835
2004528810.tif 004836
2004528810.tif 004837
2004528810.tif 004838
2004528810.tif 004839
2004528810.tif 004840
2004528810.tif 004841
2004528810.tif 004842
2004528810.tif 004843
2004528810.tif 004844
2004528810.tif 004845
2004528810.tif 004846
2004528810.tif 004847
2004528810.tif 004848
2004528810.tif 004849
2004528810.tif 004850
2004528810.tif 004851
2004528810.tif 004852
2004528810.tif 004853
2004528810.tif 004854
2004528810.tif 004855
2004528810.tif 004856
2004528810.tif 004857
2004528810.tif 004858
2004528810.tif 004859
2004528810.tif 004860
2004528810.tif 004861
2004528810.tif 004862
2004528810.tif 004863
2004528810.tif 004864
2004528810.tif 004865
2004528810.tif 004866
2004528810.tif 004867
2004528810.tif 004868
2004528810.tif 004869
2004528810.tif 004870
2004528810.tif 004871
2004528810.tif 004872
2004528810.tif 004873
2004528810.tif 004874
2004528810.tif 004875
2004528810.tif 004876
2004528810.tif 004877
2004528810.tif 004878
2004528810.tif 004879
2004528810.tif 004880
2004528810.tif 004881
2004528810.tif 004882
2004528810.tif 004883
2004528810.tif 004884
2004528810.tif 004885
2004528810.tif 004886
2004528810.tif 004887
2004528810.tif 004888
2004528810.tif 004889
2004528810.tif 004890
2004528810.tif 004891
2004528810.tif 004892
2004528810.tif 004893
2004528810.tif 004894
2004528810.tif 004895
2004528810.tif 004896
2004528810.tif 004897
2004528810.tif 004898
2004528810.tif 004899
2004528810.tif 004900
2004528810.tif 004901
2004528810.tif 004902
2004528810.tif 004903
2004528810.tif 004904
2004528810.tif 004905
2004528810.tif 004906
2004528810.tif 004907
2004528810.tif 004908
2004528810.tif 004909
2004528810.tif 004910
2004528810.tif 004911
2004528810.tif 004912
2004528810.tif 004913
2004528810.tif 004914
2004528810.tif 004915
2004528810.tif 004916
2004528810.tif 004917
2004528810.tif 004918
2004528810.tif 004919
2004528810.tif 004920
2004528810.tif 004921
2004528810.tif 004922
2004528810.tif 004923
2004528810.tif 004924
2004528810.tif 004925
2004528810.tif 004926
2004528810.tif 004927
2004528810.tif 004928
2004528810.tif 004929
2004528810.tif 004930
2004528810.tif 004931
2004528810.tif 004932
2004528810.tif 004933
2004528810.tif 004934
2004528810.tif 004935
2004528810.tif 004936
2004528810.tif 004937
2004528810.tif 004938
2004528810.tif 004939
2004528810.tif 004940
2004528810.tif 004941
2004528810.tif 004942
2004528810.tif 004943
2004528810.tif 004944
2004528810.tif 004945
2004528810.tif 004946
2004528810.tif 004947
2004528810.tif 004948
2004528810.tif 004949
2004528810.tif 004950
2004528810.tif 004951
2004528810.tif 004952
2004528810.tif 004953
2004528810.tif 004954
2004528810.tif 004955
2004528810.tif 004956
2004528810.tif 004957
2004528810.tif 004958
2004528810.tif 004959
2004528810.tif 004960
2004528810.tif 004961
2004528810.tif 004962
2004528810.tif 004963
2004528810.tif 004964
2004528810.tif 004965
2004528810.tif 004966
2004528810.tif 004967
2004528810.tif 004968
2004528810.tif 004969
2004528810.tif 004970
2004528810.tif 004971
2004528810.tif 004972
2004528810.tif 004973
2004528810.tif 004974
2004528810.tif 004975
2004528810.tif 004976
2004528810.tif 004977
2004528810.tif 004978
2004528810.tif 004979
2004528810.tif 004980
2004528810.tif 004981
2004528810.tif 004982
2004528810.tif 004983
2004528810.tif 004984
2004528810.tif 004985
2004528810.tif 004986
2004528810.tif 004987
2004528810.tif 004988
2004528810.tif 004989
2004528810.tif 004990
2004528810.tif 004991
2004528810.tif 004992
2004528810.tif 004993
2004528810.tif 004994
2004528810.tif 004995
2004528810.tif 004996
2004528810.tif 004997
2004528810.tif 004998
2004528810.tif 004999
2004528810.tif 005000
2004528810.tif 005001
2004528810.tif 005002
2004528810.tif 005003
2004528810.tif 005004
2004528810.tif 005005
2004528810.tif 005006
2004528810.tif 005007
2004528810.tif 005008
2004528810.tif 005009
2004528810.tif 005010
2004528810.tif 005011
2004528810.tif 005012
2004528810.tif 005013
2004528810.tif 005014
2004528810.tif 005015
2004528810.tif 005016
2004528810.tif 005017
2004528810.tif 005018
2004528810.tif 005019
2004528810.tif 005020
2004528810.tif 005021
2004528810.tif 005022
2004528810.tif 005023
2004528810.tif 005024
2004528810.tif 005025
2004528810.tif 005026
2004528810.tif 005027
2004528810.tif 005028
2004528810.tif 005029
2004528810.tif 005030
2004528810.tif 005031
2004528810.tif 005032
2004528810.tif 005033
2004528810.tif 005034
2004528810.tif 005035
2004528810.tif 005036
2004528810.tif 005037
2004528810.tif 005038
2004528810.tif 005039
2004528810.tif 005040
2004528810.tif 005041
2004528810.tif 005042
2004528810.tif 005043
2004528810.tif 005044
2004528810.tif 005045
2004528810.tif 005046
2004528810.tif 005047
2004528810.tif 005048
2004528810.tif 005049
2004528810.tif 005050
2004528810.tif 005051
2004528810.tif 005052
2004528810.tif 005053
2004528810.tif 005054
2004528810.tif 005055
2004528810.tif 005056
2004528810.tif 005057
2004528810.tif 005058
2004528810.tif 005059
2004528810.tif 005060
2004528810.tif 005061
2004528810.tif 005062
2004528810.tif 005063
2004528810.tif 005064
2004528810.tif 005065
2004528810.tif 005066
2004528810.tif 005067
2004528810.tif 005068
2004528810.tif 005069
2004528810.tif 005070
2004528810.tif 005071
2004528810.tif 005072
2004528810.tif 005073
2004528810.tif 005074
2004528810.tif 005075
2004528810.tif 005076
2004528810.tif 005077
2004528810.tif 005078
2004528810.tif 005079
2004528810.tif 005080
2004528810.tif 005081
2004528810.tif 005082
2004528810.tif 005083
2004528810.tif 005084
2004528810.tif 005085
2004528810.tif 005086
2004528810.tif 005087
2004528810.tif 005088
2004528810.tif 005089
2004528810.tif 005090
2004528810.tif 005091
2004528810.tif 005092
2004528810.tif 005093
2004528810.tif 005094
2004528810.tif 005095
2004528810.tif 005096
2004528810.tif 005097
2004528810.tif 005098
2004528810.tif 005099
2004528810.tif 005100
2004528810.tif 005101
2004528810.tif 005102
2004528810.tif 005103
2004528810.tif 005104
2004528810.tif 005105
2004528810.tif 005106
2004528810.tif 005107
2004528810.tif 005108
2004528810.tif 005109
2004528810.tif 005110
2004528810.tif 005111
2004528810.tif 005112
2004528810.tif 005113
2004528810.tif 005114
2004528810.tif 005115
2004528810.tif 005116
2004528810.tif 005117
2004528810.tif 005118
2004528810.tif 005119
2004528810.tif 005120
2004528810.tif 005121
2004528810.tif 005122
2004528810.tif 005123
2004528810.tif 005124
2004528810.tif 005125
2004528810.tif 005126
2004528810.tif 005127
2004528810.tif 005128
2004528810.tif 005129
2004528810.tif 005130
2004528810.tif 005131
2004528810.tif 005132
2004528810.tif 005133
2004528810.tif 005134
2004528810.tif 005135
2004528810.tif 005136
2004528810.tif 005137
2004528810.tif 005138
2004528810.tif 005139
2004528810.tif 005140
2004528810.tif 005141
2004528810.tif 005142
2004528810.tif 005143
2004528810.tif 005144
2004528810.tif 005145
2004528810.tif 005146
2004528810.tif 005147
2004528810.tif 005148
2004528810.tif 005149
2004528810.tif 005150
2004528810.tif 005151
2004528810.tif 005152
2004528810.tif 005153
2004528810.tif 005154
2004528810.tif 005155
2004528810.tif 005156
2004528810.tif 005157
2004528810.tif 005158
2004528810.tif 005159
2004528810.tif 005160
2004528810.tif 005161
2004528810.tif 005162
2004528810.tif 005163
2004528810.tif 005164
2004528810.tif 005165
2004528810.tif 005166
2004528810.tif 005167
2004528810.tif 005168
2004528810.tif 005169
2004528810.tif 005170
2004528810.tif 005171
2004528810.tif 005172
2004528810.tif 005173
2004528810.tif 005174
2004528810.tif 005175
2004528810.tif 005176
2004528810.tif 005177
2004528810.tif 005178
2004528810.tif 005179
2004528810.tif 005180
2004528810.tif 005181
2004528810.tif 005182
2004528810.tif 005183
2004528810.tif 005184
2004528810.tif 005185
2004528810.tif 005186
2004528810.tif 005187
2004528810.tif 005188
2004528810.tif 005189
2004528810.tif 005190
2004528810.tif 005191
2004528810.tif 005192
2004528810.tif 005193
2004528810.tif 005194
2004528810.tif 005195
2004528810.tif 005196
2004528810.tif 005197
2004528810.tif 005198
2004528810.tif 005199
2004528810.tif 005200
2004528810.tif 005201
2004528810.tif 005202
2004528810.tif 005203
2004528810.tif 005204
2004528810.tif 005205
2004528810.tif 005206
2004528810.tif 005207
2004528810.tif 005208
2004528810.tif 005209
2004528810.tif 005210
2004528810.tif 005211
2004528810.tif 005212
2004528810.tif 005213
2004528810.tif 005214
2004528810.tif 005215
2004528810.tif 005216
2004528810.tif 005217
2004528810.tif 005218
2004528810.tif 005219
2004528810.tif 005220
2004528810.tif 005221
2004528810.tif 005222
2004528810.tif 005223
2004528810.tif 005224
2004528810.tif 005225
2004528810.tif 005226
2004528810.tif 005227
2004528810.tif 005228
2004528810.tif 005229
2004528810.tif 005230
2004528810.tif 005231
2004528810.tif 005232
2004528810.tif 005233
2004528810.tif 005234
2004528810.tif 005235
2004528810.tif 005236
2004528810.tif 005237
2004528810.tif 005238
2004528810.tif 005239
2004528810.tif 005240
2004528810.tif 005241
2004528810.tif 005242
2004528810.tif 005243
2004528810.tif 005244
2004528810.tif 005245
2004528810.tif 005246
2004528810.tif 005247
2004528810.tif 005248
2004528810.tif 005249
2004528810.tif 005250
2004528810.tif 005251
2004528810.tif 005252
2004528810.tif 005253
2004528810.tif 005254
2004528810.tif 005255
2004528810.tif 005256
2004528810.tif 005257
2004528810.tif 005258
2004528810.tif 005259
2004528810.tif 005260
2004528810.tif 005261
2004528810.tif 005262
2004528810.tif 005263
2004528810.tif 005264
2004528810.tif 005265
2004528810.tif 005266
2004528810.tif 005267
2004528810.tif 005268
2004528810.tif 005269
2004528810.tif 005270
2004528810.tif 005271
2004528810.tif 005272
2004528810.tif 005273
2004528810.tif 005274
2004528810.tif 005275
2004528810.tif 005276
2004528810.tif 005277
2004528810.tif 005278
2004528810.tif 005279
2004528810.tif 005280
2004528810.tif 005281
2004528810.tif 005282
2004528810.tif 005283
2004528810.tif 005284
2004528810.tif 005285
2004528810.tif 005286
2004528810.tif 005287
2004528810.tif 005288
2004528810.tif 005289
2004528810.tif 005290
2004528810.tif 005291
2004528810.tif 005292
2004528810.tif 005293
2004528810.tif 005294
2004528810.tif 005295
2004528810.tif 005296
2004528810.tif 005297
2004528810.tif 005298
2004528810.tif 005299
2004528810.tif 005300
2004528810.tif 005301
2004528810.tif 005302
2004528810.tif 005303
2004528810.tif 005304
2004528810.tif 005305
2004528810.tif 005306
2004528810.tif 005307
2004528810.tif 005308
2004528810.tif 005309
2004528810.tif 005310
2004528810.tif 005311
2004528810.tif 005312
2004528810.tif 005313
2004528810.tif 005314
2004528810.tif 005315
2004528810.tif 005316
2004528810.tif 005317
2004528810.tif 005318
2004528810.tif 005319
2004528810.tif 005320
2004528810.tif 005321
2004528810.tif 005322
2004528810.tif 005323
2004528810.tif 005324
2004528810.tif 005325
2004528810.tif 005326
2004528810.tif 005327
2004528810.tif 005328
2004528810.tif 005329
2004528810.tif 005330
2004528810.tif 005331
2004528810.tif 005332
2004528810.tif 005333
2004528810.tif 005334
2004528810.tif 005335
2004528810.tif 005336
2004528810.tif 005337
2004528810.tif 005338
2004528810.tif 005339
2004528810.tif 005340
2004528810.tif 005341
2004528810.tif 005342
2004528810.tif 005343
2004528810.tif 005344
2004528810.tif 005345
2004528810.tif 005346
2004528810.tif 005347
2004528810.tif 005348
2004528810.tif 005349
2004528810.tif 005350
2004528810.tif 005351
2004528810.tif 005352
2004528810.tif 005353
2004528810.tif 005354
2004528810.tif 005355
2004528810.tif 005356
2004528810.tif 005357
2004528810.tif 005358
2004528810.tif 005359
2004528810.tif 005360
2004528810.tif 005361
2004528810.tif 005362
2004528810.tif 005363
2004528810.tif 005364
2004528810.tif 005365
2004528810.tif 005366
2004528810.tif 005367
2004528810.tif 005368
2004528810.tif 005369
2004528810.tif 005370
2004528810.tif 005371
2004528810.tif 005372
2004528810.tif 005373
2004528810.tif 005374
2004528810.tif 005375
2004528810.tif 005376
2004528810.tif 005377
2004528810.tif 005378
2004528810.tif 005379
2004528810.tif 005380
2004528810.tif 005381
2004528810.tif 005382
2004528810.tif 005383
2004528810.tif 005384
2004528810.tif 005385
2004528810.tif 005386
2004528810.tif 005387
2004528810.tif 005388
2004528810.tif 005389
2004528810.tif 005390
2004528810.tif 005391
2004528810.tif 005392
2004528810.tif 005393
2004528810.tif 005394
2004528810.tif 005395
2004528810.tif 005396
2004528810.tif 005397
2004528810.tif 005398
2004528810.tif 005399
2004528810.tif 005400
2004528810.tif 005401
2004528810.tif 005402
2004528810.tif 005403
2004528810.tif 005404
2004528810.tif 005405
2004528810.tif 005406
2004528810.tif 005407
2004528810.tif 005408
2004528810.tif 005409
2004528810.tif 005410
2004528810.tif 005411
2004528810.tif 005412
2004528810.tif 005413
2004528810.tif 005414
2004528810.tif 005415
2004528810.tif 005416
2004528810.tif 005417
2004528810.tif 005418
2004528810.tif 005419
2004528810.tif 005420
2004528810.tif 005421
2004528810.tif 005422
2004528810.tif 005423
2004528810.tif 005424
2004528810.tif 005425
2004528810.tif 005426
2004528810.tif 005427
2004528810.tif 005428
2004528810.tif 005429
2004528810.tif 005430
2004528810.tif 005431
2004528810.tif 005432
2004528810.tif 005433
2004528810.tif 005434
2004528810.tif 005435
2004528810.tif 005436
2004528810.tif 005437
2004528810.tif 005438
2004528810.tif 005439
2004528810.tif 005440
2004528810.tif 005441
2004528810.tif 005442
2004528810.tif 005443
2004528810.tif 005444
2004528810.tif 005445
2004528810.tif 005446
2004528810.tif 005447
2004528810.tif 005448
2004528810.tif 005449
2004528810.tif 005450
2004528810.tif 005451
2004528810.tif 005452
2004528810.tif 005453
2004528810.tif 005454
2004528810.tif 005455
2004528810.tif 005456
2004528810.tif 005457
2004528810.tif 005458
2004528810.tif 005459
2004528810.tif 005460
2004528810.tif 005461
2004528810.tif 005462
2004528810.tif 005463
2004528810.tif 005464
2004528810.tif 005465
2004528810.tif 005466
2004528810.tif 005467
2004528810.tif 005468
2004528810.tif 005469
2004528810.tif 005470
2004528810.tif 005471
2004528810.tif 005472
2004528810.tif 005473
2004528810.tif 005474
2004528810.tif 005475
2004528810.tif 005476
2004528810.tif 005477
2004528810.tif 005478
2004528810.tif 005479
2004528810.tif 005480
2004528810.tif 005481
2004528810.tif 005482
2004528810.tif 005483
2004528810.tif 005484
2004528810.tif 005485
2004528810.tif 005486
2004528810.tif 005487
2004528810.tif 005488
2004528810.tif 005489
2004528810.tif 005490
2004528810.tif 005491
2004528810.tif 005492
2004528810.tif 005493
2004528810.tif 005494
2004528810.tif 005495
2004528810.tif 005496
2004528810.tif 005497
【国際公開パンフレット（コレクトバージョン）】
2004528810.tif 005498
【国際調査報告】
2004528810.tif 005499
2004528810.tif 005500
2004528810.tif 005501
2004528810.tif 005502